(57)【特許請求の範囲】
【請求項１】
タッチディスプレイを固定した第１部分と、第２部分とを有するハウジングを備えたモバイル演算装置のための保護容器であって、
分離ユニットである前記モバイル演算装置の第２部分を収容しているボトム部材と、
前記第１部分を収容し、前記タッチディスプレイの一部に直接触れることができるように、前記タッチディスプレイの少なくとも一部を枠に入れる内側縁を有するトップ部材と、
前記第１及び第２部分を収容し、前記トップ部材を前記ボトム部材でシールし、前記タッチディスプレイの一部に隣接する耐水性シールを形成すべく前記トップ部材の内側縁近傍に位置するシール部を前記第１部分に直接係合するために、前記トップ部材を前記ボトム部材に連結している連結機構と、を備え、
前記連結機構は、前記ボトム部材と前記トップ部材の間に第１シールを備え、
前記トップ部材のシール部は、前記トップ部材が前記ボトム部材に連結されているとき、前記内側縁と前記タッチディスプレイの一部に隣接した領域との間に第２シールを備えている保護容器。
【請求項２】
前記トップ部材の内側縁に隣接する可撓性リッジをさらに備え、前記可撓性リッジは、前記タッチディスプレイ近傍のモバイル演算装置のトップ部材と連動する請求項１に記載の保護容器。
【請求項３】
前記連結機構は、前記トップ部材の外周の第２ラッチ機構と、前記トップ部材が前記ボトム部材に連結されるとき、前記トップ部材を前記ボトム部材に外れ止めするために、前記第２ラッチ機構に外れ止めされるように構成された第１ラッチ機構と、を備えている請求項１に記載の保護容器。
【請求項４】
前記トップ部材と前記ボトム部材は硬質のフレーム部材をそれぞれ備え、
前記第１ラッチ機構は、前記ボトム部材の外周から上方に延びる第１壁と、前記第１壁の内面の少なくとも一部に沿って内方に突出する第１リッジとを備え、前記第２ラッチ機構は、前記トップ部材の外周から下方に延びる第２壁と、前記トップ部材が前記ボトム部材に外れ止めされるとき、前記第１ラッチ機構の第１リッジに係合するために、第２壁の外面の少なくとも一部に沿って突出する第２リッジとを備えている請求項３に記載の保護容器。
【請求項５】
前記ラッチ機構は、
前記第１ラッチ機構近傍の前記ボトム部材上の第３ラッチ機構と、
前記第２ラッチ機構近傍の前記トップ部材上で、前記トップ部材が前記ボトム部材に連結されるとき、さらに前記トップ部材を前記ボトム部材に外れ止めするために、前記第３ラッチ機構に外れ止めされるように構成されている第４ラッチ機構と、をさらに備えている請求項３に記載の保護容器。
【請求項６】
前記トップ部材と前記ボトム部材は硬質のフレーム部材を備え、
前記第２ラッチ機構は、前記トップ部材の外周から下方に延びる第２壁と、前記トップ部材が前記ボトム部材に連結されるとき、前記第１ラッチ機構の第１リッジに係合する第２壁の外面の少なくとも一部に沿って突出する第２リッジとを備え、前記第３ラッチ機構は、前記ボトム部材から上方に延び、前記ボトム部材の外周の少なくとも一部に沿って第１溝を形成するために第１壁から離れた第３壁を備え、前記第３ラッチ機構は、さらに第３壁に離間して設けた多数の戻り止めを備えている請求項５に記載の保護容器。
【請求項７】
前記第４ラッチ機構は、前記トップ部材の外周から下方に延びる第２壁の内面から突出する多数のタブを備え、前記各タブは、前記トップ部材が前記ボトム部材に外れ止めされているとき、前記第３ラッチ機構の多数の戻り止めの対応する１つと係合している請求項６に記載の保護容器。
【請求項８】
前記トップ部材が前記ボトム部材に外れ止めされているとき、前記トップ部材の外周から下方に延びる第２壁に隣接する第２溝に配置される第１ガスケットをさらに備え、前記第１ガスケットは、前記トップ部材が前記ボトム部材に連結されているとき、前記トップ部材と前記ボトム部材の間に第１耐水性シールを備える請求項６に記載の保護容器。
【請求項９】
前記トップ部材は、前記内側縁に隣接する第２溝を備え、前記第２シールは、前記トップ部材が前記ボトム部材に連結されているとき、前記タッチディスプレイの少なくとも一部に隣接する領域に隣接する第２溝内に配置される第２ガスケットを備え、前記第２ガスケットは、前記トップ部材が前記ボトム部材に連結されているとき、前記トップ部材と前記ボトム部材の間に第２耐水性シールを備える請求項８に記載の保護容器。
【請求項１０】
前記連結機構は、スクリュー、ラチェット、ボルト、スナップ、戻り止め、ボール・ソケット連結部、リジッド、穴及び中子、及びマッシュルーム型スナップの１以上を備える請求項１に記載の保護容器。
【請求項１１】
１以上の電気相互接続ポートをさらに備え、前記各電気相互接続ポートはシール部材を備える請求項１に記載の保護容器。
【請求項１２】
前記電気相互接続ポートは、データ及び充電ポートを備え、前記シール部材はラッチドアを備える請求項１１に記載の保護容器。
【請求項１３】
前記データ及び充電ポートは前記トップ部材を貫通し、前記ラッチドアは、回転軸によってボトム部材に連結され、前記データ及び充電ポートに外れ止めされるように構成されている請求項１２に記載の保護容器。
【請求項１４】
前記電気相互接続ポートは、ネジ付きイヤホンジャックの開口を含み、前記シール部材は、前記イヤホンジャックの開口を塞いでシールするネジ付き栓からなる多数のシール部材の１つによってシール可能である請求項１１に記載の保護容器。
【請求項１５】
前記電気相互接続ポートは、ラッチドア、プラグ、ガスケットを備えたスクリュー、差し込みピン、スライドドア、及びシール可能な開口を備えたラッチドアの１つによってシール可能である請求項１１に記載の保護容器。
【請求項１６】
前記ボトム部材は、前記ボトム部材を連結するために、前記ボトム部材の外面に物理的に相互接続される１以上の外部アクセサリをさらに備える請求項１に記載の保護容器。
【請求項１７】
音通過可能で不浸透性の膜で覆われたスピーカグリル、前記トップ部材又は前記ボトム部材に設けたカメラレンズ、モバイル演算装置の対応する１以上のボタンを操作するための１以上のシールされたボタン、及びモバイル演算装置の対応するリニアスイッチを操作するためのシールされたアクチュエータのうち、１以上をさらに備える請求項１に記載の保護容器。
【請求項１８】
前記ボトム部材は、直接背面に触れることができるように、タッチディスプレイとは反対側のモバイル演算装置のハウジングの第２部分の背面の少なくとも一部を枠に入れるための内側縁をさらに備え、前記連結機構は、ボトム部材の内側縁を、モバイル演算装置のハウジングの第２部分の背面の少なくとも一部に隣接する領域でシールするように構成されている請求項１に記載の保護容器。
【請求項１９】
前記連結機構は、ボトム部材の内側縁と、モバイル演算装置のハウジングの第２部分の背面の少なくとも一部に隣接する領域との間の第３シールを備える請求項１８に記載の保護容器。
【請求項２０】
ハウジングを有するモバイル演算装置を提供し、前記ハウジングは第１部分及び第２部分を有し、前記第１部分はタッチディスプレイを備え、
前記モバイル演算装置のための保護容器を提供し、前記保護容器は、トップ部材とボトム部材を有し、前記トップ部材と前記ボトム部材は、止め機構をそれぞれ備え、
前記モバイル演算装置のハウジングの第２部分を前記保護容器のボトム部材に保持し、前記ハウジングは前記保護容器からの分離ユニットであり、
前記モバイル演算装置の第１部分を前記保護容器のトップ部材に保持し、前記トップ部材はタッチディスプレイの一部を直接触ることができるように、タッチディスプレイの少なくとも一部を枠に入れる内側縁を有し、
前記各止め機構を介して、前記トップ部材に前記ボトム部材を連結することにより、前記モバイル演算装置の第１及び第２部分を収容し、前記トップ部材を前記ボトム部材でシールし、前記トップ部材の内側縁をタッチディスプレイの少なくとも一部に隣接する領域でシールし、前記止め機構は前記ボトム部材と前記トップ部材の間の第１シールを備える方法。
【請求項２１】
ハウジングを有するモバイル演算装置のために、前記ハウジングは第１部分及び第２部分を有し、前記第１部分は前記モバイル演算装置のハウジングの第１部分に固定したタッチディスプレイを備えた保護容器であって、
分離ユニットである前記ハウジングの第２部分を収容するボトム部材であって、
前記第１部分を収容し、タッチディスプレイの一部に直接触れることができるようにタッチディスプレイの少なくとも一部を枠に入れる内側縁と、ボトム部材が連結されているとき、前記内側縁と前記タッチディスプレイの一部に隣接する領域との間の第１シールとを備えるトップ部材と、
前記第１及び第２部分を収容し、前記トップ部材を前記ボトム部材でシールし、前記トップ部材の内側縁を前記タッチディスプレイの一部に隣接するモバイル演算装置の第１部分でシールするために、前記トップ部材に前記ボトム部材を連結する連結機構と、を備えるモバイル演算装置の保護容器。
【請求項２２】
前記連結機構は、前記トップ部材と前記ボトム部材の間の第２シールを備える請求項２１に記載の保護容器。
【請求項２３】
前記トップ部材の内側縁に隣接する可撓性リッジをさらに備え、前記可撓性リッジは前記タッチディスプレイに隣接するモバイル演算装置のトップ部材に相互接続されている請求項２１に記載の保護容器。
【発明の詳細な説明】
【技術分野】
【０００１】
本願は、２０１１年６月１３日に出願された「タブレットコンピュータを入れるためのハウジング」という名称の米国仮出願第６１／４９６５０３号と、２０１１年６月１５日に出願された「タブレットコンピュータを入れるためのハウジング」という名称の米国仮出願第６１／４９７４７９号に対してする米国特許法１９９条（ｅ）の優先権を主張し、これらの出願の開示は参照することで本説明に組み込まれる。
【０００２】
本開示は、概して、１つまたは複数の物体、例えば、風雨、酷使、および／または他の不適当な取り扱いからの保護を必要とする物体を保護するためのハウジングに関する。例えば、１つの局面において、本開示は、装置の１つもしくは複数の構成要素または装置それ自体、例えば、電子装置、例えば、モバイルコンピュータ、例えば、デジタルタブレットコンピュータなどを保護するためのハウジングに関する。
【背景技術】
【０００３】
汚れ、泥、雨、雪、およびあらゆる形態の水は様々な物体を傷つけることがある。さらに、脆弱な、または他の点で壊れやすい物体は酷使および／または他の不適当な取り扱いによって破損することがある。従って、厳しい条件、酷使、および／または不適当な取り扱いから物体を保護するために、保護を必要とする物体が収容され得るハウジングを有することは有用である。このような保護を必要とする物体のタイプは、電子装置、例えば、モバイルコンピュータ、例えば、デジタルタブレットコンピュータ、パーソナルデジタルアシスタント、電子リーダー、携帯電話装置などである。
【０００４】
具体的には、デスクトップコンピュータが当技術分野において周知である。モバイルコンピュータも周知であり、メモリ能力および／または処理能力は劣ることが多いが、標準的なデスクトップコンピュータと同じ一般機能を全て可能にする。例えば、モバイルデジタルコンピュータは、ワードプロセシングタスク、スプレッドシートの作成、パワーポイントの作成を実行することができ、典型的には、モバイルブロードバンド接続性を有する。しかしながら、多くの場合、一般的な使用には、高い処理能力は必要とされず、典型的なデスクトップコンピュータおよび／またはモバイルラップトップコンピュータにおいて実行されることが多いプログラムの多く、例えば、ワードプロセシング、スプレッドシートの作成、ならびにパワーポイントの作成およびプレゼンテーションも用いられない。多くの場合、一般的な使用には、中程度の処理能力およびメモリならびにブロードバンドインターネット接続性があれば十分である。従って、モバイルデジタルタブレットコンピュータおよびコンピュータ機能を有する携帯電話が開発されてきた。
【０００５】
モバイルデジタルタブレットコンピュータは、その対応するデスクトップコンピュータおよびラップトップコンピュータと同じ機能を果たすが、典型的に、処理能力およびメモリならびにワードプロセシングなどは劣っている。それにもかかわらず、一般的な使用の場合、インターネットに接続することができ、電子メールを取得し、電子書籍などの読出し電子データを読むことができれば十分である。この機能はタブレット型コンピュータにうってつけであり、このような機能を有する携帯電話でもうってつけである。これらは、その性質上、薄く、かつ軽量になるように設計されている。その結果、モバイルデジタルタブレットコンピュータおよびコンピュータ機能のある電話はますます一般ユーザーの人気を得るようになってきた。
【０００６】
タブレットコンピュータおよびコンピュータ機能を有する携帯電話に関して、このような電子装置は周知であり、広範囲に用いられている。タブレットコンピュータおよびコンピュータ機能を有する携帯電話は、移動中であり、かつ従来の電話の地上通信線から遠く離れている間にインターネットへの連続アクセスを可能にし、電子書籍を読みやすいものにし、例えば、電話、電子メール、および／または様々なソーシャルメディア形式を介して互いとのコミュニケーションを容易にする便利なツールの電子装置である。例えば、モバイルタブレットおよび電話装置があるとインターネットに接続し、書籍および映画をダウンロードし、書籍を読み、映画を視聴し、音声、テキストメッセージ、ｓｍｓ、ｉｍ、ソーシャルメディア形式などを介して他人とコミュニケーションすることが可能になる。電子リーダーは、タブレットコンピュータに似ているが、コンピュータ機能がさらに限定された装置である。だがそれにもかかわらず、電子リーダーを用いると、ユーザーは様々な印刷媒体を容易に保存し、閲覧し、読むことが可能になる。しかしながら、タブレットコンピュータ、携帯電話、および電子リーダーは携帯型であり、かつ手軽に使うことができるが、これらにはいくつかの欠点がある。例えば、これらは、多くの場合、高価であり、悪天候および／または誤った取り扱いにより破損しやすい脆弱な電子構成要素を備える。
【０００７】
従って、携帯型タブレットコンピュータ、携帯電話、または電子リーダー装置などの物体を、悪天候および／もしくは間違った取り扱い、ならびに／または流体、例えば、水、汚れ、泥などとの接触に起因し得る他の破損から保護することができる機構が当技術分野において必要とされている。本開示は、物体、例えば、タブレットコンピュータ、携帯電話、もしくは電子リーダー、および／またはその構成要素を収容または収納するための器具およびシステム、ならびにそれらを、劣悪な環境条件、悪天候、誤った取り扱い、および／または破損などから、例えば、水などの流体との接触から装置を保護する様式で使用するための方法に関する。前記のためのシステムも提供される。
【発明の概要】
【０００８】
１つの局面において、物体を収納するためのハウジングが提供される。物体は、１つまたは複数の劣悪な環境条件、悪天候、誤った取り扱い、および／または破損からの保護、例えば、水などの流体との接触からの保護を必要とする任意の物体でよい。物体は装置、例えば、電子装置でもよく、ハウジングは、電子装置が中に収容されるケーシングでもよい。または、物体は、装置、例えば、電子装置を構成する単一の構成要素またはいくつかの構成要素でもよく、ハウジングは、電子装置の外側区域、例えば、ケーシングを構成してもよい。ハウジングは、物体を収容し、例えば、劣悪な環境条件および／または乱暴な取り扱いから保護することができる限り任意の適切なサイズおよび寸法でよい。
【０００９】
ある特定の態様において、格納される物体は、電子装置、例えば、モバイル演算装置および／またはディスプレイ装置、例えば、タブレットコンピュータ、携帯電話、電子リーダー、パーソナルデジタルアシスタント、電子カメラ／デジタルカメラなどである。ハウジングは電子装置を保護するように構成される。ある特定の態様において、格納される物体は、１つまたは複数の、例えば、複数の電子構成要素、例えば、ある特定の機能、例えば、演算および／または電話の受信もしくは送信を遂行するように一緒に機能するように構成された電子構成要素であり、ハウジングは、電子構成要素の格納と保護の両方を行うように構成される。例えば、電子装置がタブレットコンピュータまたは携帯電話などの場合、構成要素は、タブレットコンピュータの中に格納されている構成要素でもよく、タブレットコンピュータが適切に機能するのを可能にする電話装置でもよい。従って、ハウジングは、典型的には構成要素を収容する、タブレットコンピュータ、携帯電話などの実際のハウジングでもよいが、本明細書に記載のように耐液体性および／または耐衝撃性になるように本明細書において下記のように改変されてもよい。
【００１０】
１つの局面において、装置、例えば、電子装置、例えば、モバイルタブレット型コンピュータ、携帯電話、電子リーダー、パーソナルデジタルアシスタント、電子カメラ／デジタルカメラ、ページャなどを格納するように構成された容器が提供される。容易さおよび明瞭さのために、タブレットコンピュータという用語の使用は、様々なコンピュータ機能を有するこのような全てのモバイル装置を含み、モバイルタブレットコンピュータ、携帯電話、電子リーダー、電子パーソナルアシスタント、電子カメラ／デジタルカメラ、ページャなどを含むが、これに限定されないことが理解されるだろう。従って、「タブレットコンピュータ」という用語またはその任意の派生の使用は、文脈によって特に定められていない限り、コンピュータ機能を有するこれらの装置のいずれかを意味することが理解されるはずである。
【００１１】
様々な場合において、容器は、装置を収容するように適合されたハウジングを備える。以下の説明は、ある特定の装置、すなわち、モバイルタブレットコンピュータ装置を収容するための、ある特定の容器の形状およびサイズの説明に関して示されるが、容器および／または格納される物体、例えば、タブレット装置の形状、サイズ、および／または構成は、例えば、本明細書に記載のように一様でなくてもよいことが理解されるはずである。従って、一例では、装置、例えば、電子装置、例えば、タブレットコンピュータを収容するためのハウジングが提供される。
【００１２】
ハウジングは、装置がハウジング内で嵌合され、それによって保護され得るように構成される。ある特定の場合、ハウジングは、取り外し可能に連結されてハウジングを形成し得るトップ部材およびボトム部材を備えてもよい。ある特定の場合、トップ部材およびボトム部材は、分離可能に連結することができる別々の構成要素である。他の場合、単一の構成要素がトップ部材およびボトム部材を両方とも形成する。このような場合、単一の構成要素は折り畳まれ、その後に一体となって連結されるように構成される。
【００１３】
従って、ハウジングは連結機構を備える。連結機構は、トップ部分およびボトム部分が２つ以上の分離した個々の部材または２つ以上の別個の部分を有する単一部材であってもなくても、ハウジングのトップ部分および／またはボトム部分を連結する、嵌め合わせる、接続する、または当接するように一緒になって機能する多数の構成要素のうちのいずれかを含む多数の構成のうちのいずれかを有し得る。従って、連結部材は、トップ部材部分をボトム部材部分と連結する、嵌め合わせる、接続する、または当接する、どんなものを含んでもよく、または全てのものを含んでもよい。一例として、連結部材は、トップ部材部分とボトム部材部分との間に挟まれる任意の介在部材、例えば、周辺部材または縁を含む。
【００１４】
ある特定の場合において、連結機構は留め付け機構を備える。従って、トップ部材部分およびボトム部材部分は留め付け機構を備えてもよい。留め付け機構は、トップ部材およびボトム部材を連結して耐液体性シールを形成するように構成される。留め付け機構は、任意の適切な留め付け機構、例えば、その全体が参照により本明細書に組み入れられる、対応する米国特許出願第１３／２７２，１５６号に記載の留め付け機構でよい。例えば、トップ部材およびボトム部材は、トップ部材部分およびボトム部材部分を連結するようなやり方で、例えば、耐水性および／または耐衝撃性が生じるように互いに相互作用することができる個々の留め付け部材を備えてもよい。このような場合、トップ部材部分は第１の留め付け部材を備えてもよく、ボトム部材部分は第２の留め付け部材を備えてもよく、第１の留め付け部材および第２の留め付け部材は、トップ部材部分およびボトム部材部分を連結するようなやり方で互いに相互作用するように構成される。
【００１５】
ある特定の態様において、第３の部材、例えば、ロッキング要素が設けられてもよく、トップ部材およびボトム部材は、第３の部材、例えば、ロッキング要素と相互作用して、耐水性シールにおいてトップ部材およびボトム部材を連結するように構成されてもよい。例えば、ロッキング要素は留め付け機構の一部として設けられてもよい。ここで、ロッキング要素は、トップ部材部分およびボトム部材部分の留め付け部材が連結して、トップ部材部分およびボトム部材部分を所定の位置にロックするように機能するのを助けるように構成される。ある特定の場合、下記のように、ロッキング要素は、１つまたは複数のスライド部材、コーム部材、ウェッジ部材、ボルトおよびナット部材、ボールおよびジョイント部材、ヒンジ部材、外部の留め付け部材および／またはラッチ部材などでもよい。ある特定の場合、第３の部材、例えば、ロッキング部材は１つもしくは複数の要素を備えてもよく、ならびに／または第１の留め付け部材および第２の留め付け部材の代わりに用いられてもよい。
【００１６】
ある特定の場合、前記のように、トップ部材部分は留め付け部材、例えば、第１の留め付け部材を備えてもよく、ボトム部材部分は対応する留め付け部材、例えば、第２の留め付け部材を備えてもよい。一例では、トップ部材部分およびボトム部材部分の対応する留め付け部材は、トップ部材部分およびボトム部材部分をしっかり固定して連結して、しっかり固定された耐液体性および／または耐衝撃性のハウジングを形成するようなやり方で互いに相互作用するように構成される。例えば、トップ部材およびボトム部材の留め付け部材は、互いに連結し、それによって、トップ部材とボトム部材との間で耐液体性および／または耐衝撃性のシールを生じるようなやり方で互いに係合するように構成されてもよい。
【００１７】
従って、様々な場合において、本開示のハウジングは少なくともトップ部分およびボトム部分を備えてもよく、これらの部分はトップ部材およびボトム部材を形成してもよく、トップ部材およびボトム部材は同じ部材または別々の個々の部材の２つの部分でもよい。ハウジングのトップ部材およびボトム部材の一方または両方は、周辺部または周囲部分によって囲まれた前後面部材を備えてもよい。しかしながら、ある特定の場合、トップ部材またはボトム部材は、単に、周辺部、例えば、周囲部分を備えるのみでもよい。この場合、トップ部材またはボトム部材の前後面部材は含まれないか、それ自体の別個の要素として別々に設けられる。しかしながら、どのような場合でも、周囲部分は含まれる。周辺部、例えば、周囲部分は、近位端部分および遠位端部分ならびに相対する側方部分によって規定されてもよい。周辺部分は、本明細書において下記のように、複数の周囲部分、例えば、内側周囲部分、中央周囲部分、および／または外側周囲部分を備えてもよい。
【００１８】
従って、１つの局面において、電子装置、例えば、タッチセンシティブディスプレイを有する電子装置のための保護ハウジングが提供される。このような電子装置は、タブレット演算装置、例えば、タブレットコンピュータ、携帯電話、電子リーダー、パーソナルデジタルアシスタント、ページャ、電子カメラ／デジタルカメラなどでもよい。ハウジングが、タッチセンシティブディスプレイを有する電子装置を収容することを目的とする場合、タッチセンシティブディスプレイは、スクリーン、例えば、インタラクティブタッチセンシティブディスプレイスクリーン、例えば、インタラクティブフラットパネルタッチセンシティブコントロールディスプレイスクリーン、例えば、静電容量式のおよび／または触知可能な入力能を有するディスプレイスクリーンでもよく、スクリーンもしくはその一部のホログラフィー表示でもよく、その表示はタッチセンシティブであるか、またはタッチの感じられるものでもよい。
【００１９】
保護ハウジングはトップ部材部分およびボトム部材部分を備えてもよく、例えば、少なくとも当該ボトム部材部分は、電子装置の少なくとも第１の部分（例えば、電子装置のボトム部分）を収容する、枠に入れる、保持する、またはそうではなく格納するように構成されている。保護ハウジングはトップ部材部分をさらに備えてもよく、当該トップ部材部分は、電子装置の少なくとも第２の部分（例えば、電子装置のトップ部分、例えば、電子装置のタッチセンシティブ電子ディスプレイを有する部分）を収容する、枠に入れる、保持する、またはそうではなく格納するように構成されている。タッチセンシティブディスプレイは、本明細書では電子装置のトップ部分に配置されると説明されているが、電子装置のボトム部分に含まれてもよく、このような構成に適応させるために保護ハウジングに対して対応する変更が加えられることが理解されるはずである。従って、保護ハウジングのトップ部材および／またはボトム部材は、タッチセンシティブディスプレイの少なくとも一部を枠に入れるために、例えば、タッチセンシティブディスプレイの一部に対するタッチアクセスを可能にするために内側縁を有してもよい。このようなタッチアクセスは、文脈によって特に定められていない限り、直接的または間接的なタッチアクセスでもよい。
【００２０】
このようなタッチセンシティブディスプレイが、電子装置、例えば、タブレット演算装置の一部として提供される場合、ハウジングのトップ部材および／またはボトム部材の周辺部分（タッチセンシティブディスプレイインターフェイスが電子装置の中に配置されている場所、または電子装置上に配置されている場所に左右される）は、収容されている電子装置のタッチセンシティブディスプレイおよび／または縁と整合するように構成されてもよい。従って、ある特定の態様において、トップ部材および／またはボトム部材の周辺部分は、トップ部材および／またはボトム部材の前後面部材が必要でない様式で構成されてもよい。もっと正確に言えば、電子装置のタッチセンシティブディスプレイの一部、例えば、スクリーン部分、または電子装置の他のトップ部分もしくはボトム部分はトップ部材および／またはボトム部材の前後面部材の機能を果たしてもよく、トップおよび／またはボトムの周辺部分は電子装置と耐液体性および／または耐衝撃性のシールを作り出す。従って、ハウジングのトップ部材またはボトム部材は、トップ部材および／またはボトム部材の前後面部材が必要でない様式で、その周辺部分が、収容されている電子装置の後面および／または縁と整合するように構成されてもよい。もっと正確に言えば、電子装置の表面それ自体がこの機能を果たし、トップ周辺部分および／またはボトム周辺部分は電子装置と耐液体性および／または耐衝撃性のシールを作り出し、装置のための耐衝撃保護をさらに提供し得る。
【００２１】
さらに、保護ハウジングは、電子装置の第１の部分および第２の部分、例えば、ボトム部分およびトップ部分を収容するように、トップ部材をボトム部材と連結するように構成された１つまたは複数の連結機構を備えてもよい。様々な場合において、連結機構はトップ部材とボトム部材を密封するように機能し、トップ部材またはボトム部材の内側縁と、タッチセンシティブディスプレイの少なくとも一部に近接する領域を密封するようにさらに機能してもよい（例えば、トップ部材またはボトム部材の前後面部材が設けられていない場合）。
【００２２】
従って、ある特定の場合、連結機構は、トップ部材とボトム部材との間に第１のシールを備えてもよい。例えば、トップ部材がボトム部材と連結されているときに、第１のシールは、少なくとも、トップ部材およびボトム部材の外側周辺部との間に第１の耐液体性および／または耐衝撃性のシールを提供するように構成されてもよい。様々な特定の場合において、第１のシールは、トップ部材およびボトム部材の一方または両方の外側周辺部に近接して設けられる。
【００２３】
ある特定の場合、連結機構は、例えば、トップ部材および／またはボトム部材の内側縁と、収容されている電子装置のトップまたはボトムの少なくとも一部、例えば、タッチセンシティブディスプレイを含む部分に近接する領域との間に、第２のシールを備えてもよい。例えば、このような第２のシールは、トップ部材および／またはボトム部材が、単に、電子装置のトップ部分および／またはボトム部分の一部（例えば、タッチセンシティブディスプレイ）を取り囲むフレームとして構成される場所に設けられてもよい。ある特定の場合、この第２のシールは、例えば、トップ部材がボトム部材と連結されたときに、トップ部材および／またはボトム部材の内側縁と、タッチセンシティブディスプレイを含むトップ部材またはボトム部材の少なくとも一部に近接した領域との間に第２の耐液体性および／または耐衝撃性のシールを設けるように構成されてもよい。このような場合、保護ハウジングは、トップ部材またはボトム部材の内側縁に近接する可撓性リッジ、例えば、ワイパー部分をさらに備えてもよく、このワイパー部分は内側インターフェースにおいて電子装置のトップ部分またはボトム部分と整合するように機能し得、この場合、トップ部材および／またはボトム部材は、液体または微粒子状物質が内側インターフェースに実質的に侵入するのを妨げる様式で、電子装置を枠に入れる。
【００２４】
ある特定の場合、連結機構は、１つまたは複数の留め付け機構、例えば、ラッチ機構を備えてもよい。トップ部材がボトム部材と連結されたときに、前記ラッチ機構はトップ部材の一部をボトム部材の一部とラッチで止めるように機能し得る。適切な留め付け機構は、ハウジングのトップ部材部分とボトム部材部分との連結を容易にするように機能する限り任意の適切な構成を有してよい。従って、様々な場合において、留め付け機構は、トップ部材をボトム部材と連結するように、独立して単独で機能するように構成された、または互いに一緒になって協力して機能するように構成された、１つまたは複数のラッチ機構を含み得る。
【００２５】
保護ハウジングのラッチ機構は、トップ部材部分とボトム部材部分との連結を容易にする機能を果たすことができる限りハウジングのトップ部材および／またはボトム部材に沿って何処にでも配置され得る。１つの態様では、第１のラッチ機構および第２のラッチ機構が設けられ、第１のラッチ機構はボトム部材の周辺部、例えば、外側周辺部に設けられ、第２のラッチ機構は、トップ部材の対応する周辺部、例えば、外側周辺部に設けられる。トップ部材がボトム部材と連結されたときに、第１のラッチ機構および第２のラッチ機構は、トップ部材をボトム部材と留め金で留める、またはラッチで止める、またはそうではなく連結するのに十分なやり方で互いに係合するように構成されてもよい。
【００２６】
例えば、トップ部材およびボトム部材は、トップ部材および／またはボトム部材の周囲の少なくとも一部に沿って延びている、それぞれの留め付け部材、例えば、第１のラッチ機構および第２のラッチ機構を備えてもよく、この留め付け部材は、ハウジングのトップ部材およびボトム部材の互いとの連結を容易にすることにより、例えば耐液体性および／または耐衝撃性のシールにおいてハウジングを密封するような様式で、互いと、および／または追加的な、例えば第３のロッキング部材と整合するように構成される。ある特定の態様において、留め付け機構はハウジングの全周囲部分にわたって存在する。他の態様において、留め付け機構はハウジングの周囲部分に沿って配置されるが、全周囲部分にわたっては存在しない。
【００２７】
ある特定の態様において、留め付け機構は完全内部ラッチ機構である。「完全内部ラッチ機構」とは、トップ部材およびボトム部材がハウジングを形成するように連結されているときに、ラッチ機構が、ハウジングの内側または空隙を形成する区域の中に完全に格納されていることを意味する。ある特定の態様において、留め付け機構は完全外部ラッチ機構である。「完全外部ラッチ機構」とは、トップ部材およびボトム部材が、電子装置が嵌合されるハウジングの空隙を形成するように連結されたときに、留め付け機構がハウジングの空隙を形成する区域の外側に配置されるように、ラッチ機構が完全にトップ部材および／またはボトム部材の外側部分に配置されていることを意味する。ある特定の態様において、留め付け機構は、ハウジングの空隙を形成する区域の部分的に内部にあり、かつ部分的に外部にあるハイブリッド留め付け機構である。
【００２８】
従って、ある特定の場合、周辺部分は、１つまたは複数の留め付け機構、例えば、トップ部材およびボトム部材の連結および／またはシーリングをしっかり固定するように構成された内部ラッチ機構、外部ラッチ機構、および／またはハイブリッドラッチ機構を備えてもよい。留め付け機構は、例えば、留め付け機構が外部ラッチ機構である場合は、ハウジングの周辺部分に加えられる別々の要素でもよく、例えば、留め付け機構が内部ラッチ機構である場合は、ハウジングとの一体型部材でもよく、トップ部材およびボトム部材の周囲部分と一体化する要素を備えてもよく、例えば、留め付け機構がハイブリッド留め付け機構の場合、ハウジングと一体化しないが、相互作用するように加えられる要素を備えてもよい。
【００２９】
従って、ある特定の態様において、留め付け機構は複数のラッチ機構を備えてもよく、１つもしくは複数の内部ラッチ機構、および／または１つもしくは複数の外部ラッチ機構、および／または１つもしくは複数のハイブリッドラッチ機構を備えてもよい。例えば、様々な態様において、ハウジングは複数の内部ラッチ機構を備えてもよく、１つまたは複数の外部ラッチ機構および／またはハイブリッドラッチ機構を備えてもよい。例えば、ハウジングは、第１の完全内部留め付け機構、例えば、ハウジングの内側の一部または全周囲にわたって存在する第１の完全内部留め付け機構を備えてもよく、第２の完全内部留め付け機構、例えば、ハウジングの内側のさらなる部分または全周囲にわたって存在する第２の内部の留め付け機構を備えてもよい。さらに、トップ部材およびボトム部材をさらにしっかり固定して連結するために、外部留め付け機構またはハイブリッド留め付け機構も設けられてよい。
【００３０】
他の態様において、単一の留め付け機構のみが設けられる。例えば、様々な態様において、単一の内部留め付け機構、外部留め付け機構、またはハイブリッド留め付け機構が設けられてもよい。例えば、ある特定の態様において、複数のラッチ機構を備える単一の内部留め付け機構が設けられてもよい。トップ部材およびボトム部材が連結されたときに耐液体性シールが設けられるように、ラッチ機構は構成される。このシールは、収納された装置またはその構成要素を水などの液体から保護する。ある態様において、トップ部材およびボトム部材を堅くロックする、内部留め付け機構と相互作用する外部ロッキング要素も含まれてよい。
【００３１】
前記で示したように、ハウジングのトップ部材およびボトム部材は少なくとも周辺部分を備え、かつ、周辺部分によって囲まれた前後面部材を備えてもよく、または備えなくてもよい。トップ部材およびボトム部材の周辺部分は、複数の周囲部分、例えば、内側周囲部分、中央周囲部分、および／または外側周囲部分を備えてもよい。従って、周辺部分は多数の様々な特徴を備えてもよく、多数の様々な機能を果たしてもよい。例えば、内側周囲部分、中央周囲部分、および／または外側周囲部分のうちの１つまたは複数が含まれてもよく、これらの１つまたは複数は同じ材料もしくは異なる材料から製造されてもよく、かつ／またはそうではなく別個の周辺部分にさらなる機能を付加するように構成されてもよい。例えば、外側周囲部分は、トップ部材またはボトム部材に、より堅くより硬質の中央周囲部分に対して軟らかい外側縁を提供するような様式で構成されてもよい。さらに、内側周囲部分は、トップ部材またはボトム部材に、より堅くより硬質の中央周囲部分に対して軟らかい内側縁を提供するような様式で構成されてもよい。下記でさらに詳述されるように、これらの軟らかい縁周囲部分の１つまたは複数は、トップ部材またはボトム部材に耐衝撃能および／または耐液体性などのさらなる機能を与え得る。
【００３２】
トップ部材またはボトム部材の周囲部分の１つまたは複数は、１つまたは複数のさらなる要素、例えば、留め付け機構の一部を備えてもよい。例えば、周囲部分が、堅く硬質の部材、例えば、１つまたは複数の軟らかく曲げやすい内側縁部材および／または外側縁部材によって囲まれた堅く硬質の部材を備える場合、堅い硬質の部材は、一緒になって本開示の留め付け機構を形成する１つまたは複数のラッチ機構を備えるように構成されてもよい。適切なラッチ機構は１つまたは複数のラッチ部材を備えてもよい。ラッチ部材は、相対するトップ部材またはボトム部材の上で１つまたは複数の対応するラッチ部材と相互作用し、それによって、例えば、耐液体性および／または耐衝撃性のシーリングにおいてトップ部材およびボトム部材を連結するのを容易にすることができる限り、任意の適切な構成を有し得る。
【００３３】
例えば、保護ハウジングは、トップ部材およびボトム部材の周辺部分に配置された留め付け機構を備えてもよい。留め付け機構は、内部ラッチ機構、外部ラッチ機構、またはハイブリッドラッチ機構でもよい、第１のラッチ機構および／または第２のラッチ機構および／またはそれより多いラッチ機構を含み得る。ある特定の場合、複数のラッチ部材、例えば、第１のラッチ部材および第２のラッチ部材を備える１つのラッチ機構が設けられる。様々な態様において、第１のラッチ機構の第１のラッチ部材はボトム部材に配置されてもよく、第１のラッチ機構の第２のラッチ部材はハウジングのトップ部材に配置されてもよい。第１のラッチ部材および第２のラッチ部材は、トップ部材およびボトム部材を連結してハウジングを形成するのに十分な様式で互いに係合するように構成され得る。ラッチ部材は、周辺部材の内側部分または外側部分、例えば、内側周囲部分、中央周囲部分、または外側周囲部分に配置されてもよく、内部ラッチ機構、外部ラッチ機構、またはハイブリッドラッチ機構をさらに形成してもよい。
【００３４】
従って、様々な態様において、ハウジングは、第１の内部ラッチ機構を有する第１の留め付け機構を備える。第１のラッチ機構の第１のラッチ部材は、ボトム部材の外側周辺部分から上方に延びている第１の壁を備える。ボトム部材の延びた第１の壁は、外面、例えば、周辺部材の外側周囲部分に当接する面、および内面、例えば、周辺部材の内側部分に近接する面を備える。ボトム部材の第１の延びた壁の内面は、ハウジングのトップ部材の対応する要素の対応する第２のラッチ要素と係合するように構成された第１のラッチ要素、例えば、留め具、リッジ、溝、デテント、開口部、延びた突出物、タブ、歯などを備えてもよい。１つの特定の態様において、内面は、ボトム部材の第１の壁の内面の少なくとも一部に沿って内向きに突き出ているリッジまたは溝を備える。
【００３５】
第１のラッチ機構は、トップ部材の外側周辺部分から下方に延びている第２の壁を備える第２のラッチ部材をさらに備える。トップ部材の延びた壁は、外面、例えば、周辺部材の外側周囲部分に近接する面、および内面、例えば、周辺部材の内側部分に近接する面を備える。トップ部材の延びた壁の内面は、第１のラッチ要素、例えば、留め具、リッジ、溝、デテント、開口部、延びた突出物、タブ、歯などを備えてもよい。１つの態様において、トップ部材がボトム部材とラッチで止められたときに、ボトム部材の第１のラッチ部材の第１のリッジまたは溝と係合するように、内面は、トップ部材の壁の内面の少なくとも一部に沿って外向きに突き出ているリッジまたは延びた突出物、例えば、留め具を備える。
【００３６】
様々な場合において、保護ハウジングは、さらなるラッチ機構、例えば、第２のラッチ機構を備える。第２のラッチ機構は、第１のラッチ機構の内部にあってもよく、外部にあってもよい。例えば、ある特定の態様において、第２のラッチ機構は、第１の内部ラッチ機構の近くに配置された第２の内部ラッチ機構を備えてもよい。第２の内部ラッチ機構は、第３のラッチ部材、例えば、ボトム部材の上にある第３のラッチ部材を備えてもよく、これは、第１の内部ラッチ機構の第１のラッチ部材の近くに配置されてもよい。第２の内部ラッチ機構は、第４のラッチ部材、例えば、トップ部材の上にある第４のラッチ部材を備えてもよく、これは、第２のラッチ機構の第２のラッチ部材の近くに配置されてもよい。ここで、トップ部材がボトム部材と連結されたときに、第３のラッチ部材および第４のラッチ部材は、トップ部材とボトム部材とをさらにラッチで止めるよう互いに係合するように構成される。
【００３７】
例えば、１つの特定の態様において、第２のラッチ機構の第３のラッチ部材は、ボトム部材の外側周辺部分から上方に延びており、ボトム部材の外側周辺部分の第１の延びた壁から距離を置かれた、第２の壁を備える。第２の壁は、ボトム部材の周辺部分の少なくとも一部に沿って第１のチャンネルを形成するように第１の壁から間隔が開けられている。ボトム部材の延びた第２の壁は、外面、例えば、第１の壁の内面に最も近いが、第１の壁の内面から間隔が開けられている面、および内面、例えば、ハウジングの内側部分に近接する面を備える。ボトム部材の第２の延びた壁はまた、ハウジングのトップ部材の対応する要素の対応するラッチ要素と係合するように構成されたラッチ要素、例えば、留め具、リッジ、溝、デテント、開口部、延びた突出物、タブ、歯などを備えてもよい。１つの特定の態様において、第３のラッチ部材は、第２の壁の中に間隔をおいて配置された複数のデテントまたはアパーチャを備える。第４のラッチ部材もまた、ハウジングのボトム部材の対応する要素の対応するラッチ要素と係合するように構成されたラッチ要素、例えば、留め具、リッジ、溝、デテント、開口部、延びた突出物、タブ、歯などを備えてよい。この態様において、第４のラッチ部材は、トップ部材の周辺部から下方に延びている第２の壁の内向きの面から突き出ている複数のタブまたは歯を備えてもよい。トップ部材がボトム部材と連結され、ラッチで止められたときに、複数のタブまたは歯はそれぞれ、第３のラッチ機構の対応するデテントまたは複数のデテントのアパーチャと係合するように構成される。
【００３８】
様々な場合において、トップ部材およびボトム部材の一方または両方は、チャンネル、例えば、トップ部材および／またはボトム部材の周辺部分の全体または一部に沿って延びているチャンネルを備えてもよい。トップ部材またはボトム部材の周辺部分に沿って通るチャンネルが含まれるのであれば、内側周囲部分（例えば、内側境界部材）および外側周囲部分（例えば、外側境界部材）を備えてもよい。前記境界部材は、少なくとも部分的にチャンネルの区域を規定する。さらに、チャンネルは、シーリング部材、例えば、ガスケット部材またはＯリングなどを備えるように構成されてもよい。様々な場合において、チャンネルの機能はシーリング部材の収容である。しかしながら、場合によっては、チャンネルは含まれない。もっと正確に言えば、ガスケットなどのシーリング部材はトップ部材もしくはボトム部材と連結される、またはトップ部材もしくはボトム部材と直接、一体成形される。従って、トップ部材がボトム部材と連結されたときに耐液体性および／または防塵性のシールが形成されるように、トップ部材またはボトム部材の周辺部分は、シーリング部材、または他の適切なガスケットもしくはフォームシーリング部材（例えば、Ｏリングまたは他のフォームインプレイス（ｆｏｒｍ  ｉｎ  ｐｌａｃｅ）ガスケット）をさらに備えてもよい。シーリング部材（例えば、ガスケット部材）は全周囲またはその一部にわたって存在してもよい。ある特定の場合、トップ部材またはボトム部材の全周囲部分にわたって存在するガスケットを有することが特に有用である。
【００３９】
従って、様々な場合において、本開示の保護ハウジングは、第１のチャンネル、例えば、ボトム部材の延びた第１の壁および第２の壁から形成されたチャンネルの中に配置されたガスケットなどの第１のガスケットを備えてもよい。トップ部材がボトム部材とラッチで止められたときに、ガスケットは、トップ部材の周辺部から下方に延びた第１の壁に当接するように配置され得る。トップ部材がボトム部材と連結されたときに、第１のガスケットは、トップ部材とボトム部材との間に第１の耐水性シールを提供するように構成され得る。
【００４０】
様々な他の場合において、さらに、保護ハウジングは第２のガスケットを備えるように構成されてもよい。当該ガスケットは任意のやり方でハウジングと連結され得る。例えば、ハウジング、例えば、ハウジングのトップ部材は第２のチャンネルを備えるように構成され得る。当該第２のチャンネルは第２のガスケットを備えるように適合され得る。例えば、保護ハウジングのトップ部材は、第２のチャンネル、例えば、周辺部分の内側縁に近接して配置されたチャンネルを備えるように適合され得る。第２のチャンネルの中の第２のガスケットはハウジング用の第２のシールを提供するように機能し得る。タッチセンシティブディスプレイを有する電子装置を取り囲んでトップ部材がボトム部材と連結されたときに、第２のガスケットは、タッチセンシティブディスプレイの少なくとも一部に近接する領域に当接するような様式で第２のチャンネルの中で配置されてもよい。第１のガスケットと同様に、トップ部材がボトム部材と連結されたときに、第２のガスケットはトップ部材とボトム部材との間で第２の耐液体性および／または防塵性のシールを提供するように適合され得る。
【００４１】
様々な特定の態様に関して連結機構の留め付け機構が説明されたが、この態様は例示であり、決定的に限定すると意図されないことが理解されるはずである。従って、様々な場合において、留め付け機構は、ボルト、ねじ、ナット、ラチェット、スナップ、ボタン、ボールアンドソケットコネクタ、リッジ、突出物、デテント、凹状領域、凸状領域、溝、開口部、アパーチャ、穴、タブ、歯、タング（ｔａｎｇ）、マッシュルームスナップなどのうちの１つもしくは複数、またはこれらの組み合わせを含む。従って、様々な特定の例において、適切な留め付け機構は、レッジ部材、留め具、溝、歯、アパーチャ、スナップ−歯部材、スナップ歯収容部材、互いにかみ合される部材、ウェッジなどを含み得る。さらに具体的には、例えば、トップ部材またはボトム部材がタブ、歯、またはスナップ−歯部材を備える場合、相対する部材は、デテント、アパーチャ、開口部、スナップ−歯収容部材を備えてもよく、トップ部材およびボトム部材が噛み合う部材を備える場合、これらの部材は、互いに噛み合うように構成されてもよく、適切なロッキング要素、例えば、ウェッジ部材によって所定の位置でさらにロックされるように構成されてもよい。
【００４２】
従って、様々な場合において、トップ部材およびボトム部材の対応するラッチ部材は、第３の部材、例えば、ロッキング要素と係合するように構成されてもよい。当該ロッキング要素は、連結されたトップ部材およびボトム部材をさらにロックするように機能する。１つの態様において、トップ部材およびボトム部材の留め付け部材は互いに噛み合うことができ、第３のロッキング要素は、これらの留め付け部材とさらに係合して、所定の位置でこれらの留め付け部材をさらに堅くロックする。別の態様において、トップ部材およびボトム部材の留め付け部材は互いに噛み合うように構成され、ロッキング部材はトップ部材およびボトム部材の交互嵌合間に挿入され、それによって、トップ部材およびボトム部材を所定の位置でしっかり固定して堅くロックするように構成される。
【００４３】
前記で示したように、様々な態様において、トップ部材またはボトム部材はトップ表面部材および／またはボトム表面部材を備えてもよく、または備えなくてもよい。例えば、場合によっては、トップ部材および／またはボトム部材は、周辺部分の一方の側から反対側にまたがる表面部材を備える必要はない。もっと正確に言えば、周辺周囲部分は、具体的には、周辺周囲部分とのこのような係合によって、下にある装置が耐液体性および／または耐衝撃性になるような様式で、収容されている装置の様々な表面と係合するように構成される。
【００４４】
このような場合、トップ表面部材および／またはボトム表面部材が所望に応じて備えられてもよいが、周辺部分が装置それ自体に整合して耐液体性および／または耐衝撃性のシールを生じるように構成されてもよいので、トップ表面部材および／またはボトム表面部材は必要とされない。従って、様々な態様において、トップ表面部材および／またはボトム表面部材はトップ部材および／またはボトム部材と共に設けられず、逆に単独の周辺部分が設けられる。
【００４５】
例えば、１つの特定の態様において、トップ部材部分およびボトム部材を備えるハウジングであって、後面に対するタッチアクセスを可能にするよう、収容される電子装置のタッチセンシティブディスプレイの反対側にある該装置の後面の少なくとも一部を枠に入れるように構成された周辺部分または内側縁をボトム部材部分が備えてもよい、ハウジングが提供される。このような場合、連結機構は、ボトム部材の内側縁を、電子装置の後面の少なくとも一部に近接する領域により密封するように構成されてもよい。このような構成は、例えば、電子装置の後ろ部分がタッチセンシティブディスプレイなどのタッチ特徴を備える場合に有用である。このような場合、連結機構は、ボトム部材の内側縁と電子装置の後面の少なくとも一部に近接する領域との間に、さらなるシールを備えるように構成されてもよい。前述はハウジングのボトム部材に関して説明されたが、本開示全体を通じて本明細書において説明されたように、ハウジングのトップ部材に関して同じことが等しく適用できることに留意すべきである。
【００４６】
他の様々な態様において、１つまたは複数のトップ表面部材および／またはボトム表面部材がトップ周辺部分および／またはボトム周辺部分と共に設けられる。例えば、様々な態様において、トップ部材およびボトム部材の一方または両方は、周辺部分の一方の側から反対側に、左側から右側に、および／または近位側から遠位側にまたがる前後面部材を備えてもよい。このような場合、本明細書において下記でさらに詳述されるように、ハウジングのトップ部材および／またはボトム部材の前後面部材は、任意の適切な材料から製造されてもよく、かつ周囲部分と同一の広がりをもってもよいし、または周囲部分に隣接してもよいし、またはそうではなく周囲部分に取り付けられてもよい。
【００４７】
例えば、１つの特定の態様において、トップ部材は、周辺部分と別れるが、周辺部分と連結することが可能な透明な膜からなる前後面部材を備えてもよく、かつ／またはボトム部材は、周辺部分と別れるが、周辺部分と連結することが可能な透明もしくは不透明なポリカーボネートスクリーンまたはナイロンスクリーンからなる前後面部材を備えてもよく、前後面部材を形成する同じ部材が周辺部材の少なくとも一部も形成するように１つのユニットからなってもよい。従って、トップおよび／またはボトムの前後面部材は同じ材料から製造されてもよく、従って、周囲部分の１つまたは複数の部分と同一の広がりをもってもよい。もちろん、ボトム部材および／またはトップ部材の前後面部材は、隣接する周囲部分とは異なる材料から作られてもよい。
【００４８】
トップ部材および／またはボトム部材が、前後面部材、例えば、周辺部分の一方の部分から他方の部分にまたがる前後面部材を備える場合、ユーザーが膜にタッチしたときに、このタッチの１つまたは複数の特性が、下にある装置のタッチセンシティブディスプレイに移されるような様式で、トップ部材またはボトム部材は、収容された装置の、例えばタッチスクリーンなどのタッチセンシティブインタラクティブディスプレイが機能できるよう仲介するように構成された膜などの膜を備えてもよく、この様式で、ユーザーは収容された装置のスクリーンを操作することができる。明らかに、前後面部材が含まれない場合には、ユーザーは、下にある装置のタッチセンシティブディスプレイまたはその付属のカバーと直接対話するだろう。
【００４９】
従って、本明細書において下記のように、１つまたは複数の膜またはその一部は、本明細書においてトップ部材またはボトム部材の前面および／または後面の一部として含まれてもよい。または、前面および／または後面はトップ部材および／またはボトム部材の一部として設けられる必要はない。トップ部材およびボトム部材の一部として、前後面部材、例えば、膜が含まれるのであれば、膜は周辺部材の周囲部分と整合するように構成されなければならない。このような場合、膜部分は、トップ部材またはボトム部材の周囲部分と耐液体性および／または耐衝撃性および／または耐汚れ性のシールを維持するような様式で、トップ部材またはボトム部材の周囲部分、例えば、内側周囲部分および／または外側周囲部分と連結されるように構成され得る。
【００５０】
例えば、トップ部材および／またはボトム部材の周辺部分、例えば、トップ部材の周辺部分は、複数の下位部分、例えば、第１の下位部分、例えば、内側膜インターフェース部分を備える内側周囲部分、および第２の下位部分、例えば、外側膜インターフェース部分を備える外側周囲部分を備えてもよく、１つまたは複数のインターフェース部分は、膜の周囲部分の前面および／または後面と整合するように構成されてもよい。
【００５１】
従って、ある特定の態様において、例えば膜などの前後面部材が設けられる場合、膜の後面が少なくとも内側周囲部分の内側膜インターフェース部分と結合し、膜の前面が外側周囲部分の外側膜インターフェース部分と結合するような様式で、膜は、例えば、トップ部材またはボトム部材の周囲の一方の側から周囲の別の側にまたがるように構成されてもよい。もちろん、前後面部材が、例えば、ボトム部材に関して、周囲部分の少なくとも一部と同じ材料から作られている場合、前後面部材は周囲部分と同一の広がりをもってもよく、従って、たった一つのシングルユニットを形成してもよい。
【００５２】
従って、様々な態様において、保護ハウジングのトップ部材またはボトム部材の周辺部分と共に、取り外し可能な前後面部材が含まれる。例えば、ある特定の態様において、関連する周辺部材と取り外し可能に結合するように構成された前後面部材が設けられる。周辺部材が別の周辺部材または装置それ自体と関係して耐液体性および／または耐衝撃性および／または耐汚れ性のシールを生じるように構成されている場合、前後面部材の組み込みまたは除外は、関連する周辺部材の耐液体性および／または耐衝撃性および／または耐汚れ性のシールの開通性（ｐａｔｅｎｃｙ）に影響を及ぼさないことに留意すべきである。
【００５３】
１つの態様において、周辺部分、例えば、トップ部材の周辺部分と取り外し可能に結合するものなどの前後面部材が設けられ、この前後面部材は、取り外し可能な膜として構成される。膜は、周辺部分と取り外し可能な結合が可能であると説明されたが、ある特定の場合、周辺部分の１つまたは複数の部分と固定状態で結合するように、例えば、周辺部分の１つまたは複数の部分とのオーバーモールディングによって周辺部分の１つまたは複数の部分と固定状態で結合するように構成されてもよいことが理解される。
【００５４】
例えば、トップ部材と結合するために膜が設けられる場合、膜はタッチセンシティブディスプレイの少なくとも一部の上に、または少なくともタッチセンシティブディスプレイの少なくとも一部に隣接して固定状態で配置されるように適合され得る。このような場合、トップ部材がボトム部材と連結されたときに、膜は、トップ部材の内側縁、例えば、内側周囲部分と結合するように、ある特定の場合ではトップ部材の内側縁、例えば、内側周囲部分を密封するように、タッチセンシティブディスプレイの少なくとも一部に近接する領域にまたがってもよい。従って、ある特定の場合、電子装置の領域上で固定状態で配置するための取り外し可能な膜が設けられ、ここで、取り外し可能な膜は、例えばトップ部材がボトム部材と連結されたときに、トップ部材および／またはボトム部材によって枠に入れられかつ密封されるように適合される。様々な場合において、膜は少なくとも部分的に透光性でもよく、例えば、位置合わせの目的で、取り外し可能な膜の表面に印刷された１つまたは複数の印を備えてもよい。
【００５５】
膜が含まれる場合、膜は、１つまたは複数の特徴、例えば、さらなる膜特徴、例えば、音響膜特徴および／またはホームボタン特徴を有してもよい。例えば、膜は音響膜特徴を備えてもよく、音響膜特徴は、膜の前面から後面にまたがるアパーチャを含み得る。アパーチャは、第１の膜からある角度をなしている第２の膜、例えば、音響的に伝達する膜によってカバーされてもよい。音響膜は音は伝達するが、水などの液体、ならびに／または塵、および汚れなどは通さないものであり得、任意の適切な要素によって、例えば、スペーサー部材または接着層を加えることによって第１の膜からある角度をなしてもよい。従って、適切な接着剤を介して、２つ以上の膜が互いに取り付けられてもよい。
【００５６】
さらに、前後面膜はボタン特徴を備えてもよい。ボタン特徴は、くぼんだ領域を備えてもよい。くぼんだ領域は、単に、第１の膜の中にあるくぼんだ領域でもよく、さらなる材料、例えば、さらなる膜で覆われている切抜き領域でもよい。様々な場合において、くぼんだ領域は、少なくとも部分的にリッジ領域によって囲まれている。例えば、１つの態様において、ボタン特徴の周囲部分は、くぼんだ領域を取り囲む、隆起した変形可能な周囲部分を備えてもよい。くぼんだ領域が押し下げられたときに隆起した部分が変形することによって、第１の膜を著しく引き延ばすことなくくぼんだ領域が移動できるように、隆起した変形可能な周囲部分は、ボタン特徴のくぼんだ領域の一定量の移動を可能にするよう構成され得る。
【００５７】
従って、ある特定の場合、保護ハウジングは取り外し可能な膜を備える。この膜は、取り外し可能な膜のトップ表面に設けられた凹みから形成され、かつ収容された電子装置上にあるボタンの位置と一致するように配置された少なくとも１つのボタン領域を備える。他の場合では、取り外し可能な膜は、取り外し可能な膜の表面に設けられた突出物を備えてもよく、突出領域は、電子装置上にあるボタンの位置と一致するように配置される。
【００５８】
第１の膜はまた、１つまたは複数の光不透過性領域および／または光透過性領域、例えば、近接センサまたはカメラ、例えば、ビデオカメラ、ハウジングによって収容されることが意図された下にある装置の一部と一致した光透過性領域を備えてもよい。さらに、下記のように、ボトム部材に対して、トップ部材の前後面部材は、レンズ特徴、例えば、カメラまたはビデオまたはフラッシュレンズ特徴を備えてもよい。
【００５９】
従って、さらなる態様において、ボトム部材は、１つまたは複数のさらなる特徴を備える前後面部材を備えてもよい。例えば、ボトム部材がボトムの前後面部材を備える場合、表面部材は、レンズ特徴、例えば、１つまたは複数のレンズを含む特徴、例えば、カメラレンズおよび／またはフラッシュレンズ特徴を備えてもよい。レンズ特徴は、光学スカート、例えば、１つまたは複数のレンズを取り囲み、一方のレンズ領域から他のレンズ領域を通る光透過を妨げるスカートをさらに備えてもよい。レンズ特徴は、例えば、加圧、モールディングなどによって後面部材と同一の広がりをもってもよく、後面部材に隣接してもよい。
【００６０】
前記のように、様々な場合において、トップ部材およびボトム部材の周辺部分が設けられる。トップ部材およびボトム部材の周辺部分は、電子装置の少なくとも一部を囲むフレームを形成してもよく、かつ、電子装置と整合して、および／または互いと整合して、これらと耐液体性および／または耐衝撃性および／または耐汚れ性のシールを形成するように構成されてもよい。様々な場合において、前後面部材は、例えば、取り外し可能な結合または固定状態の結合の状態で、トップおよびボトムの周辺部材の一方または両方と結合され得る。例えば、ある特定の態様において、例えば、単に、トップ部材が電子装置を枠に入れる周辺フレームである場合、前後面部材は、周辺部分および／または収容される装置と取り外し可能に連結されるように構成された独立ユニット、例えば、膜でもよい。ある特定の態様において、例えば、前後面、例えば、ボトム部材の前後面が周辺部分と一緒に、および／または周辺部分と同じ材料から製造される場合、例えば、前後面が、電子装置の表面、例えば、ボトム表面が嵌合される単一ユニットを形成する場合、前後面部材は周辺部分との一体型ユニットでもよい。従って、トップ部材またはボトム部材は、前後面部材および／または周囲部分の一方または両方を備える硬質のフレーム部材として製造されてもよい。
【００６１】
従って、様々な態様において、単に、独立した周辺部分として、または前後面部材を伴う周辺部分として、トップ部材またはボトム部材の周囲部分が設けられる。当該周辺部分は複数の周囲部分を含む。例えば、周辺部分は、中央周囲部分、例えば、ある材料からなる中央周囲部分であって、内側周囲部分および／または外側周囲部分によって囲まれた中央周囲部分を備えてもよい。当該内側部分および／または外側周囲部分は同じ材料もしくは異なる材料から作られてもよく、および／または中央周囲部分と同じ機能もしくは異なる機能を果たしてもよい。例えば、ある特定の場合、中央周囲部分は、硬質または半硬質のフレーム材料、例えば、対応する前後面部材と同一の広がりをもつ材料から作られてもよく、内側周囲部分および／または外側周囲部分は、例えば、可撓性のある内側周囲部分および／または外側周囲部分が硬質の中央周囲部分と連結される場合に中央周囲部分と連結されてもよい。このような場合、可撓性のある周囲部分は、ハウジングに全体として、例えば、内部および外部の両方に衝撃吸収を付与するように構成されてもよく、ならびに／または硬質の中央周囲部分は、堅い、硬質または半硬質のバックボーンおよび構造をトップ部材またはボトム部材に付与するように構成されてもよい。
【００６２】
さらなる例において、周辺部分、例えば、遠位端部分は、ラッチ特徴、例えば、開口部、例えば、ポート開口部を封入するためのラッチ特徴を備えてもよい。ラッチが下ラッチインターフェースおよび上ラッチインターフェースと接触する開口部を取り囲む閉位置から、ラッチが下ラッチインターフェースまたは上ラッチインターフェースのうちの１つだけと接触し、開口部が露出する開位置に動くように構成されるように、ラッチ特徴は、対応する下ラッチインターフェース、ラッチ、および対応する上ラッチインターフェースを備えてもよい。ある特定の場合、このラッチ特徴は完全にトップ部材またはボトム部材の上に配置されてもよく、他の場合において、ラッチ特徴の一部がトップ部材およびボトム部材の上に含まれる。様々な態様において、ラッチ特徴は耐液体性および／または防塵性であり、ラッチが閉位置にあるときに耐液体性および／または防塵性のシールを設けるようにガスケットを備えてもよい。ある特定の態様では、ラッチカバーそれ自体が開口部を備え、開口部それ自体が別々の独立したラッチカバーおよび／またはガスケットを備える。
【００６３】
別の例において、周囲部分、例えば、遠位端部分または近位端部分は、音を伝達する、および／または伝えるための１つまたは複数の音響ベント特徴を備えてもよい。例えば、音響ベント特徴は、耐液体性であるが音は通す音響ベント材料が中に配置されているサウンドチャンネルを備えてもよい。音響ベント材料は、順方向または逆方向で０〜１８０度の角度でサウンドチャンネルにまたがってもよい。サウンドチャンネルは、サウンドチャンネルを通って音は出入りできるが、水などの液体は実質的に通らないように周辺部材の外側部分から周辺部材の内側部分にわたってもよい。音響ベント材料は、サウンドチャンネルを通って水が出ないように（または入らないように）、サウンドチャンネルを横断してもよく、例えば、サウンドチャンネルを通る中心線に対してある角度でサウンドチャンネルを横断してもよい。
【００６４】
一例では、周辺部分、例えば、相対する側方部分の周辺部分は、収容された装置の対応するボタン、トグル、またはスイッチ機構と係合するためのボタン、トグル、またはスイッチ特徴を備えてもよい。スイッチ特徴は、スイッチハウジング、およびスイッチインターフェースを有する１つまたは複数のアクチュエータを備えてもよい。スイッチ特徴は、スイッチハウジングおよび／またはスイッチインターフェースに連結されるように構成され、回転運動を横方向の運動に変換し、それによって、収容された装置の対応するスイッチ、例えば、収容された装置の表示方向スイッチを操作するように適合された１つまたは複数の回転部材をさらに備えてもよい。アクチュエータが、スイッチハウジング内の第１の位置から第２の位置に動いたときに、例えば、中心線を中心に回転したときに、スイッチインターフェースが、収容された装置のスイッチを、例えば、横方向に、第１の位置から第２の位置に、例えば、「オン」位置から「オフ」位置に、またはある「表示方向」から別の「表示方向」に動かすように、スイッチ特徴は構成されてもよい。
【００６５】
さらに、周囲部分は、１つまたは複数の他のスイッチまたはボタンまたはトグル特徴、例えば、１つまたは複数の音量制御ボタンを備えてもよい。このようなボタン状特徴は、下にある収容された装置に存在する１つまたは複数のボタンが機能できるよう仲介することができる限り任意の適切な構成を有してよい。例えば、代表的なボタン特徴は、二部構成、例えば、周囲部分ユーザーインターフェースおよび内側部分ボタンまたはスイッチインターフェースを有してよい。例えば、収納された装置から出た音を操作するために、このようなボタンスイッチ特徴を含めることができる。周辺部分の一部として含められる場合、トップ部材またはボトム部材の周囲部分、例えば、硬質または半硬質のフレーム周囲部材は、スイッチまたはボタン特徴が配置される開口部を有してもよい。次いで、フレーム部材および／または対応するスイッチもしくはボタン構成要素は、さらなる周囲部分によってカバーされてもよく、例えば、実質的に耐液体性および／または耐衝撃性になるように、可撓性のある内側周囲部分および／または外側周囲部分によってカバーされてもよい。
【００６６】
別の態様において、周辺部材の外側周囲部分は、ハウジングのトップ部材をハウジングのボトム部材から分離するのを助けるための、スロット特徴、例えば、ツール特徴またはコインスロット特徴を備えてもよい。スロット特徴は、周辺部分のくぼんだ部分または切抜き部分を含み得る。切抜き部分は、トップ部材およびボトム部材の一方または両方の中の１つまたは複数の場所に配置されてもよい。従って、切抜き部分はトップ部分および／またはボトム部分の上に配置されてもよく、さらに１つまたは複数の突出部領域と接してもよい。当該突出部領域は、トップ部材およびボトム部材の一方または両方の中に配置され、それによって、切抜き部分と接してもよい。例えば、１つの態様において、トップ部材は切抜き部分を備え、トップ部材およびボトム部材は両方とも対応する突出部部分を備える。
【００６７】
さらなる態様において、周辺部分または前後面部材は、周囲のノイズのキャンセリングを助けるためのノイズキャンセリング特徴を備えてもよい。ノイズキャンセリング特徴は、アパーチャ、例えば、トップ部材およびボトム部材の一方もしくは両方に配置されたアパーチャ、音響膜、ならびに／またはサウンドガイドチャンネルのうちの１つまたは複数を含んでもよい。サウンドガイドチャンネルはハウジングの外側からハウジングの内側を横断してもよく、アパーチャから出た音を、収容された電子装置に存在するノイズキャンセリング特徴、例えば、マイクロホンに向けるように構成されてもよい。サウンドチャンネルは音響膜特徴によって分けられてもよい。当該音響膜は、サウンドガイドチャンネルを通る中心線に対してある角度でサウンドガイドチャンネルを分けるように配置され得る。ある特定の態様において、音響膜は、気体、例えば、音波は通すが、液体、汚れ、塵などは実質的に通さない。
【００６８】
１つの態様において、前後面部分の周囲部分は、さらなる音声伝達部分を備えてもよい。音がハウジングの区域を、例えば、ハウジングの内側から外側に（または逆の場合も同様に）通過することは可能だが、水などの液体、または塵または汚れがハウジングの区域を実質的に通過することは可能でない限り、前記音声伝達部分は任意の適切な構成を有してよい。例えば、音声伝達部分は１つまたは複数のアパーチャを備えてもよい。当該アパーチャは周辺部分または表面部分をハウジングの内側から外側まで通る。さらに、１つまたは複数のアパーチャは、音を伝達する膜、例えば、Ｇｏｒｅ−Ｔｅｘ（商標）膜を備えてもよい。当該膜はアパーチャをカバーし、それによって、音は通過するが、液体または汚れまたは塵などは通過しない。音を伝達し、液体を通さない膜は、任意の適切なやり方で、例えば、接着、モールディング、オーバーモールディングなどを介してハウジング構成要素に取り付けられてよい。所望であれば、音声伝達部分は、音声伝達部分の少なくとも一部を取り囲み、それによって、ハウジングの内側に配置された音声伝達部分をハウジングの内側の残りから隔離する、音阻止部材、例えば、反響阻止部材をさらに備えてもよい。このような阻止部材は、ハウジングに連結される別々の部材、例えば、ガスケットでもよく、アパーチャの少なくとも一部を取り囲み、音の内部伝達を阻止するようにハウジングと一体化して形成されてもよい。反響阻止要素が、音入口／出口特徴を囲むようにハウジングに加えられる別の部材（例えば、ガスケット）である場合、ガスケットが加えられるハウジング構成要素は、反響阻止部材を収容するように構成された、および／または反響阻止部材の機能を容易にするように構成された、前もって形成された部材、例えば、ガスケットシートを備えてもよい。
【００６９】
さらなる態様において、周辺部分は、例えば、ポート特徴、例えば、ヘッドホンポート特徴、例えば、ジャック（例えば、ヘッドホンもしくはスピーカーアセンブリのジャック）を受け入れるためのヘッドホンポート特徴、または閉塞装置などを備えてもよい。ポート特徴は、トップ部材および／またはボトム部材の一方または両方の中に配置されたアパーチャを備えてもよい。アパーチャはハウジングの外側からハウジングの内側まで及ぶ。アパーチャは、ガスケット、例えば、Ｏリング、およびねじ切りされた領域またはカム付き領域の一方または両方に接してもよい。当該ねじ切りされた領域またはカム付き領域は、その中に挿入されるジャックまたは閉塞装置に存在する対応するねじ切りされた領域またはカム付き領域を受け入れるように構成されてもよい。ねじ切りされた領域は、典型的なねじ山特徴として構成されてもよく、またはカム特徴、プラグ等として構成されてもよい。様々な態様において、このようなポートおよび閉塞特徴は、（前記のように）ラッチドアによってカバーされる、下にあるサウンドポートにアクセスできるように、前記のように１つまたは複数のラッチドア特徴に配置されてもよい。
【００７０】
従って、ある特定の態様において、本開示の保護ハウジングは、１つまたは複数の電気的相互接続ポート、例えば、充電ポート、ヘッドホンポート、ｕｓｂポート、ｓｉｍポート、ディスクドライブポート、メモリーカードポートなどを備える。様々な態様において、１つまたは複数の電気的相互接続ポートは、別のシーリング部材などを介して閉じることができるアパーチャを有するシーリング部材、例えば、プラグ、栓、ラッチドアを備える。具体的な例では、シーリング部材は、電気的相互接続ポートの耐液体性シーリングを提供するように、ガスケット、例えば、Ｏリングのような耐水特徴を備える。
【００７１】
従って、１つの態様において、ハウジングは、データ・充電ポートとして構成された電気的相互接続ポートを備える。ここで、シーリング部材はラッチドアを備える。例えば、データ・充電ポートはトップ部材を通ってもよく、ラッチドアは、例えば、ピボットによってボトム部材に連結されてもよく、例えば、取り付けられたガスケットを介して、データ・充電ポートをラッチで止め、密封するように構成されてもよい。別の態様において、１つまたは複数の電気的相互接続ポートは、ねじ切りされたイヤホンジャックアパーチャ、およびねじ切りされたイヤホンジャックアパーチャを塞いで密封するための、ねじ切りされた栓を備えるシーリング部材を備えてもよい。様々な態様において、１つまたは複数の電気的相互接続ポートは、ラッチドア、プラグ、ガスケットを有するねじ、差し込みピン、引き戸、および密封可能なアパーチャを有するラッチドアなどのうちの１つまたは複数を備えてもよい多数のシーリング部材のうちの１つによって密封可能であり得る。
【００７２】
様々な場合において、トップ部材またはボトム部材は、例えば、ハウジングを容易に使用、運搬、および／または装着するための、１つまたは複数の外部のアクセサリとハウジングとの連結を可能にするように構成された１つまたは複数の外部アクセサリポートを備えてもよい。アクセサリポートは、トップ部材もしくはボトム部材の中に配置された、またはトップ部材もしくはボトム部材に取り付けられた、１つまたは複数の開口部でもよい。ある特定の場合、アクセサリポートは、トップ部材またはボトム部材の中に２つの対応する開口部を備える。当該開口部は、それぞれの開口部を横切る中心線が交差するように互いに合わせられる。従って、開口部の様々な内腔は「Ｌ」型を形成するように構成されてもよい。このように、例えば、アクセサリアダプターがアクセサリの中に配置されてもよく、アダプターを介して、ハウジングは１つまたは複数のアクセサリと連結されてもよい。例えば、アクセサリポートアダプターは、２つの要素、アクセサリスライド要素およびアクセサリロッキング要素を備えてもよい。ここで、アクセサリスライド要素は、アクセサリポートの開口部のうちの１つに属する内腔のうちの１つに挿入されるように構成され、かつ、他のアクセサリポート開口部の内腔に挿入されたときに、アクセサリロッキング要素の対応するロッキングインターフェイスと係合し、それによって、所定の位置でアクセサリスライド要素をロックするように適合された、ロッキングインターフェイスを備える。このような場合、アクセサリスライド要素はまた、アクセサリをハウジングに連結するようにするために、アクセサリの一部に整合するように適合されたアクセサリ接続インターフェースを備えてもよい。ハウジングに連結されたかまたはそうではなくて取り付けられたアクセサリは、任意の適切なアクセサリ（例えば、ベルトクリップ、ハンドマウント、レッグマウント、ハンドストラップ、アームストラップ、ショルドストラップ、アームマウント、バイクマウント、カーマウント、フロータイ（ｆｌｏａｔｉｅ）、縦表示マウント、横表示マウント等）であり得る。従って、ある特定の態様において、トップ部材またはボトム部材は、ハウジングと外部アクセサリを接続するためにトップ部材またはボトム部材の外面に配置されうる、１つまたは複数の（例えば、２つ、３つ、４つ、５つ、またはそれより多い）外部アクセサリ物理的相互接続を備えてもよい。
【００７３】
さらに、ある特定の態様において、トップ部材またはボトム部材は、グリル特徴で覆われた音声伝達アパーチャを備えてもよい。例えば、収容された装置のスピーカー部分から出た音がハウジングの区域を通過できるようにするために、ハウジングの部材は、ハウジングの内部からハウジングの外部にアクセスできるスピーカーアパーチャを備えてもよい。スピーカーグリルは、水平のバーおよび／もしくは垂直のバー、または複数のさらに小さな開口部、例えば、丸もしくは四角などの形をした開口部として構成されてもよい。スピーカー音声伝達ポートは、音は通すが液体は通さない膜、例えばスピーカーグリルを覆い、音は伝達するが、水などの液体、および／または汚れおよび／または塵などは実質的に通さない膜をさらに備えてもよい。
【００７４】
ある特定の態様において、トップ部材またはボトム部材は、レンズ特徴、例えば、少なくともカメラレンズ含む特徴を備えてもよく、フラッシュ特徴を備えてもよい。例えば、ハウジングのトップ部材および／またはボトム部材の中に、カメラレンズを有するカメラレンズ特徴が設けられてもよい。例えば、光の内部透過または外部透過を介した、干渉光、例えば、フラッシュ特徴からの干渉光がカメラレンズに実質的に当たらないように、またはカメラレンズを通らないようにするために、カメラレンズ特徴は、ハウジングのレンズ、例えば光学グレードカメラレンズを少なくとも部分的に取り囲むレンズスカートを備えてもよい。光学スカートは、カメラレンズ、フラッシュ特徴、またはその両方を取り囲んで配置されてもよい。
【００７５】
ある特定の態様において、ハウジングのトップ部材またはボトム部材は、ハウジング内に、特に、トップ部材および／またはボトム部材に対して電子装置を配置する、および／または留め付けるように機能し得る１つまたは複数の配置要素および／または留め付け要素を備えてもよい。例えば、１つの態様において、トップ部材またはボトム部材は、トップ部材またはボトム部材の内面、例えば、内側周囲部分から内向きに延びている１つまたは複数の内部突出物、例えば、歯を備えてもよい。１つまたは複数の歯は、トップ部材および／またはボトム部材に対して電子装置を受け入れる、および／または配置する、および／または留め付けるように適合される。
【００７６】
さらに、ある特定の態様において、本開示のハウジングは、収容された電子装置の対応する１つまたは複数の対応する要素を動かすための、１つまたは複数の密封されたアクチュエータ、スイッチ、ボタン、またはトグルを備えてもよい。様々な態様において、ハウジングは、収容された電子装置の対応するリニアスイッチを操作するように構成されたアクチュエータを備える。様々な場合において、アクチュエータは第１の位置から第２の位置に回転するように構成され、この回転によって、収容された装置のリニアスイッチが第１の位置から第２の位置に駆動されるように適合される。ある特定の態様において、収容された装置のスイッチは、サイレンススイッチ、表示方向スイッチ、制御スイッチまたはノウ（ｋｎｏｗ）、音量スイッチまたはノブなどである。
【００７７】
１つの局面において、本開示のハウジングは、実質的に耐液体性および／または耐衝撃性のハウジングである。当該ハウジングは、トップ部材部分、ボトム部材部分、および２つの部分を連結してハウジングを形成するように構成された連結機構を備える。ある特定の場合、トップ部材は、電子装置のタッチセンシティブディスプレイと境界を接しその結果電子装置のタッチセンシティブディスプレイを枠に入れる、外側周辺部分を備え、その中に、周辺部分の内側区域にまたがる前後面部材は含まれない。もっと正確に言えば、耐液体性シールは周辺部分と収容された装置との相互作用によって生成され、例えば前後面部材、例えばトップ部材膜は含まれない。このような場合、例えば、電子装置がハウジング内に収容されていないときのハウジングの耐液体性を試験するために、ハウジングと共に使用され得る、トップ部材用のシーリング部材として働くことができる試験要素または模擬物（ｓｉｍｕｌａｎｔ）を備えることが有用な場合がある。
【００７８】
従って、１つの局面において、本開示は、ハウジングが模擬物と共に組み立てられたときに、ハウジングのトップ部材またはボトム部材、例えば、本明細書に記載のハウジングのトップ部材および／またはボトム部材との耐液体性シールの確立において使用するための模擬物に関する。従って、ある特定の場合、模擬物およびハウジングを備える、システムおよび／またはキットが提供される。ここで、模擬物がハウジングと連結されたときに、例えば、模擬物が存在しなければハウジングへの水の浸入を可能にする部分をハウジングが備える場合に、ハウジングを耐液体性にするように模擬物はハウジングと連結される。このような方法で、ハウジング内に収容されている電子装置の非存在下におけるハウジングの耐液体性を確かめるために、電子装置用のハウジング、例えば、本明細書に記載のハウジングが試験されてもよい。前記のように、様々な場合において、本発明のハウジングのトップ部材は前後面を備えず、もっと正確に言えば、周辺部材と接している内側部分が露出しているので、このような模擬物は少なくともこの文脈において有用である。しかしながら、トップ部材は、電子装置と連結されたときに、および／またはハウジングのボトム部材とさらに連結されたときに耐液体性シールを生じるように構成される。それにもかかわらず、試験プロセス中に電子装置を危険にさらさないようにするために、電子装置が存在しないときに、このシールの耐液体性を試験することが有用である。このような場合、本明細書に記載の模擬物またはミュール（ｍｕｌｅ）は、この機能を遂行するのに有用である。
【００７９】
従って、ある特定の態様において、トップ部材および／または電子装置の寸法と一致する複数の寸法、例えば、シーリング寸法を有する電子装置模擬物またはミュールが提供される。様々な場合において、電子装置全体が収容されず、それによって、トップ部材部材およびボトム部材によって密封されない場合に、例えば、トップ部材がボトム部材と連結されたときに、模擬物は少なくともシーリングをシミュレートするように機能する。
【００８０】
本明細書に記載のように、様々な場合において、トップ部材またはボトム部材は前後面部材を備えない。もっと正確に言えば、周辺部分が含まれ、この周辺部分は、特に、電子装置の表面、例えば縁表面、例えばタッチセンシティブディスプレイに近接する縁表面と実質的に耐液体性シールを生じるような様式で相互作用するように適合される。このような例において、電子装置が含まれない場合に、トップ部材またはボトム部材が対応する部材および／またはミュールと連結された場合、本明細書に記載のミュールは、前後面のない部材の密封性を試験するのに有用である。さらに、様々な例において、表面のないトップ部材またはボトム部材と電子装置との間に、例えば電子装置の表面、例えばトップまたはボトムの縁表面が関連するトップ部材またはボトム部材と接触するインターフェースに配置され得る、独立した対応する前後面を備えることが有用な場合がある。装置がオープンフェイスハウジングの中に収容されたときに、トップ部材もしくはボトム部材の前後面のない周辺部分および／または電子装置と共に使用するための、このようなスタンドアローン膜は、電子装置のトップ表面またはボトム表面、例えば、タッチセンシティブディスプレイを含む表面の保護を向上させるのに有用な場合がある。
【００８１】
従って、さらなる局面において、トップ部材もしくはボトム部材の一方もしくは両方または電子装置と取り外し可能に連結されるように構成された膜が提供される。このような場合、膜はフロントスクリーン膜またはバックスクリーン膜として構成されてもよい。例えば、ある特定の態様において、取り外し可能な膜は、少なくとも、収容された装置のタッチセンシティブの一部の上で固定状態で配置されるように適合される。このような場合、取り外し可能な膜は、タッチセンシティブディスプレイの少なくとも一部に近接する領域上に及んでもよく、例えば、トップ部材がボトム部材と連結されたときに、トップ部材またはボトム部材の内側縁を密封するようにさらに機能してもよい。前記のように、このような取り外し可能な膜は、少なくとも１つのボタン領域、例えば、取り外し可能な膜のトップ表面に設けられた凹みから形成され、電子装置上にあるボタンの位置と一致するように配置された領域；および／または取り外し可能な膜の表面に設けられ、電子装置上にあるボタンの位置と一致するように配置された突出物を備えてもよい。様々な場合において、膜は、完全にまたは部分的に透明および／または不透明でもよい。例えば、ある特定の場合、取り外し可能な膜は、取り外し可能な膜の表面に形成または印刷または付着またはそうではなくて結合され得る１つまたは複数の印を備えてもよい。１つの態様において、トップ部材がボトム部材と連結されたときに、取り外し可能な膜は、トップ部材および／またはボトム部材によって枠に入れられ、密封されるように、電子装置の領域上に固定状態で配置するように適合される。
【００８２】
本明細書に記載の対象の１つまたは複数のバリエーションの詳細は添付の図面および以下の説明において示される。
【００８３】
次に、これらの局面および他の局面について、添付の図面を参照して詳述する。様々な図面の中の類似の参照符号は類似の要素を示す。
【図面の簡単な説明】
【００８４】
【図１Ａ】本開示の保護ハウジングの前面、後面、および側面の様々な斜視図を提供する。
【図１Ｂ】本開示の保護ハウジングの前面、後面、および側面の様々な斜視図を提供する。
【図１Ｃ】本開示の保護ハウジングの前面、後面、および側面の様々な斜視図を提供する。
【図１Ｄ】本開示の保護ハウジングの前面、後面、および側面の様々な斜視図を提供する。
【図２Ａ】前面上部の図および前面下部の図を含む、本開示の保護ハウジングの斜視図を提供する。
【図２Ｂ】前面上部の図および前面下部の図を含む、本開示の保護ハウジングの斜視図を提供する。
【図２Ｃ】前面上部の図および前面下部の図を含む、本開示の保護ハウジングの斜視図を提供する。
【図３Ａ】前面上部の図および前面下部の図を含む、本開示の保護ハウジングのトップ部材およびボトム部材の透視図を提供する。
【図３Ｂ】前面上部の図および前面下部の図を含む、本開示の保護ハウジングのトップ部材およびボトム部材の透視図を提供する。
【図３Ｃ】前面上部の図および前面下部の図を含む、本開示の保護ハウジングのトップ部材およびボトム部材の透視図を提供する。
【図４Ａ】留め付け機構の断面図を含む保護ハウジングの異なる留め付け機構の斜視図を提供する。
【図４Ｂ】留め付け機構の断面図を含む保護ハウジングの異なる留め付け機構の斜視図を提供する。
【図４Ｃ】留め付け機構の断面図を含む保護ハウジングの異なる留め付け機構の斜視図を提供する。
【図４Ｄ】留め付け機構の断面図を含む保護ハウジングの異なる留め付け機構の斜視図を提供する。
【図４Ｅ】留め付け機構の断面図を含む保護ハウジングの異なる留め付け機構の斜視図を提供する。
【図４Ｆ】留め付け機構の断面図を含む保護ハウジングの異なる留め付け機構の斜視図を提供する。
【図４Ｇ】留め付け機構の断面図を含む保護ハウジングの異なる留め付け機構の斜視図を提供する。
【図４Ｈ】留め付け機構の断面図を含む保護ハウジングの異なる留め付け機構の斜視図を提供する。
【図４Ｉ】留め付け機構の断面図を含む保護ハウジングの異なる留め付け機構の斜視図を提供する。
【図４Ｊ】留め付け機構の断面図を含む保護ハウジングの異なる留め付け機構の斜視図を提供する。
【図４Ｋ】留め付け機構の断面図を含む保護ハウジングの異なる留め付け機構の斜視図を提供する。
【図４Ｌ】留め付け機構の断面図を含む保護ハウジングの異なる留め付け機構の斜視図を提供する。
【図４Ｍ】留め付け機構の断面図を含む保護ハウジングの異なる留め付け機構の斜視図を提供する。
【図４Ｎ】留め付け機構の断面図を含む保護ハウジングの異なる留め付け機構の斜視図を提供する。
【図５Ａ】本開示の保護ハウジングのトップ前方部分の斜視図を提供する。
【図５Ｂ】本開示の保護ハウジングのトップ前方部分の斜視図を提供する。
【図５Ｃ】本開示の保護ハウジングのトップ前方部分の斜視図を提供する。
【図５Ｄ】本開示の保護ハウジングのトップ前方部分の斜視図を提供する。
【図６Ａ】様々な留め付け機構の図を含む保護ハウジングの様々なクローズアップ斜視図を提供する。
【図６Ｂ】様々な留め付け機構の図を含む保護ハウジングの様々なクローズアップ斜視図を提供する。
【図６Ｃ】様々な留め付け機構の図を含む保護ハウジングの様々なクローズアップ斜視図を提供する。
【図６Ｄ】様々な留め付け機構の図を含む保護ハウジングの様々なクローズアップ斜視図を提供する。
【図６Ｅ】様々な留め付け機構の図を含む保護ハウジングの様々なクローズアップ斜視図を提供する。
【図６Ｆ】様々な留め付け機構の図を含む保護ハウジングの様々なクローズアップ斜視図を提供する。
【図７Ａ】様々なアクセサリ特徴および制御特徴を示す保護ハウジングの斜視図を提供する。
【図７Ｂ】様々なアクセサリ特徴および制御特徴を示す保護ハウジングの斜視図を提供する。
【図７Ｃ】様々なアクセサリ特徴および制御特徴を示す保護ハウジングの斜視図を提供する。
【図７Ｄ】様々なアクセサリ特徴および制御特徴を示す保護ハウジングの斜視図を提供する。
【図７Ｅ】様々なアクセサリ特徴および制御特徴を示す保護ハウジングの斜視図を提供する。
【図８Ａ】保護ハウジングの様々な留め付け機構を示す斜視図を提供する。
【図８Ｂ】保護ハウジングの様々な留め付け機構を示す斜視図を提供する。
【図９Ａ】様々なアクセサリ特徴および制御特徴を示す保護ハウジングの斜視図を提供する。
【図９Ｂ】様々なアクセサリ特徴および制御特徴を示す保護ハウジングの斜視図を提供する。
【図９Ｃ】様々なアクセサリ特徴および制御特徴を示す保護ハウジングの斜視図を提供する。
【図１０Ａ】ラッチ特徴ならびに様々なアクセサリ特徴および制御特徴を含む保護ハウジングの前方部分の透視図を提供する。
【図１０Ｂ】ラッチ特徴ならびに様々なアクセサリ特徴および制御特徴を含む保護ハウジングの前方部分の透視図を提供する。
【図１０Ｃ】ラッチ特徴ならびに様々なアクセサリ特徴および制御特徴を含む保護ハウジングの前方部分の透視図を提供する。
【図１０Ｄ】ラッチ特徴ならびに様々なアクセサリ特徴および制御特徴を含む保護ハウジングの前方部分の透視図を提供する。
【図１０Ｅ】ラッチ特徴ならびに様々なアクセサリ特徴および制御特徴を含む保護ハウジングの前方部分の透視図を提供する。
【図１０Ｆ】ラッチ特徴ならびに様々なアクセサリ特徴および制御特徴を含む保護ハウジングの前方部分の透視図を提供する。
【図１１Ａ】制御特徴、アクセサリ特徴、および留め付け機構を含む保護ハウジングの斜視図を提供する。
【図１１Ｂ】制御特徴、アクセサリ特徴、および留め付け機構を含む保護ハウジングの斜視図を提供する。
【図１１Ｃ】制御特徴、アクセサリ特徴、および留め付け機構を含む保護ハウジングの斜視図を提供する。
【図１２Ａ】アクセサリポートを含む保護ハウジングの斜視図を提供する。
【図１２Ｂ】アクセサリポートを含む保護ハウジングの斜視図を提供する。
【図１２Ｃ】アクセサリポートを含む保護ハウジングの斜視図を提供する。
【図１３Ａ】保護ハウジング試験シール部材の透視図を提供する。
【図１３Ｂ】保護ハウジング試験シール部材の透視図を提供する。
【図１３Ｃ】保護ハウジング試験シール部材の透視図を提供する。
【図１３Ｄ】保護ハウジング試験シール部材の透視図を提供する。
【図１３Ｅ】保護ハウジング試験シール部材の透視図を提供する。
【図１４Ａ】トップ部材およびボトム部材、スナップ歯部材およびスナップ歯コーム、ならびにイヤホンポートカバーを含む様々な特徴を示す、保護ハウジングの分解組立図を含む斜視図を提供する。
【図１４Ｂ】トップ部材およびボトム部材、スナップ歯部材およびスナップ歯コーム、ならびにイヤホンポートカバーを含む様々な特徴を示す、保護ハウジングの分解組立図を含む斜視図を提供する。
【図１４Ｃ】トップ部材およびボトム部材、スナップ歯部材およびスナップ歯コーム、ならびにイヤホンポートカバーを含む様々な特徴を示す、保護ハウジングの分解組立図を含む斜視図を提供する。
【図１４Ｄ】トップ部材およびボトム部材、スナップ歯部材およびスナップ歯コーム、ならびにイヤホンポートカバーを含む様々な特徴を示す、保護ハウジングの分解組立図を含む斜視図を提供する。
【図１４Ｅ】トップ部材およびボトム部材、スナップ歯部材およびスナップ歯コーム、ならびにイヤホンポートカバーを含む様々な特徴を示す、保護ハウジングの分解組立図を含む斜視図を提供する。
【図１４Ｆ】トップ部材およびボトム部材、スナップ歯部材およびスナップ歯コーム、ならびにイヤホンポートカバーを含む様々な特徴を示す、保護ハウジングの分解組立図を含む斜視図を提供する。
【図１４Ｇ】トップ部材およびボトム部材、スナップ歯部材およびスナップ歯コーム、ならびにイヤホンポートカバーを含む様々な特徴を示す、保護ハウジングの分解組立図を含む斜視図を提供する。
【図１４Ｈ】トップ部材およびボトム部材、スナップ歯部材およびスナップ歯コーム、ならびにイヤホンポートカバーを含む様々な特徴を示す、保護ハウジングの分解組立図を含む斜視図を提供する。
【図１４Ｉ】トップ部材およびボトム部材、スナップ歯部材およびスナップ歯コーム、ならびにイヤホンポートカバーを含む様々な特徴を示す、保護ハウジングの分解組立図を含む斜視図を提供する。
【図１５Ａ】トップ部材およびボトム部材、ロッキング部材、ロッキング部材の別のウェッジバージョン、留め付け機構、ボタン特徴、ラッチドア、ならびに充電ポート収容口を含む様々な特徴を示す、保護ハウジングの斜視図を提供する。
【図１５Ｂ】トップ部材およびボトム部材、ロッキング部材、ロッキング部材の別のウェッジバージョン、留め付け機構、ボタン特徴、ラッチドア、ならびに充電ポート収容口を含む様々な特徴を示す、保護ハウジングの斜視図を提供する。
【図１５Ｃ】トップ部材およびボトム部材、ロッキング部材、ロッキング部材の別のウェッジバージョン、留め付け機構、ボタン特徴、ラッチドア、ならびに充電ポート収容口を含む様々な特徴を示す、保護ハウジングの斜視図を提供する。
【図１５Ｄ】トップ部材およびボトム部材、ロッキング部材、ロッキング部材の別のウェッジバージョン、留め付け機構、ボタン特徴、ラッチドア、ならびに充電ポート収容口を含む様々な特徴を示す、保護ハウジングの斜視図を提供する。
【図１５Ｅ】トップ部材およびボトム部材、ロッキング部材、ロッキング部材の別のウェッジバージョン、留め付け機構、ボタン特徴、ラッチドア、ならびに充電ポート収容口を含む様々な特徴を示す、保護ハウジングの斜視図を提供する。
【図１５Ｆ】トップ部材およびボトム部材、ロッキング部材、ロッキング部材の別のウェッジバージョン、留め付け機構、ボタン特徴、ラッチドア、ならびに充電ポート収容口を含む様々な特徴を示す、保護ハウジングの斜視図を提供する。
【図１５Ｇ】トップ部材およびボトム部材、ロッキング部材、ロッキング部材の別のウェッジバージョン、留め付け機構、ボタン特徴、ラッチドア、ならびに充電ポート収容口を含む様々な特徴を示す、保護ハウジングの斜視図を提供する。
【図１５Ｈ】トップ部材およびボトム部材、ロッキング部材、ロッキング部材の別のウェッジバージョン、留め付け機構、ボタン特徴、ラッチドア、ならびに充電ポート収容口を含む様々な特徴を示す、保護ハウジングの斜視図を提供する。
【図１５Ｉ】トップ部材およびボトム部材、ロッキング部材、ロッキング部材の別のウェッジバージョン、留め付け機構、ボタン特徴、ラッチドア、ならびに充電ポート収容口を含む様々な特徴を示す、保護ハウジングの斜視図を提供する。
【図１５Ｊ】トップ部材およびボトム部材、ロッキング部材、ロッキング部材の別のウェッジバージョン、留め付け機構、ボタン特徴、ラッチドア、ならびに充電ポート収容口を含む様々な特徴を示す、保護ハウジングの斜視図を提供する。
【図１５Ｋ】トップ部材およびボトム部材、ロッキング部材、ロッキング部材の別のウェッジバージョン、留め付け機構、ボタン特徴、ラッチドア、ならびに充電ポート収容口を含む様々な特徴を示す、保護ハウジングの斜視図を提供する。
【図１５Ｌ】トップ部材およびボトム部材、ロッキング部材、ロッキング部材の別のウェッジバージョン、留め付け機構、ボタン特徴、ラッチドア、ならびに充電ポート収容口を含む様々な特徴を示す、保護ハウジングの斜視図を提供する。
【図１５Ｍ】トップ部材およびボトム部材、ロッキング部材、ロッキング部材の別のウェッジバージョン、留め付け機構、ボタン特徴、ラッチドア、ならびに充電ポート収容口を含む様々な特徴を示す、保護ハウジングの斜視図を提供する。
【図１５Ｎ】トップ部材およびボトム部材、ロッキング部材、ロッキング部材の別のウェッジバージョン、留め付け機構、ボタン特徴、ラッチドア、ならびに充電ポート収容口を含む様々な特徴を示す、保護ハウジングの斜視図を提供する。
【図１５Ｏ】トップ部材およびボトム部材、ロッキング部材、ロッキング部材の別のウェッジバージョン、留め付け機構、ボタン特徴、ラッチドア、ならびに充電ポート収容口を含む様々な特徴を示す、保護ハウジングの斜視図を提供する。
【図１５Ｐ】トップ部材およびボトム部材、ロッキング部材、ロッキング部材の別のウェッジバージョン、留め付け機構、ボタン特徴、ラッチドア、ならびに充電ポート収容口を含む様々な特徴を示す、保護ハウジングの斜視図を提供する。
【図１５Ｑ】トップ部材およびボトム部材、ロッキング部材、ロッキング部材の別のウェッジバージョン、留め付け機構、ボタン特徴、ラッチドア、ならびに充電ポート収容口を含む様々な特徴を示す、保護ハウジングの斜視図を提供する。
【図１６Ａ】電子装置を収納する保護ハウジングの分解組立図を含む図を提供する。
【図１６Ｂ】電子装置を収納する保護ハウジングの分解組立図を含む図を提供する。
【図１６Ｃ】電子装置を収納する保護ハウジングの分解組立図を含む図を提供する。
【図１６Ｄ】電子装置を収納する保護ハウジングの分解組立図を含む図を提供する。
【図１７Ａ】トップ部材およびロッキング要素および左右の近位スナップ歯部材を含む様々な特徴を示す保護ハウジングの斜視図を提供する。
【図１７Ｂ】トップ部材およびロッキング要素および左右の近位スナップ歯部材を含む様々な特徴を示す保護ハウジングの斜視図を提供する。
【図１７Ｃ】トップ部材およびロッキング要素および左右の近位スナップ歯部材を含む様々な特徴を示す保護ハウジングの斜視図を提供する。
【図１７Ｄ】トップ部材およびロッキング要素および左右の近位スナップ歯部材を含む様々な特徴を示す保護ハウジングの斜視図を提供する。
【図１７Ｅ】トップ部材およびロッキング要素および左右の近位スナップ歯部材を含む様々な特徴を示す保護ハウジングの斜視図を提供する。
【図１７Ｆ】トップ部材およびロッキング要素および左右の近位スナップ歯部材を含む様々な特徴を示す保護ハウジングの斜視図を提供する。
【図１７Ｇ】トップ部材およびロッキング要素および左右の近位スナップ歯部材を含む様々な特徴を示す保護ハウジングの斜視図を提供する。
【図１７Ｈ】トップ部材およびロッキング要素および左右の近位スナップ歯部材を含む様々な特徴を示す保護ハウジングの斜視図を提供する。
【図１７Ｉ】トップ部材およびロッキング要素および左右の近位スナップ歯部材を含む様々な特徴を示す保護ハウジングの斜視図を提供する。
【図１８Ａ】接続前または接続後の保護ハウジングのトップ部材およびボトム部材の断面図を提供する。
【図１８Ｂ】接続前または接続後の保護ハウジングのトップ部材およびボトム部材の断面図を提供する。
【図１８Ｃ】接続前または接続後の保護ハウジングのトップ部材およびボトム部材の断面図を提供する。
【図１８Ｄ】接続前または接続後の保護ハウジングのトップ部材およびボトム部材の断面図を提供する。
【図１８Ｅ】接続前または接続後の保護ハウジングのトップ部材およびボトム部材の断面図を提供する。
【図１８Ｆ】接続前または接続後の保護ハウジングのトップ部材およびボトム部材の断面図を提供する。
【図１８Ｇ】接続前または接続後の保護ハウジングのトップ部材およびボトム部材の断面図を提供する。
【図１８Ｈ】接続前または接続後の保護ハウジングのトップ部材およびボトム部材の断面図を提供する。
【図１８Ｉ】接続前または接続後の保護ハウジングのトップ部材およびボトム部材の断面図を提供する。
【図１８Ｊ】接続前または接続後の保護ハウジングのトップ部材およびボトム部材の断面図を提供する。
【図１８Ｋ】接続前または接続後の保護ハウジングのトップ部材およびボトム部材の断面図を提供する。
【図１９】保護ハウジングの音声伝達部分のクローズアップ図を提供する。
【図２０】保護ハウジングの内側周囲部分のクローズアップ図を提供する。表示方向スイッチインターフェースおよび音スイッチインターフェースは詳細に引き伸ばされている。
【図２１Ａ】ノイズキャンセリング特徴およびヘッドホンポート特徴を含む様々な音響的特徴を示す保護ハウジングの図を提供する。
【図２１Ｂ】ノイズキャンセリング特徴およびヘッドホンポート特徴を含む様々な音響的特徴を示す保護ハウジングの図を提供する。
【図２１Ｃ】ノイズキャンセリング特徴およびヘッドホンポート特徴を含む様々な音響的特徴を示す保護ハウジングの図を提供する。
【図２１Ｄ】ノイズキャンセリング特徴およびヘッドホンポート特徴を含む様々な音響的特徴を示す保護ハウジングの図を提供する。
【図２１Ｅ】ノイズキャンセリング特徴およびヘッドホンポート特徴を含む様々な音響的特徴を示す保護ハウジングの図を提供する。
【図２１Ｆ】ノイズキャンセリング特徴およびヘッドホンポート特徴を含む様々な音響的特徴を示す保護ハウジングの図を提供する。
【図２２Ａ】ノイズ低減ポートおよび音響ベント膜を含む様々な音響的特徴を示す保護ハウジングの図を提供する。
【図２２Ｂ】ノイズ低減ポートおよび音響ベント膜を含む様々な音響的特徴を示す保護ハウジングの図を提供する。
【図２２Ｃ】ノイズ低減ポートおよび音響ベント膜を含む様々な音響的特徴を示す保護ハウジングの図を提供する。
【図２３Ａ】保護ハウジングのカメラ特徴の図を提供する。
【図２３Ｂ】ノイズ低減ポートおよび音響ベント膜を含む様々な音響的特徴を示す保護ハウジングの図を提供する。
【図２４Ａ】カバーをさらに備える保護ハウジングの態様の斜視図を提供する。
【図２４Ｂ】カバーをさらに備える保護ハウジングの態様の斜視図を提供する。
【発明を実施するための形態】
【００８５】
本明細書に記載の対象は、概して、物体を収容するためのハウジングに関する。単数の「物体」が本明細書において用いられるが、この用語は１つまたは複数の物体を含むことが理解されるはずである。物体は、ハウジング内で嵌合することができる、ならびに／または１つもしくは複数の劣悪な環境条件、悪天候、誤った取り扱いおよび／もしくは破損、例えば、水などの液体との接触による破損からの保護を必要とする任意の物体でよい。ハウジングは、物体を収容し、例えば、劣悪な環境条件および／または乱暴な取り扱いから保護することができる限り任意の適切なサイズおよび寸法のハウジングでよい。物体は、電子装置のような単一の物体でもよく、電子装置を構成する構成要素などの複数の物体でもよい。
【００８６】
様々な態様において、物体は、電子装置、例えば、コンピュータ、例えば、モバイルタブレット演算装置、例えば、タブレットコンピュータ、携帯電話、電子リーダー、パーソナルデジタルアシスタント、または他の電子装置、例えば、デジタルカメラ、ページャなどでもよい。特定の態様において、本明細書において下記でさらに詳述されるように、物体は、モバイルタブレット演算装置、例えば、タブレットコンピュータ、携帯電話装置、またはデジタルリーダーである。特定の態様（例えば、物体がタブレット演算装置である場合）に関して、下記で説明されるが、収納される物体は、ハウジング内に収納することができる任意の適切な物体（例えば、任意のモバイル電子装置、例えば、スキャナー、リーダー、ビデオゲームなど）でもよいので、これは例示にすぎないことが理解されるはずである。
【００８７】
従って、ハウジングは、特定の物体を格納するための当技術分野において知られておりかつ使用されている任意の典型的な容器の形をとってもよい。例えば、容器は、物体を取り囲んで、例えば、モバイルタブレットコンピュータ、コンピュータ機能を有する携帯電話、デジタルアシスタント、カメラ、ゲーム装置などを取り囲んで開閉し、従って、それによって耐液体性および耐衝撃性の保護を提供するように構成されたハウジングでもよい。そうであれば、ハウジングは、特定の物体を格納し、環境要因および／または誤った取り扱いのために傷つけられるのを阻止することが意図された任意の適切な容器を形成してよい。
【００８８】
ある特定の態様において、ハウジングは、装置（例えば、電子装置、例えば、モバイルタブレットコンピュータ、携帯電話、および／または電子リーダー装置など）を少なくとも部分的に収納するように構成されたケースを形成してもよい。他の場合において、ハウジングは装置（例えば、電子装置）の一部であり、電子装置の様々な構成要素を収納する。例えば、ハウジングは、モバイルタブレットコンピュータもしくは電話もしくはリーダー装置、またはモバイル装置（もしくは他の電子装置）の電子構成要素を収納する他の電子装置のハウジングでもよい。
【００８９】
従って、様々な局面において、物体（例えば、タブレットコンピュータ、携帯電話、もしくは電子リーダー）を少なくとも部分的に収納するためのハウジング、収納された物体（例えば、装置）を使用する方法、および／またはそのためのシステムが提供される。例えば、１つの特定の態様において、装置（例えば、タブレットコンピュータ装置、携帯電話、または電子リーダー）を収容するためのハウジングが設けられる。ハウジングは、電子装置がハウジング内に嵌合され、それによって、例えば、液体、衝撃、汚れ、塵などから実質的に保護され得るように構成されてもよい。ハウジングは、複数の別々の部材または同じ部材の別々の部分（例えば、連結してハウジングを形成するように設計されたトップ部材部分およびボトム部材部分）を備えてもよい。様々な態様において、トップ部材およびボトム部材は、第３の要素（例えば、ヒンジ要素を介して連携され得る別々の部材）でもよく、および／または共通の第３の部材（例えば、ロッキング要素によってロックされる２つの部材）を備えてもよい。このような場合、トップ部材部分およびボトム部材部分は、収納される物体（例えば、電子装置）を取り囲んで一緒になって、液密シールを形成するように設計される。
【００９０】
本明細書において提供されるハウジングによって達成される、いくつかの利点がある。例えば、ある特定の場合、本開示のハウジングは、収容された装置またはその構成要素を保護するための衝撃吸収手段を提供することができる。ある特定の場合、ハウジングは、収容された装置および／またはその構成要素を保護するための耐液体性手段を提供するように構成することができる。例えば、様々な場合において、ハウジングは少なくとも実質的に防衝撃性および／または防液体性でもよい。本明細書において開示されるハウジングはまた、下にある装置またはその構成要素の引っ掻き、擦傷、欠け、破断、割れなどに対する保護を提供することができる。ある特定の場合では、収納される装置の独特の技術的特徴および設計特徴が維持されると同時に、衝撃および／または液体（例えば、水）に対する耐性が提供される。様々な場合において、ハウジングは、例えば、音および／または音質を増幅または明瞭にするために、下にある装置の音声伝達の質を高めるように設計される。場合によっては、これらの利点は、下にある装置のサイズおよび／または重さを実質的に増やさずにハウジングによって提供される。
【００９１】
例えば、ある態様において、ハウジングの寸法は以下の範囲内にある。様々な部材の厚さ、例えば、トップ部材および／またはボトム部材および／またはロッキング部材（これらの部材は共通のロッキング要素によって接続される別々の個々の前部部材および底部部材でもよい）の厚さは、全体として、約５０ｍｍ超もしくは約５０ｍｍ未満、または約４０ｍｍもしくはそれ未満、例えば、約３５ｍｍもしくは約３０ｍｍもしくはそれ未満、例えば、約２５ｍｍもしくは約２０ｍｍもしくは約１８ｍｍもしくはそれ未満、例えば、約１７ｍｍもしくは約１５ｍｍもしくはそれ未満、例えば、１３ｍｍもしくはそれ未満、例えば、約１０ｍｍ、例えば、約８ｍｍもしくはそれ未満、例えば、約５ｍｍもしくは約３ｍｍもしくはそれ未満、またはさらには２．５ｍｍもしくはそれ未満でもよい。トップ部材は、共通のロッキング要素によって接続される別々の個々のトップ部材およびボトム部材でもよい。ハウジングの厚さは、収納される装置の厚さに比例して決まることに留意すべきである。
【００９２】
ハウジングの様々な部材の長さは一様でなくてもよい。ある特定の場合、トップ部材および／またはボトム部材の長さは、約８００ｍｍ超もしくは約８００ｍｍ未満、または約７５０ｍｍもしくはそれ未満、例えば、約７００ｍｍもしくは約６５０ｍｍもしくはそれ未満、例えば、約５００ｍｍまたは約４５０ｍｍもしくは約４００ｍｍもしくはそれ未満、例えば、約３５０ｍｍもしくは約３００ｍｍもしくはそれ未満、例えば、２５０ｍｍもしくはそれ未満、例えば、約２００ｍｍ、例えば、約１５０ｍｍもしくはそれ未満、例えば、約１００ｍｍもしくは約７５ｍｍもしくはそれ未満、またはさらには約５０ｍｍもしくは約２５ｍｍもしくはそれ未満でもよい。ハウジングの様々な部材の幅もまた一様でなくてもよい。ある特定の場合、トップ部材および／またはボトム部材の幅は、約６００ｍｍ超もしくは約６００ｍｍ未満、または約５５０ｍｍもしくはそれ未満、例えば、約４５０ｍｍもしくは４００ｍｍもしくはそれ未満、例えば、約３５０ｍｍもしくは約３００ｍｍもしくは約２５０ｍｍもしくはそれ未満、例えば、約２００ｍｍもしくは約１５０ｍｍもしくはそれ未満、例えば、１００ｍｍもしくはそれ未満、例えば、約７５ｍｍ、例えば、約５０ｍｍもしくはそれ未満、例えば、約４０ｍｍもしくは約３０ｍｍもしくはそれ未満、またはさらには約２０ｍｍもしくは約１５ｍｍもしくはそれ未満でもよい。ハウジングの総質量もまた一様でなくてもよく、約８００ｇ超もしくは約８００ｇ未満、または約７５０ｇもしくはそれ未満、例えば、約７００ｇもしくは６５０ｇもしくはそれ未満、例えば、約５００ｇもしくは約４５０ｇもしくは約４００ｇもしくはそれ未満、例えば、約３５０ｇもしくは約３００ｇもしくはそれ未満、例えば、２５０ｇもしくはそれ未満、例えば、約２００ｇ、例えば、約１５０ｇもしくはそれ未満、例えば、約１００ｇもしくは約７５ｇもしくはそれ未満、またはさらには約５０ｇもしくは約２５ｇもしくはそれ未満でもよい。
【００９３】
例えば、様々な場合において、個々のトップ部材および／またはボトム部材の厚さは一様でなくてもよく、個々の部材の製造方法、収納される装置のサイズ、トップ部材またはボトム部材上での測定場所に応じて、厚さは、約１５ｍｍ超もしくは約１５ｍｍ未満、または約１３ｍｍ未満、例えば、約１２ｍｍ未満もしくは約１１ｍｍ未満、例えば、約１０ｍｍ未満もしくは約９．５ｍｍ未満、例えば、約９ｍｍ未満もしくは約８ｍｍ未満、例えば、約７ｍｍ未満もしくは約６ｍｍ未満、例えば、約５ｍｍ未満もしくは約４ｍｍ未満、例えば、３ｍｍ未満もしくは約２．５ｍｍ未満またはさらには約２ｍｍ未満でもよい。トップ部材またはボトム部材の個々の質量も一様でなくてよく、特定の態様の硬さに応じて、約４００ｇ超もしくは約４００ｇ未満、または約３５０ｇもしくはそれ未満、例えば、約３００ｇもしくは約２５０ｇもしくはそれ未満、例えば、約２００ｇもしくは約１５０ｇもしくは約１００ｇもしくはそれ未満、例えば、約９０ｇもしくは約８０ｇもしくはそれ未満、例えば、７５ｇもしくはそれ未満、例えば、約７０ｇ、例えば、約６５ｇもしくは約６０ｇもしくはそれ未満、例えば、約５５ｇもしくは約５０ｇもしくはそれ未満、またはさらには約４０ｇもしくは約３０ｇもしくは約２５ｇもしくはそれ未満でもよい。
【００９４】
従って、本明細書に記載の設計特徴のために、本開示のハウジングは、前記で列挙された範囲内の厚さ、重さ、長さ、および幅しか有さないが、収容された装置に耐液体性および耐衝撃性を提供することができる。具体的には、ある特定の場合、トップ部材またはボトム部材の長さおよび／または幅は、ハウジングが収容するように設計されている下にある装置に対して、約５０ｍｍまたは約４５ｍｍよりは長くも広くもなくてもよく、例えば、約４０ｍｍまたは約３５ｍｍよりは長くも広くもなくてもよく、例えば、約３０ｍｍまたは約２５ｍｍよりは長くも広くもなくてもよく、約２０ｍｍまたは１５ｍｍよりは長くも広くもない場合を含み、例えば、様々な態様において、ハウジングが収容するように設計されている装置よりも、約１０ｍｍまたは約８ｍｍまたは約５ｍｍよりは長くも広くもなくてもよく、例えば、約４ｍｍよりは長くも広くもなくてもよくてもよく、約３ｍｍまたは約２ｍｍよりは長くも広くもない場合を含む。例えば、様々な場合において、トップ部材および／またはボトム部材の長さおよび／または幅は、ハウジングが収容するように設計されている装置の長さおよび／または幅よりも、約４．５ｍｍ未満または約３．５ｍｍ未満または約２．５ｍｍ未満、例えば、２．０ｍｍ未満、１．５ｍｍ未満、例えば、１ｍｍ未満大きくてもよい。
【００９５】
ある特定の個別の態様において、本開示のハウジングの幅は、約１５０ｍｍ〜２５０ｍｍ、例えば、１７５ｍｍ〜約２２５ｍｍ、例えば、約２００〜約２１０ｍｍ、例えば、２０８ｍｍでもよい。ある特定の個別の態様において、本開示のハウジングの長さは、約１５０ｍｍ〜３００ｍｍ、例えば、１７５ｍｍ〜約２７５ｍｍ、例えば、約２００〜約２５０ｍｍ、例えば、２２５ｍｍでもよい。ある特定の場合、当該長さは約２６５ｍｍである。ある特定の個別の態様において、本開示のハウジングの厚さは、約１０ｍｍ〜５０ｍｍ、例えば、２０ｍｍ〜約４０ｍｍ、例えば、約３０ｍｍ〜約３５ｍｍでもよい。ある特定の態様において、ハウジングの厚さは約２１ｍｍでもよい。ある特定の個別の態様において、本開示のハウジングの厚さは、約１５０ｇ〜４００ｇ、例えば、２００ｇ〜約３５０ｇ、例えば、約２５０〜約３００ｇでもよい。ある特定の場合、当該重さは約３２０ｇでもよい。ある特定の場合、ハウジングの構成要素は互いに異なってもよい。例えば、ある特定の場合、内部の硬質フレームが含まれ、硬質フレームに１つまたは複数の比較的可撓性のある部材が連結される。従って、硬質部材が含まれる場合、様々な例示的な態様において、構成要素はナイロンおよびポリカーボネートなどの１つまたは複数から製造されてもよい。他の半硬質材料は、ポリエステル、ポリプロピレン、ＡＢＳ、アクリル樹脂、ポリエーテルイミド、イオノマー、アセタール、ポリウレタンまたはそのブレンドなどを含んでもよい。可撓性のある部材が含まれる場合、このような部材を製造するための例示的な材料には、シリコーン、ＴＰＥ、ＴＰＵ、ＴＰＶ、熱硬化性ゴムなどが含まれ得る。シーリング部材、例えば、ガスケットが含まれる場合、ガスケットは、例示的な材料、例えば、シリコーン、熱可塑性エラストマー、熱可塑性ウレタン、ニトリル、ＥＰＤＭ、ヴァイトン、ウレタン、ＳＢＲ、または加硫ゴム、その組み合わせなどから製造されてもよい。従って、これらは単なる例示的な材料であり、使用される実際の材料は、これより大なり小なり堅くなるように選択されてもよい。同様に、選択された実際の材料は、本明細書において提供されるリストより大なり小なり可撓性があってもよい。
【００９６】
本開示のハウジングは、構成に応じて、大なり小なり、ある程度の防水性および／または耐衝撃性が提供され得るように構成される。従って、文脈に応じて、本開示のハウジングは防水性でもよい。防水性とは、収容された電子装置が、連続的または一時的な水浸の作用に対して保護されることを意味する。実質的に防水性とは、装置が、連続的または一時的な水浸の作用に対して本質的に保護されることを意味する。耐水性とは、収容された装置が、水滴の落下、水滴の吹きつけ、水の噴霧、水はね、または水の噴射の作用に対して保護されることを意味する。さらに、文脈に応じて、本開示のハウジングは防衝撃性でもよい。防衝撃性とは、品物が、取り扱い、運送、およびサービス環境において遭遇する比較的まれにしか起こらず、反復しない衝撃に物理的および機能的に耐えることができるように、収容された電子装置が保護されることを意味する。実質的に防衝撃性とは、品物が、取り扱い、運送、およびサービス環境において遭遇する比較的まれにしか起こらず、反復しない衝撃に本質的に物理的および機能的に耐えることができるように、ハウジングがある程度の保護を提供することを意味する。耐衝撃性とは、品物が、取り扱い、運送、およびサービス環境において遭遇する比較的まれにしか起こらず、反復しない衝撃に物理的および機能的に耐えることができる可能性が高くなり得るように、ハウジングがある程度の保護を提供し得ることを意味する。このような衝撃は、一般的に、１０，０００Ｈｚを超えない周波数範囲および１．０秒以下の持続期間に限定される、品物の機械的な乱れとして定義されることがある。
【００９７】
従って、１つの態様において、本明細書に記載の設計特徴のために、本開示のハウジングは、前記で列挙された範囲内の相対的な厚さ、長さ、および／または幅しか有さないが、収容された装置に実質的な耐液体性および耐衝撃性を提供することができる。ある特定のハウジングの十分な厚さ、幅、および／または長さを決定するために、いくつかの式を使用することができ、従って、下にある装置の厚さ、幅、および／または長さであるｘを決定し、寸法ｙ（例えば、前記で列挙された寸法のうちの１つ、すなわち、下にある装置の寸法に加える寸法の１つ）を有するハウジングを提供することによって、容易に決定することができる。具体的には、装置の寸法がｘであれば、ハウジングの寸法は（ｘ＋ｙ）である。式中、ｙは、前記で示された寸法のうちの１つである。ハウジングの妥当な厚さ、幅、および／または長さを決定するための別の式は、収納された装置と接触するハウジングの内側からハウジングの外側までの距離であるｙを測定する式でもよい。ｙは、前記で列挙された範囲のうちの１つの中にある。
【００９８】
ハウジングの妥当な厚さ、幅、および／または長さ、および／または重さが提供されていることを確実なものとするために、収納される装置はハウジング内に嵌合され、次いで、ハウジングは閉じられ、ハウジングおよび／またはそのシールは、例えば、収容された装置を実験的に落下させることによって、および／または収容された装置を湿潤条件に曝露することによって耐衝撃性および／または耐液体性を提供する能力について試験されてもよい。例えば、以下の実施例のセクションを参照されたい。ハウジングの厚さ、幅、および／または長さ、および／または重さは、落下によって、および／または液体、例えば、全ての形態の水への曝露によって、収納された装置が破断されない、亀裂が入らない、またはそうではなくて傷つけられないような寸法で提供されなければならない。
【００９９】
ある特定の場合、例えば、物体と、それを収容するように構成されているハウジングのサイズとを結び付ける有用性がほとんどないかまたは全くない場合、当該物体よりも、それを収容するように構成されているハウジングの方が大きくてもよく、例えば、実質的に大きくてもよいことに留意すべきである。例えば、下にある装置より実質的に厚い、広い、長い、および／または重いハウジングを有することが有用だと確かめられた場合、ハウジングの寸法は、本明細書において列挙された寸法より厚くてもよく、広くてもよく、長くてもよく、例えば、８００ｍｍ以上より大きくてもよく、かつ／または８００ｇ以上より重い質量を有してもよい。他の場合において、装置よりも、それを収納するように設計されているハウジングの方が実質的に大きくはなく、かつ／または重くはない。従って、ある特定の場合、ハウジングは、例えば、装置の落下によって引き起こされる衝撃、および／または液体からの衝撃（例えば、水などの液体との接触から引き起こされる衝撃）のうちの１つまたは複数から装置を保護する。
【０１００】
従って、図１Ａを見るとハウジング１が提供される。保護ハウジングは物体を収容するように構成される。物体は、本明細書において提供される説明に従って収容され得る任意の物体でよい。例えば、ある特定の態様において、収容される物体は、装置、例えば、電子装置、例えば、タブレット演算装置、例えば、デジタルタブレットコンピュータ、例えば、タブレットＰＣ、コンピュータ機能を有する携帯電話、電子リーダーなどである。ある特定の場合、収納される電子装置は、手持ち型モバイル電子装置、例えば、タブレットＰＣ、携帯電話、または他のこのような装置、例えば、電子リーダー、パーソナルデジタルアシスタント、電子ゲーム装置、オーガナイザー（ｏｒｇａｎｉｚｅｒ）などでもよい。ハウジングの個々の構成要素の構成に基づいて、ハウジングは少なくとも部分的に電子装置を収納してもよいことに留意すべきである。収納は完全な収納でもよく、完全とはいえない収納でもよい。例えば、ある特定の場合、例えば、トップ部材またはボトム部材が前面または後面を備えない場合、例えば、トップ部材またはボトム部材に膜がない場合、保護ハウジングを形成するトップ部材またはボトム部材の一部は無蓋であってもよい。または、トップ部材およびボトム部材が電子装置全体を完全に取り囲んで収納している場合、収納は完全な収納でもよく、トップ部材およびボトム部材がディスプレイ（例えば、電子装置のタッチセンシティブディスプレイ）に実質的に隣接する部分を除いて電子装置を収納する場合、収納は部分的な収納でもよい。このような場合、ハウジング（例えば、トップ部材および／またはボトム部材）は、開放されたアパーチャ（例えば、ディスプレイに隣接する露出したアパーチャ）を有してもよく、そのため、ディスプレイに直接、タッチアクセスすることが可能になる。または、ハウジングは、恒久的または取り外し可能に固定された膜がかかっているアパーチャを有してもよい。ディスプレイ（例えば、タッチセンシティブディスプレイ）に間接的にタッチアクセスできるように、前記膜はハウジングに取り付けられてもよく、装置に、例えば、ディスプレイを覆って、取り付けられてもよい。
【０１０１】
特定の態様において、保護ハウジング１は、取り外し可能にまたは固定状態で連結されたときに保護ハウジング１を形成するトップ部材２およびボトム部材３を備えてもよい。図１Ａは、保護ハウジング１のトップ部材２の上から下に見た図、ボトム部材３の下から上に見た図、ならびに４つ全ての側面の側面図を提供する。図１Ａに関して図示されたように、保護ハウジングは、様々な態様において、取り外し可能に連結して保護ハウジング１を形成するように構成された複数の部材（例えば、トップ部材２およびボトム部材３）を備える。しかしながら、特定の態様（例えば、電子装置（例えば、タブレットＰＣまたは携帯電話または電子リーダーなど）を中に収容するための保護ハウジング１）が本明細書において示されているが、収容される物体は多数の異なる物体のいずれでもよく、従って、保護ハウジングは、本開示の内容から逸脱することなく多数の異なる形状、サイズ、および構成を有する多数の異なる部材を有してもよいことが理解されなければならない。
【０１０２】
例えば、本明細書の下記において説明されるように、保護ハウジングは、電子装置を取り囲み、それによって装置を収容するように取り外し可能にまたは恒久的に連結されるように構成された、２つの別々の部材（例えば、別々の個々のトップ部材２およびボトム部材３）を備えてもよい。しかしながら、ある特定の場合（記載せず）、トップ部材およびボトム部材は別々の部材でなくてもよく、例えば、共通のヒンジ要素によって接続される部材でもよく、折り畳まれ、それによって、保護ハウジングを形成するように構成された単一部材から製造されてもよい。他の場合において、保護ハウジング１は、一緒に組み立てられたときに保護ハウジング１を形成する、２つを超える別々の部材、例えば、別々のトップ部材２およびボトム部材３ならびに別々の留め付け要素および／またはロッキング要素（記載せず）を備えてもよい。従って、図面を参照して説明された特定の態様に関して本明細書に記載されているハウジングおよびシステムの範囲は、過度に限定するものとは意図されていない。
【０１０３】
保護ハウジング１のトップ部材２は、トップの前後面（例えば、周辺部分にまたがる膜（この態様には含まれない））ならびにトップ部材周辺部分２０を備えてもよい。しかしながら、この態様において、トップ部材２はトップ部材の前後面を備えない。もっと正確に言えば、図示された態様において、トップ部材２は単にトップ部材周辺部分２０を備えるのみである。トップ部材２のトップ部材周辺部分２０は、トップ部材近位端部分２１およびトップ部材遠位端部分２２、ならびにトップ部材左側部分２３およびトップ部材右側部分２４と呼ばれる相対する側方部分によって規定されてもよい。トップ部材周辺部分２０は、複数のさらなる特徴（例えば、ヘッドホンポートシーリングポート部材５３が中に配置されているヘッドホンポート５０（記載せず）、ならびに充電ポート開口部７１ａ（記載せず））を備えてもよい。さらに、トップ部材２は１つまたは複数のボタン特徴（例えば、ホームボタン特徴４０）を備えてもよい。
【０１０４】
保護ハウジング１のボトム部材３は、ボトム部材周辺部分３０によって囲まれた、ボトム部材の前後面（「表面」）３５を備える。ボトム部材周辺部分３０は、ボトム部材近位端部分３１と呼ばれるボトム近位端部分およびボトム部材遠位端部分３２と呼ばれるボトム遠位端部分、ならびにボトム部材右側部材３３およびボトム部材左手３４と呼ばれる相対する側方部分によって規定される。ボトム部材周辺部分３０は、複数のさらなる特徴（例えば、１つまたは複数のボタン特徴またはスイッチ特徴、例えば、音量ボタン９９ａ、オン／オフボタン９９ｂ、表示方向スイッチ９０、および音声伝達特徴、例えば、マイクロホン伝達ポート６１およびスピーカー伝達ポート６０）を備えてもよい。
【０１０５】
マイクロホン伝送ポート６１は、ボトム部材３の外側から内側にまたがる開口部、例えば、入口アパーチャ６２ａ（記載せず）を備える。マイクロホン入口アパーチャの内側部分はマイクロホン防水性ガスケット６１ａ（記載せず）によって囲まれる。当該ガスケットは入口アパーチャにまたがり、入口アパーチャをカバーし、防水性シーリングにおいてマイクロフォンポートアパーチャを密封し、それによって、ハウジングを保護するように機能するが、同時にハウジングの中に、かつ収容された装置のマイクロホン部分に向けて音が効率的に伝達するのを可能にする。マイクロホン防水性ガスケットは、任意の適切な手段によって、例えば、接着剤によって、熱結合（ｔｈｅｒｍａｌ  ｃｏｕｐｌｉｎｇ）によって、および／またはマイクロホン伝送ポート６１の形成と共にオーバーモールディングによって、マイクロホン伝送入口アパーチャを覆ってハウジングに取り付けられてもよい。マイクロホン伝送ポート６１の外側部分は、入口アパーチャ６２ａの一部にまたがる保護補強材として機能するマイクロホングリル６１ｂを有する。
【０１０６】
さらに、ボトム部材３は、電気的伝送ポート（例えば、充電ポート開口部７１ａ（記載せず））をカバーおよび封入するように配置され得るラッチドア７１ｂを備えるラッチ特徴７０を備えてもよい。当該充電ポート開口部は、対応するトップ部材２に含まれる。この態様のラッチ特徴７０は防液体性および／または防塵性であり、このようなシーリングを容易にするためのガスケット７８（記載せず）を備える。ボトム部材３は、ボトム部材３のどこにでも、例えば、ボトム部材３のボトム周囲部分３０の隅に配置され得る１つまたは複数のアクセサリ接続ポート９７ａ、９７ｂ、９７ｃ、および９７ｄを備えてもよい。１つまたは複数のアクセサリポート９７ａ、９７ｂ、９７ｃ、および９７ｄは、１つまたは複数のアクセサリを保護ハウジング１に接続するのに使用することができる。ある特定の態様において、ボトム部材表面３５はレンズ特徴８０をさらに備えてもよい。
【０１０７】
この態様において、ボトム部材３はボトム部材表面３５を備える。ボトム部材３のボトム部材表面３５は１つまたは複数の材料からなってもよい。当該材料は同じ材料または異なる材料でもよく、ボトム部材周辺部分３０の材料と同じでもよく、異なってもよい。ある特定の態様において、ボトム部材３のボトム部材表面３５は少なくとも１つのスクリーンまたは膜からなってもよい。他の場合において、ボトム部材３のボトム表面３５は、硬質もしくは半硬質材料（例えば、ポリカーボネート、ナイロン、Ｐｌｅｘｉｇｌａｓなど）；またはより半可撓性の材料（例えば、ポリプロピレン）；またはより可撓性の材料（例えば、ゴム、例えば、ＴＰＥ）から形成される。半硬質材料が使用される場合、ボトム表面は、収容された装置から出された音特性を増幅するようなやり方で後面が振動するように選択される硬さを有してもよい。
保護ハウジング１の特定の構成によれば、かつ図１Ａに関して見ることができるように、トップ部材２およびボトム部材３は取り外し可能に連結されて保護ハウジング１を形成するように構成されてもよい。従って、保護ハウジング１は、少なくとも、トップ部材２とボトム部材３との間に実質的に防水性および／または防衝撃性のシールを生じるようなやり方でトップ部材２およびボトム部材３を連結するように適合された１つまたは複数のセットの留め付け機構（記載せず）を備える。
耐水性または防水性のシールとは、トップ部材とボトム部材との連結によってシールが形成され、このシールは、様々な予め決められた条件で、液体（例えば、水）を保護ハウジングの一方の側（例えば、保護ハウジングの外部）から保護ハウジングの反対側（例えば、保護ハウジングの内部）に実質的に通さないことを意味する。
連結機構は、保護ハウジングのある部材と保護ハウジングの別の部材との連結、例えば、トップ部材２とボトム部材３との連結に関与することができる限り任意の適切な構成を有してよい。例えば、ある特定の態様において、連結機構は、防水性および／または耐衝撃性のシールを生じるように機能してもよい。例えば、ある特定の場合、連結機構は留め付け機構を備えてもよい。当該留め付け機構は、防水性および／または防衝撃性のシールにおいてトップ部材およびボトム部材を密封するように機能してもよい。ある特定の場合、留め付け機構は、本明細書に記載のように内部ロッキング要素または外部ロッキング要素を備えてもよい。
【０１０８】
図１Ｂは、図１Ａの保護ハウジング１の斜視図を提供する。従って、特定の態様において、ハウジング１は、取り外し可能に連結されたときに保護ハウジング１を形成するトップ部材２およびボトム部材３を備えてもよい。図１Ｂに図示されたように、トップ部材２は単に周辺部分２０を備えるのみであり、前面部材を備えない。もっと正確に言えば、トップ部材２は単にトップ部材周辺部分２０から構成される。しかしながら、トップ部材２は、電子装置（記載せず）と連結されたときに、例えば、トップ部材２がボトム部材３と連結してハウジング１を形成したときに、実質的に防水性および／または耐水性シールを生じるように構成される。
【０１０９】
トップ部材周辺部分２０は、トップ部材近位端部分２１およびトップ部材遠位端部分２２ならびに相対するトップ部材右側部分２３および左側部分２４によって規定される。トップ部材周辺部分２０はまたホームボタン４０を備える。図示されたように、トップ部材周辺部分２０は、トップ部材内側周囲部分２０ａ、トップ部材中央周囲部分２０ｂ、およびトップ部材外側周囲部分２０ｃによってさらに規定される。近接センサ部分４８がトップ部材内側周囲部分２０ａに配置され、当該近接センサ部分は、下にある収容された装置の近接センサが物体（例えば、ユーザー）の近さを決定するのを可能にする、切り取られた部分して構成される。
【０１１０】
ボトム部材周辺部分３０は、ボトム部材近位端部分３１およびボトム部材遠位端部分３２ならびに相対するボトム部材右側部分３３および左側部分３４によって規定される。ボトム部材はボトム部材表面３５を含む。当該ボトム表面３５は、１つまたは複数のライザ、例えば、スタンドオフ（ｓｔａｎｄ−ｏｆｆ）１６ａおよび／またはブリッジ１６ｂを有してもよい。当該ブリッジ１６ｂは一緒になって、ボトム表面３５の内側部分の上に配置されるスタンドオフチャンネルを形成してもよい。スタンドオフ１６は、ボトム部材表面３５の平面の上に、収容された装置をかかげるように構成されてもよい。ある特定の態様において、ボトム部材表面３５の内側部分は、このようなスタンドオフを有さない。もっと正確に言えば、内側表面は実質的に平らである。
【０１１１】
ボトム部材表面３５はまたレンズ特徴８０を備えてもよい。当該レンズ特徴８０は、収容された電子装置の撮影特徴を向上させるために、収容された電子装置のカメラレンズと合うように配置された光学グレードレンズ８３を備える。
【０１１２】
さらに、ボトム部材３はボトム周辺部分３０を備えてもよい。当該周辺部分は、表示方向制御スイッチ９０、音量制御要素９９ａ、防液体性ラッチカバー７１ｂ、および音声伝達特徴（例えば、スピーカー伝達ポート６０）を備える。この態様において、スピーカーポート６０は、防水性であるが、電子装置から出た音を保護ハウジング１から外向きに伝達するのを可能にするシールを提供するスピーカー防水性シール（例えば、ガスケット）６０ａによって封入される。さらに、例えば、ツール（例えば、ねじ回し、コインなど）がトップ部材２とボトム部材３との間にあるスロット特徴１８に挿入されて回転されたときまたはねじられたときに、保護ハウジング１の連結されたトップ部材２およびボトム部材３が互いから分離してハウジング１が開くように、保護ハウジング１の周辺部分３０の中に１つまたは複数のツールスロット特徴１８ａおよび１８ｂが組み込まれてもよい。
【０１１３】
ある特定の態様において、トップ部材およびボトム部材は様々な異なる構成要素からなってもよく、従って、複数の異なる材料から製造されてもよい。トップ部材およびボトム部材が製造され得る適切な材料には、一緒にまたは別々に製造され、一緒に組み合わされて保護ハウジングに防衝撃性および／または防液体性を提供し得る、硬質材料、半硬質材料、半可撓性材料、および可撓性材料が含まれる。このような材料は、プラスチック、ポリカーボネート、ナイロン、液晶ポリマー、金属、および／またはゴム、熱可塑性ウレタン、ポリエチレン、および／またはポリプロピレン、ＴＰＥ、その混合物などを含んでもよいが、これらに限定されない。ある特定の態様において、材料は、材料の複合物でもよく、１つまたは複数の補強要素、例えば、ガラス、セラミック、炭素繊維（例えば、黒鉛）などを含んでもよい。
図１Ｃは、保護ハウジング１のボトム部材３の上から下に見た図の斜視図である。ボトム部材３のボトム部材後面３５、周辺部分３０、ならびにトップ部材２の周辺部分２０の一部が図示されている。ボトム部材周囲部分３０は、相対するボトム部材近位端部分３１およびボトム部材遠位端部分３２、ならびに相対するボトム部材右側部分３３およびボトム部材左側部分３４によって規定される。ボトム部材周辺部分３０は、内側周囲部分３０ａ（記載せず）、中央周囲部分３０ｂ（記載せず）、ならびに外側周囲部分３０ｃによってさらに規定されてもよい。
ボトム部材周辺部分３０は、表示方向スイッチ９０、１つまたは複数のボタン特徴（例えば、音量スイッチ９９ａ、およびオン／オフボタン９９ｂ）、ならびにラッチドア７１ｂならびにツールスロット特徴１８ａおよび１８ｂを備える。図示されているように、表示方向スイッチ９０、音量スイッチ９９、オン／オフボタン特徴９９ｂ、ならびにツールスロット特徴１８ａおよび１８ｂはボトム部材３の上に配置される。ラッチ特徴ドア７１ｂはボトム部材３からトップ部材２にまたがる。ここで図示されているように、表示方向制御スイッチ９０および音量制御スイッチ９９ａはボトム部材左側部材３４に配置され、オン／オフボタン特徴９９ｂはボトム部材遠位端部分３２に配置される。
カメラレンズ８３および光学スカート８２を含むレンズ特徴８０を、ボトム部材周囲部分３０のボトム部材遠位端部分３２に示した。この図には、ボトム周囲部分３０のボトム部材近位端部分３１の一部をカバーする、ボトム部材３のボトム周辺部分３０の上にスピーカーグリル６０ｂが図示されている。この図には、ボトム部材３のボトム周辺部分３０のボトム部材近位端部分３１の一部をカバーする、マイクロホン保護グリル６１ｂを有するマイクロホン伝送ポートが図示されている。ボトム部材３の周辺部分３０のボトム部分の上に配置された、アクセサリ接続ポート９７ａ、９７ｂ、９７ｃ、および９７ｄも図示されている。他の態様において、この図面に記載されている様々な特徴の位置の１つまたは複数は逆転または再配置されてもよい。
【０１１４】
図１Ｄは、トップ部材近位端部分２１の方を見たトップ部材２と、ボトム部材近位端部分３１の方を見たボトム部材３とを示した保護ハウジング１の正面図を提供する。ラッチドア７１ｂならびにツールスロット特徴１８ａおよび１８ｂがボトム部材３からトップ部材２にまたがる。ラッチドア軸７４によって、ラッチドア７１は軸７４を中心にして開位置および閉位置に向きを変えることができる。
【０１１５】
図２Ａは、ハウジング１のトップ部材２およびボトム部材３が連結されてハウジング１を形成したときに見られるように、ハウジング１のトップ部材２の上から下に見た図およびボトム部材３の下から上に見た図の斜視図を提供する。図示されたように、トップ部材周辺部分２０は、トップ部材内側周囲部分２０ａ、トップ部材中央周囲部分２０ｂ、およびトップ部材外側周囲部分２０ｃを備える。これらの部分はいずれも同じ材料または異なる材料またはそれらの組み合わせからなってもよい。トップ部材周辺部分２０は、トップ部材近位端部分２１に配置されたホームボタン４０を備える。トップ部材内側周囲部分２０ａにおける切れ込み（ｉｎｄｅｎｔ）として近接センサ部分４８が図示されている。トップ部材２およびボトム部材３にまたがる、電気的伝送ポート７１ａ（例えば、充電ポート（記載せず））をカバーするためのラッチカバー７１ｂを含むラッチ特徴７０、ならびにツールスロット特徴１８ａおよび１８ｂを示した。
【０１１６】
ボトム部材３のボトム周辺部分３０はスピーカー音声伝達特徴６０を備える。スピーカー音声伝達ポート６０は、収容された装置のスピーカー部分から出た音がハウジングの内側からハウジングの外側を通って伝達するのを容易にするために、ハウジングの内側からハウジングの外側に及ぶ１つまたは複数のアパーチャ（記載せず）を備えてもよい。スピーカーポートアパーチャは、アパーチャを覆うカバー、ならびに少なくとも実質的に耐水性および／または防水性であるが、保護ハウジング１から外向きに電子装置から出た音の伝達を可能にするボトム部材とのシールを提供する、実質的に防液体性および／または耐液体性のスピーカーガスケット６０ａによって封入されてもよい。
【０１１７】
ボトム部材表面３５の近位にレンズ特徴８０も示されている。ボトム前面３５の上に含まれ得るライザ１６ａおよび１６ｂも図示されている。例えば、衝撃吸収の増大および音声伝達の向上のために、ボトム前面３５は、収容された装置とボトム部材の前後面部材３５とが分離できるようにスタンドオフチャンネルを形成してもよい。
【０１１８】
図２Ｂは、図２Ａの保護ハウジング１の前面上部分のクローズアップ図を提供する。トップ部材周辺部分２０は、近接センサ部分４８およびマイクロホン伝送ポート６１と共に示された、トップ部材内側周囲部分２０ａ、トップ部材中央周囲部分２０ｂ、およびトップ部材外側周囲部分２０ｃを備える。マイクロホン伝送ポート６１は、マイクロホン伝送ポート入口アパーチャ６２ａ（記載せず）をカバーするトップ部材内側周囲部分２０ａの上に示されたマイクロホン防水性ガスケット６１ａを備える。この態様において、マイクロホン伝送ポート６１の内側部分は、入口アパーチャ６２ａの内側部分を取り囲み、ハウジングの内側から出た（例えば、スピーカー部分から出た）音の内部伝達が、収容された電子装置のマイクロホン部分に実質的に入らないように機能する、隆起したリッジとして形成されたエコーキャンセリング特徴６４を備える。
【０１１９】
この図において、ボトム部材３のボトム部材表面３５およびボトム周辺部分３０（記載せず）の近位に、レンズ特徴８０、光学スカート８２、および光学グレードカメラ型レンズ８３が見える。ボトム前面３５に含まれてもよく、１つまたは複数のスタンドオフチャンネルを形成してもよいスタンドオフ１６ｂも図示されている。
【０１２０】
図２Ｃは、トップ部材内側周囲部分２０ａ、トップ部材中央周囲部分２０ｂ、およびトップ部材外側周囲部分２０ｃを含むトップ部材周辺部分２０を示す、図２Ａの保護ハウジング１の前面下部分のクローズアップ図を提供する。トップ部材内側周囲部分２０ａはワイパー部分として構成される。トップ部材２が電子装置と連結されたときに、例えば、トップ部材２がボトム部材３と連結されてハウジング１を形成したときに、前記ワイパー部分は、部分的にシールとして機能するように、および、当該ワイパーの下に液体または微粒子状物質が侵入するのを阻止するかまたはそうでなければ低減する粒子留め具（ｐａｒｔｉｃｌｅ  ｃａｔｃｈ）として部分的に機能するように構成される。
【０１２１】
トップ部材中央周囲部分２０ｂのトップ部材近位端部分２１の上にはホームボタン４０が見える。トップ部材２およびボトム部材３にまたがって、充電ポート開口部（記載せず）をカバーするためのラッチドア７１ｂならびにツールスロット特徴１８ａおよび１８ｂが示されている。ボトム部材３のボトム部材表面３５の内側部分は、この図に示されている、スピーカー防水性ガスケット６０ａおよびスピーカーポートガスケットオーバーモールディング６０ｃを備える音声伝達特徴６０を備える。オーバーモールディング６０ｃは、ガスケット６０ａをボトム部材表面３５の内側にさらに取り付け、密封するように機能する。
【０１２２】
図３Ａは、保護ハウジング１のトップ部材２の周辺部分２０の後面の透視図を提供する。トップ部材２の周辺部分２０は、例えば、少なくとも実質的に、収容される電子装置の外側周囲を完全には包囲しないことによって、電子装置のタッチセンシティブディスプレイスクリーンを配置するための開口部を規定する。トップ部材周辺部分２０は、内側周囲部分２０ａ、中央周囲部分２０ｂ、および外側周囲部分２０ｃを備える。
【０１２３】
トップ部材中央周囲部分２０ｂは、実質的に硬質または半硬質の材料であり、トップ部材中央周囲部分２０ｂに連結される電子装置の周囲に外接するように適合された硬質または半硬質のフレーム構造として構成されており、それによって、トップ部材２の周辺部分３０を規定する。トップ部材内側周囲部分２０ａおよびトップ部材外側周囲部分２０ｃは、これらの部分が電子装置の対応する表面またはハウジング１の他の部材とのシールを形成するのに適した軟らかい内側縁および／または外側縁を形成するように、可撓性のあるまたは曲げやすい半可撓性の材料または軟らかい材料からなる。次いで、保護ハウジングに適切な耐衝撃性および／または耐液体性を提供するように、当技術分野において周知の手段を用いて連結され得る、これらの様々な周囲部分を作るために製造される得る適切な硬質材料、半硬質材料、半可撓性材料、および可撓性材料には、本明細書に記載のプラスチック、ポリカーボネート、ナイロン、液晶ポリマー、金属、および／またはゴム、熱可塑性ウレタン、ポリエチレン、および／またはポリプロピレン、それらの混合物および複合物などが含まれるが、これらに限定されない。
【０１２４】
従って、様々な場合において、例えば、トップ部材２に内側周囲部分、中央周囲部分、および外側周囲部分のうちの１つまたは複数がある場合において、当該中央周囲部分は、ハウジングに構造上の完全性を提供するように硬質材料（例えば、硬質のプラスチック、例えば、ポリカーボネート、ナイロンなど）から製造されてもよく、これに対して、内側周囲部分および／または外側周囲部分は、ハウジングの内側周囲部分および／または外側周囲部分に衝撃吸収手段および保護手段を提供するように可撓性のある材料（例えば、半硬質または可撓性のある材料、例えば、ポリエチレンまたはポリプロピレンまたはＴＰＥ（熱可塑性エラストマー）材料）などから製造されてもよい。
【０１２５】
従って、ある特定の場合、トップ部材２は、可撓性のある内側周囲部分２０ａおよび／または外側周囲部分２０ｂと連結され得る硬質の中央周囲部分２０ｂを備える。硬質の中央周囲部分２０ｂは、ハウジングのトップ部材に構造上の完全性を提供するように剛性からなるのに対して、ハウジングの可撓性のある内側周囲部分２０ａおよび／または外側周囲部分２０ｂは耐液体性手段および／または衝撃吸収手段を提供する。
【０１２６】
様々な場合において、内側周囲部分２０ａ、中央周囲部分２０ｂ、および／または外側周囲部分２０ｃは、例えば、製造プロセスにおいて一体化して形成されてもよいが、他の場合では、製造プロセス後に連結することができる２つもしくは３つまたはそれより多い別々の要素として形成されてもよい。従って、ある態様において、トップ部材２は、硬質の骨格フレーム（例えば、ポリカーボネートまたはナイロンフレーム）からなる中央周囲部分２０ｂを備えてもよい。当該フレームはさらに、内側周囲部分２０ａおよび／または外側周囲部分２０ｃを形成するように、可撓性のある材料（例えば、ゴムまたはウレタン材料、例えば、ポリエチレン、ＴＰＥなど）に結合される（例えば、オーバーモールディングされる）。
【０１２７】
従って、硬質または半硬質のトップ部材中央周囲部分２０ｂは、例えば、モールディングによって製造および形成されてもよく、形成されたら、例えば、オーバーモールディングプロセスによって、可撓性のあるトップ部材内側周囲部分２０ａおよび／またはトップ部材外側周囲部分２０ｃの一方または両方と連結されてもよい。他の態様では、異なる手段を用いて、例えば、熱成形、溶接、適切な接着剤などによって、内側周囲部分、中央周囲部分、および／または外側周囲部分のうちの１つまたは複数は、一緒に取り付けられてもよく、またはそうではなく連結されてもよい。他の場合では、これらの周囲部分の１つまたは複数は他の周囲部分の１つまたは複数と一体化するように製造されてもよい。前記はトップ部材２の周辺周囲部分について説明されたが、同じことがボトム部材３の周辺周囲部分にも当てはまることに留意すべきである。
【０１２８】
トップ部材中央周囲部分２０ｂは、トップ部材２の周辺部分２０の内面から突き出ている外側に隆起したリッジ部材２６を形成する。この態様において、隆起したリッジ部材２６は周辺部分２０の全周囲にわたって存在する。しかしながら、他の態様では、隆起したリッジ部材２６は、周辺部分２０の周囲部分のかなりの部分またはそれより少ない部分にしか存在しなくてもよい。
【０１２９】
また、この態様において、隆起したリッジ部材２６は、トップ部材中央周囲部分２０ｂからトップ部材外側周囲部分２０ｃに向かって突き出ているように、隆起したリッジ部材２６の外面（上）縁から延びている、延びたリップまたは突出したリッジ部材（記載せず）として形成された第１の留め付け機構２７を備える。操作中に、このリップまたはリッジの延びた部分は留め具２７を形成する。留め具２７は、隆起したリッジの外面の少なくとも一部に沿って外向きに突き出ており、ボトム部材３の対応する留め付け機構３７（例えば、ボトム部材３（記載せず）の周辺部分３０の対応する隆起した外側境界壁３０ｂ（記載せず）の中に配置された対応する開口部または溝３７（記載せず））の中に受け入れられるように構成される。トップ部材２が、突出したリップ２７を備えると本明細書において説明され、ボトム部材３が、対応する細長い溝３７を備えると本明細書において説明されたが、これらの構成は逆であってもよいことに留意すべきである。延びた留め具２７は、隆起したリッジ部材２６の全ての部分、またはかなりの部分、またはかなりの部分より少ない部分にわたって存在してもよく、従って、ボトム部材３の周辺部分３０に配置された対応する留め付け機構３７（例えば、細長い溝）の全ての部分、またはかなりの部分、またはかなりの部分より少ない部分と係合するように構成されてもよい。
【０１３０】
この態様において、隆起したリッジ部材２６は第２の留め付け機構１３ａをさらに備える。ある特定の態様では、これらの２つの留め付け機構のうち１つだけを含んでもよく、これに対して、他の態様では、これらの２つの留め付け機構およびさらなる留め付け機構が提供されてもよいことに留意すべきである。図示されたように、第２の留め付け機構１３ａは複数の歯１３ａとして図示されている。さらに、ここで図示されているように、この第２の留め付け機構１３ａは第１の留め付け機構２７よりも内側にある。しかしながら、他の態様では、これらの位置は逆であってもよい。
【０１３１】
歯１３ａは、第１の留め付け機構２７とは相対する面にある、隆起したリッジ部材２６の内側縁に配置される。この態様では、２つの留め付け機構２７および１３は、同じ隆起したリッジ部材２６に配置されることに留意されたい。しかしながら、他の態様では、これらの留め付け機構はそれぞれ異なる隆起したリッジ部材に配置されてもよく、またはそうではなく、２つ以上の隆起したリッジ部材の間で分けられてもよい。歯１３ａは、隆起したリッジ部材２６から外向きに延びており、隆起したリッジ部材２６に対して傾いていてもよい。さらに、歯１３は、ボトム部材３の対応する留め付け機構１３ｂ、（例えば、ボトム部材３の対応する隆起した壁部材（例えば、隆起した内側境界壁３０ａ）のデテント、開口部、またはアパーチャ）の中に少なくとも部分的に収容されるように構成される。歯の数およびこれらの間隔は、生成することが求められるシーリングの強度に関して望まれるように異なってもよい。同様に、これらの相対的な周囲カバー範囲（ｃｉｒｃｕｍｆｅｒｅｎｔｉａｌ  ｃｏｖｅｒａｇｅ）は、かなりの周囲カバー範囲から、かなりの周囲カバー範囲より少ない周囲カバー範囲まで及んでもよい。
【０１３２】
この態様において、トップ部材２がボトム部材３と連結されてハウジング１を形成するときに、トップ部材２の周辺部分２０の延びて隆起したリッジ部材２６は、ボトム部材に対して、例えば、下向きに、ボトム部材３の周辺部分３０の対応する収容部材（例えば、ボトム部材チャンネル１０ｂ（本明細書の下記））へと延びるように構成される。この動作によって、いくつかの異なる結果が実現する。隆起したリッジ部材２６がボトム部材チャンネル１０ｂの中で突き当たると、トップ部材の留め付け機構２７ａは、その対応するボトム部材の留め付け機構３７と係合する。トップ部材の第２の留め付け機構１３ａは、その対応するボトム部材の留め付け機構１３ｂと係合する。隆起したリッジ部材２６の先端表面は、ボトム部材チャンネル１０ｂの中に配置されたガスケット（例えば、Ｏリング１５ｂ）と接触し、これを圧縮するか、またはそうではなく係合し、それによって、トップ部材２とボトム部材３との間に、しっかりした実質的に防水性および／もしくは耐水性ならびに／または実質的に防衝撃性および／もしくは実質的に耐衝撃性のシールを生じる。
【０１３３】
装置保持歯９６ａおよび９６ｂも図示されている。当該歯は、電子装置がトップ部材２と連結されたときに、電子装置の位置調整、方向決定、および／または配置の確保のうちの１つまたは複数のために機能し得る。保持歯９６ａおよび９６ｂはまた、隆起したリッジ部材２６の一部に、例えば、保護ハウジング１の内側前面の近位に配置されてもよい。
【０１３４】
さらに、トップ部材２は、１つまたは複数の補完機能を果たし得る複数の特徴を用いて構成されてもよい内側周囲部分２０ｃを備えてもよい。例えば、内側周囲部分２０ｃはトップ部材チャンネル１０ａを形成するように構成されてもよい。当該チャンネル１０ａは、トップ部材チャンネル内側境界壁１１ａおよびトップ部材チャンネル外側境界壁１１ｂと接してもよい。これらの境界壁は、この中にあるトップ部材シール（例えば、ガスケット、例えば、Ｏリング１５ａ）を適切に保持するのに十分な距離で互いに間隔が開けられてもよい。
【０１３５】
トップ部材チャンネル１０ａの中に配置されたトップ部材ガスケット１５ａは、トップ部材２が電子装置と連結されたときに、ガスケット１５ａが電子装置の表面（例えば、トップ表面）と接触し、それによって、電子装置の表面に対して圧縮されて、電子装置とシールを形成するように機能してもよい。当該シールは、トップ部材２がボトム部材３と連結されてハウジング１を形成することによってさらにしっかり固定される。トップ部材２と電子装置との連結、および／またはトップ部材２とボトム部材３とのさらなる連結によって生じるシールは、部材２と電子装置のトップ表面（例えば、タッチセンシティブディスプレイのトップ表面）との間にある、しっかりとした、実質的に防水性および／もしくは耐水性ならびに／または実質的に防衝撃性および／もしくは実質的に耐衝撃性のシールである。
【０１３６】
トップ部材ガスケット（またはこの件についてはボトム部材ガスケット）は、例えば、ハウジング１の中に収容される電子装置の表面（例えば、トップ表面）と接触したときに圧縮することができる限り任意の適切な構成を有してよいことに留意すべきである。トップ（またはボトム部材ガスケット）のこの圧縮の程度は、使用されるガスケットのタイプに左右され、ある特定の態様では、ガスケットは、その圧縮されていない直径の５％超、１０％超、１５％超、２０％超、２５％超、３０％超、３５％超、４０％超、４５％超、５０％超の圧縮性を有してもよい。ある特定の態様において、トップ部材ガスケット（またはボトム部材ガスケット）は中空でもよく、実質的に中空でもよい。トップ部材２がボトム部材３と連結されたときに、留め付け力は、トップ部材内側周囲部分２０ａと、収容された電子装置の前面（例えば、タッチセンシティブディスプレイ）との間でガスケット１５ａを圧縮し、それによって、これらの間に防液体性および耐汚れ性のシールを生じるのに十分な留め付け力である。ガスケット１５ａは、任意の十分な機構によって、例えば、粘着、接着剤の添加、またはトップ部材２とのモールディングによって、トップ部材２（例えば、トップ表面の内側周囲部分または中央周囲部分２０ａおよび／または２０ｂ）に取り付けることができる。
【０１３７】
トップ部材２の内側周囲部分２０ｃはまた、さらなるトップ表面インターフェース、例えば、ワイパー部を備えるように構成されてもよい。装置が部材２と連結されたときに、内側周囲部分２０ｃのワイパー部分は電子装置のトップ表面と整合するように構成されてもよい。ワイパー部分と、収容された電子装置のトップ表面との間の境界面は、液体および／または微粒子状物質（例えば、汚れもしくは塵）が境界面を通って実質的に侵入しないようにされ、さらに、トップ部材チャンネル１５ａの中のトップ部材ガスケット１０ａの存在によってハウジングの内側に入らないようにされた境界面である。このように、トップ部材ワイパー部分およびトップ部材チャンネル１５ａおよびガスケット１０ａ部分は全て、トップ部材２と電子装置との間の防水性および／または耐水性のシールを向上させるように機能する。さらに、ガスケット１０ａは、チャンネル１５ａとは別々の部材でもよいが、チャンネル１５ａの中に挿入することができてもよく、または該ガスケットは、トップ部材内側周囲部分２０ａと一体化された部分として形成されてもよいし、またはそうではなく、チャンネル１５ａが存在することなくトップ部材内側周囲部分２０ａに取り付けられてもよいことに留意されたい（同じことがボトム部材ガスケット１０ｂおよびチャンネル１５ｂに等しく当てはまる）。
【０１３８】
ある特定の態様において、トップ部材の内側中央周囲部分２０ｂの隆起したリッジ部材２６が、トップ部材の外側チャンネル境界部材を形成してもよい。このような態様において、隆起したリッジ部材２６の内側表面は、ワイパーであるトップ部材内側周囲部分２０ａの隆起した部分と共にトップ部材チャンネル１０ａを規定してもよい。具体的には、この態様において、トップ部材中央周囲部分２０ｂのこの隆起したリッジ部材２６は、トップ部材の内側周囲部分２０ａに配置されたトップ部材の内側チャンネル境界部材１１ａと共に、防水性シールが配置される内側周囲部分チャンネル１０ａを形成してもよい。
【０１３９】
他の態様において（記載せず）、リッジ部材２６は他の特徴を有してもよいし、または、トップ部材の留め付け機構とボトム部材の留め付け機構との係合を容易にするように、例えば、リッジ部材２６と、ボトム部材３の対応する隆起したリッジ部材（例えば、対応する留め付け要素を有する壁）との係合を容易にするように、異なる構成とされてもよい。このような異なる構成またはさらなる構成には、例えば、異なる構成のラッチ要素、留め具、リッジ、リップ、溝、延びた突出物などが含まれ得る。
【０１４０】
さらに、図３Ａに関して、トップ部材周辺部分２０のトップ部材内側周囲部分２０ａはまた、ホームボタンユーザーインターフェース４０ａ（記載せず）およびホームボタン装置インターフェース４０ｂ（記載せず）を備えるホームボタン４０（記載せず）も備える。図示されたように、ホームボタン４０はホームボタンシーリング部材４１ｃによってカバーされる。さらに、図示されたように、トップ部材周辺部分２０はまた、近接センサ部分４８、トップ部材内側周囲部分２０ａに配置されたヘッドホンポート境界部材５１ｂによって囲まれたヘッドホンポート５０、および電気的伝送インターフェイスポート７１ｂ（例えば、充電ポートアパーチャ）も備える。
【０１４１】
図３Ｂは、保護ハウジング１のボトム部材３の前面（内側面）３５ａの透視図を提供する。図示されたように、ボトム部材周辺部分３０は、ボトム部材３の周囲部分を規定し、ボトム部材内側周囲部分３０ａ、ボトム部材中央周囲部分３０ｂ、およびボトム部材外側周囲部分３０ｃを備える。
【０１４２】
ボトム部材内側周囲部分３０ａはボトム部材中央周囲部分３０ｂと共にボトム部材チャンネル１０ｂを形成する。このチャンネルの中に、ボトム部材シーリング部材１５ｂ（記載せず）（例えば、ガスケット、例えば、Ｏリング）が配置され得る。前記で示したように、ガスケットは、チャンネル内に取り外し可能に配置された独立した部材でもよいし、ボトム部材周辺部分と共に一体化して形成されてもよいし、またはそうではなくてボトム部材周辺部分に取り付けられてもよい。さらに、ガスケットは、前記で議論された多数の異なる構成および／または圧縮性のいずれを有してもよい。ある特定の場合、ボトム部材ガスケットはＯリングでもよい。Ｏリングは中空でもよく、半中空でもよい。
【０１４３】
従って、ボトム部材内側周囲部分３０ａがボトム部材チャンネルの内側境界部材（例えば、内側境界壁）を形成し、ボトム部材中央周囲部分３０ｂがボトム部材チャンネルの外側境界部材（例えば、外側境界壁）を形成する。これらは一緒になってチャンネル１０ｂを規定する。内側境界壁および外側境界壁は、ハウジング１のボトム部材３の内側境界壁と外側境界壁との間に配置されたチャンネルに構造上の完全性を与えるように、同じ材料または異なる材料、例えば、硬質材料（例えば、硬質のプラスチック、例えば、ナイロン、ポリカーボネートなど）または半硬質材料（例えば、ポリプロピレン材料）から製造されてもよい。ある特定の場合、（ボトム部材および／またはトップ部材の）内側境界壁および外側境界壁は、ハウジングのトップ部材および／またはボトム部材の一部または全周囲に沿って存在してもよい。同様に、トップ部材またはボトム部材のチャンネルは、トップ部材および／またはボトム部材の一部または全周囲にわたって存在してもよい。
【０１４４】
ボトム部材３のボトム部材中央周囲部分（「外側境界壁」）３０ｂは、第１の留め付け機構３７を備える。当該留め付け機構はトップ部材２の対応する第１の留め付け機構２７と係合するように構成される。これらの留め付け機構は、互いに係合されたときにトップ部材２およびボトム部材３を連結してハウジング１を形成するが、さらに、連結されたときに１つまたは複数のハウジングシールと共にトップ部材２とボトム部材３との間に実質的に防水性および／または実質的に耐水性のシールを生じるように機能する。
【０１４５】
さらに、ボトム部材３のボトム部材内側周囲部分（「内側境界壁」）３０ａは、第２の留め付け機構１３ｂを備える。当該留め付け機構は、トップ部材２の対応する第２の留め付け機構１３ａと係合するように構成される。これらの留め付け機構は、互いに係合されたときにトップ部材２およびボトム部材３を連結してハウジング１を形成するようにも機能するが、連結されたときに１つまたは複数のハウジングシールと共にトップ部材２とボトム部材３との間に実質的に防水性のおよび／または実質的に耐水性のシールを生じるようにさらに機能する。内側境界壁または外側境界壁の一方または両方は留め付け機構を備えてもよいし、または備えなくてもよいし、または本明細書において述べられたものとは異なるタイプの留め付け機構を備えてもよいことに留意すべきである。当該留め付け機構は、トップ部材および／またはボトム部材の一部または全周囲に沿って存在してもよい。例えば、トップ部材およびボトム部材が側面の全体またはその一部に沿って適切な軸要素によって接続された場合、１つまたは複数の留め付け機構は、周囲の約９９％以上、約９５％、約９０％、約８５％、約８０％、約７５％、約７０％、約６５％、約６０％、約５５％、約５０％、約４０％、約３０％、約２５％、約２０％、約１０％、またはそれ未満を取り囲んで延在してもよい。
【０１４６】
さらに、前記のように、トップ部材およびボトム部材の留め付け機構は、ハウジングのトップ部材をハウジングのボトム部材と連結するようなやり方で互いに相互作用することができる限り任意の適切な構成を有してもよい。ある特定の場合、この連結は、ハウジングのトップ部材とボトム部材との間で防液体性および／または防衝撃性のシールを提供するようなやり方での連結である。
【０１４７】
ある特定の態様において、留め付け機構は、ハウジングの２つのトップ部材およびボトム部材が互いに連結された場合（例えば、当技術分野において公知の古典的なラッチ機構を用いた場合）によくみられる撓みを少なくする、および／または取り除くように構成されてもよい。例えば、当技術分野において公知の典型的なラッチ機構（例えば、ハウジングの外側周囲部分に沿った一点で留め金で留めるラッチ機構）を用いた場合、相対するラッチ表面にある別個の場所にのみ閉じる力を及ぼすラッチ機構の結果として、撓みが生じることが多い。このようなラッチ機構は、様々な張力がかかる点（ｔｅｎｓｉｏｎｉｎｇ  ｐｏｉｎｔ）の間にかなりの隙間を残す。このような構成は、ハウジングの２つの部分が互いに逆らって作用するので、撓みを生じる。なぜなら、隙間の間にあるこれらの張力がかかる点は、相対する力が統合され、従って当該力が最大になる場所だからである。
【０１４８】
ある特定の場合、本発明のハウジングおよびその特徴は、これらの反対の力を抑制するように構成される。例えば、ハウジングのトップ部材またはボトム部材は、これらの反対の力をハウジングの長さに沿って分散し、それによって、ハウジングの２つの部材のシーリングによって引き起こされ得る撓みを最小限にするように構成された相対する留め付け機構を備えてもよい。ある特定の場合、トップ部材またはボトム部材の一方または両方は、チャンネル（例えば、ガスケットを収納するチャンネル）を備えてもよい。このチャンネルの一部は、チャンネル全体を通して相対する力を分散するように構成された本明細書に記載の留め付け機構を備えてもよい。
【０１４９】
従って、ある特定の場合、ボトム部材３は、２つの境界部材である内側壁境界部材３０ａ（ボトム部材内側周囲部分に含まれる）および外側壁境界部材３０ｂ（ボトム部材中央周囲部分に含まれる）によって形成されるチャンネル１０ｂを備える。これらの境界部材は、ボトム部材チャンネル１０ｂを形成するように互いに間隔が開けられている。さらに、ボトム部材チャンネル１０ｂは、トップ部材２のシーリングガスケット１５ｂおよび隆起したリッジ部材２６を両方とも受け入れるように構成される。
【０１５０】
ハウジングについて液密シーリングを容易にするように、異なるサイズのガスケットが含まれてもよい。ガスケットは、水密性シーリングが有益な場所であればどこにでも（例えば、チャンネル１０ａおよび／または１０ｂの中に）配置され得る。しかしながら、ハウジングの２つの部材の連結によって引き起こされる圧縮にガスケットが抵抗するので、このようなガスケットの組み込みによって、さらなる相対する力が発生し得ることに留意すべきである。従って、これらの反対の力をよりよく分散させるために、１つまたは複数の留め付け機構は、周囲のかなりの長さに沿って実質的に連続するように構成されてもよい。このような連続した周囲の留め付けシステムは、装置の周囲の全てまたはかなりの部分を取り囲み、移行性の隙間（ｔｒａｎｓｉｔｉｏｎａｌ  ｇａｐ）を最小限にし、張力がかかる点の間の隙間を増大させる反対の力を分散することができる。しかしながら、トップ部材ガスケットは、適切なシーリングを確立するために大きな圧縮を必要とするラッチシステムの一部ではないので、有効なシールを生じるのに必要な弱い力で大きな圧縮を可能にする中空ガスケットでもよい。
【０１５１】
例えば、図３Ｂに図示されたように、チャンネル１０ｂはボトム部材３の中に含まれる。当該チャンネル１０ｂは、例えば、留め付け機構２７および３７を介したトップ部材２およびボトム部材３の留め付けによって引き起こされる反対の力を抑制するように構成されたガスケット１５ｂを備える。このような場合、反対の力をチャンネルの小さな空間に閉じ込め、トップ部材の留め付け機構２７およびボトム部材の留め付け機構３７の緊密な連結によってさらに最小化することができる。ガスケットをさらに圧縮し、それによって、液密シールを生じるために、圧縮しにくいガスケット１５（例えば、Ｏリング）がチャンネル１０の中に含まれる場合に、これは特に有益である。
【０１５２】
従って、トップ部材２およびボトム部材３が連結されてハウジング１を形成するときに、トップ部材２の隆起したリッジ部材２６は、複数の留め付け機構（例えば、第１の留め付け機構２７および第２の留め付け機構１３ａ）を備える。第１の留め付け機構２７および第２の留め付け機構１３ａは、それぞれ、ボトム部材３の対応する留め付け機構（例えば、３７および１３ｂ）と係合する。従って、これらの対応する留め付け機構は、トップ部材２とボトム部材３との強力な連結（例えば、実質的な防衝撃性の連結）を実現するように構成される。さらに、トップ部材２およびボトム部材３が連結されてハウジング１を形成するときに、ハウジングのトップ部材とボトム部材との間において、実質的に防水性および／または実質的に耐水性のシールが生じるような様式で、トップ部材の隆起したリッジ部材２６は、ボトム部材チャンネル１０ｂにおいてボトム部材ガスケット１５ｂと係合し、これを圧縮するように構成された先端表面をさらに備える。
【０１５３】
さらに、ボトム部材３の留め付け機構１３に関して見ることができるように、内側境界壁３０ａは、歯収容口１３ｂを形成するデテントまたは開口部を備える。当該歯収容口は、トップ部材２の対応する歯１３ａと係合するように構成される。従って、トップ部材２およびボトム部材３が連結されて保護ハウジング１を形成する場合、歯１３ａおよび歯収容口１３ｂが係合可能に合わせられると、トップ部材２の隆起したリッジ部材２６の内側表面に配置された第２の留め付け機構１３の歯１３ａは、ボトム部材３の内側境界壁３０ａに配置された歯収容口１３ｂと可逆的に接続されて機能する。さらに、この態様において、歯１３ａと歯収容口１３ｂが係合すると、トップ部材の第１の留め付け機構２７はボトム部材３の第１の留め付け機構３７と可逆的に係合する。
【０１５４】
図示されたように、図３Ａおよび図３Ｂの歯および収容口留め付け特徴１３は、１つまたは複数の歯１３ａからなる１つまたは複数の区画を備えてもよい。同様に、留め付け特徴１３はまた、１つまたは複数の歯収容部材１３ｂからなる１つまたは複数の区画を備えてもよい。歯１３ａが歯収容部材１３ｂと連結されるとトップ部材２およびボトム部材３が連結されてハウジング１を形成するように、歯１３ａは歯収容部材１３ｂと整合するように構成される。ある特定の態様において、歯１３ａはトップ部材２またはボトム部材３の周辺部分に沿って配置されてもよく、対応するトップ部材またはボトム部材は対応する歯収容部材１３ｂを有する。この場合、歯１３ａはトップ部材２の中央周囲部分２０ｂに沿って配置され、歯収容部材１３ｂはボトム部材３の内側周囲部分３０ａに沿って配置される。しかしながら、他の場合では、歯１３ａはボトム部材３の周辺部分３０に沿って配置されてもよく、歯収容部材１３ｂはトップ部材２の周辺部分２０に沿って配置されてもよい。
【０１５５】
図３Ａおよび図３Ｂに関して図示されたように、トップ部材２の周囲部分２０ｂに沿って配置された６つの歯領域がある。それぞれの歯領域は１つまたは複数の歯を備えてもよい。この場合、それぞれの歯領域１３ａは複数の歯を備える。歯１３ａは、トップ部材２の内側周囲部材２０ｂの長軸方向からハウジング内部空隙に向かって横方向かつ内側に延びている。歯１３ａは、ボトム部材３の対応する歯収容部材１３ｂの中に収容されるように構成される。
【０１５６】
結果として、図示されたように、ボトム部材３の内側周囲、例えば、内側境界部材３０ａに沿って配置された６つの歯収容領域１３ａがある。しかしながら、かなりの部分が、対応する嵌合する歯収容口を有するのであれば、全ての歯が、対応する嵌合する歯収容口を有する必要はないことに留意されたい。図示されたように、歯収容部材１３ｂはアパーチャとして構成され、アパーチャの中に歯１３ｂが嵌合され得る。従って、トップ部材２がボトム部材３と連結されたときに、６つの歯領域の歯１３ａは、ボトム部材３の６つの歯収容部材領域の対応する歯収容部材１３ｂとかみ合い、これらと係合する。
【０１５７】
従って、ハウジング１は、トップ部材２とボトム部材３との連結によって形成され、トップ部材２とボトム部材３をつなぐ留め付け機構２７および３７ならびに留め付け機構１３ａおよび１３ｂによって密封される。様々な態様において、留め付け機構２７および３７または１３ａおよび１３ｂは、個々に単独で、または組み合わされて設けられてもよいことに留意されたい。さらに、留め付け機構１３ａおよび１３ｂは、６つの異なる領域において周囲部分を取り囲んで配置されていると本明細書において述べられたが、防液体性および防衝撃性のシーリングを提供することができる限り、６つを超える領域または６つより少ない領域に配置されてもよい。
【０１５８】
従って、歯および歯収容部材は、ハウジングのトップ部材およびボトム部材を連結するように互いに相互作用することができる限り任意の適切な構成を有してもよいことに留意すべきである。従って、歯および／または対応する歯収容部材の数、サイズ、および場所は一様でなくてもよい。例えば、１つの長い歯またはいくつかの短い歯が含まれてもよい。歯および収容口は全周囲部分または任意の数のその下位部分に沿って配置され得る。図示されたように、トップ部材の４つ全ての側面に沿って配置された６つの歯領域がある。しかしながら、歯は、トップ部材の代わりにボトム部材に配置されてもよく、および／または所望の場合、１つ、２つ、３つ、４つ、５つ、６つ、もしくはそれより多い歯領域が、トップ部材またはボトム部材の１つ、２つ、３つ、４つ、５つ、６つ、もしくはそれより多い側面に沿って含まれてもよい。歯および／または歯収容部材は、所望に応じて、トップ部材またはボトム部材の一方または両方に、ならびに内側周囲部分または外側周囲部分に配置されてもよいことにも留意すべきである。
【０１５９】
本明細書に記載のような本開示の独特の留め付けシステムのために、小さなラッチ横断面が設けられる。当該小さなラッチ横断面は、どのようにハウジングを閉じ／組み立て、接続し続けるか、（帯状の湾曲に抵抗するために厚い材料は必要とされないので）ハウジングを作るのに必要な材料をどのように最小限にするか、という問題を解決し、ガスケット（例えば、Ｏリング）が２つのケースハウジングの間で適切に圧縮されることを確実にし、それによって、防液体性およびシームレスのシールを作り出す。本明細書において図示された周囲部分留め付け機構の小さなラッチ横断面の独特の特徴は、ハウジング１に対して完全に内部にあるということである。
【０１６０】
「ハウジングに対して完全に内部にある」とは、トップ部材２がボトム部材３と連結されたときに、対応する留め付け機構２７および３７ならびに／または１３ａおよび１３ｂが完全にハウジングの内部の中に格納され、ハウジングの外側にはないように（例えば、留め付け機構がハウジング１の周囲の内部に沿って配置され得るように）、対応する留め付け機構２７および３７ならびに／または１３ａおよび１３ｂが完全にハウジング１の区域の中にあることを意味する。従って、図３の態様において、図示された留め付け機構は完全内部留め付け機構である。「完全内部留め付け機構」とは、トップ部材およびボトム部材が連結され、ハウジングが形成されるときに、留め付け機構がハウジングの外側区域に対して完全に内部にある、例えば、ハウジングの内部にある、例えば、ハウジング内の内部空隙の中に格納されるような様式で留め付け機構が連結されるように構成されていることを意味する。このような内部留め付け機構はハウジングの内部にあり、外側周囲部分を見ることによって観察することができない。もちろん、液密シールが設けられるのをさらに確実なものとするために、さらなるラッチ要素、例えば、外部ラッチ機構がさらに含まれてもよく、例えば、ハウジングの外部周囲に沿ってさらに含まれてもよいが、これらは必要なものではない。さらなる内部ラッチ機構も設けられてよい。
【０１６１】
従って、ハウジングの一部として、内部および／または外部の両方の複数の留め付け機構が含まれてもよい。例えば、ハウジングは、１つもしくは複数の内部留め付け機構および／または１つもしくは複数の外部留め付け機構を備えてもよい。図５に関して下記でさらに詳細に説明するように、留め付け機構は様々な異なる構成を有してもよい。例えば、トップ部材およびボトム部材はそれぞれ、相対する留め具もしくは延びた部分および溝、ならびに／または延びた突出部材を有するリブおよび溝構成、フックおよびループなどとして構成された内部留め付け機構を備えてもよい。当該留め付け機構は、トップ部材およびボトム部材の周囲の内側部分にわたって存在してもよい。代わりに、もしくは相対する留め具機構に加えて、図３に関して前記で述べられたように、トップ部材およびボトム部材は、雄対応物および雌対応物、例えば、歯および穴として構成された内部留め付け機構を備えてもよい。さらに、もしくは代わりに、ハウジングは、任意の適切な構成、例えば、クリップまたはくぎ、およびスロット構成を有し得る外部留め付け機構を備えてもよい。
【０１６２】
また、図３Ｂに関して図示されているように、ボトム部材３の周辺部分３０の内側周囲部分３０ａは、１つまたは複数の可撓性の成形領域、例えば、右手、左手、上、および下のバンパー部分３６を形成するように構成された成形領域３６からなる、さらなる内側部分をさらに備えてもよい。バンパー３６は、保護ハウジングの中での電子装置の配置を助けるように、ならびに／または保護ハウジング１の中での電子装置の不要な移動および／もしくは潜在的な破損を緩和するように機能してもよい。
【０１６３】
音響膜特徴６０も図示されている。音響膜特徴６０は、複数のスピーカーポート伝送アパーチャまたは差し込み口（記載せず）を有するスピーカー伝達ポートとして構成される。この態様において、スピーカー伝達ポートは、スピーカー伝達ポート防水性ガスケット６０ａによってカバーされる。防水性ガスケット６０ａは音を通し得るが、水を含む液体、ならびに塵、汚れなどを通すことができない。スピーカー差し込み口アパーチャはハウジングの内側から外側を横断し、それによって、収容された装置のスピーカー伝達部分から出た音がハウジングを通って、ハウジングから伝達するのを容易にする。もちろん、防水性ガスケットは、水が前記アパーチャを通ってハウジングに侵入するのを妨げる。
【０１６４】
充電ポート特徴７０をカバーするための、シーリングガスケット７８が取り付けられたラッチ特徴ドア７１ｂ、表示方向スイッチ９０および音量制御部分９９ａ、ならびにボトム部材３のボトム表面部材３５の表面に見えるレンズ特徴８０の内面図も図示されている。ボトム部材表面３５の平面上に、収容された装置をかかげるように構成された、スタンドオフ１６ａおよび／またはブリッジ１６ｂが示されている。
【０１６５】
図３Ｃは、トップ部材およびボトム部材が一緒に配置されたときに保護ハウジングの中で電子装置が係合したときに見られるように２つのトップ部材およびボトム部材を図示した、トップ部材２の前面の下向きの斜視図（左側）およびボトム部材３の前面の図（右側）を示す。ホームボタン４０はトップ部材２のトップ周辺部分２０に図示されている。この図には、トップ部材内側周囲部分２０ａに近接センサ部分４８も見える。ボトム部材３（右側）は、ボトム部材内側周囲部分３０ａ、ボトム部材中央周囲部分３０ｂ、およびボトム部材外側周囲部分３０ｃを含むボトム部材周辺部分３０、ならびにボトム部材の前後面３５を備える。
【０１６６】
ボトム部材の内側周囲部分３０ａおよび中央周囲部分３０ｂはチャンネル１０ｂを形成する。チャンネル１０ｂの中にはシーリング部材（例えば、ガスケット、例えば、Ｏリング）が嵌合され得る（記載せず）。内側周囲部分３０ａは留め付け機構１３ｂを備える。留め付け機構１３ｂは、この態様では、複数の開口部または歯収容部材（例えば、歯収容口）の複数の領域として構成される。従って、歯収容口１３ｂは、チャンネル１０ｂからハウジング１の空隙に向かって内側へ通る、ボトム部材中央周囲部分３０ｂにある開口部として図示されている。チャンネル１０ｂは、外側境界壁３０ｂおよび内側境界壁３０ａによって規定される。トップ部材２をボトム部材３とつなぐと、トップ部材２（記載せず）の歯１３ａはボトム部材３の歯収容口１３ｂに可逆的に接続される。
【０１６７】
保護ハウジング内での電子装置の不要な移動および／または潜在的な破損を緩和するために、ボトム部材のボトム部材前面３５は、保護ハウジングの中に電子装置を配置するのを助ける右手バンパー３６ａおよび左手バンパー３６ｂを備える。ラッチ特徴７０用の防液体性シールを提供するために、充電ポート特徴をカバーするためのガスケット７８を備えるラッチドア７１ｂ；防水性スピーカーガスケット６０ａを有するスピーカー伝達ポート６０；防水性マイクロフォンガスケット６１ａおよびマイクロフォンガスケットオーバーモールディング６１ｃを有するマイクロホン伝送ポート６１、ならびにボトム部材３のトップ表面３５に見えるレンズ特徴８０も図示されている。ボトム部材表面３５の平面上に、収容された装置をかかげるように構成された、スタンドオフ１６ａおよび／またはブリッジ１６ｂが示される。当該ブリッジ１６ｂは一緒になってスタンドオフチャンネルを形成してもよい。
【０１６８】
図４Ａに関して見ることができるように、トップ部材２およびボトム部材３を備えるハウジング１が設けられる。トップ部材２およびボトム部材３は連結されて、防水性および防衝撃性のハウジング１を形成するように構成される。この態様において、トップ部材２は周辺部分２０を備え、周辺部分２０は３つの下位部分：内側周囲部分２０ａ、中央周囲部分２０ｂ、および外側周囲部分２０ｃをさらに備える。同様に、ボトム部材３は周辺部分３０を備え、周辺部分３０は、３つの下位部分：内側周囲部分３０ａ、中央周囲部分３０ｂ、および外側周囲部分３０ｃをさらに備える。トップ部材中央周囲部分は、トップ部材２の骨格フレーム構造を形成する硬質材料または半硬質材料から製造される。当該フレーム構造は、中に収容される電子装置の輪郭を作るように適合される。
【０１６９】
トップ部材２は、電子装置１００と連結され、対応するボトム部材３と連結されると防水性シールを形成するように構成される。従って、トップ部材２は、これらのシーリング機能を容易にする複数の特徴を備える。例えば、トップ部材内側周囲部分２０ｃは可撓性材料または半可撓性材料から作られ、ワイパー部分およびチャンネル部分１０ａの一方または両方を含むように構成される。
【０１７０】
ワイパー部分は、自動車の風防ワイパーに似ており、それと類似の機能を果たすように適合された傾斜した縁として構成される。具体的には、ワイパー部は、収容された装置のトップ表面と中央周囲部分の硬質フレームとの間の境界面として働く、傾斜した縁部分を有する。当該傾斜した縁は、収容された装置１００のトップ表面または縁とぶつかるまで、中央周囲部分２０ｂのトップ縁から内側、下向きに傾いている。傾斜した縁の先端部分は、屈曲して装置のトップ表面に密着するのに十分な可撓性があるが、その形状を保持するのに十分な硬さがある。従って、ワイパーとトップ表面との間の境界面は、液体および／または塵および／または汚れがワイパーの下に侵入するのを実質的に阻止する、緊密な、粘着性のある境界面である。
【０１７１】
チャンネル部分１０ａはワイパー部分より外側に形成され、内側チャンネル壁１１ａおよび外側チャンネル壁１１ｂからなる。当該壁は、その中にトップ部材シーリング部材（例えば、ガスケット１５ａ）を保持するように構成される。ガスケットは、チャンネルに加えられる別の部材でもよいし、またはチャンネルと一体となるようにチャンネルと共に前もって形成されてもよい。ガスケットは、収容される電子装置のトップ表面またはトップ縁表面と係合し、それによって圧縮され、その結果として、これらと防水性および／または防塵性のシーリングを形成するという機能を果たすことができる任意の適切なシーリング部材でもよい。ある特定の態様において、ガスケットは、Ｏリング（例えば、第１の広がった直径から第２の圧縮された直径に、例えば、元々の非圧縮直径の１〜５０％に圧縮することができる中空Ｏリング）である。場合によっては、この圧縮は１〜７５％でもよい。
【０１７２】
さらに、ハウジング１が形成され、トップ部材とボトム部材との間の境界面が防水性および／または防塵性および／または耐汚れ性のシールを形成するような様式で、トップ部材２はボトム部材３と係合するように構成される。従って、１つの態様において、ボトム部材３は、ボトム部材ガスケット１５ｂを備えるボトム部材チャンネル１０ｂを備える。このガスケットはトップ部材ガスケット１５ａの機能と同じ機能を有してもよいが、典型的には中空でなく、典型的にはあまり圧縮することができない。このガスケットの圧縮性は約１％〜３０％であるが、１％〜５０％でもよい。
【０１７３】
ボトム部材３および／またはその構成要素部分は同じ材料または異なる材料からなってもよい。図４Ａに関して図示されたように、装置を中に入れるために、ボトム部材は、収容される装置のボトム表面−後面を受け入れるように構成されたボトム部材表面３５を形成するボトム部材からなる。従って、この態様において、ボトム部材表面は、保持される装置の後面の輪郭に適合される。従って、後面は実質的に平ら、かつ平面でもよく、湾曲などしていてもよい。さらに、この態様において、後面３５は、主に後面３５と連続しており、従って、同じ材料から製造された、周辺部分３０を有する。しかしながら、ボトム部材周辺部分３０は、様々な異なる特徴、例えば、ボトム部材チャンネル１０ｂを含むように構成されてもよい。ボトム部材チャンネル１０ｂはボトム部材内側周囲部分３０ａおよびボトム部材中央周囲部分３０ｂに接する。
【０１７４】
この態様において、トップ部材２およびボトム部材３の周辺部分２０および３０は両方ともそれぞれ可撓性または半可撓性の外側周囲部分２０ｃおよび３０ｃを備える。可撓性または半可撓性の外側周囲部分２０ｃおよび３０ｃは、例えば、モールディング、例えば、オーバーモールディングによって、それぞれのフレーム構造と連結される。これらの可撓性オーバーモールディング部分は、部分的に、ハウジング１に防衝撃性クッションを設けるように機能する。
【０１７５】
前記で示したように、トップ部材２とボトム部材３との連結は、当該連結によって、防水性および／または耐塵性および／または耐汚れ性のシーリングが実現するような連結である。この連結の実現を助けるために、トップ部材２の中央周囲部分２０ｂは、トップ部材表面の平面から下向きに延びている細長い部材を備える。この延びた部材は、隆起したリッジ２６として形成される。この態様において、隆起したリッジ部材２６は、ボトム部材３のチャンネル１０ｂの中に受け入れられ、その中で少なくとも複数の機能を果たすように構成される。
【０１７６】
第１に、前記リッジ部材は、トップ部材の第１の留め付け機構２７および第２の留め付け機構１３ａを備える。これらは両方とも、ボトム部材３にある対応する留め付け機構３７および１３ｂと係合するように構成される。第２に、前記リッジ部材は、ボトム部材ガスケット１５ｂと係合し、それを圧縮するように構成されたボトムガスケットとの境界面を備える。従って、トップ部材の隆起したリッジ部分２６がボトム部材チャンネル１０ｂに突き当たると、当該リッジ部分の先端表面がボトム部材ガスケット１５ｂと係合して当該ガスケットを圧縮し、その第１の留め付け機構２７および第２の留め付け機構１３ａは、これらが連結されてハウジング１を形成すると、これらの対応するボトム部材の留め付け機構３７および１３ｂと係合し、それによって、トップ部材２とボトム部材３との間の境界面において防水性および／または防塵性および／または耐汚れ性のシーリングを生じる。示されたように、堅く、かつしっかりしたシーリングを実現するために、ボトム部材３は、第１の留め付け機構３７および第２の留め付け機構１３ｂを備える。この態様において、第１の留め付け機構はボトム部材中央周囲部分３０ｂに配置され、第２の留め付け機構はボトム部材内側周囲部分３０ａに配置される。しかしながら、本明細書に記載のように、第１の留め付け機構および第２の留め付け機構がトップ部材部材およびボトム部材に沿った異なる位置に配置される場合、ならびに／または本明細書に記載のように異なる構成を有する場合、この配置は異なってもよい。２つの留め付け機構が説明されたが、１つ、２つ、３つ、もしくはそれより多い留め付け機構が含まれ得ることにも留意すべきである。
【０１７７】
前記で示したように、ハウジング１のトップ部材２およびボトム部材３は、多数の異なる構成のうちの１つを有し得る１つまたは複数の留め付け機構を含むように構成され、ハウジング内の多数の異なる場所に配置されてもよい。従って、図４の説明の残りは、参照された留め付け機構のための多数の異なる構成に関する。この説明は例示にすぎず、過度に限定するものとは意図されないことが理解されなければならない。本明細書に記載の様々な留め付け機構は個々に用いられてもよく、互いに組み合わせて用いられてもよい。
【０１７８】
従って、図４Ａを見ると、トップ部材２およびボトム部材３は第１の留め付け機構および第２の留め付け機構を備える。第１の留め付け機構は以下のように構成される。トップ部材の第１の留め付け機構２７は、交差面２９と交差する傾斜した面２８を備える。傾斜した面２８および交差面２９は一緒になって、トップ部材２の留め付け機構２７を構成する縁、またはリップ、または溝、または留め具を形成する。傾斜した面２８および交差面２９は、ある角度を形成する。さらに、ボトム部材の第１の留め付け機構３７は、交差面３９と交差する傾斜した面３８を備える対応する構成を有する。傾斜した面３８および交差面３９は一緒になって、ボトム部材３の留め付け機構３７を構成する縁、またはリップ、または溝、または留め具を形成する。傾斜した面３８および交差面３９は、ある角度を形成する。例えば、第１の留め付け機構の傾斜した面は、０度から約９０度、例えば、約５度または約１０度から約８０度または８５度、例えば、約１５度または２０度から約７０度または７５度、例えば、約３０度または４０度から、約４５度を含む約５０度または６０度の角度で交差面に対して傾斜してもよい。
【０１７９】
従って、トップ部材２の留め付け機構２７は、ボトム部材３の対応する留め付け機構３７と係合するように構成される。対応する留め付け機構は、対応する面、例えば、リップまたは縁領域を有してもよく、異なるが、相補的な面を有してもよい。この場合、トップ部材２は、交差面２９と交差する傾斜した面２８を構成するリップまたは縁領域を備える留め付け機構２７を有する周辺部分２０を有する。同様に、ボトム部材３は、交差面３９と交差する傾斜した面３８を構成するリップまたは縁領域を備える留め付け機構３７を有する周辺部分３０を有する。この態様において、対応するリップまたは縁領域は連結されるように構成される。
【０１８０】
留め付け機構２７および３７のある特定の構成が、例えば、対応する留め具留め付け機構として図示されているが、例えば、傾斜した面が、まっすぐな面または実質的にまっすぐな面などの場合、他の構成も適切な場合があることに留意すべきである。例えば、１つの態様において、トップ部材またはボトム部材のうちの１つは、前記のように構成された、例えば、リップ縁領域を有する留め付け部材を有してもよく、対応する部材は、収容要素として構成された留め付け部材（例えば、相対する部材の対応するリップ縁を収容するように適合された溝、例えば、周囲の溝）を有してもよい。
【０１８１】
この場合、傾斜した面２８および交差面３９はトップ部材２の留め付け機構２７を構成する。当該留め付け機構は、ボトム部材３の留め付け機構３７の対応する面と係合するように構成される。トップおよびボトムの留め付け機構２７および３７は、連結されると、例えば、一緒にパチンとはめられると、例えば、防液体性シールにおいてハウジングを密封するような様式で、それぞれ一緒になって、互いに相互作用するように構成された相対するスナップ閉塞を形成する。
【０１８２】
この態様において、留め付け機構２７および３７は、ハウジングの全周囲にわたって存在する完全内部留め付け機構であることに留意すべきである。トップおよびボトムの留め付け機構が、ある特定の構成に関して、例えば、完全に内部にあり、全周囲部分にわたって存在する構成と本明細書において説明されたが、この構成は非限定的な例であり、留め付け機構がトップ部材およびボトム部材を連結し、それによって、ハウジングを密封するのに十分なやり方で接続できる限り、様々な様式で変更され得ることが理解されなければならない。
【０１８３】
さらに、ハウジング１は第２の留め付け機構を備える。当該留め付け機構は、本明細書において示された留め付け機構の１つもしくは複数に加えて、または本明細書において示された留め付け機構の１つもしくは複数の代替として用いられてもよい。この態様において、第２の留め付け機構１３は、１つまたは複数の歯１３ａからなる１つまたは複数の区画を備える。ボトム部材３の対応する留め付け機構１３は１つまたは複数の歯収容部材１３ｂからなる１つまたは複数の区画を備える。歯１３ａが歯収容部材１３ｂと連結されるとトップ部材２およびボトム部材３が連結されてハウジング１を形成するような様式で、トップ部材２の歯１３はボトム部材３の歯収容部材１３ｂとかみ合うように構成される。
【０１８４】
例えば、ある特定の態様において、歯１３ａはトップ部材２またはボトム部材３の周囲部分に沿って配置されてもよく、対応する部材は歯収容部材１３ｂを有する。この場合、トップ部材２の歯１３ａは、トップ部材中央周囲部分２０ｂの隆起したリッジ部材２６の内側に向いている面に沿って配置される。ボトム部材３の歯収容部材１３ｂはボトム部材３の内側周囲部分３０ａに沿って配置される。しかしながら、他の場合では、歯はボトム部材の周囲部分に沿って配置されてもよく、歯収容部材はトップ部材の周囲部分に沿って配置されてもよい。
【０１８５】
歯１３ａおよび歯収容部材１３ｂは、トップ部材２および／またはボトム部材３の内側表面に沿った、いくつかの領域に沿って含まれてもよい。それぞれの歯／収容領域は１つまたは複数の歯／収容開口部を備えてもよい。歯は、トップ部材２の隆起したリッジ２６の長軸方向さからハウジングの内部空隙に向かって、横方向かつ内側に延びている。歯１３は、ボトム部材３の対応する歯収容部材１３ｂの中に収容されるように構成される。また、図示されているように、歯収容部材１３ｂはアパーチャとして構成され、アパーチャの中に歯１３ａが嵌合されてもよい。従って、トップ部材２がボトム部材３と連結されると、歯領域の歯１３ａはボトム部材３の歯収容部材領域の歯収容部材１３ｂとかみ合い、これと係合する。従って、ハウジング１はトップ部材２とボトム部材３との連結によって形成され、留め付け機構２７および３７ならびに留め付け機構１３ａおよび１３ｂの接続によって密封される。
【０１８６】
歯および歯収容部材は、互いに相互作用してハウジングのトップ部材およびボトム部材を連結することができるのであれば、任意の適切な構成を有してよいことに留意すべきである。従って、歯および／または対応する歯収容部材の数、サイズ、および場所は一様でなくてもよい。例えば、１つの長い歯またはいくつかの短い歯が含まれてもよい。歯は、全周囲部分または任意の数のその下位部分に沿って配置され得る。しかしながら、歯はトップ部材の代わりにボトム部材に配置されてもよく、かつ／または所望の場合、１つ、２つ、３つ、もしくはそれより多い歯領域がトップ部材またはボトム部材の１つ、２つ、３つ、もしくはそれより多い側面に沿って含まれてもよい。
【０１８７】
同様に、１つの長い歯収容部材またはいくつかの短い歯収容部材が含まれてもよい。歯収容部材は全周囲部分または任意の数のその下位部分に沿って配置され得る。歯収容部材は、トップ部材およびボトム部材が連結されると、歯部材に対応し、歯部材と相互作用してハウジングを留め付け、密封するように構成される。歯部材および／または歯収容部材は、所望に応じて、トップ部材またはボトム部材の一方または両方ならびに内側周囲部分または外側周囲部分に配置されてもよいことに留意すべきである。
【０１８８】
図４Ｂは、図４Ａのハウジング１の留め付け機構の左手横断面部分を図示している。ハウジング１は、第１の内側留め付け機構２７および３７、ならびに第１の内側留め付け機構の内側にある第２の内側留め付け機構１３を備える。図示されているように、内側留め付け機構２７および３７ならびに１３は完全内部留め付け機構である。完全内部留め付け機構２７および３７はハウジング１の周囲の全内周にわたって存在する。この完全内部留め付け機構２７および３７は、シールがハウジングの内部にあるような様式でハウジングを効果的に密封する。図示されているように、完全内部留め付け機構は、留め具および溝の留め付け機構として構成される。
【０１８９】
例えば、トップ部材は、延びたリップまたは留め具２７として構成された内部留め付け機構を備える。ボトム部材は、溝３７として構成された対応する内部留め付け機構を備える。当該溝は、ボトム部材中央周囲部分の内面に沿って周囲に及ぶ。ハウジング部材２および３を互いに密封するために、トップ部材のリップまたは留め具２７およびボトム部材の溝３７は連結されるように構成される。同様に、トップ部材は、複数の歯１３ａからなる複数の領域として構成された内部留め付け機構を備える。ボトム部材は、複数の対応する歯収容口１３ｂからなる複数の領域として構成された対応する内部留め付け機構を備える。当該領域は、それぞれの周辺部分に沿って周囲に及ぶ。ハウジング部材２および３を互いに密封するために、トップ部材の歯１３ａおよびボトム部材の収容口１３ｂは連結されるように構成される。第１の留め付け機構および第２の留め付け機構は特定の内部留め付け機構として図示されているが、ある特定の態様では、本開示の内容から逸脱することなく、これらの完全内部留め付け機構に対する他のバリエーションを提供できることに留意すべきである。例えば、ある特定の場合、留め付け機構はトップ部材および／またはボトム部材の全周囲部分にわたって存在する必要はなく、完全に内部にある必要はなく、本明細書において示された留め具および溝構成とは異なる構成とされてもよい。
【０１９０】
例えば、図４Ｃは、本開示の留め付け機構２７および３７の異なる構成を提供する。この態様において、留め付け機構は「Ｔ」型または「Ｊ」型として構成される。ＴまたはＪの水平の尖叉（ｔｉｎｅ）の下面はシーリングガスケットを備える。当該ガスケットは、収容された装置またはハウジング部材の対応する表面と係合するように構成される。「Ｔ」または「Ｊ」の水平面は平らな面として図示されているが、湾曲していてもよく、屈曲していてもよく、またはそうではなくて、使用されるハウジングのタイプに応じて１〜１８０度の角度で傾いていてもよいことに留意すべきである。
【０１９１】
従って、ハウジング１は、装置が挿入されるとその表面がラッチ機構に当接し、それによって、装置がハウジング内に保持されている限りはハウジングのラッチ機構を係合したままにする支持部材として働くような様式で、ハウジングに挿入される装置と整合するように設計された、単一の留め付け機構を備える。
【０１９２】
従って、図４Ｃを見ると、連結されて防水性および防衝撃性のハウジング１を形成するように構成されたトップ部材２およびボトム部材３を備えるハウジング１が提供される。この態様において、トップ部材２は単一の周囲部分２０を備える。しかしながら、様々な他の場合において、トップ部材は、３つの下位部分：内側周囲部分２０ａ、中央周囲部分２０ｂ、および外側周囲部分２０ｃをさらに備える周辺部分２０を備えてもよい。この態様において、トップ部材２の周辺部分２０は、ハウジング１を枠に入れてハウジング１に防衝撃性の保護を提供するように構成される。ボトム部材３は、３つの下位部分：クッションおよび／またはスペーシング部材として構成された内側周囲部分３０ａ；硬質の骨格フレーム部材として構成された中央周囲部分３０ｂ、ならびにハウジング１に防衝撃性の保護を提供するためのクッションバンパー部分として構成された外側周囲部分３０ｃを備える周辺部分３０を備える。トップ部材周囲部分２０は、トップ部材２の骨格フレーム構造を形成する硬質材料または半硬質材料から製造される。当該フレーム構造は、中に収容される電子装置の輪郭を作るように適合される。
【０１９３】
トップ部材２は、電子装置１００と連結され、かつ対応するボトム部材３と連結されると防水性シールを形成するように構成される。従って、トップ部材２は、これらのシーリング機能を容易にする複数の特徴を備える。例えば、トップ部材は、複数のシーリング部材（例えば、ガスケット１５ａおよび１５ｃ）を中に受け入れるように構成された複数のチャンネル部材１０ａおよび１０ｃを備える。当該チャンネルおよびガスケット部材は、トップ部材が、収容された電子装置およびボトム部材と連結されて電子装置を取り囲むハウジング１を形成すると防水性および／または防塵性および／または防衝撃性のシールを形成するように適合される。
【０１９４】
特に、この態様において、トップ部材周囲部分は、一方の側にある第１のチャンネル１０ａおよび反対側にある第２のチャンネル１０ｃと境界を接する隆起したリッジ部材２６を備える。第１のチャンネル１０ａに関して、隆起したリッジ部材２６は外側チャンネル境界部材を形成する。第２のチャンネル１０ｃに関して、隆起した硬質の部材２６は内側チャンネル境界部材を形成する。さらに、トップ部材周囲部分２０は第１のチャンネルの内側境界部材を備えるように構成され、さらに、第２のチャンネルの外側境界部材を備えるように構成されてもよいが、これらの境界部材の一方または両方は存在する必要はないことに留意されたい。
【０１９５】
第１のチャンネル１０ａは、第１のシーリング部材（例えば、ガスケット１５ａ）を備える。当該ガスケットは、装置がトップ部材と連結されると装置のトップ表面と係合するように構成される。この連結によって、の第１のガスケット１５ａと、電子装置トップ表面またはトップ縁との間に、防水性および／または防衝撃性および／または耐汚れ性のシーリングが生じる。この境界面におけるトップ部材周囲部分２０の内側周囲縁は前記のようなワイパー部分として構成されてもよい。また、前記のように、このガスケットは中空であってもよく、１〜７５％に圧縮できてもよい。
【０１９６】
第２のチャンネル１０ｃは、第２のシーリング部材（例えば、ガスケット１５ｃ）を備える。当該ガスケットは、トップ部材２がボトム部材３と連結されるとボトム部材３の中央周囲部分３０ｂの表面３６と係合するガスケットと係合するように構成される。この連結によって、例えば、ボトム部材中央周囲部材の表面３６と係合するガスケットによって対抗される圧力を介して、第２のチャンネル１０ｃの中で第２のガスケット１５ｃが圧縮されることよって、トップ部材２とボトム部材３が連結されてハウジング１が形成されると、トップ部材２とボトム部材３の間に防水性および／または防衝撃性および／または耐汚れ性のシーリングが生じる。さらに、このシールは、本明細書に記載のように、ボトム部材の留め付け機構３７と係合するトップ部材の留め付け機構２７の連結によって実現される。前記のように、このガスケットは中空でもよいが、典型的には中空でなく、典型的には１〜３０％に圧縮することができる。
【０１９７】
従って、トップ部材２は、ハウジング１が形成されるとトップ部材とボトム部材との間の境界面が防水性かつ／または防塵性かつ／または耐汚れ性のシールを形成するような様式で、ボトム部材３と係合するように、構成される。この連結を実現するために、トップ部材周囲部分２０は、トップ部材表面の平面から下向きに延びている細長い部材２６を備える。この延びた部材は、隆起したリッジ２６として形成される。この態様において、隆起したリッジ部材２６は、ボトム部材中央周囲部分３０ｂの延びた部分３６と係合するように構成される。当該部分は、ガスケットに当接する表面、およびトップ部材２の対応する留め付け機構２７と係合するように構成された留め付け機構３７の両方を備える。
【０１９８】
トップ部材の隆起したリッジは、トップ部材の留め付け機構２７を備える。トップ部材の留め付け機構は表面２８を備える。当該表面は、傾斜した面として図示されている。この表面は、傾斜した面として図示されているが、ある特定の態様では、異なる構成を有してもよく、例えば、実質的にまっすぐでもよいことに留意すべきである。トップ表面の留め付け機構２７はまた交差面も備える。この場合において、交差面は境界面２９でもある。境界面２９は、表面２８を交差する水平面として図示されている。しかしながら、この構成は、適切な留め付け機構が形成される限り改変されてもよい。このように、リップまたは縁が形成される。トップ部材およびボトム部材を連結および密封するために、当該縁は、ボトム部材の対応する留め付け機構（例えば、リップ縁または溝部材）とかみ合うように構成される。
【０１９９】
ボトム部材３はまた、隆起したリッジ部材３６も備える。ボトム部材の隆起したリッジ３６はボトム部材の留め付け機構３７を備える。ボトム部材の留め付け機構は表面３８を備える。当該表面は、傾斜した面として図示されている。この表面は、傾斜した面として図示されているが、ある特定の態様では、異なる構成を有してもよく、例えば、実質的に平坦でもよいことに留意すべきである。ボトム表面の留め付け機構３７はまた交差面も備える。この場合において、交差面は境界面３９でもある。境界面３９は、表面３８と交差する水平面として図示されている。しかしながら、この構成は、適切な留め付け機構が形成される限り改変されてもよい。このように、リップまたは縁が形成される。トップ部材およびボトム部材を連結および密封するために、当該縁は、ボトム部材の対応する留め付け機構（例えば、リップ縁または溝部材）とかみ合うように構成される。
【０２００】
この態様において、トップ部材の隆起したリッジ２６は、収容される装置の側面または縁表面と係合するように構成された、装置と係合する表面をさらに備えることに留意すべきである。この係合は、ハウジングのシーリングを実現するための境界部材および支持部材として働く。例えば、収容された装置の適切な表面が境界部材を形成し、装置の存在によって、隆起したリッジ部材２６の横方向内側への移動が妨げられる。従って、装置がハウジング内に収容されている間は、隆起したリッジ部材は内側へは動かないようにされる。隆起したリッジ部材が内側に動くことができるようになる前に、まず、ボトム部材３をトップ部材２から取り外し、次いで、装置を取り外す必要があるだろう。このように、電子装置を取り囲むハウジング１の防水性および防衝撃性のシーリングが確かなものにされる。
【０２０１】
図４Ｃに関して図示されているように、ボトム部材３は、中に電子装置を受け入れるためのフレーム構造を形成する硬質の中央周囲部分を備え、内側衝撃吸収部分および／またはクッション部分として形成された内側周囲部分、ならびに外側防衝撃層を形成する外側周囲部分をさらに備える。これらの部分は硬質の中央部材と同じ材料または異なる材料から製造されてもよく、ある特定の場合では、硬質の中央周囲部分は、ナイロン、ポリカーボネート、または２００の曲げ弾性率、もしくはさらに大きな３００の曲げ弾性率、もしくはさらに大きな、すなわち３５０の曲げ弾性率、およびさらに大きな曲げ弾性率を有する他の材料から製造される。内側周囲部分および／または外側周囲部分は、可撓性のある材料（例えば、ゴムおよび／またはＴＰＥおよび／またはポリプロピレン）から製造されてもよい。さらに、ハウジングのトップ部材およびボトム部材の接続に関して、本明細書において詳述された留め付け機構に加えて、または本明細書において詳述された留め付け機構の代わりに、他の留め付け機構も使用することができる。例えば、ハウジング１は、外部ラッチ特徴（例えば、クリップ、バックル、ロックなど）をさらに備えてもよい。例えば、外部ラッチ特徴は、完全外部ラッチ特徴（例えば、１つまたは複数のクランプまたはクランプ領域）でもよい。１つまたは複数のクランプがハウジングの外部に配置されてもよく、当該クランプは、トップ部材およびボトム部材を固定し、それによって、連結力がトップ部材およびボトム部材に加わり、その結果、当該２つの部材が連結されてハウジングが密封されるように構成されてもよい。
【０２０２】
図４Ｄは、図４Ｃのハウジングの斜視図を提供する。しかしながら、この態様において、ハウジング内に収容および保持される装置は正方形または長方形の構成を備える。図４Ｃに記載のハウジング内に収容および／または保持される装置は、湾曲した構成または丸みのある構成（例えば、湾曲した後面部分）を有する。
【０２０３】
図４Ｅは、図４Ｃのハウジング１の斜視図を提供する。ここで、装置１００はハウジング内に実際に収容および保持され、トップ部材の延びたリッジ部材２６は、装置のトップ隅縁および側面と係合される。この係合によって、ハウジング内側へのリッジ部材２６の横方向内側への移動が阻止される。この場合、特に、トップ部材２の細長いリッジ部材２６に対して、装置１００は、張力がかかる点およびハウジングの内側境界部材として働く。
【０２０４】
図４Ｆは、図４Ｅにおいて提供されたものと類似したハウジングの同じ図を提供する。しかしながら、この態様では、ケース内に収容および保持される装置１００は正方形または長方形の構成を有するのに対して、図４Ｅにおいて図示されたハウジングの中に保持される装置１００は、丸みのある、または湾曲した後面構成を有する。
【０２０５】
図４Ｇ〜４Ｊは、図４Ｄおよび４Ｅのハウジングの種々の斜視図を提供する。
【０２０６】
図４Ｋ〜４Ｍは、本開示のハウジング１のための別の留め付け機構の種々の斜視図を提供する。この態様において、トップ部材２およびボトム部材３を連結するために、トップ部材２およびボトム部材３は両方とも、これらと共に第３のロッキング要素４を受け入れるように適合された補完的な構成を有する。例えば、トップ部材２は、トップ部材２の周辺部分２０から下向きに延びている「Ｌ」型レッジ部材として構成された留め付け構成２６を備える。
【０２０７】
図示されているように、トップ部材周辺部分のボトム表面は、前記のように、収容された装置のトップ表面に整合するように構成されたガスケット１０ａを備える。同様に、ボトム部材３は、ボトム部材３の周辺部分３０から上向きに延びている「Ｌ」型レッジ部材として構成された留め付け構成３６を備える。
【０２０８】
図示されているように、ボトム部材のボトム表面は、一方の周囲から他方の周囲にまたがり、それによって、収容された装置の後面全体をカバーする。しかしながら、他の態様では、ボトム部材３はトップ部材２と実質的に同一の構成を有してもよい。この場合、ボトム部材周辺部分３０は、前記のように、収容された装置のトップ表面に整合するように構成されたガスケット１０ｂ（記載せず）も備えるだろう。このような場合、トップ部材２もボトム部材３も、一方の周囲部分から他方の周囲部分にまたがる（例えば、一方の側から他方の側にまたがる）表面（例えば、膜）を備える必要はない。
【０２０９】
図示されているように、トップ部材の留め付け機構２６およびボトム部材の留め付け機構３６は両方とも、ロッキング要素４の対応する留め付け機構４ａおよび４ｂを受け入れるように構成される。この態様において、ロッキング要素４は、トップ部材２およびボトム部材３の側方周囲部分のかなりの部分にまたがる細長い部材として構成される。細長いロッキング要素４は、トップ部材２の対応する留め付け機構２６と係合するように構成された留め付け機構４ａを備え、ボトム部材３の対応する留め付け機構３６と係合するように構成された留め付け機構４ｂをさらに備える。このように、ロッキング要素４は、収容された装置を取り囲んでトップ部材２およびボトム部材３と係合し、装置を取り囲んでこれら２つを圧縮し、それによって、ハウジング１を形成および密封することができる。
【０２１０】
図示されているように、ロッキング要素４および対応する留め付け機構は、摺動してトップ部材２およびボトム部材３と係合し得るスライド部材として構成される。しかしながら、特定の留め付け機構構成が説明されたが、これらの構成は、本明細書において述べられたものと異なってもよいことが理解される。さらに、図４Ｌおよび図４Ｍに関して図示されているように、ハウジング内に装置の防水性シーリングをさらにしっかりと留め付けるために、ロッキング要素はシーリング要素（例えば、ガスケット１０ｃ）をさらに備えてもよい。例えば、ロックと係合する境界面のいずれかにおいて、他のガスケットも含めることができる。
【０２１１】
図４Ｎは、本開示のハウジング１の別の留め付け機構の異なる斜視図を提供する。この態様の留め付け機構は「Ｆ」ラッチとして構成される。この態様において、トップ部材２は「Ｆ」構成を有するように図示されている。ここで、「Ｆ」のそれぞれの尖叉は、対応するボトム部材３の対応する留め付け機構と係合するように設計されたトップ部材の留め付け機構を備える。
【０２１２】
従って、この態様において、トップ部材２は、２つの細長く延びた隆起したリッジ部材２６ａおよび２６ｂを備える、比較的、平面の周辺部分２０を備える。隆起したリッジ部材２６ａおよび２６ｂはそれぞれ、その遠位部分に留め付け機構２７ａおよび２７ｂを備える。当該留め付け機構は、ボトム部材３の対応する留め付け機構３７ａおよび３７ｂと係合するように構成される。従って、トップ部材２は、外側ラッチ部材２６ｂおよび内側ラッチ部材２６ｂを備える「Ｆ」様ラッチ構成を備えると考えることができる。内側ラッチ部材２６の内側表面が、収容された装置の側方縁または表面と係合することに留意されたい。この相互作用によって、ハウジングの中心へと内側に向かう、隆起した内側の隆起したリッジ部材２６の横方向移動が妨げられる。さらに、「Ｆ」部材の内側に向いている表面の一方または両方は、ガスケット（例えば、ガスケット１０ａおよび１０ｂ）を備えてもよい。当該ガスケットは、本明細書において議論されたように、ハウジングおよび／または収容された電子装置の様々な部材との間の防水性シーリングを提供するように機能する。対応する留め付け機構はそれぞれ、傾斜した縁留め具に似た構成（例えば、図４Ａに関して本明細書において前記で説明された構成）を有すると図示されていることに留意すべきである。これらの留め付け機構の一方または両方は、本明細書に記載のものと異なる構成とされてもよい。
【０２１３】
図５Ａは、図１Ａのハウジングのトップ部材の近位前方部分２１のクローズアップ斜視図である。ホームボタン４０およびホームボタンユーザーインターフェース４１ａがトップ部材中央周囲部分２０ｂに配置されている。トップ部材中央周囲部分２０ｂは、トップ部材内側周囲部分２０ａおよびトップ部材外側周囲部分２０ｃがトップ部材中央周囲部分２０ｂに当接した状態で示されている。トップ部材２の構造フレームを提供するために、トップ部材中央周囲部分２０ｂは、硬質の堅い材料（例えば、ポリカーボネート）から製造されてもよいことに留意すべきである。さらに、耐水性−防水性の保護および／または防衝撃性および／または防落下性の保護の手段を提供するために、内側周囲部分２０ａおよび外側周囲部分２０ｃの一方または両方は、比較的、可撓性のある材料（例えば、ＴＰＥ）から製造されてもよい。ホームボタン４０を取り囲み、納める、この領域において、近位周辺部材２０の近位部分は、隆起した周囲外形または凸状の周囲外形を有し、トップ部材の内側周囲部分２０ａの内側縁を有する拡大された表面を提供して、収容された電子装置のトップ表面のホームボタンの近位での防水性シールを容易にすることに留意されたい。充電ポートをカバーするためのラッチポート開口部７１ａ、ラッチポート境界部材７２、およびラッチランプ収容部材７６も示されている。
【０２１４】
図５Ｂは、図５Ａのハウジングのトップ前方部分を見下ろしたクローズアップ斜視図である。図５Ａと同様に、トップ部材中央周囲部分２０ｂにホームボタン４０およびホームボタンユーザーインターフェース４１ａが示されている。トップ部材中央周囲部分２０ｂは、トップ部材内側周囲部分２０ａおよびトップ部材外側周囲部分２０ｃがトップ部材中央周囲部分２０ｂに隣接した状態で示されている。ラッチポート開口部７１ａも図示されており、ラッチポート境界部材７２、および溝として図示されたラッチランプ収容部材７６も示されている。
【０２１５】
図５Ｃは、図５Ａのハウジングのトップ周辺部分２０に関してトップ部材２の後面を見下ろしたクローズアップ斜視図である。見ることができるように、ホームボタン４０の外形が図示されており、ホームボタンシール４１ｃおよびホームボタン装置インターフェース４１ｄがはっきりと示されている。従って、ホームボタンは、水がホームボタンハウジングインターフェイスを通って侵入しないように、ホームボタンシーリング部材４１ｃによって密封される。さらに、ホームボタン装置インターフェース４１ｄは、下向きに押す力を、その下にある、このようなホームボタンを有する収容された電子装置のホームボタンに伝えるように機能する。ホームボタンシール４１ｃおよびユーザーインターフェース４１ｄはトップ部材中央周囲部分２０ｂの下側に配置される。トップ部材中央周囲部分は、内側周囲部分２０ａとトップ部材外側周囲部分２０ｃとの間にあるように示されている。見ることができるように、近位周辺部材２０は、拡大された表面領域を提供するように構成された領域において凸状の周囲外形を有し、その結果、収容された装置のホームボタンを取り囲み、それによって、収容された電子装置のトップ表面のホームボタンの近位における防水性シールの形成が容易となる。
【０２１６】
この図の右側の上から下にかけて、トップ部材外側部分２０ｃ、トップ部材中央部分２０ｂ、およびトップ部材内側部分２０ａは連続している。この図において、トップ部材チャンネル１０ａは、トップ部材内側周囲部分２０の中の溝として示されている。当該溝は、内側トップ部材チャンネル境界部材１１ａおよび外側トップ部材チャンネル境界部材１１ｂに接している。シール（例えば、Ｏリング１５ａ）がチャンネル１０ａの中に配置される。当該シールは、トップ部材が、収容される電子装置と連結されるとき、および／またはトップ部材２がボトム部材３と連結されてハウジング１が形成されるときに、防水性および／または耐水性のシールを提供するように構成される。従って、トップ部材チャンネル１０ａのガスケット１５ａは、係合されたときに、トップ部材２とボトム部材３との間の防水性シールを容易にする。この図において、電子装置の位置を合わせる、方向を決定する、および／または留め付けるように機能する装置保持歯９６ａおよび９６ｂは、トップ部材中央周囲部分２０ｂから下向きに突き出ている。
【０２１７】
図５Ｄは、図５Ａのハウジングの前方近位部分２１に関して、トップ部材２周辺部材２０の後面を見た、下向きに角度をつけたクローズアップ斜視図である。この図の右側の上から下にかけて、トップ部材中央周囲部分２０ｂおよびトップ部材内側周囲部分２０ａは連続している。この図において、トップ部材チャンネル１０ａは、内側トップ部材チャンネル境界壁１１ａおよび外側トップ部材チャンネル境界壁１１ｂと接しているトップ部材内側周囲部分２０ａの中に配置されて示されている。ガスケット１５ａは示されていない。この図において、装置保持歯９６ａおよび９６ｂも示されている。装置保持歯９６は、電子装置の位置を部分的に合わせる、方向を決定する、および／または留め付けるように機能し、トップ部材中央周囲部分２０ｂから内向きに突き出ている。使って便利なインターフェースを電子装置に設けるために、ホームボタンシーリング部材４１ｃおよびホームボタン装置インターフェース４１ｄがトップ部材中央周囲部分２０ｂの一部として形成される。硬質のポート境界部材７２と接している、電気的伝送ポート（例えば、充電ポート）開口部７１ａも示されている。
【０２１８】
図６Ａは、下向きに角度をつけた、図１Ａのハウジングの前方隅部分にある、トップ部材２周辺部分２０の後面を見たクローズアップ斜視図である。この図の左上部分の左から右にかけて、トップ部材外側周囲部分２０ｃ、トップ部材中央周囲部分２０ｂ、およびトップ部材内側周囲部分２０ａが示されている。
【０２１９】
外側周囲部分２０ｃは、可撓性材料または半可撓性材料（例えば、ＴＰＥ）からなる衝撃吸収部分として構成される。トップ部材２がボトム部材３の対応する境界部材と合わせられてハウジング１を形成するときに、外側周囲部分２０ｃはトップ部材２およびハウジング１の外側境界を形成する。
【０２２０】
ハウジングに嵌合されたときに見られるように、中央周囲部分２０ｂは、延びたリッジ２６が電子装置の平面に対して実質的に垂直な角度で突出する、硬質フレーム部材として構成される。列挙された角度は９０度より大きくてもよく、９０度より小さくてもよいことが理解されなければならない。隆起したリッジ部材２６はまた、リッジの先端表面に配置された、ハウジング１を形成するときにトップ部材２をボトム部材３と合わせて留め付ける目的で機能する、複数の隆起したリッジの位置合わせ部材１７を備える。隆起したリッジ部材２６はまた、第１の留め付け機構２７および第２の留め付け機構１３ａを備える。ここで、第１の留め付け機構は、隆起したリッジ２６の外側の側方表面から外向きに延びている突出したリップ部材２７として構成され、第２の留め付け機構１３ａは、隆起したリッジ２６の内側の側方表面から内向きに突き出ている複数の内側に延びたタブまたは歯要素１３ａとして構成される。
【０２２１】
内側周囲部分２０ａは、例えば、トップ部材が電子装置と連結されるとき、および／またはボトム部材３と連結されてハウジング１を形成するときに、トップ部材２の防水性および／または耐水性のシーリングを生じるように互いに協同的に相互作用する、２つの別個の特徴を備えるように構成される。例えば、内側周囲部分２０ａは、密封可能なガスケット１５ａが中に配置されたチャンネル部材１０ａを備え、かつ、電子装置と滑らかな境界面を形成するために電子装置のトップ表面と整合するように適合されたワイパー部分を備える。当該境界面は、ワイパーの下への、およびハウジングの中への水および／または塵の侵害を部分的に低減するように機能する。
【０２２２】
電子装置の位置を合わせる、方向を決定する、および／または留め付けるのを助けることができる単一の装置保持部材（例えば、歯９６ｂ）が部材中央周囲部分２０ｂに図示されている。ホームボタンシーリング部材４１ｃおよびホームボタン装置インターフェース４１ｄもまたトップ部材内側周囲部分２０ａの一部として示されている。これらは一緒になって、防水性シールおよび使って便利なインターフェースを、ハウジング内に収容された電子装置に設けるように、機能する。
【０２２３】
それぞれのトップ部材の隆起したリッジ歯部材１７ａが、対応するボトム部材の隆起したリッジ歯１７ｂ（記載せず）と係合できるように、トップ部材の２つの隆起したリッジ部材１７ａは、トップ部材中央周囲部分２０ｂの隆起したリッジ部材２６の先端表面に、トップ部材中央周囲部分２０ｂの隆起したリッジ部材２６の先端表面から突き出ている歯として、構成される。
【０２２４】
これらの歯部材１７ａに加えて、この態様では、ハウジング１のための第２の留め付け機構１３の一部を構成する歯１３ａも図示されている。第２の留め付け機構の歯１３ａは、ボトム部材３の対応する歯収容口１３ｂ（記載せず）と可逆的に係合するように構成される。この場合、トップ部材２とボトム部材３が係合されるときに、トップ部材歯１３ａはそれぞれ、対応するボトム部材３歯収容口１３ｂに突き出ている。トップ部材２はまた、部材２とボトム部材３が係合されたときに、ボトム部材３の対応する収容部材（例えば、溝３７（記載せず））の中に収容されるように構成された、突出したリップ部材２７として構成された、第１の留め付け機構２７も備える。
【０２２５】
さらに、内側周囲部分チャンネル１０ａ、ガスケット１５ａ、およびワイパー部分の構成がある場合、トップ部材内側周囲部分２０ａは、フロントガラスに対するウィンドウワイパーの様式と機能的に類似する様式で電子装置の表面に対するシールとして機能してもよく、従って、典型的には、曲げやすい軟らかい材料から構成され、その結果、これらの部分が他の部材と１つまたは複数のシールを形成するのが容易となる。
【０２２６】
図６Ｂは、図１Ａのハウジングの前方隅部分のトップ部材２周辺部分２０の後面を見たクローズアップ斜視図である。トップ部材周辺部分２０の外側隅から図示すると、この図面に示されている隅縁をトップ部材外側周囲部分２０ｃが備え、そのすぐ内側に隣接してトップ部材中央周囲部分２０ｂが示されており、そのすぐ内側に隣接して、この図面に示されている隅部の内側境界を形成するように、トップ部材内側周囲部分２０ｃが示されている。
【０２２７】
外側周囲部分２０ｃは、延びたレッジを形成する平らな面として構成され、このレッジに、隆起したリッジ部材２６が配置され、そこから離れるように延びている。隆起したリッジ２６には３つの表面が示されている。外側表面は、隆起したリッジを通って平行に延びる中心線から０〜９０度の角度で外側に延びている突出したリップ２７を有する。外側表面は、隆起したリッジを通って平行に延びる中心線から０〜９０度の角度でハウジング１から外側に延びている突出したリップ２７を有する。内側表面は、隆起したリッジを通って平行に延びる中心線から０〜９０度の角度でハウジング１の中心に向かって内側に延びている延びた歯１３を有する。先端表面は、具体的に示されているように平面であるが、トップ部材中央部分２０ｂの隅の近位に、隆起したリッジ部材２６の先端表面に延びている隆起したリッジ歯１７を備える。トップ部材の２つの隆起したリッジ歯１７はそれぞれ、対応するボトム部材の隆起したリッジ歯１７ｂ（記載せず）と係合することができる。これらの歯要素のさらに多い要素、または少ない要素がトップ部材およびボトム部材の対応する部分に含まれてもよい。この図では、電子装置が保護ハウジングの中に入れられたときにトップ部材内側周囲部分２０ａが電子装置の表面を密封するように、トップ部材内側周囲部分２０ａは、電子装置の形状に対応する内側の隅を規定する。
【０２２８】
図６Ｃは、図６Ｂのハウジングの前方隅部分のボトム部材３周辺部分３０のトップ表面（上）およびトップ部材２周辺部材２０のボトム表面を細部まで示した、保護ハウジング１の隅を見たクローズアップ斜視図である。一方の部材がある方向に裏返されたときに２つの部材が相互作用するように（記載せず）位置を合わせて、それぞれの部材を示した。
【０２２９】
ボトム部材３周辺部分３０は、外側周囲部分３０ｃ、中央周囲部分３０ｂ、および内側周囲部分３０ａを備える。外側周囲部分３０ｃは、延びたレッジを形成する平らな面と共に構成される。このレッジの上に、中央周囲部分および内側周囲部分が配置される。外側周囲部分３０ｃは、例えば、トップ部材２およびボトム部材３が合わせられ連結されてハウジング１を形成するときに、トップ部材２の対応する外側周囲部分２０ｃと位置が合い当接するように構成された、可撓性材料を備える。これらの部分は半可撓性材料または可撓性材料から製造されてもよく、ハウジングに防衝撃性および／または耐落下性の保護を提供するように構成される。
【０２３０】
ボトム部材中央周囲部分３０ｂおよびボトム部材内側周囲部分３０ａはボトム部材チャンネル１０ｂを形成するように互いに間隔が開けられている。当該チャンネルは、その中にボトム部材シーリングガスケット１５ｂ（記載せず）を受け入れるように構成される。ボトム部材中央周囲部分３０ｂは、ボトム部材のボトム表面から延びている隆起したリッジとして形成され、チャンネル１０ｂの外側境界壁を形成するように構成される。この中央周囲部分は、トップ部材２の対応する留め付け機構２７を受け入れるように適合された延びた溝として構成された留め付け機構３７を備える。トップ部材２の対応する留め付け機構２７は、トップ部材２の中の突出したリップとして構成される。
【０２３１】
ボトム部材の内側周囲部分３０ａもまたボトム表面から延びている隆起したリッジとして形成され、チャンネル１０ｂの内側境界壁を形成するように構成される。この内側周囲部分は、トップ部材２の対応する留め付け機構１３ａを受け入れるように適合された複数のデテントとして構成された留め付け機構１３ｂを備える。トップ部材２の対応する留め付け機構１３ａは、トップ部材２の中にある複数の延びたタブまたは歯として構成される。さらに、ボトム部材中央周囲部分３０ｂは、ボトム部材中央周囲部分３０ｂのトップ表面から上向きに突出するとして、ここで図示されているボトム部材の隆起したリッジ歯１７ｂを有する。
【０２３２】
トップ部材２（下）はボトム部材３と可逆的に係合するように構成される。隅の図について、トップ部材外側周囲部分２０ｃは、隅の外側周辺部を規定する湾曲部として図示されている。その内側にトップ部材中央周囲部分２０ｂが配置されており、トップ部材外側周囲部分２０ｃと相互接続されている。
【０２３３】
隆起したリッジ部材２６は、中央周囲部分２０ｂのトップ表面から上向きに延びているものとして、ここに図示されており、湾曲した隆起したリッジ部材２６を取り囲んで、中央周囲部分２０ｂのトップ表面に、トップ部材の２つの隆起した歯１７ａが配置されている。この態様において見られるように、特に、落下中に、例えば、ハウジングの隅においてトップ部材２およびボトム部材３の位置を合わせ、トップ部材２およびボトム部材３の連結を維持するために、トップ部材の２つの隆起した歯１７ａはボトム部材３の対応する隆起した歯１７ｂと位置が合うように構成される。
【０２３４】
トップ部材２のトップ部材の隆起したリッジ部材２６は、ボトム部材３の対応する留め付け機構（例えば、延びた溝部材３７として構成された対応する留め付け機構）と係合するように構成された、突出したリップ領域２７として構成された、複数の留め付け機構２７および１３ａを備え；かつボトム部材３の対応する留め付け機構（例えば、対応する歯収容口１３ｂとして構成された対応する留め付け機構）と係合するように構成された、一連の延びた歯要素１３ａを備える。従って、トップ部材２の隆起したリッジ２６は、隆起したリッジを通って平行に延びる中心線から０〜９０度の角度でハウジング１の中心に向かって内側に延びている延びた歯１３を有する内側表面を備えてもよい。保護ハウジングのトップ部材２とボトム部材３が係合されたときに、隆起したリッジ部材２６はボトム部材チャンネル１０ｂに突き出ているように構成される。トップ部材チャンネル１０ａ（ガスケットは記載せず）および内側周囲部材２０ａのトップ部材ワイパー部分も図示されている。
【０２３５】
図６Ｄは、ボトム部材３の周辺部分３０のトップ表面を細部まで示した、保護ハウジングの隅を見たクローズアップ斜視図である。この態様では、この図において図示されたボトム部材外側周囲部分３０ｃの隅の近位に配置された、ボトム部材中央周囲部分（例えば、チャンネル外側境界部材）３０ｂから上向きに突出するボトム部材の隆起したリッジ歯１７ｂが２つ図示されており、この場合、対応するトップ部材は、トップ部材の隆起したリッジ歯１７ａ（記載せず）を１つ備える。ボトム部材内側周囲部分３０ａはまた、チャンネル１０ｂを形成するように中央周囲部分３０ｂからある角度をなして図示されている。内側境界部材３０ｂの内側表面には複数の歯収容口１３ｂが配置される。ボトム部材の後面３５ｂはスピーカーグリル６０ｂを有し、ボトム部材内側周囲部分３０ａと当接して示されている。
【０２３６】
２つの隆起したリッジ歯１７ｂは、ボトム部材外側部分２０ｃの隅の近位において、チャンネル外側境界部材３０ｂのトップ表面の上に延びている。トップ部材の２つの隆起したリッジ歯１７ｂはそれぞれ、対応するトップ部材の隆起したリッジ歯１７ｂ（記載せず）と係合することができる。これらの歯要素のさらに多い要素、または少ない要素がトップ部材およびボトム部材の対応する部分に含まれてもよい。この図では、電子装置が保護ハウジングの中に入れられたときにボトム部材内側周囲部分３０ａが電子装置の表面と係合するように、ボトム部材内側周囲部分３０ａは電子装置の形状に対応する内側の隅を規定する。
【０２３７】
図６Ｅは、電子装置と係合したときの、特に、電子装置の近位部分（例えば、充電部分）と係合したときの、トップ部材２周辺部分２０の後面の一部を示す、ハウジングのトップ前方部分を見下ろしたクローズアップ斜視図である。トップ部材内側周囲部分２０ａは、この図において明らかなトップ部材近位端部分２１において、耐衝撃性および耐衝突性の部分を形成する。トップ部材外側周囲部分２０ｃもまた、この図において明らかなトップ部材近位端部分２１において、耐衝撃性および耐衝突性の部分を形成する。留め付け機構２７およびトップ部材の２つの隆起したリッジ歯１７ａは、ボトム部材の隆起したリッジ部材２６から上向きに突出して図示されている。強化および補強されたラッチポート境界部材７２と接しているトップ部材近位端部分２１ならびに装置保持歯９６ａおよび９６ｂの近くに、ラッチポート開口部７１ａも図示されている。
【０２３８】
図６Ｆは、スピーカー出力端子を有する電子装置１００が図示されている、保護ハウジング１の底部を見た底部斜視図である。トップ部材中央周囲部分２０ｂから上向きに突出する隆起したリッジ部材２６と当接し、かつ一体になったトップ部材外側周囲部分２０ｃが図示されている。隆起したリッジ部材２６から上向きに突出する４組の対になったトップ部材歯１７を備えるように、隆起したリッジ部材２６を見ることができる。トップ部材の２つ一組の対になった歯１７が、それぞれ保護ハウジングのトップ部材２の隅の近位に配置されている。保護ハウジングのボトム部材３は示されていない。装置保持歯９６ａおよび９６ｂが、電子装置の位置を合わせ、電子装置の方向を決定し、電子装置をトップ部材２でしっかり固定するのを助けるように、電子装置（例えば、ｉＰａｄ）がトップ部材２と係合して図示されている。トップ部材周囲部分２０のトップ部材遠位端部分２２にヘッドホンポートシーリング部材５３が図示されており、トップ部材近位端部分２１にラッチポート開口部境界部材７２が配置されている。
【０２３９】
図７Ａは、本明細書において提供されたように連結されて保護ハウジング１を形成する、トップ部材２およびボトム部材３の遠位端のクローズアップ正面図である。トップ部材の周辺部分２０およびボトム部材の周辺部分３０がトップ部材およびボトム部材の遠位端部分２２および３２の上部に示されている。電気的伝送シーリング部材５３（例えば、ヘッドホンポート栓）は、トップ部材の電気的伝送ポートアパーチャ５０の中に係合されているため、トップ部材２に示されている。この態様において、ボトム部材３は、ヘッドホンシーリング栓５３を保護するように機能する、突出したリムを有することに留意されたい。ボトム部材のボトム表面３５にはボトム部材アクセサリポート９７が示されている。
【０２４０】
図７Ｂは、本明細書において提供される保護ハウジングのトップ部材２の遠位端のクローズアップ正面図である。トップ部材２のトップ部材遠位端部分２２のトップ部材周辺部分２０のトップ表面が図示されている。トップ部材２にヘッドホンシーリングポート５３が示されている。トップ部材２の外側区域にわたって存在する衝撃保護層を形成するために、トップ部材２は、可撓性材料（例えば、ＴＰＥ）からなる、延びたレッジ領域を備える外部周辺部分２０ｃを備える。トップ部材２は、突出したリップ（例えば、突出部）または留め具部材として構成された第１の留め付け機構２７を備える隆起したリッジ部材２６を備える中央周囲部分２０ｂをさらに備える。さらに、隆起したリッジ２６は平面の先端表面を備える。当該表面は、隆起した歯１７ａを備える。隆起した歯１７ａは、湾曲した隆起したリッジ部材２６から上向きに突出して示されており、対応するボトム部材３の対応する隆起した歯１７ｂ（記載せず）または歯部材を受け入れるように互いに間隔をおいて配置されている。さらに、図７Ｂに関して見ることができるように、周辺部分２０は、電気的伝送ポート５０（例えば、ヘッドホンジャックポート）と境界を接し、かつ納める隆起部５２を備える。当該ポートは、ポート５０のアパーチャの中にヘッドホンポート栓５３を入れることによって密封される。
【０２４１】
図７Ｃは、ボトム部材後面３５の遠位３２の斜視図である。ボトム部材周辺部分３０が図示されている。この図の上および下には、相対するボトム部材左手側部材３３およびボトム部材右手部材３４がそれぞれ示されている。この図の左側に図示されているボトム部材遠位端部分３２は、ポートシーリング部材５３が中に保持されているヘッドホンシーリングポート５０として構成された電気的伝送ポートを含む、様々なさらなる特徴を組み込んでいる。この態様において見られるように、この特徴に追加の衝撃保護を設けるために、ボトム部材周辺部分は、伝送ポート５０と接している隆起した補強領域５２を有する。マイクロホン伝送ポート６１およびレンズ特徴８０も図示されている。ボトム部材右手側部材３４に関して、ボトム部材周辺部分３０に音量ボタン９９ａおよび表示方向スイッチ９０を含むさらなる特徴が図示されている。アクセサリポート９７も図示されている。
【０２４２】
図７Ｄは、ヘッドホンシーリングポート部材５３ならびにボトム部材アクセサリポート部材９７を示す、保護ハウジング１のトップ部材２およびボトム部材３の隅のクローズアップ斜視図である。ヘッドホンシーリングポート部材５３はヘッドホンポート５０の中に保持され、この部分は、ボトム部材３の上のヘッドホンシーリングポート５０の開口部を納めるボトム部材周辺部分３０に沿って、突出したリム５２によって囲まれ、それによって、ハウジングのこの部分はさらに支えられる。この図では、保護ハウジングのトップ部材２は、ボトム部材３と合わせられ、かつ連結され、正面図からそれて図示されている。この特定の態様では、２つの開口部を有するボトム部材アクセサリポート９７が図示されている。
【０２４３】
図７Ｅは、ヘッドホンポート５０として構成された図７Ｄの電気的伝送ポートの図を示す、ハウジングの遠位部分の断面図を提供する。図７Ｅに関して見ることができるように、ボトム部材３は、可撓性の衝撃吸収部材として構成された外側周囲部分３０ｃを備える。ボトム部材３はまた、ボトム部材チャンネル１５ｂを形成するように互いに間隔が開けられている中央周囲部分３０ｂおよび内側周囲部分３０ａを備える。当該チャンネルの中にはボトム部材ガスケットが配置される。ボトム部材中央周囲部分は、留め具として構成された留め付け部材３７を備える。トップ部材２およびボトム部材３が互いに連結されたときにトップ部材２およびボトム部材３を一緒に留め付けるように、当該留め具は、トップ部材２の対応する留め付け機構２７（例えば、対応する留め具）と係合するように適合される。ボトム部材３はまた、電子装置１００（例えば、タブレット演算装置、例えば、タブレットＰＣ）を中に受け入れ、支えるように構成されたボトム表面３５を備える。
【０２４４】
トップ部材２は周辺部分２０を備えるが、トップ表面部材を備えない。実際には、周辺部分２０は、電子装置のトップ表面を枠に入れる硬質の骨格周囲部材を形成し、ボトム部材３と連結して、ボトム部材３および装置１００と防液体性シールを形成するように構成された中央周囲部分２０ｂを備える。例えば、トップ部材中央周囲部分２０ｂは、ボトム部材チャンネル１０ｂに突き当たり、その中で２つの関連した機能を果たす、延びたリッジ部材２６を備える。第１に、延びたリッジ部材２６は、留め具として構成された留め付け機構２７を備える。トップ部材２およびボトム部材３が接続されたときにトップ部材２およびボトム部材３を留め付けるために、当該留め具は、ボトム部材３の対応する留め付け機構３７（例えば、対応する留め具）と係合するように構成される。第２に、延びたリッジ部材２６は、ボトム部材チャンネル１０ｂの中でボトム部材ガスケット１５ｂと係合し、これを圧縮し、それによって圧縮するように構成された、先端表面を備える。これらの要素は一緒になって、トップ部材２およびボトム部材３が一緒になってかみ合う周辺部材２０ａおよび３０ｂに沿ってトップ部材２とボトム部材３との間に防液体性シールが生じるように、協同的に機能する。
【０２４５】
さらに、トップ部材２は、示されているように、収容された装置１００の前方トップ表面と連結されると防水性シールを生じるように構成された内側周囲部分２０ａを備える。トップ部材２の内側周囲部分２０ａは、収容された装置との防水性シーリングを容易にするように機能する２つの別個の部分を備える。第１に、内側周囲部分２０ａはトップ部材チャンネル１０ａを備えるように構成される。当該トップ部材チャンネルは、内側トップ部材チャンネル壁１１ａおよび外側トップ部材チャンネル壁１１ｂと接している。トップ部材チャンネル１０ａはトップ部材ガスケット１５ａを保持するように構成される。当該ガスケットは、収容された装置の一部と係合するように構成され、特に、このような係合によって圧縮され、それによって、収容された装置と水密性シーリングを生じることができるように設計される。例えば、ある特定の態様において、トップ部材ガスケット１５ａは中空である。第２に、内側周囲部分２０ｃは、自動車のワイパーに酷似して機能するように構成された縁部分を備える。これは、装置１００とハウジング１との間に実質的にシームレスの境界面を生じるように、収容された装置のトップまたは縁部分と整合する傾斜した縁を有する。当該境界面は、液体がハウジング１を通って浸食しないように働く。このような様式で、本開示のハウジング１は、収容された装置を取り囲んで防水性および防衝撃性のシーリングを生じることができる。
【０２４６】
トップ部材２はまた、可撓性衝撃吸収部材としても構成される外側周囲部分２０ｃを備える。外側周囲部分２０ｃは、同じ機能を果たすボトム部材の対応する外側バンパー部材３０ｃと位置が合うように構成された外部可撓性バンパー部分として構成されてもよい。
【０２４７】
ハウジング１の音声伝達ポート５０も図示されている。この態様において、音声伝達ポート５０はヘッドホン伝送ポートとして構成される。従って、トップ部材２はポートアパーチャ５１を備える。ヘッドホンまたはスピーカー装置が、収容された装置１００のヘッドホン部分と電子的に接続できるようにするために、ポートアパーチャ５１の中には、ヘッドホンインターフェイス、または、この場合ではヘッドホンアダプタインターフェイス５８ｂが挿入されてもよい。ヘッドホンポートアパーチャ５１は、アパーチャと境界を接する接続要素（例えば、ねじ切り部５４ａ）を備え、（この態様において図示されているように）ヘッドホンジャックおよび／またはヘッドホンジャックアダプタ５７の対応する接続要素５４ｂ（例えば、対応するねじ切り部）とかみ合うように構成される。ヘッドホンポート５０はガスケットを備えてもよい。しかしながら、この態様では、ヘッドホンジャックアダプタ５７はガスケットを備え、そのため、ヘッドホンポート５０の中にさらなるガスケットが含まれてもよいが必要とはされない。
【０２４８】
ハウジング１に、および収容された装置１００の中に挿入されたときに見られるように、図７Ｅには、アクセサリジャックアダプタ５７（例えば、ヘッドホンジャックアダプタ）をさらに図示した。アクセサリジャックアダプタ５７は２つの伝送インターフェース５８を備える。一方の伝送インターフェース５８ａは、アクセサリ（例えば、ヘッドホン、スピーカー装置など）のジャック部分を受け入れるように構成される。アクセサリと電子装置との間に電子的インターフェースを生じるために、他方の伝送インターフェース５８ｂは、アクセサリ（例えば、ヘッドホンまたはスピーカー）のジャック部分として構成され、電子装置のジャック収容部分の中に収容されるように適合される。本明細書において提供されるアクセサリジャックアダプタの独特の特徴は、ジャック部分５８ｂと、収容された装置のジャック収容部分との間に防水性シールを生じることができることである。この機能を果たすために、ジャックアダプタ５７は、この場合ではねじ山として構成されたが任意の種類の接続要素（例えばカム部分）でもよい接続インターフェース５４ｂを備え；ジャックポートアパーチャ５１を介してジャックアダプタ５７がハウジング１に連結され、かつ対応する接続要素５４ａおよび５４ｂが係合されるとハウジング１とジャックアダプタとの間に防水性シールが生じるように、ガスケット５５（例えば、Ｏリング）が中に配置されているガスケットシートをさらに備える。ジャックアダプタ５７は設けられる必要はないことに留意されたい。ここで、ハウジングとこのように係合される任意のアクセサリが、ジャックアダプタ５７に関して本明細書に記載されたものと類似するように構成されたジャックを備える。
【０２４９】
図８Ａは、ボトム部材３の前面の一部の隅のクローズアップ図である。ボトム部材は、前後面部材３５を取り囲む周辺部分３０を備える。周辺部分３０は、可撓性材料として構成された外側周囲部分３０ｃを備え、当該部分３０ｃは、硬くて剛性の高い材料からなるボトム部材中央周囲部分３０ｂに取り付けられたかまたはそうではなくオーバーモールディングされ、当該部分３０ｂは、ボトム部材内側周囲部分３０ａと共に形成され、これらは両方とも、後面部材３５と同じ材料から同時に製造される。この骨格フレーム材料に可撓性外側材料３０ｃが加えられる。中央周囲部分３０ｂおよび内側周囲部分３０ａはボトム部材チャンネル１０ｂを形成するように構成される。図示されているように、ボトム部材ガスケット１５ｂは示されていない。
【０２５０】
ボトム部材中央周囲部分３０ｂのトップ表面から上向きに突出する、この図に示されている、単一のボトム部材の隆起したリッジ歯１７ｂも図示されている。ボトム部材中央周囲部分３０ｂはボトム部材チャンネル１０ｂの境界壁を形成する。ボトム部材チャンネル１０ｂはボトム部材外側周囲部分３０ｃのすぐ右側かつ内側に示されている。さらに、チャンネル１０ｂはボトム部材内側周囲部分３０ｂに接している。垂直に整列されたボトム部材歯収容口１３ｂが内側ボトムチャンネル境界壁３０ａの一部として示されており、この図ではボトム部材チャンネル１０ｂの右側かつ内側に図示されている。トップ部材の対応する歯１３ａ（記載せず）と可逆的に係合されるときに、このような歯収容口１３ｂは第２の留め付け機構の一部を構成する。
【０２５１】
ボトム部材バンパー３６が、垂直に整列されたボトム部材歯収容口１３ｂの内側に対して垂直に図示されている。ボトム部材の内側周囲部分３０ａがボトム部材前面３５ａと共に粘着性シールを形成するように内部かつ右側に図示されている。この図の上部において、ヘッドホンシーリングポート５３（記載せず）を保護するように機能する突出したリム５２が、ボトム部材外側周囲部分３０ａにおける湾曲した切り込み（ｉｎｄｅｎｔｕｒｅ）として図示されている。ボトム部材外側周囲部分３０ａは、ボトム部材中央周囲部分３０ｂのすぐ下に図示されているボトム部材チャンネル１０ｂの境界を規定するボトム部材中央周囲部分３０ｂと一体になっている。ボトム部材内側周囲部分３０ａの下からボトム部材チャンネル１０ｂの内側までマイクロホン伝送ポート６１が見える。マイクロホン伝送ポート６１は、ハウジング部材の内部から外部に延びているアパーチャを有する。当該アパーチャは防水性のスピーカーガスケット６１ａによってカバーされる。
【０２５２】
図８Ｂは、図８Ａのボトム部材３前面の一部の隅のクローズアップ図である。ボトム部材外側周囲部分３０ｃは示されていない。ボトム部材中央周囲部分３０ｂはボトム部材３の上部分を規定し、ボトム部材内側周囲部分３０ａの遠位に配置されているが、ボトム部材内側周囲部分３０ａと一体になっている。ボトム部材中央周囲部分３０ｂから上向きに突出する、ボトム部材の１つの隆起したリッジ歯１７ｂが示されている。中央周囲部分３０ｂはボトム部材チャンネル１０ｂの外側境界壁を形成し、この図では、ボトム部材チャンネル１０ｂは、ボトム部材内側周囲部分３０ａのすぐ内側、かつボトム部材内側周囲部分３０ａより下に配置されている。ボトム部材歯収容口１３ｂは、ボトムチャンネル内側境界部材３０ａの上に、水平に、かつボトム部材チャンネル１０ｂのすぐ上に整列されるように図示されている。このような歯収容口１３ｂは、トップ部材の対応する歯１３ａ（記載せず）と可逆的に係合されたときに第２の留め付け機構の一部を構成する。ボトム部材バンパー３６は、ボトム部材内側周囲部分３０ａと共に成形されているボトム部材歯収容口１３ｂより下に図示されている。
【０２５３】
図９Ａは、ハウジングを下向きにし、ボトム部材３を上から見たときに、ハウジング１を見下ろした斜視図である。ボトム部材周辺部分３０は、音量ボタン９９ａ、オン／オフボタン９９ｂ、サイレンス／表示方向スイッチ９０、マイクロホン伝送ポート６１、スピーカーグリル６０ｂ、レンズ特徴８０、および動作可能に取り付けられて示されている電子的伝送ポートアダプタ５７を備えるヘッドホンポート開口部５０と共に示されている。ここで、電子的伝送ポートアダプタ５７は、様々なタイプのアクセサリ（例えば、ヘッドホン、スピーカー、または収容された電子装置１００との電子通信を必要とする他の部材）のための防水性インターフェースを提供するために使用することができる。ラッチ特徴７０は、充電ポート開口部１１ａ（記載せず）をカバーおよび封入するように配置され得るラッチドア７１ｂによってカバーされる。この図には、ツール、コインなどによってトップ部材２とボトム部材３を分離するのに用いられ得るツールスロット特徴１８ａおよび１８ｂも見える。
【０２５４】
図９Ｂは、音量制御ボタン９９ａに隣接するサイレンス／表示方向制御スイッチ９０を示す、保護ハウジング１のボトム部材３の内部のクローズアップ側面図である。サイレンス／表示方向制御スイッチ９０および音量制御ボタン９９ａ特徴は典型的には２つの部分にて製造される。最初に、ボトム表面ならびに内側周囲部分および中央周囲部分を形成するように、ボトム部材の前後面３５が押し出され、成形される。ここで、周辺部材３０の一部は、アパーチャが貫通して設けられるように製造される。さらに、当該アパーチャからハウジング１の様々なボタン特徴を形成することができる。
【０２５５】
これらのボタン特徴は、別々に作られたが、ボトム部材３が成形された後にハウジングに加えられる特定の機能要素を備えてもよい。次いで、これらの特徴のための防水性のシールおよび／またはシートが、例えば、オーバーモールディングプロセス中に製造されてボトム部材３５骨格フレームに加えられてもよい。従って、このような様式で、適切な表示方向／サイレンススイッチ特徴９０ａおよび／または音量制御シーソーボタンが設計され、ケースと共に組み立てられる。従って、表示方向ボタン９０および音量制御ボタン９９は、収容された装置の対応するスイッチおよびボタンと係合するように適合できるような様式でハウジング１と連結される。
【０２５６】
ハウジング１のボトム部材３の内側に図示されているサイレンス／表示方向制御スイッチ９０は、この図では、保護ハウジング１の外側に動作可能に接続されて配置された回転ユーザーインターフェーススイッチ部材９０ａ（記載せず）と係合する。表示方向制御スイッチ９０の回転スイッチ部材９０ａは、保護ハウジングの外部部分に配置された部分的に円形の切れ込み９０ｃ（記載せず）を中心にユーザーが回転するように構成されたハンドル部材９０ｂ（記載せず）を備える。
【０２５７】
ハンドル部材９０ｂは、保護ハウジング１の外側からその内側に貫くポスト部材９０ｄと一体になっている。この特徴を通って侵入しないようにするために、ポスト部材ガスケット９０ｅが、ポスト部材９０ｄを包囲し、ポスト部材９０ｄと共に防水性および防塵性のシールを形成する。ポスト部材は表示方向制御スイッチ９０と係合し、これは、ハンドル部材９０ｂおよびポスト部材９０ｄの回転運動を、収容された電子装置上にある直線移動可能なスライダー型スイッチの垂直移動または水平移動に変えるように機能する、Ｕ型開口部を有するカム様特徴９０ｆとして構成されてもよい。例えば、装置を静かにさせるために、または表示方向制御スイッチとして、操作中にハンドル部材９０ｄを回転させると、電子装置上にある直線移動スイッチが第１の位置から第２の位置に摺動する。
【０２５８】
この態様において示されている音量制御部分９９ａはハンマーヘッドシーソー部材として構成され、それぞれ、収容された電子装置の音量制御ボタンが機能できるよう仲介する振動トグルとして動作する。例えば、図示されたように、この内部トグルは、収容された電子装置の音量制御と動作可能に係合するように、保護ハウジングの外側において、ボタンの音量を上げる部分または音量を下げる部分を押し下げて、内部トグルを一方の側または反対側から前後に揺らすことによって、駆動されてもよい。この図には、外側ボトムチャンネル境界壁３０ｂ、および歯収容口１３ｂを備える内側チャンネル境界壁３０ａも図示されている。内側ボトムチャンネル境界壁３０ａのすぐ遠位にはボトム部材チャンネル１０ｂがある。ボトム部材チャンネル１０ｂは、この部材のすぐ遠位においてボトム部材内側境界壁３０ａと一体になった外側チャンネル境界壁３０ｂを有する。
図９Ｃは、図９Ｂの保護ハウジングのボトム部材３の隅の斜視図である。音量制御部分９９ａが示され、これは、この態様では、ボトム部材後面３５に隣接するボトム部材周辺部分３０の中に配置されたサイレンス／表示方向制御スイッチ９０の近位にハンマーヘッドトグルスイッチを備える。表示方向制御スイッチの操作は図９ｂの説明において前述されている。この図では、表示方向制御スイッチハンドル９０ｂは、ボトム部材周辺部分３０と一体になった、部分的に円形の切れ込み９０ｃの内部に位置するように図示されている。内部トグル（記載せず）が前記のように音量制御スイッチ９９ａによって駆動され得るように、この態様において示された音量制御スイッチ９９ａは、電子装置の音量制御スイッチが機能できるよう仲介する振動トグルとして動作する。延びたポスト特徴がハウジングの外側から内側に延びているオン／オフスイッチ９９ｂも同様に設けられる。当該ポスト部材は防水性シーリングエンベロープによってカバーされる。ポスト部材は、ユーザーが押し下げることができる、ハウジングの外部部分に配置されたユーザーインターフェース部分を有する。この下向きの力によって、ポスト要素は近位方向、下向きに移動し、それによって、収容された電子装置のオン／オフスイッチと係合して、オン／オフスイッチはオン位置からオフ位置に変わり、逆の場合も同様である。ボトム部材後面３５ｂに当接するボトム部材内側周囲部分３０ａには、レンズ特徴８０も示されている。レンズ特徴は、例えばマンドロール（ｍａｎｄｒｏｌ）または他の適切な手段を介してボトム部材３に挿入された光学グレードレンズ８３、および光（例えば、フラッシュ部材（記載せず）から出た光）がカメラレンズ８３部分に当たるのを実質的に阻止するために、レンズを取り囲むように製造された光学スカート８２を備える。フラッシュ特徴８５が図示されていないが、様々な態様において含まれ得る。
【０２５９】
図９Ｄは、ボトム部材３の遠位端部分３２の後面３５の上面図である。この図面では、この態様においてスライダースイッチとして図示された音量制御部分９９ａ、表示方向制御スイッチ９０、オン／オフボタン９９ｂ、およびボトム部材の後面３５と当接するボトム部材内側周辺部分３０の上に示されたレンズスカート８２によって部分的に囲まれたレンズ８３を有するレンズ特徴８０を含めて、ボトム部材外側周辺部分３０に沿って非常に多くの特徴を見ることができる。マイクロホン伝送ポート特徴６１および補強隆起部材によって保護されたヘッドホンシーリングポート５３も示されている。表示方向制御スイッチハンドル９０ｂは、ボトム部材周辺部分３０と一体になった、部分的に円形の切れ込み９０ｃの内部に位置するように図示されている。この操作は、図９Ｂおよび図９Ｃにおいてさらに詳細に説明されている。ユーザーインターフェースハンドル９０ｂの上には移動インジケータが表示されている。押し下げ可能な内部トグルまたはボタン（記載せず）が、この態様において図示されていオン／オフスイッチ９９ｂによって作動され得るように、この図において示されたオン／オフスイッチ９９ｂは、電子装置のオン／オフスイッチが機能できるよう仲介する平行移動可能なトグルを動かす。
【０２６０】
図１０Ａは、図１Ａのハウジングの充電ポート特徴７０として構成された電子的伝送ポートを示す、ハウジング１の近位部分のクローズアップ透視図である。トップ部材２およびボトム部材３は両方とも連結されてハウジング１を形成するように図示されている。詳細を示すために、充電ポートラッチドア７１ｂがハウジングから取り外された状態で充電ポート特徴７０が図示されている。
【０２６１】
この図の下部において、トップ部材周辺部分２０の近位端部分２１およびボトム部材周辺部分３０の近位端部分３１が前を向き、ラッチ特徴開口部７１ａの各側面と境をなすように、ボトム部材３およびトップ部材２が連結されて示されている。ボトム部材外側周囲部分３０ｃは、ラッチ特徴開口部７１ａを納めるように構成された、下向きに湾曲したリッジを形成し、若干、さらに丈夫なボトム部材近位端部分３１を有することによって、乱暴な取り扱い、ぶつかりなどからの保護を提供する。
【０２６２】
ボトム部材近位端部分３１は、接続部材および／またはドア部材を納めるために、様々なタイプのラッチ接続部材（例えば、軸収容オリフィス、軸、アパーチャ、穴、ヒンジ、フラップなど）を組み込んでもよい。この態様において見られるように、開位置から、電気的伝送ポート（例えば、充電ポート）の防液体性および防塵性のシールを提供する閉位置に旋回する、または向きを変えることができるように、ボトム部材中央周囲部分３０ｂから部分的に突き出て、ラッチドア軸収容オリフィス７５においてラッチドア７１ｂを接続するラッチドア軸７４が図示されている。
【０２６３】
この図では、トップ部材近位端部分２１がボトム部材周囲部分３１の上部に位置するように、トップ部材外側周囲部分２０ｃも見ることができる。これら２つは連結されて、充電ポート特徴７０が配置された保護ハウジング１の前方において耐衝撃性および耐衝突性の部分を取り囲んで形成する。この図の上部にはトップ部材周辺部分の前面が図示されている。上部の隅にはトップ部材中央周囲部分２０ｂおよびトップ部材内側周囲部分２０ｃが図示されており、この図の中央左部分にはホームボタン４０が存在する。トップ周辺部分２０の膜のない区域を通して見られるように、ボトム部材留め付け機構１３ｂも図示されている。
【０２６４】
図示されているように、ラッチポート特徴７０はラッチポート開口部７１ａを備える。当該開口部は、電子装置の装置アクセサリ（例えば、３０ピンデータ転送装置および充電器）の接続インターフェースを受け入れるような大きさの補強境界部材７２と接している。ラッチポート開口部７１ａはトップ部材２の中央周囲部分２０ｂの中に完全に、かつトップ部材２の中央周囲部分２０ｂを貫通して配置される。さらに、境界部材７２は、ラッチランプ収容部分７６を備えるように構成され、ラッチランプ収容部分７６は、ラッチドア７１ｂのラッチランプ閉塞要素７７を収容するように適合される。さらに、トップ部材中央周囲部分２０ｂは、ラッチドア７１ｂに接続するためのラッチドア軸７４を備える。
【０２６５】
従って、ラッチドア７１ｂは、ラッチランプ軸７４の少なくとも一部を収容するように構成された軸収容オリフィス７５を備える。この相互作用によって、ラッチドア７１ｂは、ポート開口部を防水性および耐衝撃性のシーリングにてカバーするために、軸７４を中心に開位置から閉位置に回転することができる。シーリングを確かなものにするために、ラッチドア７１ｂは、トップ部材２にある対応するシーリング機構と係合するように適合された、ここでは延びたラッチランプ部材として構成される、シーリング機構７７を備えてもよい。ラッチドア７１ｂは、ラッチポート開口部７２を密封し、それによって、ラッチドア７１ｂが閉じられてトップ部材２と係合されたときに液体の侵入から開口部を保護するように構成された、ガスケット７８をさらに備える。
【０２６６】
図１０Ｂは、ラッチドア特徴が保護ハウジング１の隅に配置されている、図１０Ａのラッチドア特徴の断面図である。ラッチドア７１ｂは閉位置にある。前記で示したように、ラッチドア特徴７０は軸収容オリフィス７５を備え、軸収容オリフィス７５を通ってラッチドア軸が収容される。トップ部材２において、その対応するシーリング機構７６（例えば、ラッチランプ収容部材）と係合される、シーリング機構７７（例えば、ラッチランプ部材）も含まれる。ラッチドア７１ｂは、ラッチポート開口部７１ａおよび境界部材７２に対して密封され、それによって液体の侵入から開口部を保護する、ガスケット７８をさらに備える。ラッチランプ収容部材７６の中にラッチドアロッキングランプ７７が収容され、それによって、ラッチランプドア７１ｂがしっかりと閉じられ、密封される。
【０２６７】
図示されているように、ホームボタン４０がトップ部材周辺部分２０のトップ表面に配置されている。当該トップ表面は、ホームボタンユーザーインターフェース４１ａと、ホームボタン装置インターフェース４１ｂと、ホームボタン４０の下に図示されており従って防液体性シーリングを提供するホームボタンシーリング部材４１ｃと、ホームボタン装置係合部分４１ｄとを含む様々な関連特徴と動作可能に接続している。
【０２６８】
トップ部材周辺部分２０に沿ってすぐ右側に、トップ部材近位端部分２１が、この図の右側に図示されたラッチカバー７１ｂと防水性シールを形成するように図示されている。充電ポートラッチまたはカバー７１ｂは、ラッチポートドア７１ｂおよびガスケット７８と共に、充電ポートオリフィス７１ａの防水性シーリングを提供するように機能する。この図では、ラッチランプ収容部材７６に当接してトップ部材前面でシールを形成するランプラッチ７７が見られる。この場所で、ガスケット７８は、保護ハウジングの外側とラッチ特徴開口部７１ａとの間にある防水性シールをさらに容易にする。この図では、横断面にある開口部の湾曲した表面が前に向いている状態で、ラッチ特徴開口部７１ａが図示されている。
【０２６９】
ここに図示されているように、トップ部材２のトップ部材中央周囲部分２０ｂは、ボトム部材３のボトム部材中央周囲部分３０ｂと位置を合わせられ、対応する留め付け機構２７および３７が連結される。トップ部材中央周囲部分２０ｂの延びたリッジ部材２６がチャンネル１０ｂの中で突き当たり、ボトム部材３のチャンネル１０ｂの中でガスケット１５ｂと係合してそれを圧縮し、保護ハウジング１のこの部分において防水性シールを生じるように、ボトムチャンネル１０ｂの中にガスケット１５ｂが配置される。この図面の下側前方にボトム部材近位端部分３１が図示されており、ボトム部材後面３５はスピーカーグリル６０ｂを備えている。この図面には、ボトム部材３の内側周囲部分３０ａの上に配置された歯収容口１３ｂも見え、これらの上には、トップ部材内側周囲部分２０ａが、その表面が周辺部材２０前面に対してある角度で傾斜した状態で見られる。
【０２７０】
図１０Ｃは、保護ハウジングのボトム部材３のボトム部材近位端部分３１と枢着したラッチ特徴ドア７１ｂの一部のクローズアップ透視図である。隆起した圧縮可能なガスケット７８がラッチドア７１ｂの表面の内側に配置された、ラッチドア７１ｂが見られる。ラッチドア７１ｂは、ラッチドア軸オリフィス７５の中に収容されたラッチドア軸７４を介して、保護ハウジングのボトム部材３のボトム部材近位端部分３１に取り付けられる。ラッチドア７１ｂは、ラッチドア７１ｂを閉位置に留め付けるのを助けるためにラッチランプ７７をさらに備える。
【０２７１】
図１０Ｄは、開位置にあるラッチ特徴７０を示す、保護ハウジング１の近位部分のクローズアップ透視図である。ここで、ラッチドア７１ｂは開位置にあり、ラッチ開口部７１ａは、明らかに、補強境界部材７２と接しているように見られる。この図では、ボトム部材後面３５は上を向いており、スピーカーグリル６０ｂは、ボトム部材３の前方左上部分に図示されている。この図では、ラッチカバードア７１ｂは、開いた状態であり、ボトム部材３から下向きに閉じられ得るように図示されている。この図において見ることができるように、ボトム部材近位端部分３１は、上向きかつ外向きに延びている湾曲した開口部を有する。湾曲した開口部には２つの軸収容オリフィス７５が配置され、開位置から、充電ポートの防液体性および防塵性のシールが形成される閉位置へと、軸７４を中心にして旋回するかまたは回転するラッチドア７１ｂを接続するラッチドア軸７４を収容するように機能する。トップ部材外側周囲部分２０ｃはまた、この図においてはっきり見えるラッチ特徴開口部７０を取り囲むトップ部材近位端部分２１において耐衝撃性および耐衝突性の部分を形成するのを助ける。ラッチドア７１ｂは、閉位置のときに水密性シーリングを確実なものにするためのガスケット７８をさらに備える。
【０２７２】
図１０Ｅは、電子装置１００を格納している保護ハウジング１を見下ろしたトップ部材周辺部分２０のトップ表面の透視図である。ラッチ特徴７０が設けられており、ここでラッチドア７１ｂは、閉じて係合された位置にあり、ラッチ特徴７０のポート開口部を閉じて密封するようにボトム部材３から回転されてトップ部材２と係合している。
【０２７３】
トップ部材２は、電子装置１００の外側周囲に近接することによって、電子装置１００のタッチセンシティブディスプレイを配置するための開口部を規定する、トップ部材周辺部分２０を有する。トップ部材周辺部分２０はトップ部材中央周囲部分２０ｂを有する。トップ部材中央周囲部分２０ｂは、装置１００の境界部を包囲してハウジング１のトップ部材２を形成する実質的に硬質のフレームとして構成される。トップ部材中央周囲部分２０ｂは実質的に硬質の材料からなる。トップ部材内側周囲部分２０ａは、例えば、オーバーモールディングによってトップ部材中央周囲部分に連結され、さらに典型的には、保護ハウジング１の中に配置されたときに、トップ部材内側周囲部分２０ａが、収容された電子装置１の前面とシールを形成するのに適した軟らかい内側縁を形成するように、可撓性のある、または曲げやすい材料からなる。
【０２７４】
トップ部材周辺部分２０は、相対するトップ部材左側部分２３およびトップ部材右側部分３４、ならびに相対するトップ部材近位端部分（前方）２１およびトップ部材遠位端部分２２を有することが分かる。トップ部材近位端部分２１の表面の中央部分にホームボタン４０が図示されており、ボトム部材３から上向きに延びており、ボトム部材３およびトップ部材２を横断して、ラッチ特徴開口部７１ａ（記載せず）のための防水性シールを形成するラッチドア７１ｂが示されている。
【０２７５】
図１０Ｆは、ハウジングの前面を下にしたときのハウジング１の近位部分の透視図であり、保護ハウジングを見下ろしたときのボトム部材後面３５を明示している。この図の上部に、ボトム部材表面３５の周囲を規定するボトム部材周辺部分３０が図示されている。相対するボトム部材右側部材３４およびボトム部材左手部材３３がそれぞれ左側および右側に図示されている。この図の前方にはボトム部材近位端部分３１が示されており、左手部分にはスピーカーグリル６０ｂが示されている。ラッチドア７１ｂが閉じて係合された位置にあるラッチポート特徴７０も図示されている。
【０２７６】
この図の左上部分に示されているボトム部材周囲部分３０には、サウンド制御ボタン９９ａ、サイレンス／表示方向スイッチ９０、およびレンズ特徴８０を含む、さらなる特徴が図示されている。この図には、ボトム部材３とトップ部材２を横断するラッチドア７１ｂが図示されている。ラッチドア７１ｂは、充電ポート開口部（記載せず）をカバーおよび封入するように機能してもよい。この図の前方には、ボトム部材３とトップ部材２との間に２つのツールスロット特徴１８ａおよび１８ｂも示されている。２つのツールスロット特徴１８ａおよび１８ｂは、ねじ回し、コイン、またはボトム部材３およびトップ部材２を切り離す力を加えるのに使用することができる他の部材を挿入することによってボトム部材３およびトップ部材２を切り離すのに使用されてもよい。
【０２７７】
図１１Ａはボトム部材後面３５の斜視図である。ボトム部材周囲部分３０がこの図の上部および両側に示されており、この特定の図において、対向するボトム部材右側部材３３およびボトム部材左側部材３４がそれぞれ左側および右側に示されている。この図の上部に示されているボトム部材遠位端部分３２は、補強された隆起リブ部分によって保護されているヘッドホンシーリングポート部材５３と、マイクロホン送信ポート６１と、レンズスカート８２によって部分的に包囲され、かつ、その中に配置された光学グレードレンズ８３を有するレンズ特徴８０とを含み、音量ボタン９９ａおよび表示方向スイッチ９０を含むさらなる特徴がボトム部材３の後面３５ｂでボトム部材右側部材３３上に示されている。表示方向制御スイッチ９０は、ボトム部材周３０と一体化した部分的に円形の凹み９０ｃの中に示された表示方向制御スイッチハンドル９０ｂを含む。この態様におけるボトム部材遠位端部分３２上に示されたオン／オフスイッチ９９ｂは、電子装置のオン／オフスイッチが機能するよう仲介する振動トグルとして作動する。ボトム部材アクセサリポート９７ａおよび９７ｂが、対向するボトム部材右側部材３３およびボトム部材左側部材３４の上寄り部分に示されている。
【０２７８】
図１１Ｂは、保護ハウジング１のボトム部材３の内部から見たマイクロホン送信ポート６１を示す、保護ハウジングのボトム部材３の拡大図である。ボトム部材内側周囲部分３０が示されており、マイクロホン送信ポート６１は、左右のバンパー３６の間の中央にあり、それらと境界を接している。マイクロホン送信ポート６１は、電子装置から保護ハウジングの外への音声の送信を容易にし、水が保護ハウジングに入らないような防水性のシールを提供するためのいくつかの特徴を含む。したがって、マイクロホン送信ポート６１は、入口アパーチャ６２（図示せず）を含み、したがって、マイクロホンポートのアパーチャを内側から覆う、音声にとっては透過性であるが液体にとっては非透過性である音響膜および／またはガスケット６１ａを含む。音響膜６１ａはさらに、ハウジングに接着され、マイクロホンガスケットオーバーモールド成形６３セクションによってハウジングと結合されている。また、この態様においては、たとえば収容されたスピーカー部分からの内部送信を通して、マイクロホンポート６１中への干渉を生じさせ得る不要な音声の送信を最小限にする隆起した包囲するリッジとして示されているマイクロホンポートエコーキャンセリング特徴６４を組み込むことにより、音声送信の方向を決定する、特定の方向へ導く、またはブロックすることが有用である。内側ボトム部材境界壁３０ａ上に配置されたボトム部材歯収容口１３ｂが、この図においてはすぐ上に位置するチャンネル１０ｂと共に、ボトムチャンネル外側境界壁３０ｂの内面に対して内側に示されており、ボトム部材チャンネル１０ｂは上部でボトム部材内側周囲部分３０ｂと境界を接しており、当該内側周囲部分は、この図の上部に示されているボトム部材中央周囲部分３０ｂに隣接している。
【０２７９】
図１１Ｃは、マイクロホン送信ポート６１のための保護ハウジング１のボトム部材３の拡大正面図である。保護ハウジングの外部を見ると、ボトム部材外側周囲部分３０ｃが示されており、ここでは、マイクロホン送信ポート６１が、ボトム部材遠位端部分３２の縦軸に対して概ね中央部分に示されており、マイクロホングリル６１ｂが、音声の送信を可能にしながら、マイクロホン送信ポート６１への不要な物体の進入に対する保護を提供する。
【０２８０】
マイクロホン送信ポート６１は、代替態様（図示せず）において、保護ハウジングの異なる部分に配置され得る。マイクロホン送信ポート６１は、電子装置から保護ハウジングの外への音声の送信を容易にし、液体がマイクロホンポートを通って保護ハウジングに入らないような防水性のシールを提供するための、この図には示されないいくつかの特徴を含み、これらの特徴は、たとえば、音声にとっては透過性であるが、液体にとっては非透過性である音響膜６１ａ（図示せず）を含んでもよく、この膜は、マイクロホンポートのアパーチャを内側から覆い、かつ、マイクロホンガスケットオーバーモールド成形６３（図示せず）によってハウジングに封着され得る。
【０２８１】
図１２Ａは、ボトム部材周３０に沿ってボトム部材右側部材３３がボトム部材遠位端部分３２に当接する、保護ハウジングのボトム部材３のコーナーの拡大図である。この態様においてはスライダー制御である音量制御部分９９ａおよび表示方向制御スイッチ９０が、ボトム部材右側部材３３上、ボトム部材外部アクセサリポート９７に隣接して配置されている。表示方向制御スイッチハンドル９０ｂが、ボトム部材周辺部分３０と一体化した部分的に円形の凹み９０ｃの中に位置するように示されている。この態様において示されているオン／オフスイッチ９９ｂは、電子装置のオン／オフスイッチが機能するよう仲介する振動トグルとして作動して、この態様において示されているオン／オフスイッチ９９ｂによって内部トグル（図示せず）が動かされるようになっている。また、レンズ特徴８０が、ボトム部材後面３５に当接するボトム部材内側周囲部分３０ａ上に示されている。レンズ特徴は、レンズ８３の中への逸脱した光の透過をブロックするように適合されたオーバーモールド成形されたレンズスカートによって包囲されて保護される光学グレードカメラレンズ８３を含む。
【０２８２】
ここに示されている態様において、外部アクセサリポート９７は、たとえば保護ハウジングを使用、運搬および／または取り付けるための多様なアクセサリー部材（たとえばベルトクリップ、レッグマウント、ハンドマウント、ハンドストラップ、アームストラップ、バイクマウント、カーマウントなど）のハウジングへの結合を容易にするために、第一の開口部およびそれに隣接する第二の開口部を含む。レンズ特徴８０は、ボトム部材遠位端部分３２においてボトム部材周３０と同じ広がりをもつ。
【０２８３】
図１２Ｂは、保護ハウジングのボトム部材３のボトム部材近位端部分３１のコーナー部分の拡大斜視図である。この図には、スピーカーグリル６０ｂがボトム部材周辺部分３０の右上部分に示されており、ボトム部材３後面３５上のオフセットまたはライザがスピーカーグリル６０ｂのすぐ下に示されており、そのようなオフセットまたはライザは、ボトム面をそれが設けられている面から持ち上げるように機能する。一つのライザしか示されていないが、二つ、三つ、四つ以上がハウジングの周囲に、たとえばトップおよび／またはボトム部材の各コーナーに配置されてもよい。また、保護ハウジングのためのアクセサリの取り付けのための二つの開口部を有する一つの外部アクセサリポート９７が示されている。
【０２８４】
図１２Ｃは、ハウジングのボトム部材の中で接続している二つの開口部を有する外部アクセサリポート９７を示す、保護ハウジングのボトム部材３のボトム部材近位端部分３１のコーナー部分の拡大斜視図である。二つの開口部は、それらの内腔が交差して略「Ｌ」字形を形成するように配置されている。このようにして、アクセサリインターフェースをその外側縁に有し、アクセサリ固定ピン受け部分をその内側縁に有する細長いアクセサリ取り付け部材を一方の開口部に挿入することができ、そして同様に、ユーザインターフェースをその外部分に有し、固定インターフェースをその内側縁に有する延長固定ピンを他方の開口部に挿入することができ、アクセサリアタッチメントのロック受け部分と係合させ、それにより、それを定位置に固定してもよく、それら両方が一緒になって、様々なアクセサリ（たとえばハンドルおよびマウント）をハウジングに取り外し可能に取り付けることを可能にするように機能する。様々な接続インターフェースは、アクセサリをアクセサリ取り付け部材に結合することを可能にする任意の適当なインターフェースであることができ、任意の適当な固定インターフェースが用いられ得る。一つの態様において、アクセサリーピンのロック受け部分はグリル部分であり、ロッキング要素のロック部分は、グリル要素とインターロックしてそれと結合し、それにより、アクセサリピン要素を定位置に固定する歯を有する可撓性フォーク部材である。また、この図には、外部アクセサリポート９７のすぐ下にスピーカーグリル６０ｂが示されている。
【０２８５】
図１３Ａ〜Ｅは、保護ハウジング検査シール部材の斜視図である。別の局面において、保護ハウジング検査システムが設けられる。特定の態様において、保護ハウジング検査システムは、本明細書において提供される保護ハウジングの適切なシールについての視覚的な表示を提供して、たとえば、保護ハウジングのトップ部材２およびボトム部材３の適切なシールを示すシール検査部材５００を含む。保護ハウジング検査システムの検査シール部材は、電子装置の複製物、複写物、レプリカまたは代用品としての役割を果たし得る。したがって、検査シール部材５００は、電子装置の真の複製物である必要はない。事実、特定の態様においては、特定の保護ハウジングが防水性のシールを有するかどうかを決定するために検査シール部材５００を使用する所期の目的に望ましいすべての機能を保持する簡素化され、かつ費用効果的な代用品を電子装置の代わりに設けることが望ましい。
【０２８６】
そのようなものとして、検査シール部材は電子装置の特定の特徴を有し得る。特に、特定の態様においては、検査シール部材が、保護ハウジングが使用される予定である電子装置のサイズおよび寸法と非常に近い、またはほぼ同一であるサイズおよび寸法を有する少なくともいくつかの部材を有することが重要である。特に、シール検査部材のそれらの部材が、電子装置のうち、本明細書において示される保護ハウジングと相互作用する部分を模倣する寸法、サイズおよび構成を有することが望ましい。
【０２８７】
図１３に示す検査シール部材５００の態様において、検査シール部材は前面５０１および後面５０２を含む。特定の態様において、検査シール部材５００の前面５０１は、保護ハウジング中に配置されると、保護ハウジングのトップ部材の後面３５ｂに対面し、検査シール部材５０２の後面は、保護ハウジング中に配置されると、保護ハウジングのボトム部材の前面に対面する。
【０２８８】
検査シール部材の後面５０２は、検査シール部材５００のボトム面の外側縁に配置されている外側周囲部材５０３を含み、それは典型的には、それが保護ハウジングシステムによって検査されないときには包囲された保護ハウジング中に代わりに存在するであろう電子装置に、当該部材をしっかり近づけるために、この面の縁全体を包囲する。
【０２８９】
検査シール部材の後面５０２の外側周囲部材に加えて、検査シール部材はさらなるリッジ部材を含み得る。したがって、本明細書に示される特定の態様は、外側周囲部材５０３の最外部分に配置された（たとえば検査シール部材の縁を規定する外側周囲部材５０３の周囲に配置された）外側縁部材５０４ａを含む複数のリッジ部材５０４を含む。これらの態様はさらに、外リッジ部材５０４ａよりも内寄りの中間リッジ部材５０４ｂと、検査シール部材５００の後面５０２上で中間リッジ部材５０４ｂおよび外リッジ部材５０４ａの両方よりも内寄りに配置された内リッジ部材５０４ｃとを含み得る。特定の態様において、リッジ部材は、延びる連続リッジを含み、そして他の態様において、内リッジ部材は必ずしも連続リッジではない。特定の態様において、中間リッジ部材５０４ｂおよび内リッジ部材５０４ｃによってチャンネル５１０が規定されている。この検査シール部材５００の内側で、たとえば、内リッジ部材の面を規定する内リッジ部材５０４ｃの面の少なくとも一部分がチャンネルリッジ部材５０４ｄをさらに含み得る。
【０２９０】
特定の態様において、検査シール部材５００はその前面に関して実質的に平滑である。他の態様（図示せず）において、本明細書において示される保護ハウジング中に位置するときの電子装置を模倣するように適合されている代替構成を有する検査シール部材の前面が設けられる。
【０２９１】
動作中、シール検査部材は、ボトムハウジング部材３によるトップハウジング部材の適切なシールおよびトップ面の少なくとも一部分に近い領域によるトップハウジング部材の内側縁の適切なシールの視覚的な表示を提供する。図１３Ｃは、保護ハウジングのトップ部材２中に位置する検査シール部材５００を示す。この図において、検査シール部材５００の前面５０１は上を向き、検査シール部材５０２の後面５０２はトップ部材２の後面２５ｂと係合している。保護ハウジング２のトップ部材２の装置保持歯９６ａおよび９６ｂが示されており、検査シール部材がトップ部材２と係合するとき検査シール部材５００を保持して、装置保持歯９６ａおよび９６ｂが検査シール部材１０の保持を支援するようになっている。検査シール部材５００の外側周囲部材５０３は、トップ部材内側周囲部分２０ａの少なくとも一部分および第一の留め付け機構の一部を構成する隆起したリッジ歯１７に接触している。検査シール部材５０３の外側周囲はさらに、第二の留め付け機構の一部を構成するトップ部材の歯１３ａと係合し得る。
【０２９２】
さらには、検査シール部材５００が保護ハウジングのボトム部材３と係合するとき、検査シールの外側周囲５０３が、ボトム部材３のボトムチャンネル内側境界部材３０ａに対して密着して、検査シール部材５００の中間リッジ部材５０４ｂおよび内リッジ部材５０４ｃが保護ハウジングのボトム部材３のバンパー３６の様々な部分に当接するときボトム部材の歯収容口１３ｂがリッジチャンネル部材５０４ｄと係合して、検査シール部材５００の中間リッジ部材５０４ｂおよび内リッジ部材５０４ｃがその縦軸に沿ってバンパー３６の対向する側をまたぐようになっている。
【０２９３】
より具体的には、別の局面において、保護ハウジング検査システムが提供される。特定の態様において、保護ハウジング検査システムは、シール検査部材、ボトムハウジング部材、トップハウジング部材および連結機構を含む。これらの態様において示されるシール検査部材の機能は、保護ハウジングのボトムハウジング部材によるトップハウジング部材の適切なシールの視覚的な表示を提供することである。
【０２９４】
特定の態様において、保護ハウジング検査システムの検査シール部材は、電子装置のレプリカまたは代用品としての役割を果たし得る。そのようなものとして、検査シール部材は電子装置の特定の特徴を有し得る。特に、特定の態様において、検査シール部材が、保護ハウジングが使用される予定である電子装置のサイズおよび寸法と非常に近い、またはほぼ同一であるサイズおよび寸法を有する少なくともいくつかの部材を有することが重要である。特に、シール検査部材のそれらの部材が、電子装置の、本明細書において示される保護ハウジングと相互作用する部分を模倣する寸法、サイズおよび構成を有することが望ましい。
【０２９５】
本明細書において示される保護ハウジング検査システムによって検査される保護ハウジングは、ボトムハウジング部材を含み得る。ボトムハウジング部材は、シール検査部材の少なくとも一部分を収容し得る。保護ハウジングのトップハウジング部材は、シール検査部材の少なくとも第二の部分を収容するように機能し得る。保護ハウジングのトップハウジング部材は、トップ面の少なくとも一部分を囲むための内側縁を含んでもよく、トップ面の当該部分に対するタッチアクセスが可能となる。
【０２９６】
したがって、検査シール部材は前面および後面を含む。特定の態様において、検査シール部材の前面は、保護ハウジング中に配置されたとき、保護ハウジングのトップ部材の後面に対面し、検査シール部材の後面は、保護ハウジング中に配置されたとき、保護ハウジングのボトム部材の前面に対面する。
【０２９７】
検査シール部材の後面は、検査シール部材のボトム面の外側縁に配置されている外側周囲部材を含み、それは典型的には、それが保護ハウジングシステムによって検査されないときには包囲された保護ハウジング中に代わりに存在するであろう電子装置に、当該部材をしっかり近づけるために、この面の縁全体を包囲する。
【０２９８】
検査シール部材の後面の外側周囲部材に加えて、検査シール部材はさらなるリッジ部材を含み得る。したがって、本明細書に示される特定の態様は、外側周囲部材の最外部分に配置された（たとえば検査シール部材の縁を規定する外側周囲部材の周囲に配置された）外側縁部材を含む複数のリッジ部材を含む。これらの態様はさらに、外リッジ部材よりも内寄りの中間リッジ部材と、検査シール部材の後面上で中間リッジ部材および外リッジ部材の両方よりも内寄りに配置された内リッジ部材とを含み得る。特定の態様において、リッジ部材は、延びる連続リッジを含み、他の態様において、内リッジ部材は必ずしも連続リッジではない。特定の態様において、中間リッジ部材および内リッジ部材によってチャンネルが規定されている。この検査シール部材の内側で、たとえば、内リッジ部材の面を規定する内リッジ部材の面の少なくとも一部分にチャンネルリッジ部材がさらに含まれ得る。
【０２９９】
特定の態様において、検査シール部材の前面は、その前面に関して実質的に平滑である。他の態様（図示せず）において、本明細書に示される保護ハウジング中に位置するときの電子装置を模倣するように適合されている代替構成を有する検査シール部材の前面が提供される。
【０３００】
様々な留め付け機構を含む、保護ハウジングの要素との係合にとって重要である電子装置のいくつかの特徴および寸法を、検査シール部材の相互作用が複製するように、連結機構には、本明細書に記載される様々な留め付け機構が含まれ得る。
【０３０１】
動作中、シール検査部材は、ボトムハウジング部材によるトップハウジング部材の適切なシール、およびトップ面の少なくとも一部分に近い領域によるトップハウジング部材の内側縁の適切なシールについての視覚的な表示を提供する。
【０３０２】
トップまたはボトム部材を含み、トップまたはボトム面部材（たとえばフロント画面膜）を含まないかまたは組み込まないハウジング１に関して、本明細書に示される様々な態様が説明されたが、様々な場合において、収容された装置を完全に包囲するように、そのようなトップまたはボトム面部材がハウジングの対応する周辺部分に加えられ得ることが理解されよう。たとえば、様々な態様において、一方の周囲部分から他方の周囲部分まで及ぶトップまたはボトムディスプレイ膜が含まれ得る。トップまたはボトム面膜は、たとえばオーバーモールド成形によって他のハウジング構成部品とともに製造されてそれらに一体に固着され得るし、あるいはそれはハウジング構成部品には取り付けられず、むしろ装置そのものに取り付けられる別個の要素であることができ、その場合、その装置はハウジングに結合される。他の態様において、ハウジングと収容された装置との間をつなぐためのフロント画面膜が含まれ、フロント画面膜は、たとえば接着剤、粘着または他の取り付け手段を介して、ハウジングおよび装置の一方または両方に取り外し可能に付着し得る独立した表面要素である。
【０３０３】
膜は、任意の適当な材料から製造され得る。膜は、典型的には透明であってもよいが、しかし一つまたは複数の光学的に不透明な領域を含んでもよい。不透明な領域は、全体的に不透明であってもよいし、一つまたは複数の光学的に透過性の領域を含んでもよい。膜は、光学的に透過性の領域および不透明な領域（たとえば、例として近接または周辺光センサ特徴のための光学的に明澄な領域を含むようにさらに構成され得る不透明な領域）を含むように構成されてもよい。膜はさらに、ボタン特徴を含むように構成され得る。膜はさらに、音響アパーチャ特徴、カメラレンズ特徴、フラッシュ特徴などを含むように構成され得る。
【０３０４】
ボタン特徴は複数の従属特徴を含み得る。たとえば、ボタン特徴は、ボタン特徴ピボットと相互作用するボタン特徴の第１の移行部を有するボタン特徴膜を含むことができ、ボタンが押下されるとボタン特徴ピボットが変形するようにされ得る。ボタン特徴はまた、ボタン特徴膜に（たとえば適当な接着剤によってボタン特徴膜の下面に）結合されているスタンドオフまたはアクチュエータを含み得る。ボタン特徴スタンドオフは、ボタン特徴が押下されると、スタンドオフが下にある装置のボタンと整合してそのボタンを効果的に操作するように構成され得る。そのようなボタン特徴は、構成部品パーツから製造され、一緒にアセンブルされるような任意の適当な方法で製造され得るし、膜とともに成形（たとえば熱成形）され得る。様々な他の態様において、ボタン特徴は、単に、隆起した領域によって包囲された前面膜の凹み部分（たとえば熱成形された凹み部分）であることができる。また、ボタンの内向き面が、ボタンが下にある装置のホームボタンとより良く係合することを可能にするように機能し得るスタンドオフ（たとえば接着性スペーサ要素）を含み得る。
【０３０５】
様々な態様において、音響アパーチャ特徴は、水不浸透性ガスケット（たとえば音響膜またはベント材料）で覆われている音響出口アパーチャで構成され得、この膜材料が音響アパーチャを覆って、それにより、そこを通過する水の浸入を防ぐと同時に音声伝達を可能にする。音響アパーチャ特徴は、音響出口アパーチャを含み得る音響膜材料を含むことができる。音響膜材料は、膜からオフセットされ、接着リングによってそれに取り付けられてもよく、さらに、音響ベント材料と係合してもよく、その音響ベント材料は音声透過性であるが、しかし液体不浸透性でもある。音響ベント材料は音響膜材料と係合して、それが音響出口アパーチャを覆って、そこを通過する水の浸入を防ぐと同時に音声伝達を可能にするようにし得る。
【０３０６】
膜はまた、ビデオカメラ領域および／または近接センサ領域および／または周辺光センサ領域を含むことができ、それらの領域は、下にある装置のビデオカメラおよび近接センサおよび周辺光センサと相互作用するように構成され得る。これらのビデオカメラ領域および近接センサ領域および周辺光センサ領域は単に光学的に明澄な領域であることができる。様々な他の態様において、カメラ領域は、収容された装置のカメラレンズと位置が合うように構成されたレンズを含み得る。また、フラッシュ特徴も含まれ得る。
【０３０７】
別の局面において、タブレットコンピュータのための保護ハウジングが提供される。したがって、タブレットコンピュータのための保護ハウジングの特定の主要な態様は、本明細書中この段落に記載された要素を有する。本明細書に示されるこれら主要な態様の保護ハウジングは、後面と、周囲と、マルチタッチディスプレイを含む前面とを含む。当該保護ハウジングは典型的にはフレームを含むボトム部材を有し、そのフレームがボトム部材の外側周囲を規定する。そのようなボトム部材のフレームは外壁を有することができ、フレームの外壁は第一のラッチ機構を有する。当該ボトム部材は、タブレットコンピュータの周または後面の少なくとも一部を受けるように構成されている内面を含み得る。当該ボトム部材の内面はさらに、内壁および外壁を、それら二つが互いに離間されるように形成することができる。当該ボトム部材の内面の内壁はさらに第二のラッチ機構を含み得る。もう一つの局面において、ボトム部材は、外壁と内壁との間に形成される第一のチャンネルを有する。外壁および内壁によって規定されるこの第一のチャンネルは、第一のチャンネル内に配置される第一のシールを含むことができる。
【０３０８】
上記保護ハウジングの態様は、タブレットコンピュータを少なくとも部分的に覆うためにボトム部材と嵌合または他のやり方で係合するトップ部材を有する。したがって、このトップ部材は、トップ部材とボトム部材が嵌合してタブレットコンピュータのための保護ハウジングを形成するとき、ボトム部材と係合するように設計されている。トップ部材は、マルチタッチディスプレイを囲むための内側縁を有するフレームを含むように構成されている。トップ部材のこのフレームはまた、外側周囲またはトップ部材を規定する。トップ部材は、外側周囲の近くのフレームの内面から下に延びる突起を含み得る。この突起が第一のチャンネルに挿入され、第一のガスケットに対して嵌合する。突起は、ボトム部材の外壁の第一のラッチ機構とラッチ止めされるための第三のラッチ機構を有する。トップ部材の突起はさらに、ボトム部材の内壁の第二のラッチ機構と共にラッチ止めされる第四のラッチ機構を含み得る。
【０３０９】
タブレットコンピュータのための保護ハウジングのさらなる態様は、上記主要な態様から導かれてもよく、そのいくつかは変形物および／またはさらなる特徴を含み得る。したがって、別の態様は、ボトム部材の外壁の頂部に対して嵌合する肩部をさらに含むトップ部材を有する。
【０３１０】
保護ハウジングの別の態様において、トップ部材の内面はさらに、内側壁と、内側縁に近い外側壁とによって規定される第二のチャンネルを含む。この態様はさらに、第二のチャンネル内に配置されている第二のガスケットを含み得る。トップ部材がボトム部材と連結されるとき、この第二のガスケットが第二のチャンネルの内側壁および外側壁から延びてタブレットコンピュータの前面のマルチタッチディスプレイを密封する。いくつかの態様において、トップ部材はさらに、内側縁に可撓性のリッジを含む。当該可撓性のリッジは、第二のガスケットより内側に位置するマルチタッチディスプレイの周辺の近くでタブレットコンピュータの前面に当接するように構成されている。
【０３１１】
特定の他の態様において、タブレットコンピュータのための保護ハウジングはさらに、トップ部材の内面の内壁に近い内面から隆起または突出する一つまたは複数のパッドを含み得る。これらのパッドは、一つしか含まれないか、二つ以上が含まれるかにかかわらず、タブレットコンピュータの後面のためのシートを形成して、タブレットコンピュータの後面をトップ部材の内面から所定の距離だけオフセットする。これらのパッドの一つまたは複数は交換可能であり得る。
【０３１２】
保護ハウジングの他の態様において、ボトム部材はさらに、ボトム部材の外面と内面との間に形成されている窓部を含む。この窓部は半透明膜であり得る。
【０３１３】
タブレットコンピュータのための保護ハウジングの他の態様において、ボトム部材はさらに、トップ部材の下縁を通過する充電ポートを含む。これらの変形物は典型的には、充電ポートを閉じるための、ヒンジによってボトム部材と連結されたドアを有する。充電ポートを閉じるためのドアはさらに、ドアを閉じた位置に確保するためのラッチを含み得る。このドアはさらに、ドアが閉じた位置にあるとき充電ポートを密封するための可撓性パッドを含み得る。特定の態様において、可撓性パッドは、ドアが開いた位置にあるとき、タブレットコンピュータから出る音声を増幅するように構成されている。
【０３１４】
特定の他の態様において、トップ部材は、トップ部材の下縁の内面から上向きに延びる一つまたは複数の歯を有する。これら一つまたは複数の歯は、タブレットコンピュータの下縁を受け入れ、タブレットコンピュータをトップ部材に対して配置するように機能する。
【０３１５】
タブレットコンピュータのための保護ハウジングの他の態様において、ボトム部材はまた、カメラレンズ（たとえば、ボトム部材の内面の近くの上縁に形成されているカメラレンズ）を含む。そのような態様において、保護ハウジングのボトム部材はさらに、カメラレンズの近くにあり、かつカメラレンズから光学的に離間している光センサアパーチャを含み得る。
【０３１６】
タブレットコンピュータのための保護ハウジングの他の態様において、トップ部材はさらに、トップ部材の内面に接続されたボタンを操作するように機能する可撓性の密封されたボタン領域を含む。
【０３１７】
タブレットコンピュータのための保護ハウジングの他の態様において、トップ部材はさらに、ヘッドホンジャックアパーチャを含む。これらの態様において、典型的には保護ハウジングはさらに、ヘッドホンジャックアパーチャをふさいで密封するための栓を含む。
【０３１８】
タブレットコンピュータのための保護ハウジングの他の態様において、ボトム部材はさらに、タブレットコンピュータの対応するトグルスイッチを操作するための密封されたトグルスイッチを高剛性フレーム中に含む。
【０３１９】
タブレットコンピュータのための保護ハウジングの他の態様において、ボトム部材はさらに、一つまたは複数の密封されたボタン領域を含む。これらの密封されたボタン領域はボトム部材の外面から延び、それらは、タブレットコンピュータの一つまたは複数の対応するボタンのそれぞれを操作するように機能する。
【０３２０】
特定の態様において、ボトム部材の第一のラッチ機構はさらに、ボトム部材の高剛性フレームの外壁の内面に沿って突出する第一のリッジを含む。これらの態様においては、第三のラッチ機構が、トップ部材の突起の外側面に沿って突出する第二のリッジを含み得る。ボトム部材がトップ部材と嵌合するとき、この第二のリッジが第一のリッジとインターロックするように機能する。
【０３２１】
主要な態様の特定の他の変形において、第二のラッチ機構はさらに、典型的にはボトム部材の内壁に沿って離間している複数の穴を含む。これらの態様において、第四のラッチ機構が、トップ部材の突起の内側面から突出する複数のタブを有することがさらに望ましい場合がある。ボトム部材がトップ部材と嵌合するとき、複数のタブのそれぞれ一つは、第二のラッチ機構中に存在する複数の穴の対応する一つとインターロックするように設計されている。
【０３２２】
いくつかの態様において、タブレットコンピュータのための保護ハウジングのボトム部材は、ボトム部材の内面の一部として具備されたスピーカーまたはその一部（たとえばスピーカーグリル）を有する。例示的なスピーカーグリルは、高剛性フレームのスピーカー領域中のアパーチャまたは開口部のパターンおよびスピーカー領域上でボトム部材の内面に取り付けられた水不浸透性布を含む。
【０３２３】
タブレットコンピュータのための保護ハウジングの第一の主要な態様と同じく、タブレットコンピュータのための保護ハウジングの代替の主要な態様もまた、外壁を有する外側周囲を規定する高剛性フレームを有するボトム部材を含む。この態様におけるボトム部材の外壁は第一のラッチ機構を有する。ボトム部材はまた、タブレットコンピュータの周囲または後面の少なくとも一部を受け入れるための内面を有する。この内面は、外壁から離間している内壁を形成する。ボトム部材の内壁は第二のラッチ機構を含む。保護ハウジングのボトム部材はまた、外壁と内壁との間に形成されている第一のチャンネルを有する。この第一のチャンネルは、第一のチャンネル内に位置する第一のガスケットを含む。保護ハウジングはまた、保護ハウジング内に収容されるタブレットコンピュータを少なくとも部分的に覆うために上記トップ部材と嵌合するトップ部材を有する。トップ部材は、タブレットコンピュータのマルチタッチディスプレイを囲む内側縁を有し、かつトップ部材の外側周囲を規定するリッジ付きフレームを有する。ボトム部材はさらに、外側周囲の近くの高剛性フレーム内面から下に延びる突起を含む。ボトム部材中のこの突起は、第一のガスケットに対する嵌合を容易にするために、ボトム部材の第一のチャンネルに入ることができる。トップ部材のこの突起は、ボトム部材の外壁の第一のラッチ機構とラッチ止めされるための第三のラッチ機構を含む。ラッチ止めに関して、トップ部材の突起はさらに、ボトム部材の内壁の第二のラッチ機構とラッチ止めされるための第四のラッチ機構を含む。保護ハウジングのトップ部材はまた、内側壁と、内側縁に近い外側壁とによって規定される第二のチャンネルを有する。トップ部材はさらに、第二のチャンネル内に位置し、かつトップ部材の内側壁および外側壁から延びる第二のガスケットを含む。この第二のガスケットは、保護ハウジングのトップ部材がボトム部材と嵌合するとき、タブレットコンピュータの前面のマルチタッチディスプレイを密封するように機能する。
【０３２４】
タブレットコンピュータのための保護ハウジングの別の代替の主要な態様もまた、外壁を有する外側周囲を規定するフレームを有するボトム部材を含み、この外壁は第一のラッチ機構を含む。この態様におけるボトム部材は、タブレットコンピュータの周囲または後面の少なくとも一部を受け入れるための内面を有する。この態様の保護ハウジングは、ボトム部材と係合／嵌合してタブレットコンピュータを少なくとも部分的に覆うことができるトップ部材を有する。トップ部材は、マルチタッチディスプレイを囲む内側縁のあるフレームを有する。このフレームは、ボトム部材の外側周囲に対応する外側周囲を規定するリッジ付き部分を有する。この態様のトップ部材はまた、第一のラッチ機構とラッチ止めされるための第二のラッチ機構を含む。トップ部材はまた、高剛性フレームの内側縁の近くに位置するガスケットを含む。このガスケットは、トップ部材がボトム部材と嵌合するとき、タブレットコンピュータの前面のマルチタッチディスプレイを密封するように機能する。
【０３２５】
図１４Ａに関して、具体的な態様において、ハウジング２０１は、取り外し可能に連結されるとハウジング２０１を形成するトップ部材２０２およびボトム部材３を含み得る。ロッキング部材２０４も含まれ、このロッキング部材は、トップ２０２およびボトム２０３部材の両方と相互作用してこれら二つの部材を互いに対して定位置に固定するように構成されている。したがって、様々な態様において、トップおよび／またはボトム部材に加えて、ハウジングはロッキング部材をも含み得る。様々な場合において、ロッキング要素は含まれない。しかし、ロッキング要素が含まれる場合、そのロッキング要素は、トップまたはボトム部材もしくはそれらの構成部品と相互作用してトップおよびボトム部材を一緒に固定することができる任意の適当な要素であってもよい。それは、ファスナ、クラスプ、ラッチ、バンド、ベルト、バックル、ワイヤ、ボルトおよびナット、スクリュー、ロックなどであってもよい。
【０３２６】
本明細書に示されるように、ロッキング部材２０４が含まれるが、様々な態様においてロッキング部材は含まれなくてもよいし、異なる構成で含まれ得ることが理解されよう。ただし、ロッキング部材の不在または構成の変更を考慮に入れるために、トップおよびボトム部材に相応の変更が加えられる。たとえば、ロッキング部材２０４が加えられることなく、トップ部材２０２は、ボトム部材２０３に連結し、それにより、防水性のシールを形成するように構成され得る。そのような例は、二つの部材が、連結されるように設計されており、ひとたび連結されたならば容易には連結を解かれない場合に、有用であり得る。または、ロッキング要素は、異なる様式で、たとえばロッキングウェッジ要素として構成されることができ、その場合、トップおよびボトム部材は、防水性シールで密封されたトップおよびボトム部材の連結を達成する様式でロッキングウェッジを受けるように適合されている対応するウェッジ受け部材を有するように適当に構成される。
【０３２７】
本明細書に記載されるような、ロッキング要素が含まれる様々な場合において、ロッキング部材は、トップおよびボトム部材それぞれと係合し、さらに、連結されてトップおよびボトム部材を一緒に固定するための一つまたは複数の要素であり得る。一つの場合において、ロッキング部材の厚さは、ロッキング部材がどのように構成されるか、また、ロッキング部材沿いのどこで計測が実施されるのかに依存して、約１０ｍｍ超もしくは未満または約８ｍｍ超もしくは未満、たとえば約７ｍｍ未満または約６ｍｍ未満、たとえば約５ｍｍ未満または約４ｍｍ未満、たとえば約３．５ｍｍ未満または約２．５ｍｍ未満、たとえば約２ｍｍ未満または約１ｍｍ未満であることができる。
【０３２８】
適当なロッキング要素の幅もまた異なり、ロッキング部材がどのように構成されるか、また、ロッキング部材に沿ってどこで計測が実施されるのかに依存して、約１５ｍｍ超もしくは未満または約１３ｍｍ超もしくは未満、たとえば約１２ｍｍ未満または約１０ｍｍ未満、たとえば約９ｍｍ未満または約８ｍｍ未満、たとえば約６ｍｍ未満または約５．５ｍｍ未満、たとえば約５ｍｍ未満または約４．５ｍｍ未満、たとえば約３ｍｍ未満または約２．５ｍｍ未満、さらには約２ｍｍ未満または約１ｍｍ未満であることができる。
【０３２９】
適当なロッキング要素の高さもまた異なり、ロッキング部材がどのように構成されるか、また、ロッキング部材に沿ってどこで計測が実施されるのかに依存して、約１６ｍｍ超もしくは未満または約１５ｍｍ超もしくは未満、または約１３ｍｍもしくはそれ未満、たとえば約１２ｍｍ未満もしくは約１０ｍｍ未満、たとえば約９ｍｍ未満もしくは約８ｍｍ未満、たとえば約７ｍｍ未満もしくは約６ｍｍ未満、たとえば約５ｍｍ未満もしくは約４．５ｍｍ未満、たとえば約３ｍｍ未満もしくは約２．５ｍｍ未満、さらには約２ｍｍ未満もしくは約１ｍｍ未満であることができる。
【０３３０】
ロッキング部材の長さは、下にある収容される装置の形状に依存して異なる。そのような装置は典型的には正方形または長方形であり、したがって、個々のロッキング部材の長さは、ハウジングのどの側にロッキング部材が配置されるのかに依存して異なる。収容される装置は、任意の適当な形状（たとえば丸形、円形、楕円形、三角形、正方形、長方形など）を有することができ、その結果、ハウジングもまた、適当な対応する形状を有し得ることが理解されよう。しかし、様々な場合において、ハウジングの形状は正方形または長方形のいずれかであり、したがって、ロッキング部材の長さは、約８００ｍｍ超もしくは未満または約７５０ｍｍもしくはそれ未満、たとえば約７００ｍｍもしくは６５０ｍｍもしくはそれ未満、たとえば約５００ｍｍもしくは約４５０ｍｍもしくは約４００ｍｍもしくはそれ未満、たとえば約３５０ｍｍもしくは約３００ｍｍもしくはそれ未満、たとえば２５０ｍｍもしくはそれ未満、たとえば約２３０ｍｍもしくは約２００ｍｍもしくはそれ未満、たとえば約１５０ｍｍもしくはそれ未満、たとえば約１００ｍｍもしくは約８５ｍｍもしくはそれ未満、たとえば約８０ｍｍもしくは約７５ｍｍもしくはそれ未満、たとえば約７０ｍｍもしくは約６５ｍｍもしくは約６０ｍｍもしくはそれ未満、さらには約５０ｍｍもしくは約２５ｍｍもしくはそれ未満であることができる。
【０３３１】
トップおよびボトム部材は、任意の適当な材料から製造され得るが、典型的には、トップおよびボトム部材が正しく連結されたとき、安定性、耐衝撃性および耐液体性の一つまたは複数を、収容された装置に提供することができる材料から製造される。特定の態様において、トップおよびボトム部材は、様々な異なる構成部品で構成され得、したがって、複数の異なる材料から製造され得る。トップおよびボトム部材ならびに／またはそれらの構成部品パーツが製造され得る適当な材料は、ハウジングに耐衝撃性および／または耐液体性を与えるために一緒に製造され得る硬質、半硬質および可撓性の材料を含む。そのような材料は、熱可塑性材料、たとえばポリカーボネート類および／またはガラス繊維入りポリカーボネート類および／またはアクリロニトリルブタジエンスチレン類および／またはポリエチレン類および／またはポリプロピレン類および／またはポリウレタン類および／またはポリエチレンテレフタレートおよび／またはポリアミド類および／または熱可塑性エラストマーおよび／または熱可塑性バルカネート類および／または熱硬化性エポキシ樹脂および／またはシリコーン類および／または金属、たとえばアルミニウムおよび／または鋼および／またはステンレス鋼および／またはチタンなどを含み得るが、それらに限定されない。
【０３３２】
この態様において、ハウジング２０１のトップ部材２０２は前後面部材を含まない。この態様には含まれないが、他の態様においては、上記のように、トップ部材前後面部材を含むことができる。トップ部材前後面部材が含まれるのならば、それは、任意の適当な材料、たとえばポリカーボネート類および／またはポリエチレン類および／またはポリプロピレン類および／またはポリウレタン類および／またはポリエチレンテレフタレートおよび／またはシリコーン類などから製造されることができ、周囲の一方の側から他方の側まで延びる膜として構成され、成形法によって、たとえば周囲部分の一つまたは複数にオーバーモールド成形されることによって、それに取り付けられ得る。
【０３３３】
図１４Ａに関して、トップ部材２００は主として周囲部分２２０によって規定されている。周囲部分２２０は、近位端部分２２１および遠位端部分２２２ならびに対向する側方部分２２３および２２４によって規定されている。周囲部分２２０はさらに、さらなる周囲部分、たとえば外側周囲部分２２０ａ、中央周囲部分２２０ｂおよび内側周囲部分２２０ｃを含み得る。外側周囲部分２２０ａおよび内側周囲部分２２０ｃは、周囲部分（たとえば中央周囲部分２２０ｂ）と同じまたは異なる材料で構成されることができ、それらの材料は互いに同じであっても異なってもよい。特定の態様において、周囲部分の面は、本明細書中、以下に記載される一つまたは複数のポート２４６、２８５、２９１および／またはスイッチ特徴２７１、２７２、２７３を製造するために使用される材料のようなさらなる材料を含み得る。
【０３３４】
この態様において、ボトム部材２０３は、周囲部分２３０ならびにボトム部材前面部材２３５および後面部材２３６によって規定されている。周囲部分２３０はさらに、近位端部分２３１および遠位端部分２３２ならびに対向する側方部分２３３および２３４によって規定されている。周囲部分２３０はさらに、さらなる周囲部分、たとえば内側周囲部分２３０ａ、中央周囲部分２３０ｂおよび外側周囲部分２３０ｃを含み得る。内側周囲部分２３０ａおよび外側周囲部分２３０ｃは、周囲部分（たとえば中央周囲部分２３０ｂ）と同じまたは異なる材料で構成されてもよく、それらの材料は互いに同じであっても異なってもよい。特定の態様において、周囲部分の面は、本明細書中、以下に記載される一つまたは複数のスイッチ特徴を製造するために使用される材料のようなさらなる材料を含み得る。
【０３３５】
さらには、ハウジング２０１のボトム部材２０３は、ボトム部材前面部材２３５および背面部材２３６を含み、これらの面部材は周囲部分２３０によって包囲されている。ボトム部材３は、ボトム部材前面部材２３５および背面部材２３６を有するものとして示されているが、他の態様において、面部材は含まれなくてもよいことが理解されよう。むしろ、ボトム部材２０３は、トップ部材２００と同様に構成され得、その場合、ボトム部材２０３は、それと係合したボトム面部材を有することなく、主として周囲部分２３０によって規定され得る。または、トップ部材２００が、周囲部分２００と係合したトップ部材前後面部材を有することにより、ボトム部材３００のように構成され得る。この態様において、ボトム部材前面部材２３５および背面部材２３６はレンズ特徴２８０を含む。
【０３３６】
ボトム面部材２０３の前面２３５および背面２３６は、同じ材料または異なる材料で構成されてもよく、それらの材料は、周囲部分２３０の一つまたは複数の材料と同じであっても異なってもよい。特定の態様において、ハウジング２０１の前面部材２３５および背面部材２３６は少なくとも一つの膜で構成されている。他の場合には、ハウジング２０１の前面部材２３５および背面部材２３６は、周囲部分２３０の少なくとも一部と同じ材料で（たとえば、硬質または半硬質の中央周囲部分２２０ｂと同じ材料で）構成されている。特定の態様において、ボトム部材面部材は、収容された装置から出る音声特性を増幅するような様式で振動することができる半硬質材料で構成され、他の態様において、ボトム面部材は、収容された装置の音声特性を減衰させる材料で構成されている。この態様において、ボトム面部材３５、３６は、音声がハウジングのボトムを通過することを可能にするように構成されている音声伝達部分２６０を含む。
【０３３７】
図示するように、ハウジング２０１はさらに、トップ部材２０２およびボトム部材３が、それらの間に防水性のシールが提供されるような様式で連結されるように、構成されている。したがって、ハウジング２０１の構成部品は、留め付け機構を含むように構成されてもよい。電子装置のような収容される装置の周囲でトップ部材２０２およびボトム部材３の連結を防水性のシールで密封された状態で提供すると同時に収容される装置の設計上の特徴を維持することができる限り、任意の適当な留め付け機構が使用され得る。この場合、ハウジングの留め付け機構（たとえばロッキング要素）は、対応するスナップ歯要素として構成されている。たとえば図１４Ｅに関して以下に記す態様のような他の態様において、ハウジングの留め付け機構は、対応するフック要素およびウェッジ要素として構成されている。
【０３３８】
したがって、図１４Ｂに関して見てとれるように、ハウジング２０１のトップ部材２００は、スナップ歯部材２０７として構成されている留め付け機構を含み、そのスナップ歯部材２２７は、ボトム部材２０３上の対応する留め付け機構と整合するように構成されている。トップ部材留め付け機構２２７は、六つの別個のスナップ歯ロッキング部材（左側の近位スナップ歯部材２２７ａ、右側の近位スナップ歯部材２２７ｂ、遠位スナップ歯部材２２７ｃ、左側のスナップ歯部材２２７ｄならびに右側のスナップ歯部材２４０ｅおよび２４０ｆ）を含む。
【０３３９】
したがって、この場合、ボトム部材３の留め付け機構２３７はスナップ歯収容口２３７を含み、これらの収容口は、スナップ歯部材２２７を収容するように構成されている。留め付け機構２３７は、六つの別個のスナップ歯固定収容口（左側の近位スナップ歯収容口２３７ａ、右側の近位スナップ歯収容口２３７ｂ、遠位スナップ歯収容口２３７ｃ、左スナップ歯収容口２３７ｄならびに右スナップ歯収容口２４０ｅおよび２４０ｆ）を含む。
【０３４０】
さらに、図１４Ｂに示す態様において、ハウジング２０１はさらに、スナップ歯コームロッキング部材として構成された留め付け機構２０４を含む。ロッキング要素２０４は、六つの別個のスナップ歯コーム（左側の近位スナップ歯コーム２４０ａ、右側の近位スナップ歯コーム２４０ｂ、遠位スナップ歯コーム２４０ｃ、左スナップ歯コーム２４０ｄならびに右スナップ歯コーム２４０ｅおよび２４０ｆ）を含む。その結果、トップ部材２０２およびボトム部材２０３は、それにより、防水性のシールが提供されるようなやり方でスナップ歯ロッキング要素２０４と整合するように構成されている。したがって、トップ部材２０２のスナップ歯部材２２７は、スナップ歯コームロッキング部材２０４と整合するように構成され、ボトム部材２０３のスナップ歯収容口２３７はさらに、トップ部材２０２のスナップ歯部材２２７およびスナップ歯コーム２４０の両方を収容するように構成されている。
【０３４１】
図示するように、トップ部材２０２は、６セットのスナップ歯部材２２７ａ、ｂ、ｃ、ｄ、ｅおよびｆを含む。その結果、ボトム部材２０３はスナップ歯収容口２３７ａ、ｂ、ｃ、ｄ、ｅおよびｆを含み、ロッキング要素２０４はスナップ歯コーム２４０ａ、ｂ、ｃ、ｄ、ｅおよびｆを含む。スナップ歯部材、収容口およびコーム要素の数およびセットは相応に異なり得ることが理解されよう。したがって、特定の態様においては、６よりも多いまたは少ない、たとえば５、４、３、２または１セットのスナップ歯部材、収容口およびコームがあってもよい。
【０３４２】
図示するように、スナップ歯収容口２３７は、スナップ歯部材２２７およびスナップ歯コーム要素２４０を収容し、それらと係合して、それらとの堅い接続を提供するように構成されている。図１６に関して見てとれるように、各スナップ歯収容口２３７はスナップ歯収容口空間３８を含み、その空間内にスナップ歯部材２２７およびコーム要素２４０の一部分が収容される。この態様において、スナップ歯収容口２３７はさらに、スナップ歯部材２２７およびコーム要素２４０の両方と係合するように構成されている。
【０３４３】
たとえば、収容口２３７の一つまたは複数はスナップ歯コーム係合インターフェース（たとえば戻り止め２３９ａ）を含み、この戻り止めが、コーム要素２４０上の対応する係合インターフェース（たとえば戻り止め受け要素２４４）と係合する。この相互作用が、コーム２４０を定位置に固定するのに役立ち、それが水平方向に移動し、スナップ歯収容口２３８との係合が解かれ、その垂直軸に沿って垂直方向に自由に動くことを防ぐ。さらに、図示するように、収容口２３７は、スナップ歯部材２２７上の対応する係合インターフェース（たとえば戻り止め受け要素２２８ｂ）と係合するスナップ歯部材係合インターフェース（たとえば戻り止め２３９ｂ）を含む。この相互作用が、スナップ歯部材２２７を定位置に固定するのに役立ち、それがその垂直軸に関して垂直方向に動くことを防ぐ。
【０３４４】
図１４Ｃに示すように、スナップ歯部材２２８およびスナップ歯コーム２４０は、それらが互いに接触しているとき、それぞれが、他方がその垂直軸から横方向に離れることを防ぐような様式で構成されている。このような様式で、スナップ歯部材２２８は、スナップ歯部材係合戻り止め２３９ｂに対して定位置に保持され、当該戻り止めから垂直方向または水平方向に係合解除されることを阻止され、スナップ歯コーム２４０は、スナップ歯コーム係合戻り止め２３９ａに対して定位置に保持され、当該戻り止めから垂直方向または水平方向に係合解除されることを阻止される。その結果、コーム２４０が定位置にあるとき、スナップ歯部材２２８およびスナップ歯コーム２４０の両方は互いに対して固定され、トップ部材２０２はボトム部材２０３と連結され、それにより、防水性のシールが提供される。このシールはさらに、トップ部材２０２をボトム部材３に対して固定するように機能して、コームが取り外されるまで二つの部材を連結解除することができないようにする。
【０３４５】
本明細書において、特定の構成が提示されるが、相互作用の真意を逸脱することなく、スナップ歯部材２２８とコーム２４０との相互作用およびそれらとボトム部材２０３（たとえば収容口２３７）との相互作用は異なる構成とされ得ることが理解されよう。たとえば、個々の係合要素（たとえば２２８、２３９、２４４など）が、異なる構成とされてもよいし、かつ／または異なる面に配置されてもよい。たとえば、スナップ歯部材２２８はスナップ歯コーム係合要素を含み得、スナップ歯コーム２４０は対応するスナップ歯部材係合要素を含み得る。そのような場合において、スナップ歯部材２２８は、対応する係合要素を介してスナップ歯コーム２４０と直接係合および固定して、スナップ歯部材２２８をスナップ歯係合コーム２４０とともに固定し、それにより、トップ部材２０２とボトム部材２０３との連結を実現し得る。そのような場合において、収容口戻り止め３９は存在してもよいし存在しなくてもよい。または、別の態様において、参照される戻り止め２３９は、図１８を参照して提供されるものとは異なる係合構成を有することもできる。
【０３４６】
したがって、図１４Ｂは、分解図におけるハウジング２０１の斜視図を示す。ハウジングはトップ部材２０２、ボトム部材２０３およびロッキング要素２０４を含み、当該ロッキング要素はスナップ歯コーム部材として構成されている。トップ部材２０２は複数の機能を含み得る。たとえば、トップ部材２０２は主として周囲部分２２０を含み得る。当該周囲部分は、一つまたは複数の異なる下位部分（たとえば外側周囲部分２２０ａ、中央周囲部分２２０ｂおよび内側周囲部分２２０ｃ）を含み得る。これらの周囲部分の一つまたは複数は、同じまたは異なる材料から製造されることができ、同じまたは異なる機能の一つまたは複数を実行し得る。
【０３４７】
たとえば、トップ部材外側周囲部分２２０ａは、ある程度の衝撃吸収性をハウジング２０１にもたらすために可撓性材料から製造され得る。中央周囲部分２２０ｂは、トップ部材２０２に構造上の完全性を与えるために硬質または半硬質材料から製造され得る。そのような材料は、熱可塑性材料、たとえばポリカーボネート類および／または繊維入りポリカーボネート類および／またはアクリロニトリルブタジエンスチレン類および／またはポリエチレン類および／またはポリプロピレン類および／またはポリウレタン類および／またはポリエチレンテレフタレートおよび／またはポリアミド類および／またはポリ塩化ビニル類および／または熱可塑性エラストマーおよび／または熱可塑性バルカネート類および／または熱硬化性エポキシ樹脂および／またはシリコーン類および／または金属、たとえばアルミニウムおよび／または鋼および／またはステンレス鋼および／またはチタンなどを含んでもよいが、それらに限定されない。内側周囲部分２２０ｃは可撓性または半可撓性材料から製造され得る。たとえば、可撓性の外側周囲部分および／または内側周囲部分が製造され得、任意の適当な方法（たとえばオーバーモールド成形、加硫、接着剤結合、熱結合、基材結合、たとえば接着テープ基材、機械的接着、たとえば溝の周囲への延伸および／または溝の中への閉じ込めなど）によって、より硬質の中央周囲部分と係合され得る。
【０３４８】
外側周囲部分２２０ａに関して、特定の場合において、それは可撓性または半可撓性材料から製造され得、そのような材料は、ゴム、たとえば天然ゴムおよび／またはニトリルおよび／またはネオプレンおよび／またはシリコーン類および／またはフルオロシリコーン類および／またはフルオロカーボン類および／またはペルフルオロエラストマーおよび／またはポリウレタン類および／または熱可塑性エラストマー、たとえばエチレンプロピレンおよび／または熱可塑性バルカネート類および／または熱可塑性樹脂、たとえばポリプロピレンおよび／またはポリエチレンおよび／または発泡体、たとえば発泡ポリ塩化ビニルおよび／または発泡ニトリルゴムおよび／または発泡ポリウレタンウレタンなどを含み得るが、それらに限定されない。したがって、外側周囲部分２２０ａは、ある程度の耐衝撃保護をハウジングに与えるバンパーのように働くような様式で構成され得る。
【０３４９】
内側周囲部分２２０ｃに関して、それは可撓性または半可撓性材料から製造され得、そのような材料は、ゴム、たとえば天然ゴムおよび／またはニトリルおよび／またはネオプレンおよび／またはシリコーン類および／またはフルオロシリコーン類および／またはフルオロカーボン類および／またはペルフルオロエラストマーおよび／またはポリウレタン類および／または熱可塑性エラストマー、たとえばエチレンプロピレンおよび／または熱可塑性バルカネート類および／または熱可塑性樹脂、たとえばポリプロピレンおよび／またはポリエチレンおよび／または発泡体、たとえば発泡ポリ塩化ビニルおよび／または発泡ニトリルゴムおよび／または発泡ポリウレタンウレタンなどを含み得るが、それらに限定されず、そして収容される装置の面（たとえば画面）との水密性シールの生成を促進するように構成され得る。
【０３５０】
特定の態様において、内側周囲部分は、前記画面のクリーニングを容易にするように適合され得る。たとえば、内側周囲部分２２０ｃは、ワイパーとして構成され得、下にある装置の画面の表面と中央周囲部分２２０ｂとを橋渡しして、画面をワイパーに向かって拭くと、任意の粒子状物質または流体物質が、トップ部材／装置画面の境界面の中に入るのではなく、周囲２２０よりも上に押し上げられるように、適合され得る。三つの周囲部分２２０ａ、ｂ、ｃが規定されているが、より多いまたはより少ない周囲部分が含まれ得ることが理解されよう。たとえば、特定の態様において、外側周囲部分２０ａおよび／または内側周囲部分２０ｃは中央周囲部分２２０ｂと結合する必要はない。
【０３５１】
トップ部材２０２はまた、ホームボタン２１５を含み得る。たとえば、中央周囲部分２０ｂは、下にある装置のトップ面画面上に存在するボタンと整合するように構成されている延長部分を有し得る。さらに、トップ部材２０２は、充電ポートラッチ２４１の一部分と係合するためのインターフェース２４９を有し得る。上記のように、トップ部材２０２はさらに、この場合には複数のスナップ歯部材２２７ａ、ｂ、ｃ、ｄ、ｅおよびｆとして構成されている一つまたは複数の留め付け機構を含む。しかし、図１４Ｅ〜１４Ｉに関して示され、本明細書において詳細に説明されるような他の態様において、留め付け機構は、ウェッジ受けダックフック要素として構成され得る。さらに、この態様において、トップ部材２０２は、周囲の一方の側から他方の側まで延びるトップ部材前後面を含まない。しかし、様々な他の態様において、柔軟な膜のような前後面が提供され得る。
【０３５２】
ボトム部材２０３もまた、周囲部分２３０によって規定され得る。周囲部分は、一つまたは複数の異なる下位部分（たとえば外側周囲部分２３０ａ、中央周囲部分２３０ｂおよび内側周囲部分２３０ｃ）を含み得る。ボトム部材２０３の周囲部分は、同じまたは異なる材料から製造されてもよく、そのような材料は、熱可塑性材料、たとえばポリカーボネート類および／または繊維入りポリカーボネート類および／またはアクリロニトリルブタジエンスチレン類および／またはポリエチレン類および／またはポリプロピレン類および／またはポリウレタン類および／またはポリエチレンテレフタレートおよび／またはポリアミド類および／またはポリ塩化ビニル類および／または熱可塑性エラストマーおよび／または熱可塑性バルカネート類および／または熱硬化性エポキシ樹脂および／またはシリコーン類および／または金属、たとえばアルミニウムおよび／または鋼および／またはステンレス鋼および／またはチタンなどを含んでもよいが、それらに限定されず、同じまたは異なる機能を実行してもよい。外側周囲部分２３０ａは可撓性または半可撓性材料から製造され得る。たとえば、可撓性外側周囲部分が製造され得、任意の適当な方法（たとえばオーバーモールド成形、加硫、接着剤結合、熱結合、基材結合、たとえば接着テープ基材、機械的接着、たとえば溝の周囲への延伸および／または溝の中への閉じ込めなど）によって、より硬質の中央周囲部分と係合され得る。様々な態様において、多かれ少なかれ周囲部分が含まれ得る。
【０３５３】
さらに、周囲部分２３０は一つまたは複数の他の特徴を含み得る。たとえば、周囲部分２３０は、一つまたは複数のポート特徴（たとえば充電ポート収容口２４６）を含み得る。充電ポート収容口２４６は、収容される装置の充電器を受けるように構成されてもよく、収容口カバー２４１（たとえば充電ポートドア）を含み得る。充電ポートドア２４１はさらに、開閉し、それにより、充電ポート収容口２４６を防水性のシール状態にて密封するように構成され得る。その結果、トップ部材２０２は、充電器ポートドア２４１と相互作用して、それとともに防水性のシールを提供するように構成され得る。
【０３５４】
たとえば、上記のように、トップ部材２０２は、充電ポートドア２４１上の対応するラッチ特徴（たとえばラッチランプ）と係合して充電ポート収容口２４６を防水性のシール状態に密封するように構成されているラッチ特徴２４９（たとえばラッチランプ収容部）を含み得る。ラッチ特徴は、その様々な要素がトップ部材２０２および／またはボトム部材２０３上に配置されている状態で説明されたが、この順序が逆にされてもよいし、かつ／またはラッチ特徴のすべてがトップまたはボトム部材の一方の上に完全に配置されてもよいことが理解されよう。
【０３５５】
ボトム部材２０３はさらに、一つまたは複数のボタンインターフェース（たとえば一つまたは複数の表示方向トグルインターフェース７２ａおよびｂ、音量ボタンインターフェース７３および／またはオン／オフボタンインターフェース７１）を含むことができ、これらのインターフェースは、周囲２３０に沿って配置され得るし、ボトム部材２０３の後面部材２３５、２３６上に配置され得る。さらに、ボトム部材２０３は、イヤホン、スピーカーもしくは他のジャック特徴を収容するように適合され得るポート（たとえばイヤホンポート２８５および／またはノイズ低減ポート特徴２９１）を含み得る。また、ボトム部材の前後面２３５、２３６がレンズ特徴２８０を含み得る。
【０３５６】
図１４Ｂの前後面部材２３５、２３６に関して見てとれるように、当該面は、任意の適当な材料（たとえばポリカーボネート類および／またはポリエチレン類および／またはポリプロピレン類および／またはポリウレタン類および／またはポリエチレンテレフタレートおよび／またはシリコーン類および／またはガラス（たとえば強化もしくは耐衝撃性改良グレードガラスならびに／または塗装および／もしくは粉体塗装および／もしくは真空蒸着ガラス）など）から製造されることができ、任意の適当な色であってもよいことが理解されよう。この場合、前後面２３５、２３６は、透明な材料（たとえば明澄なプラスチック）から製造される。透明なボトム部材面を有することは、ユーザーが下にある電子装置の状態を容易に見ることを可能にし、装置からの放射エネルギーの伝達を容易にし、下にある装置の美的機能を維持するのに役立つため、有用である場合がある。それにもかかわらず、他の場合において、ボトム部材前後面２３５、２３６は半透明材料から製造される。さらには、上記のように、ボトム部材の周囲部分２３０が一つまたは複数のセットの留め付け機構２３７（たとえばスナップラッチ収容口、たとえば収容口２３７ａ、ｂ、ｃ、ｄ、ｅおよびｆ）を含んでもよく、これらの収容口は、スナップ歯部材２２８および／またはスナップ歯コーム２４０の一方または両方を収容するように適合されている。しかし、図１４Ｅ〜１４Ｉに関して本明細書に記載されたような特定の場合において、ボトム部材２０３の留め付け機構２３７は、異なる構成（たとえばロッキングウェッジ受けフック構成）を有し得ることが理解されよう。
【０３５７】
図１４Ｂに関して見てとれるように、ハウジング１はまた、一つまたは複数のロッキング要素２４０（たとえばスナップ歯コーム２４０ａ、ｂ、ｃ、ｄ、ｅおよびｆ）を収容するように構成され得、これらのロッキング要素は、トップ部材およびボトム部材を連結させてそれらと共に防水性のシールを提供するためにトップ２０２およびボトム部材２０３の留め付け機構の一方または両方と係合し得る。また、ロッキング要素２０４はスナップ歯コームロッキング要素として示されているが、様々な態様において、それはロッキングウェッジとして構成されてもよく、そのロッキングウェッジは、トップおよびボトム部材留め付け機構の対応するフック要素と係合するように適合されていることが理解されよう。
【０３５８】
図１４Ｃは、図１４Ｂのハウジングの前方斜視図を示すが、この態様において、ボトム部材２０３のボトム部材の前後面２３５、２３６は不透明であり、透明ではない。図示するように、トップ部材２０２は周囲部分２２０を含み、この周囲部分２２０は一連のスナップ歯部材２２７を含む。ボトム部材はさらに周囲部分２３０を含む。しかし、トップ部材２０２とは違って、ボトム部材２０３は前後面部材２３５、２３６を含む。それにもかかわらず、特定の場合においては、トップ部材２０２が前後面部材を含み、ボトム部材２０３は含まない。他の態様においては、トップ部材２０２またはボトム部材２０３のいずれも前後面部材を含まず、むしろ、それぞれは周囲部分２２０および２３０のみによってそれぞれ規定されている。この場合、ボトム部材２０３は、充電ポート収容口２４６と、充電ポートガスケット２４５を有する充電ポートドア２４１とを含み、トップ部材は、充電ポートドア係合部材（たとえばラッチランプ収容部２４９）を含む。しかし、上記のように、この順序が逆にされてもよいし、異なるふうに構成されてもよいことが理解されよう。また、この場合にはスナップ歯コームとして構成されているロッキング要素２４０が示されている。
【０３５９】
図１４Ｄは、図１４Ｃのハウジングの後方斜視図を示す。この図から見てとれるように、トップ部材２０２はさらにボタン特徴２１５を含み、このボタン特徴は周囲部分２２０の一方の側から他方の側に渡る。ボタン特徴２１５は、下にある装置のボタンと相互作用し、それにより、それを操作するように構成されている。図示するように、ボタン特徴２１５は、ホームボタンガスケット２１６によって覆われ、このガスケットがホームボタン２１５のための防水性のシールを提供する。また、周囲部分２２０の下面に（たとえば中央周囲部分２２０ｂの下に）配置された周囲ガスケット２１０が示されている。この場合、ガスケット２１０は周囲部分２２０全体を囲み、さらに、ボタン特徴２１５の境界を囲んでいる。このようにして、トップ部材２０２がボトム部材２３と連結および／またはたとえばロッキング要素２０４を介してそれと固定されると、水密性シールが形成される。
【０３６０】
上述したように、図１４Ｅは、本明細書において記載されるハウジング２０１の代替態様のトップダウン斜視図を示す。ハウジング２０１のこの態様は、タブレットコンピュータまたはリーダーのような電子装置を収容するように構成されているトップ部材２０２およびボトム部材２０３を含む。トップ２０２およびボトム２０３部材が一緒に連結される、たとえば互いに対して配置されると、それらは連続的な内面および連続的な外面をもたらす。ハウジング２０１のこの態様はまた、トップ２０２およびボトム部材２０３が一緒に連結されたときに防水性のシールを提供するように構成されている留め付け機構を含む。また、この態様において、電子装置を収容するときなどにトップ部材２０２とボトム部材２０３とを固着させるために、さらなる留め付け機構、たとえばロッキング要素２０４が提供される。ロッキング要素２０４は、左側の近位ロッキングウェッジ２４０ａ、右側の近位ロッキングウェッジ２４０ｂ、遠位ロッキングウェッジ２４０ｃ、左側のロッキングウェッジ２４０ｄおよび右側のロッキングウェッジ２４０ｅを含む。
【０３６１】
トップ部材２０２は、トップ部材外側周囲部分２０ａ、トップ部材中央周囲部分２２０ｂおよびトップ部材内側周囲部分２２０ｃを含み得る。トップ部材内側周囲部分２２０ｃはトップ部材２０２の中央に長方形の空間を規定する。トップ部材中央周囲部分２０ｂはトップ部材内側周囲部分２２０ｃの外側縁を取り囲む。トップ部材外側周囲部分２２０ａはトップ部材中央周囲部分２２０ｂの外側縁を取り囲む。
【０３６２】
トップ部材外側周囲部分２２０ａはバンパーとして構成されることができる。本明細書において使用されるバンパーとは、トップ部材２０２の外側縁を保護する可撓性または半可撓性材料である。トップ部材内側周囲部分２０ｃはワイパーとして構成されることができる。本明細書において使用されるワイパーとは、トップ部材と接触しているとき電子装置の表面に接触するように構成されることができる可撓性または半可撓性材料である。可撓性または半可撓性材料は、ゴム、たとえば天然ゴムおよび／またはニトリルおよび／またはネオプレンおよび／またはシリコーン類および／またはフルオロシリコーン類および／またはフルオロカーボン類および／またはペルフルオロエラストマーおよび／またはポリウレタン類および／または熱可塑性エラストマー、たとえばエチレンプロピレンおよび／または熱可塑性バルカネート類および／または熱可塑性樹脂、たとえばポリプロピレンおよび／またはポリエチレンおよび／または発泡体、たとえば発泡ポリ塩化ビニルおよび／または発泡ニトリルゴムおよび／または発泡ポリウレタンウレタンなどであってもよいが、これらに限定されない。
【０３６３】
トップ部材中央周囲部分２２０ｂの外側縁の下面には、トップ部材ウェッジ受けダックフック２２７が設けられている。トップ部材中央周囲部分２２０ｂの左近位側は、中央周囲部分２２０ｂの外側縁の下面に配置されたトップ部材左側の近位ウェッジ受けダックフック２２７ａを有する。トップ部材中央周囲部分２２０ｂの右近位側は、中央周囲部分縁２２０ｂの下面に配置されたトップ部材右側の近位ウェッジ受けダックフック２２７ｂを有する。トップ部材中央周囲部分２２０ｂの右側は、中央周囲部分２２０ｂの外側縁の下面に配置されたトップ部材右側のウェッジ受けダックフック２２７ｄを有する。
【０３６４】
ボトム部材２０３は、その遠位左側にイヤホンジャックポート２８５を含む。イヤホンジャックポート２８５は、それとともに防水性のシールを提供する様式でイヤホンジャックポート２８５に取り外し可能に挿入され得るイヤホンポートカバー２８６を含む。イヤホンポートカバー２８６がイヤホンジャックポート２８５に挿入された場合、イヤホンポートカバー２８６は、流体、特に液体がイヤホンジャックポート２８５の中へ入ることおよび通過することを防ぐ。特定の態様において、これらの流体は空気および水を含む。
【０３６５】
ボトム部材２０３はまた、レンズ特徴２８０を含む。レンズ特徴２８０は単に、光に対して透過性である明澄な面であることができる。この態様において、レンズ特徴２８０は、レンズ特徴２８０の内面に対して配置されているカメラレンズ、たとえば収容された装置上に存在するカメラレンズに倍率および／またはフィルタリングを提供するレンズを含む。レンズ特徴２８０はまた、レンズ特徴２８０の内面に対して配置されているカメラレンズに広角効果を提供するレンズを含み得る。レンズ特徴２８０はまた、レンズ特徴２８０を構成する材料を通過する光を実質的に屈折させない透明な材料を含み得る。したがって、レンズ特徴の内面に対して配置されたカメラは、その性能がレンズ特徴２８０の存在によって影響されないであろう。レンズ特徴を構成する透明な材料はガラス、プラスチックなどであることができる。
【０３６６】
ボトム部材２０３はまた、その遠位側２３２の概ね中央にノイズ低減ポート２９６を含む。
【０３６７】
トップ部材２０２と同じく、ボトム部材２０３もまた、ウェッジ受け要素を有し、この場合、ウェッジ受け要素は、ボトム部材ウェッジ受けフックとして構成され、中央周囲部分２３０ｂの最も外側の縁に沿って配置されている。ボトム部材２０３の左側の近位外側縁は、その上縁に配置されたボトム部材左側の近位ウェッジ受けフック２３７ａを有する。ボトム部材２０３の右側の近位外側縁は、その上縁に配置されたボトム部材右側の近位ウェッジ受けフック２３７ｂを有する。ボトム部材２０３の遠位外側縁は、その上縁に配置されたボトム部材遠位ウェッジ受けフック２３７ｃを有する。ボトム部材２０３の左側の外側縁は、その上縁に配置されたボトム部材左側のウェッジ受けフック２３７ｄを有する。ボトム部材２０３の右側の外側縁は、その上縁に配置されたボトム部材右側のウェッジ受けフック２３７ｅを有する。
【０３６８】
トップ部材２０２とボトム部材２０３とをともに嵌め合わせることができる。トップ部材２０２とボトム部材２０３とが位置合わせされ、そしてともに連結されると、トップ部材ウェッジ受けダックフック２２７とボトム部材ウェッジ受けフック２３７とが交互嵌合し、それにより、インターロックすることができる。この交互嵌合が、トップ部材２０２とボトム部材２０３とが合流する周囲２２０に沿って溝を形成する。そして、ロッキングウェッジ要素２０４をそれらの溝に挿入して、トップ部材２０２とボトム部材２０３とを一緒に固定することができる。特定の態様において、これは、トップ部材２０２とボトム部材２０３との間に流体を通さないシールを形成するように構成されている。特定の場合において、流体は空気、水などであり得る。
【０３６９】
図１４Ｆは、本明細書において、図１４Ｅにおいて説明されたハウジングの態様のボトムアップ斜視図を示す。この斜視図において、ボトム部材２０３は、トップ部材２０２に近接する状態で示されている。この態様において、ボトム部材２０３の前／後面２３５／２３６は、透明な材料、たとえばポリカーボネート類および／またはポリエチレン類および／またはポリプロピレン類および／またはポリウレタン類および／またはポリエチレンテレフタレートおよび／またはシリコーン類および／またはガラス、たとえば強化もしくは耐衝撃性改良グレードガラスなどでできている。前／後面は、周囲部分２２０の少なくとも一部分に沿って製造され得るし、あるいはそれに取り付けられ得る。図１４Ｆの前後面部材２３５、２３６は、硬質、可撓性または半可撓性材料から製造され得、適当な方法、たとえばオーバーモールド成形、絵付成形、加硫、接着剤結合、熱結合、基材結合、たとえば接着テープ基材、機械的接着、たとえば溝の周囲への延伸および／または溝の中への閉じ込めなどによって作られ、中央周囲部分と結合され得る。
【０３７０】
この態様において、前／後面２３５／２３６は、中央周囲部分２２０ｂとともにつながった部材として成形されている。ボトム部材２０３の後面２３６および中央周囲部分２２０ｂの外側縁には、外側周囲部分２３０ａがかぶせられている。外側周囲部分２３０ａは、任意の適当な材料でできていることができ、ボトム部材２２３の外側縁を保護する可撓性または半可撓性材料であってもよく、そのような材料は、ゴム、たとえば天然ゴムおよび／またはニトリルおよび／またはネオプレンおよび／またはシリコーン類および／またはフルオロシリコーン類および／またはフルオロカーボン類および／またはペルフルオロエラストマーおよび／またはポリウレタン類および／または熱可塑性エラストマー、たとえばエチレンプロピレンおよび／または熱可塑性バルカネート類および／または熱可塑性樹脂、たとえばポリプロピレンおよび／またはポリエチレンおよび／または発泡体、たとえば発泡ポリ塩化ビニルおよび／または発泡ニトリルゴムおよび／または発泡ポリウレタンウレタンなどであることができるがこれらに限定されず、それにより、パンバー部分として働く。可撓性または半可撓性材料は、ゴム、ネオプレン、ポリプロピレンなどであることができる。
【０３７１】
ボトム部材２０３の外側図は、ボトム部材２０３の左遠位側２３２を通過するイヤホンジャックポート２８５を示す（ハウジングのトップ側から見た場合にはボトム部材２０３の右遠位側である）。ボトム部材２０３の外側図はまた、ボトム部材２０３の右遠位側を通過するレンズ特徴２８０を示す（ハウジングのトップ側から見た場合にはボトム部材２０３の右遠位側である）。ボトム部材２０３の外側図はさらに、ボトム部材２０３の遠位側を通過するノイズキャンセリング特徴２９６を示す。それは、図１４Ｅに示す斜視図から見た場合にはボトム部材２０３の右側である。
【０３７２】
ボトム部材２０３は、ボトム部材２０３の右遠位側にボトム部材オン／オフスイッチ７１を含む（図１４Ｅに示す斜視図から見た場合にはボトム部材２０３の右遠位側である）。ボトム部材２０３はさらに、ボトム部材２０３の右側に表示方向トグル２７２ａおよびｂを含む（図１４Ｅに示す斜視図から見た場合にはボトム部材２０３の右側である）。ボトム部材はさらに、表示方向トグル２７２ａおよびｂのすぐ下に音量ボタン２７３を含む。ボトム部材２０３はまた、その右側の近位端２３１のすぐ上に音声伝達部分２６０を含む（それは、図１４Ｅに示す斜視図から見た場合にはボトム部材２０３の右側の近位端である）。また、ボトム部材２０３の近位端２３１には充電ポートドア２４１がある（それは、図１４Ｅに示す斜視図から見た場合にはボトム部材２０３の近位端である）。充電ポートドアは、収容された電子装置の遠位端に位置する充電ポートへのアクセスを提供する。特定の態様において、充填ポートドア２４１が閉じているとき、充填ポートドアは、流体が充電ポートドア２４１を通過してハウジングの内側に達することを防ぐ。特定の態様において、流体は空気、水などである。
【０３７３】
トップ部材２０２はまた、トップ部材中央周囲部分（図１４Ｅの２０ｂ）の内側縁に沿ってガスケット２１０を含む。ガスケット２１０は、電子装置が収容され、トップ部材２０２と接触しているとき、トップ部材２０２およびボトム部材２０３および／または電子装置の間に流体を通さないシールを形成することができる。ガスケット２１０は、トップ部材２０２と電子装置とが突き合うところで保護する可撓性または半可撓性材料でできていることができ、また、それらの間にシールを形成することができる。可撓性または半可撓性材料は、ゴム、たとえば天然ゴムおよび／またはニトリルおよび／またはネオプレンおよび／またはシリコーン類および／またはフルオロシリコーン類および／またはフルオロカーボン類および／またはペルフルオロエラストマーおよび／またはポリウレタン類および／または熱可塑性エラストマー、たとえばエチレンプロピレンおよび／または熱可塑性バルカネート類および／または熱可塑性樹脂、たとえばポリプロピレンおよび／またはポリエチレンおよび／または発泡体、たとえば発泡ポリ塩化ビニルおよび／または発泡ニトリルゴムおよび／または発泡ポリウレタンウレタンなどを含み得るが、これらに限定されない。
【０３７４】
トップ部材２０２のこの内側図には、トップ部材２０２の遠位側２２２に沿って配置された遠位ウェッジ受けダックフック２２７ｃが見える（それは、図１４Ｅに示す斜視図から見た場合にはトップ部材２０２の遠位側である）。また、トップ部材２０２のこの内側図には、トップ部材２０２の左側に沿って配置された左側のウェッジ受けダックフック２２７ｄが見える（それは、図１４Ｅに示す斜視図から見た場合にはトップ部材２０２の左側である）。
【０３７５】
トップ部材２０２は、トップ部材２０２の遠位端に位置するボタンガスケット２１６ａを含む（それは、図１４Ｅに示す斜視図から見た場合にはトップ部材２０２の遠位側である）。ボタンガスケット２１６ａは、トップ部材２０２のホームボタン特徴２１５の下にあり、それとともに防水性のシールを提供し、それにより、ホームボタン２１５を通過する液体の漏れを防ぐ。ホームボタン２１５は、収容された装置のホームボタンを操作するためのホームボタンノブ２１５ｂを含むため、ボタンガスケットはまた、ボタンガスケット２１６ａの内面に位置するボタンガスケットボタンインターフェース１６ｂを介してハウジングを通して電子装置の制御面の操作をも可能にし、このインターフェースはホームボタンノブ２１５ｂの下にある。したがって、特定の態様において、ボタンガスケット１６ａおよびボタンガスケットボタンインターフェース２１６ｂは、電子装置の制御面の操作を可能にする一方でトップ部材２０２中の流体の通過を防ぐ。特定の場合において、この流体は空気、水などであり得る。
【０３７６】
トップ部材２０２はまた、左側の遠位端に位置するイヤホンジャック切欠き２８９を含む（それは、図１４Ｅに示す斜視図から見た場合にはトップ部材２０２の左側の遠位側である）。切欠きは、イヤホンジャックポート２８５におけるトップ部材２とボトム部材との固い接合を可能にする。
【０３７７】
図１４Ｇは、図１４Ｅに記載されたハウジングの関連態様を示す。この態様において、ボトム部材前／後面２３５、２３６は不透明である。図１４Ｇはイヤホンポートカバー２８６の詳細図を示す。イヤホンポートカバー２８６は、栓ヘッド２８９、栓ねじ２８８および栓ガスケット２８７を含む。栓ガスケット２８７およびねじ２８８はイヤホンジャックポート２８５に嵌り込む。栓ガスケット２８７がイヤホンジャックポート２８５の内側に配置され、そしてねじ２８８が、ポート２８５中に存在する対応するねじに対して締め付けられると、栓ヘッド２８９がイヤホンジャックポート２８５の外部開口部を覆い、それにより、防水性のシールが提供される。したがって、特定の態様において、栓ガスケット２８７は、ハウジングの内部への流体の通過を防ぐ。特定の場合において、この流体は空気、水などであり得る。
【０３７８】
具体的には、特定の態様において、イヤホンジャックポート２８５は溝を切られており、イヤホンジャックポート２８５を閉じる位置へとイヤホンポートカバー２８６は定位置までねじ込まれ得る。これらの態様において、イヤホンポートカバー２８６は、イヤホンポートカバーをイヤホンジャックポート８５にねじ込むことを可能にする栓ねじを含む。これらのねじは、一般的なスクリュー様ねじであることもできるし、カム特徴または他の栓機構、たとえばポートカバー２８６がポートジャック２８５に挿入されるとき押し下げられ、その後その中で一度拡大し、それにより、ポートを防水性のシール状態に密封する押下可能なシール機構として構成されることもできる。
【０３７９】
図１４Ｈは、本明細書に記載されるハウジングの態様を、それが収容する電子装置１００とともに示す。電子装置１００は、装置イヤホンジャックポート１８５をその左遠位端に含む（図１４Ｅに示す斜視図から見た場合には電子装置１００の左側の遠位端である）。電子装置１００はまた、装置ノイズキャンセリング特徴１９６をその上面の近位端に含む（それは、図１４Ｅに示す斜視図から見た場合には電子装置１００の上面の近位端である）。電子装置１００はさらに、装置オン／オフスイッチ１７１をその右遠位端に含む（それは、図１４Ｅに示す斜視図から見た場合には電子装置１００の右遠位端である）。電子装置１００はさらに、装置表示方向トグル１７２を装置の遠位端に近い装置右側に含む（それは、図１４Ｅに示す斜視図から見た場合には電子装置１００の遠位端に近い右側である）。電子装置１００はまた、装置ホームボタン１１５をその上面の遠位端に含む（図１４Ｅに示す斜視図から見た場合には電子装置１００の上面の遠位端である）。
【０３８０】
図１４Ｈに示すように、イヤホンジャックポート２８５は、装置ジャックポート１８５へのアクセスを可能にするために配置されている。また図１４Ｈに示すように、ノイズ低減ポート９６は、装置ノイズキャンセリング特徴１９６がハウジングの外へのアクセスを有することを可能にするために配置されている。また図１４Ｈに示すように、ボトム部材オン／オフスイッチインターフェース２７１、表示方向トグル２７２ａおよびｂ、音量ボタン２７３ならびにホームボタン１５は、電子装置（１００）がハウジングに収容されているとき、収容された電子装置（１００）のオン／オフスイッチ１７１、装置表示方向トグル１７２、装置音量スイッチ１７３および装置ホームボタン１１５の操作を可能にする。
【０３８１】
図１４Ｉは、図１Ｆに示す態様の異なる斜視図を示す。
【０３８２】
図１５Ａは、図１５Ａのトップ部材２０２のトップダウン斜視図を示す。図示するように、トップ部材２０２は主として周囲部分２２０によって規定されている。周囲部分は、外側周囲部分２２０ａ、中央周囲部分２２０ｂおよび内側周囲部分２２０ｃを含む。この場合、三つすべての周囲部分は異なる材料から製造され、一緒に成形される。前記の外寄りの周囲部分２２０ａは、可撓性または半硬質材料から製造され、ある程度の衝撃吸収性をケースの外側縁に与えるように適合されている。可撓性または半硬質材料は、ゴム、たとえば天然ゴムおよび／またはニトリルおよび／またはネオプレンおよび／またはシリコーン類および／またはフルオロシリコーン類および／またはフルオロカーボン類および／またはペルフルオロエラストマーおよび／またはポリウレタン類および／または熱可塑性エラストマー、たとえばエチレンプロピレンおよび／または熱可塑性バルカネート類および／または熱可塑性樹脂、たとえばポリプロピレンおよび／またはポリエチレンおよび／または発泡体、たとえば発泡ポリ塩化ビニルおよび／または発泡ニトリルゴムおよび／または発泡ポリウレタンウレタンなどを含み得るが、これらに限定されない。したがって、外寄りの周囲部分２２０ａは、本明細書においてバンパー部分として参照される。可撓性または半硬質材料は、ゴム、たとえば天然ゴムおよび／またはニトリルおよび／またはネオプレンおよび／またはシリコーン類および／またはフルオロシリコーン類および／またはフルオロカーボン類および／またはペルフルオロエラストマーおよび／またはポリウレタン類および／または熱可塑性エラストマー、たとえばエチレンプロピレンおよび／または熱可塑性バルカネート類および／または熱可塑性樹脂、たとえばポリプロピレンおよび／またはポリエチレンおよび／または発泡体、たとえば発泡ポリ塩化ビニルおよび／または発泡ニトリルゴムおよび／または発泡ポリウレタンウレタンなどを含んでもよいが、これらに限定されない。
【０３８３】
内側周囲部分２２０ｃもまた、可撓性または半硬質材料から製造され、ある程度のシールをハウジング２０１の内部のために提供するように適合されている。たとえば、内側周囲部分２２０ｃは、密接なインターフェースが形成されるような様式で、収容された装置の画面部分と相互作用するように適合されている。この密接なインターフェースは、水が内側周囲部分２２０ｃの下にしみ込むことを防ぐのに役立つ。さらに、内側周囲部分は、流体および／または粒子状物質が、トップ部材２０２の周囲２２０の下よりはむしろ周囲２２０の上を滑動するまたはそうでなければ流れるように適合されている。この理由のため、内側周囲部分は、本明細書においてワイパー部分として参照され得る。可撓性または半硬質材料は、ゴム、たとえば天然ゴムおよび／またはニトリルおよび／またはネオプレンおよび／またはシリコーン類および／またはフルオロシリコーン類および／またはフルオロカーボン類および／またはペルフルオロエラストマーおよび／またはポリウレタン類および／または熱可塑性エラストマー、たとえばエチレンプロピレンおよび／または熱可塑性バルカネート類および／または熱可塑性樹脂、たとえばポリプロピレンおよび／またはポリエチレンおよび／または発泡体、たとえば発泡ポリ塩化ビニルおよび／または発泡ニトリルゴムおよび／または発泡ポリウレタンウレタンなどを含み得るが、これらに限定されない。内寄りの周囲部分２２０ｃは、任意の適当な方法、たとえばオーバーモールド成形、絵付成形、加硫、接着剤結合、熱結合、基材結合、たとえば接着テープ基材、機械的接着、たとえば溝の周囲への延伸および／または溝の中への閉じ込めおよび／または他の機械的接着などによって作られ、中央周囲部分と結合され得る。
【０３８４】
中央周囲部分２２０ｂは、半硬質ないし硬質材料から作られ、外側バンパー２２０ａ部分を内側ワイパー２２０ｃ部分から分離させる。中央周囲部分は、一部には、構造上の完全性および安定性をハウジング２０１に与えるように機能する。硬質ないし半硬質材料は、熱可塑性材料、たとえばポリカーボネート類および／または繊維入りポリカーボネート類および／またはアクリロニトリルブタジエンスチレン類および／またはポリエチレン類および／またはポリプロピレン類および／またはポリウレタン類および／またはポリエチレンテレフタレートおよび／またはポリアミド類および／またはポリ塩化ビニル類および／または熱可塑性エラストマーおよび／または熱可塑性バルカネート類および／または熱硬化性エポキシ樹脂および／またはシリコーン類および／または金属、たとえばアルミニウムおよび／または鋼および／またはステンレス鋼および／またはチタンなどを含み得るが、それらに限定されない。
【０３８５】
周囲部分２２０は、ここでは、三つの異なる材料から製造される三つの異なるパーツ２２０ａ、ｂ、ｃで構成されているものとして例示されているが、周囲部分２２０は、様々な場合において、より多いまたはより少ないの構成部品パーツで構成されてもよく、それらの構成部品パーツもまた、同じまたは異なる材料から製造され得る。
【０３８６】
トップ部材２０２はさらに、複数の係合部材として構成されている留め付け機構２２７を含み、それらの部材は、ボトム部材２０３の一つまたは複数、たとえばボトム部材留め付け機構２３７および／またはロッキング要素２０４と係合するように構成されている。係合部材２２７は、ボトム部材２０３またはロッキング２０４部材の一方または両方と相互作用して、トップ２０２およびボトム２０３部材を一緒に連結し、それにより、それらとともに防水性のシールを形成することができる限り、任意の適当な構成を有し得る。一つまたは複数の係合部材２２７が提供され得、この場合、複数のセットの係合部材２２７ａ、ｂ、ｃ、ｄ、ｅおよびｆが提供されている。
【０３８７】
各セット中に提供される個々の係合部材、たとえばスナップ歯の数ならびにセットの数が異なり得ることに留意すべきである。しかし、係合部材が周囲全体またはその実質的部分にわたって存在することが有用である。理由は、これが、トップ２０２およびボトム２０３部材の互いのより確実な連結を提供するからである。図示するように、スナップ歯２２７ｅとスナップ歯２２７ｆとの間に隙間があり、この隙間は、下にある装置の様々な特徴、たとえば音量制御特徴および／または表示方向決定特徴を収容するように適合されている。下にある装置のそのような特徴が異なる場合、留め付け機構の構成、たとえばスナップ歯係合部材２２７の構成もまた異なるということに留意されたい。いずれにしても、ハウジング２０１の周囲に堅固な防水性のシールを形成するのに十分なスナップ歯部材２２７が含まれるべきである。
【０３８８】
また、トップ部材には、ボタン特徴２１５、充電ポートラッチランプ係合要素２３９ａおよびサムネイル切欠き部分２３９ｂが含まれる。上記のように、これらの特徴それぞれの配置は、間を置かれるか、またはそうでなければ異なることができ、たとえば、望むならば、これらの要素すべてが全体的にトップまたはボトム部材の上に配置され得る。
【０３８９】
図１５Ｂは、図１５Ａのトップ部材２０２のボトムアップ斜視図を示す。図１５Ｂに関して見てとれるように、トップ部材２０２の周囲部分２２０のボトム面はガスケット２１０を含む。ガスケットは周囲２２０全体にわたって存在する。ガスケット２１０は、周囲２２０全体を囲む必要はないが、多くの場合、トップ２０２およびボトム２０３部材が、収容された装置の周囲に確実に装着され、連結および／または一緒に固定されたとき防水性のシールを確保するために、そうすることが有益である。
【０３９０】
また、ホームボタンシーリングガスケット２１６で覆われているホームボタン２１５の下面が示されている。図１５Ａに関して見てとれるように、周囲部分２２０ｂは、ホームボタン特徴２１５が配置される拡大領域を形成する。この特徴は周囲部分の一部であって、たとえばそれと一体であり得るが、様々な態様において、それとは別個であってもよい。たとえば、この態様において、拡大周囲部分は、ホームボタン特徴が配置される切欠き部分２１５ｃを含む。半硬質ホームボタン２１５ａがその中に配置され、可撓性ホームボタンガスケット２１６で覆われている。ホームボタン２１５ａはノブ部分２１５ｂを含み、このノブ部分はボタンインターフェース部分として構成され、このインターフェース部分が、収容された装置の機能を操作するために、その収容された装置のホームボタンが機能できるように仲介する。可撓性ホームボタンガスケット２１６はさらに、ホームボタンインターフェース部分１６ａを含み、このインターフェース部分がホームボタンインターフェース部分２１５ｂを覆う。
【０３９１】
また、トップ部材２０２スナップ歯部材２２７ａ、ｂ、ｃ、ｄおよびｅが明確に示されている。各スナップ歯部材２２７は複数の下位部分を含む。たとえば、各スナップ歯部材２２７は、スナップ歯ベース２２８ａ、傾斜面２２８ｂおよび交差面２２８ｃを含む。傾斜面２２８ｂおよび交差面２２８ｃは、一緒になって、ボトム２０３またはロッキング２０４部材上に具備された対応する係合要素と係合することができるキャッチまたはレッジを形成する。このような様式で、たとえばボトム２０３および／またはロッキング２０４部材上の対応する留め付け機構と係合する、本明細書において２２８として示されるトップ部材留め付け機構により、トップ２０２およびボトム２０３部材が連結および／または一緒に固定され得る。
【０３９２】
図１５Ｃは、ボトム部材２０３のトップダウン斜視図を提供する。図１５Ｃに関して見てとれるように、ボトム部材２０３はまた、周囲部分２３０によって少なくとも部分的に規定されている。周囲部分は、外側周囲部分２３０ａ、中央周囲部分２３０ｂおよび内側周囲部分２３０ｃを含む。
【０３９３】
外側周囲部分２３０ａは、中央周囲部分２４６の充電ポート収容口を少なくとも部分的に包囲するいくつかの特徴、たとえば充電ポート収容口切欠きならびに複数のボタンおよび／またはスイッチインターフェース（たとえば表示方向トグルインターフェース２７２ａおよびｂ、音量スイッチインターフェース２７３ならびにオン／オフスイッチインターフェース２７１）を含む。これらの特徴は、ボトム部材２０３の外側周囲部分２２０ａからの動作を中央周囲部分２２０ｂに中継するインターフェース要素を含むことに留意すべきである。したがって、中央周囲部分２２０ｂは、この動作を収容された装置に中継し、それにより、ユーザーが、外部ボタンおよび／またはスイッチ特徴を操作することにより、収容された装置の機能を操作することを可能にする、対応するボタンおよび／またはスイッチインターフェースを有する。この場合、内側周囲部分２２０ｃは、単にボタン特徴から切り離されているが、特定の場合において、それらの一つまたは複数を覆うこともできる。さらに、内側周囲部分２２０ｃは内側周囲バンパー部分ならびに装置シートを形成し、装置シートは、ハウジングの内部から装置を保護し、ある程度の衝撃吸収性を装置のために提供するように適合されている。
【０３９４】
さらに、ボトム部材２０３は、イヤホン、スピーカーまたは他のジャック特徴を受けるように適合されているイヤホンポート２８５を含んでもよい。イヤホンポート２８５はハウジング２０１の外側から内側に延びている。図示されていないが、トップまたはボトム部材のいずれかに含まれ得るものがノイズ低減ポート特徴である。また、この態様において、ボトム部材２０３の前後面２３５、２３６は不透明であり、レンズ特徴を含まない。
【０３９５】
ボトム部材２０３はさらに、音声をハウジング２０１の内部からハウジングの外部に伝達するように適合されているスピーカー伝達部分６０を含む。スピーカー音声伝達部分２６０は音入口アパーチャ２６１を含み、このアパーチャが、音声をハウジングの内部からハウジングの外部に中継し、それにより、音声をそれに通して流れさせる。アパーチャ２６１は膜、たとえば音響ベント膜２６３で覆われ、この膜が、音声は通過させるが、水のような液体は通過させない。この様式では、音声はハウジング２０１の境界を越えて通過できるが、水は通過することができない。伝達部分はまた、音声を伝達部分の範囲内に閉じ込め、音声がハウジング２０１の内側後面の他の領域に中継されることを防ぐように適合されている音声バリヤ２６３を含んでもよい。このバリヤ２６３は、含まれても含まれなくてもよいが、含まれる場合、収容された装置によって生成される音声の低音特性を減衰させるように機能し得る。
【０３９６】
ボトム部材２０３の周囲部分２３０は、スナップラッチ収容口のセットとして構成されている留め付け機構３７を含む。したがって、ボトム部材は、左側の近位スナップ歯収容口２３７ａ、右側の近位スナップ歯収容口２３７ｂ、遠位スナップ歯収容口２３７ｃ、左側のスナップ歯収容口２３７ｄ、右側のスナップ歯収容口２３７ｅおよび右側のスナップ歯収容口２３７ｆを含む。これらの収容口は、トップ部材２０２のスナップ歯部材２２８およびスナップ歯コーム２４０の両方を受けるように適合されている。
【０３９７】
図１５Ｄは、図１５Ｃのボトム部材２０３のボトムアップ斜視図を提供する。図１５Ｄに関して見てとれるように、ボトム部材は、外側周囲部分２３０ａおよび中央周囲部分２３０ｂを含む周囲部分２２０を含む。外側周囲部分２３０ａは、中央周囲部分の充電ポート収容口２４６へのアクセスを可能にする充電ポート切欠きを含む。外側周囲部分２２０ａはさらに、表示方向トグルインターフェース２７２ａおよびｂ、音量スイッチインターフェース２７３ならびにオン／オフスイッチインターフェース２７１を含む。ボトム部材２０３はまた、イヤホンポート２８５を含み、前後面２３５、２３６は、レンズ特徴２８０と、音入口アパーチャ２６１を含むスピーカー伝達部分２６０とを含む。ボトム部材はさらに、スナップ歯収容口２３７ａ、ｂ、ｃ、ｄ、ｅおよびｆを含む。
【０３９８】
図１５Ｅはロッキング部材２０４の斜視図を示す。この態様において、ロッキング部材は、複数のスナップ歯コーム：左側の近位スナップ歯コーム２４０ａ、右側の近位スナップ歯コーム２４０ｂ、遠位スナップ歯コーム２４０ｃ、右側のスナップ歯コームｄおよび右側のスナップ歯ｅとして構成されている。各スナップ歯コームは一つまたは複数のスナップ歯要素を含む。各スナップ歯要素は、複数の部分、たとえば傾斜したスナップ歯留め付け面２４２および交差するスナップ歯留め付け面を含み、これらの両方がスナップ歯コームバックボーン２４３によって接合されている。各スナップ歯はさらに、スナップ歯空間２４４によって互いから切り離されている。右スナップ歯２４０ｆは一つのスナップ歯要素しか含まず、そして空間によってスナップ歯コーム２４０ｅから離されていることに留意されたい。この空間は、ボトム部材の一つまたは複数のボタン特徴、たとえばボタン特徴２７２および２７３を収容するように構成されている。この空間は、より長くてもより短くてもよく、スナップ歯要素２４０ｆは、複数のスナップ歯要素を有してもよいし、あるいは全く存在しなくてもよい。しかし、トップ部材２０２をボトム部材２０３と連結することによって形成されるシールに構造上の完全性を提供するために存在するスナップ歯２４０ｆを有することが有用である。
【０３９９】
図１５Ｆは、ボトム部材２０３の近位端２３１の斜視図を示す。具体的には、ボトム部材充電ポート収容口２４６が提供されている。充電ポート収容口２４６は境界部材２４７によって境界をつけられており、このボトム部材はさらに、一つまたは複数の充電ポート軸受けオリフィス２４８ａ、ｂを含む。図１５Ｆに関して見てとれるように、充電ポート境界部材２４７は、中央周囲部分２２０ｂの一部として形成され、そしてさらに、外側周囲部分２２０ａの切欠き部分によって少なくとも部分的に包囲されている。
【０４００】
図１５Ｇは、図１４Ｅのトップ部材２０２の代替のウェッジロッキングバージョンのトップダウン斜視図を示す。図示するように、トップ部分２０２は主として周囲部分２２０によって規定されている。周囲部分は、外側周囲部分２２０ａ、中央周囲部分２２０ｂおよび内側周囲部分２２０ｃを含む。この態様において、図１５Ｈに関して見てとれるように、トップ部材２０２は、複数のセットのウェッジ受け部材、たとえばダックフック係合部材、たとえば左側の近位ダックフック部分２２７ａ、右側の近位ダックフック部分２２７ｂ、遠位ダックフック部分２２７ｃ、左側のダックフック部分２２０ｄおよび右側のダックフック部分２２７ｅとして構成されている留め付け機構２２７を含む。
【０４０１】
トップ部材のダックフック係合部材２２７は、ボトム部材２０３の一つまたは複数の留め付け機構２３７と整合するように構成されており、それらの留め付け機構は、この態様においては、ウェッジ受け、たとえばフックとして構成され、ならびにロッキング要素２０４の少なくとも一部分をその中に受けるように構成されている。この態様において、ロッキング要素２０４はウェッジ部材２４０として構成されている。図１５Ｋを参照すること。
【０４０２】
この態様に関連して、各セット中に提供される個々のダックフック部材の数ならびにセットの数が異なり得ることに留意すべきである。トップ部材ダックフックおよび対応するボトム部材フック係合部材は、周囲全体またはその一部分にわたって存在し得、この態様では、その実質的部分にわたて存在し、それにより、トップ２０２およびボトム２０３部材の互いとのより確実な連結を提供する。トップ部材はまた、ボタン特徴２１５、充電ポートラッチランプ係合要素２３９ａおよびサムネイル切欠き部分２３９ｂを含む。図１５Ｈに関して見てとれるように、トップ部材２０２はさらに、ボタン特徴シーリングガスケット２１６を有するボタン特徴２１５と、イヤホンポート切欠き２８９とを含む。
【０４０３】
図１５Ｉは、図１５Ｈに示されたロッキングウェッジ態様のボトム部材２０３のトップダウン斜視図を示す。図１５Ｉに関して見てとれるように、ボトム部材２０３は周囲部分２３０によって少なくとも部分的に規定されている。周囲部分は、外側周囲部分２３０ａ、中央周囲部分２３０ｂおよび内側周囲部分２３０ｃを含む。外側周囲部分２３０ａは、充電ポート収容口２４６および複数のスイッチインターフェース、たとえば表示方向トグルインターフェース２７２ａおよびｂ、音量スイッチインターフェース２７３、オン／オフスイッチインターフェース２７１ならびにノイズキャンセリング特徴２９１を含む。ボトム部材２０３はまた、イヤホン、スピーカーまたは他のジャック特徴を受けるように適合されているイヤホンポート２８５を含む。
【０４０４】
ボトム部材２０３の周囲部分２３０は留め付け機構２３７ａ、ｂ、ｃ、ｄおよびｅを含み、これらの留め付け機構はウェッジ受けフックのセットとして構成されている。したがって、ボトム部材２０３は、左側の近位ウェッジ受けフックのセット２３７ａ、右側の近位ウェッジ受けフックのセット２３７ｂ、遠位ウェッジ受けフックのセット２３７ｃ、左側のウェッジ受けフックのセット２３７ｄおよび右側のウェッジ受けフックのセット２３７ｅを含む。これらのウェッジ受けフック要素は、各フック要素の間の隙間がトップ部材２０２の対応するダックフック要素を受けるように適合されるような様式で互いから離間している。そして、一緒になって、トップ部材２０２がボトム部材２０３に連結され、そしてトップ部材２０２ウェッジ受けダックフック要素２２７がボトム部材２０３ウェッジ受けフック２３７と位置合わせされると、フック特徴の相補的な形状によってキャビティが形成し、そのため、ロッキングウェッジ要素２４０がその中に挿入され、したがって、フックを定位置に固定し、それにより、トップ２０２およびボトム２０３部材を一緒に防水性のシール状態に密封するように機能し得る。
【０４０５】
図１５Ｊは、図２１のボトム部材２０３のボトムアップ斜視図を示す。図１５Ｊに関して見てとれるように、ボトム部材は、外側周囲部分２３０ａおよび中央周囲部分２３０ｂを含む周囲部分２２０を含む。外側周囲部分２３０ａは、充電ポート切欠きを含み、この切欠きが中央周囲部分の充電ポート収容口２４６へのアクセスを可能にする。外側周囲部分２２０ａはさらに、表示方向トグルインターフェース２７２ａおよびｂ、音量スイッチインターフェース２７３ならびにオン／オフスイッチインターフェース２７１を含む。ボトム部材２０３はまた、イヤホンポート２８５を含み、前後面２３５、２３６は、隆起したレンズスカート２８１を有するレンズ特徴２８０と、音声入口アパーチャ２６１を含むスピーカー伝達部分２６０とを含む。ボトム部分はさらに、ウェッジ受けダックフック部材２３７ａ、ｂ、ｃ、ｄ、ｅおよびｆを含む。
【０４０６】
図１５Ｋはロッキング部材２０４の斜視図を示す。この態様において、ロッキング部材は、複数のロッキングウェッジ：左側の近位ロッキングウェッジ２４０ａ、右側の近位ロッキングウェッジ２４０ｂ、遠位ロッキングウェッジ２４０ｃ、左側のロッキングウェッジ２４０ｄおよび右側のロッキングウェッジ２４０ｅとして構成されている。各ロッキングウェッジ２４０は、複数の下位部分（たとえばウェッジベース要素２４６と、この場合には矢印として形成されているフックインターフェース部材２４７と、この場合には溝として形成され、それにより、ロッキングウェッジに明確な矢形を与えるウェッジ交差面２４８と）を含む。適当なロッキングウェッジ２４０は、トップ２０２およびボトム２０３部材の交互嵌合フック部材によって形成される溝の中に嵌められ、それにより、トップ２０２およびボトム２０３部材を一緒に防水性のシール状態に固定することができることができる限り、任意の構成を有してもよいことに留意されたい。したがって、この態様においてロッキングウェッジ２４０は矢じりとして構成されているが、他の適当な構成を有してもよく、ただし、矢じり構成は特定の有用性を有し得る。
【０４０７】
特定の態様において、ハウジングは、電気インターフェースポート、たとえば充電ポート収容口のようなポート開口部を含み得る。下にある装置を汚れ、液体、衝撃などから保護するためなど、下にある装置の増大した保護を保証するために、ハウジングはさらに、充電ポート収容口を覆い、密封するために開閉することができるポートドアおよびラッチを含み得る。ポートおよび／またはドアは、たとえば、ハウジングの周囲に沿って、たとえば近位端もしくは遠位端またはそれらの側部に配置され得る。特定の場合において、ポート収容口およびドアは耐衝撃性かつ耐水性のラッチポートを具備する。ポートドアは、ハウジングのトップまたはボトム周囲部材に配置され得、開口部の一つの側からもう一つの側まで延びるように構成されてもよい。
【０４０８】
たとえば、図１５Ｌは、ハウジング２０１のラッチ特徴の充電ポートドア２４１およびラッチ２４９の斜視図を示す。充電ポートドア２４１は充電ポートガスケット２４５を含む。充電ポートガスケット２４５は、充電ポート収容口２４６と係合し、その周囲を密封し、それにより、それとともに防水性のシールを形成するように構成されている。充電ポートドア２４１はさらに、この態様においては充電ポート「ピン」部材として構成されている充電ポート軸２４８ｂを含む。充電ポートピン部材２４８ｂは、充電ポートドア２４１の充電ポート軸オリフィス２４８ａの中に嵌り、ボトム部材２０３上の対応するオリフィス２４８ｃ、ｄと整合して、充電ポートドア２４１をボトム部材２０３と接続し、そして充電ポートドア２４１が軸２４８ｂを中心に回転することによって開閉することを可能にする。
【０４０９】
図１５Ｍは、トップ部材２０２の近位端２２１において中央周囲部分２２０ｂに配置されたボタン特徴２１５の斜視図を示す。ボタン特徴２１５は、ボタン２１５ａおよびボタン２１５ａの下面に配置されたボタンインターフェース部分またはノブ２１５ｂを含む。また、ボタン特徴シーリングガスケット１６および対応するボタンインターフェース部分受け要素２１６ｂが示されている。
【０４１０】
さらには、トップ部材２０２ラッチポートインターフェース２３９が示されている。トップ部材２０２ラッチポートインターフェースはラッチ受け傾斜面２３９ａおよびサムネイル切欠き２３９ｂを含む。具体的には、充電ポート収容口２４６および充電ポートドア２４１がたとえばハウジング２０１のボトム部材２０３上に提供される場合、さらなるラッチポートインターフェース２３９がたとえばトップ部材２０２上に具備され得る。ラッチポートインターフェース２３９は、ラッチドア２４１を閉位置に固定するために充電ポートドア２４１と係合するように構成されている。この場合、ラッチポートドアインターフェース２３９は、充電ポート収容口２４６および収容口境界部材２４７の上方に配置される。ラッチポートドアインターフェース２３９はラッチランプとして構成され、このラッチランプ２３９ａは、ラッチドアが閉位置にあるとき、ラッチドア２４１の対応するラッチランプ整合部分２４９と係合し、それにより、ラッチドアを閉位置に確保するように適合されている。
【０４１１】
図１５Ｎは、図１５Ｍのボタン特徴１５の切取図を示す。ボタン特徴２１５は、ボタン２１５ａおよびボタン２１５ａの下面に配置されたボタンインターフェース部分またはノブ１５ｂを含む。また、ボタン特徴シーリングガスケット２１６および対応するボタンインターフェース部分受け要素２１６ｂが示されている。見てとれるように、ボタン２１５とボタンシーリングガスケット２１６との間に小さな空間２１５ｃがあってもよい。トップ部材ガスケット２１０はさらに、ボタン特徴２１５の下面を包囲して、そのための防水保護をさらに提供する。
【０４１２】
図１５Ｏは、ボタン特徴２１５およびラッチポート特徴の切取図を示す。ラッチポート特徴は、充電ポート境界部材２４７によって境界をつけられ、かつ図１５ＬおよびＭの充電ポートドア２４１によって覆われている充電ポート収容口２４６を含む。ボタン特徴２１５は、ボタン２１５ａおよびボタン２１５ａの下面に配置されたボタンインターフェース部分またはノブ２１５ｂを含む。また、ボタン特徴シーリングガスケット２１６および対応するボタンインターフェース部分受け要素２１６ａが示されている。
【０４１３】
この場合、ラッチ特徴は、ハウジング２０１の近位端２３１に配置されている。ラッチ特徴は、その中にポート開口部２４６を有するポートまたはラッチ収容口境界部材２４７を含み、さらにラッチドア２４１を含む。ポート収容口境界部材２４７は開口部２４６を囲み、開口部は、下にある電子装置を充電するための充電部材を受けるように構成され得る。ラッチ特徴はまた、ラッチ収容口境界部材２４７を覆ってそれとともに防水性のシールを形成するように構成されているラッチカバー２４１を含む。
【０４１４】
ラッチ特徴およびポート開口部境界部材２４７は任意の適当な構成を有してもよい。一つの態様において、ラッチ特徴は、上または下ハウジング部材の一方の中に全体的に配置される。その結果、ラッチ特徴構成部品のすべてがそのハウジング部材上に全体的に配置される。代替態様において、ラッチ特徴は、一方のハウジング部材、たとえば２０２から他方のハウジング部材、たとえば２０３まで延びるように構成されている。したがって、対向するハウジング部材２および２０３は、ラッチドア２４１と係合してポート収容口２４７を密封するように構成されている、対応するラッチインターフェースを有する。いずれの場合でも、ポート収容口境界部材２４７は、開口部２４６およびポートカバー２４１、たとえばラッチドアを含み、このラッチドア４１は、ポート収容口２４６を覆うために開位置から閉位置まで動くように構成されている。
【０４１５】
図示するように、ラッチ特徴は、一方のハウジング部材２０２から他方のハウジング部材２０３まで延びるように構成されている。したがって、各ハウジング２０２、２０３は対応するラッチインターフェースを含む。たとえば、充電ポート収容口境界部材２４７はトップ部材２０２の近位端部分２２１の中に配置されている。ラッチ特徴はカバードアおよび複数のラッチドアインターフェースを含む。
【０４１６】
たとえば、第一のラッチ特徴インターフェースはラッチドアコネクタ４８ｂである。ラッチドアコネクタ２４８ｂは、ラッチドア２４１と整合し、開位置から閉位置への、またはその逆のラッチドア２４１の動きを容易にすることができる限り、任意の適当な構成を有し得る。この具体例では、ラッチドアコネクタは、ボトム部材２０３の近位端部分２３１に配置されているラッチドア軸２４８ｂとして構成されている。ラッチドア軸２４８ｂは、トップ部材２０２に含まれるポート収容口境界部材２４７の下方に配置されている。ラッチドア軸２４８ｂは、開位置から閉位置へのラッチドアの動きを支援するために、軸オリフィス２４８ａを介してラッチドア２４１と係合するように構成されており、閉位置において、ラッチドア２４１は、充電ポート収容口２４６によって境界をつけられた開口部２４６にまたがる。したがって、開位置から閉位置へのラッチドア２４１の移動は、充電ポート収容口境界部材２４７によって境界をつけられた開口部２４６の被覆および／またはシールを生じさせる。この場合、ラッチドア２４１は、ラッチドアコネクタ２４８ｂを中心に回転するように構成されている。
【０４１７】
図示するように、ラッチポートドア２４１は、充電ポートドアラッチランプ２４９がラッチランプ受け要素３９ａと係合する実質的に閉じた位置にある。充電ポートドア２４１は、充電ポート収容口２４６の周囲を密封し、それにより、それとともに防水性のシールを形成する充電ポートガスケット２４５を含む。また、充電ポートドア２４１の充電ポート軸オリフィス２４８ａに通して嵌められる充電ポートコネクタ、たとえば軸ピン２４８ｂが示されている。
【０４１８】
特定の態様において、ラッチドア２４１の閉止がポート開口部２４６を液密シール状態に閉じる。液密シールを確実にするために、ラッチ特徴は一つまたは複数のさらなる特徴を有し得る。たとえば、ラッチ特徴は、ガスケット２４５、たとえばＯリングまたは他の押下可能なガスケットを含み得る。ガスケット２４５は、充電ポート収容口境界部材２４７の上または周囲に配置され得るか、またはラッチドア２４１上に配置され得るか、あるいはその両方に配置されてもよい。
【０４１９】
たとえば、図１５Ｏに示すように、ラッチドア２４１はガスケット２４５を含み、このガスケットは、境界部材２４７の開口部２４６の中に少なくとも部分的に嵌るような寸法であって、ラッチドアが開位置から閉位置に動くとき、ガスケット２４５の一部分が開口部２４６を覆い、特定の場合には、ポート開口部２４６の中に少なくとも部分的に嵌ってもよく、いずれの場合でも、それによりポートを密封するようになっている。したがって、充電ポート収容口境界部材２４７は、ラッチドア２４１が閉じた配置にあるとき、たとえば、ラッチランプインターフェース２３９がラッチランプ２４９に結合しているとき、ガスケット２４５と相互作用し、それにより、水密性シールを提供するような様式で配置されているガスケットインターフェース面を含む。
【０４２０】
この相互作用を促進するために、特定の態様においては、その中に充電ポート開口部境界部材２４７を有するハウジング部材、たとえば２０２が、充電ポート収容口境界部材２４７に増大した構造上の完全性を提供してポート開口部のためのさらなる支持を提供するように適合されているさらなる剛性の構造的特徴を含むことが有益である場合がある。たとえば、特定の場合、ハウジング２０１のトップ部材２０２中に充電ポート収容口境界部材２４７があるとき、ポート開口部は、すぐ周囲の材料を弱くする傾向を有し得る。したがって、ポート開口部を包囲する領域を支持するために硬質支持材料が境界部材２４７と係合されてもよい。
【０４２１】
硬質支持材料を含まなければ、開口部を包囲するトップおよびボトム部分は、互いから押し離されて、それによって、開口部を水密性の様式に密封する能力が損なわれる場合がある。そのような場合、ポート開口部の完全性を保証するために硬質補剛材料が加えられ得る。特定の場合において、この補強は、ハウジング部材の材料を肉厚化することなく達成される。その理由は、それは、ハウジング全体をより厚く、より幅広く、および／またはより長くする結果を招く場合があるからである。しかし、この様式でそれを実施することもできる。したがって、代替態様において、硬質要素が、その中にポート開口部２７１ａを有するトップ部材２０２に加えられる。たとえば、射出成形された補剛材、たとえばステンレス鋼、マグネシウム、硬質プラスチック構成部品などがトップ部材２０２に含められ、ポート開口部２４６を包囲する材料と結合されて、増大した剛性をそれに提供し、それにより、ポート開口部の物理的完全性を維持し、撓みを防ぎ得る。上記は、ポート開口部がトップ部材２０２中に配置されている場合に関して説明されたが、ポート開口部がボトム部材３中に配置され、その結果、他のラッチ特徴に変更が加えられることもできることが理解されよう。
【０４２２】
図１５Ｐに関して見とれるように、ラッチ特徴は、開位置にあるラッチドア２４１を有する充電ポート境界部材２４７を含む。図示するように、トップ部材２０２は、充電ポート収容口境界部材２４７を含み、それと係合したラッチランプ受け部材２３９をさらに含む。ポート開口部境界部材２４７は、トップ部材２０２中に開口部２４６、たとえばポート開口部に境界をつける。ボトム部材２０３は、ラッチドア軸、たとえばヒンジ軸２４８ｂを含む。ラッチドア２４１はボトム部材２０３上のヒンジ軸２４８ｂと整合する。たとえば、ラッチドア２４１は、ヒンジ軸２４８ｂが嵌め通される軸オリフィス２４８ａを含む。したがって、ラッチドア２４１は、ヒンジ軸４８ｂを中心にたとえば閉位置から開位置まで両方向に回転する。ラッチドア２４１はさらに、トップ部材２０２のポート開口部境界部材２４７の上方に配置されたラッチランプ受け部材３９ａと整合するラッチランプまたは整合部分４９を含む。したがって、ラッチドア２４１が閉位置にあるとき、ラッチランプ整合部分２４９はラッチランプ受け部材３９ａと結合してポート開口部２４６を閉止および／または密封する。
【０４２３】
図１５Ｐは、図１５Ｏと同様な、ただしこの場合はラッチランプ２４９がラッチランプ受け部材２３９ａから係合解除され、充電ポートドア２４１が開位置にある図を示す。後面２３６および近位端２３１周囲部分２３０を有するボトム部材２０３が示されている。ボトム部材２０３はまた、ヒンジオリフィス２４８ａ中に位置するヒンジ軸２４８ｂを含む。また、ラッチドア２４１が具備されている。ラッチドア２４１はボトム部材２０３上のヒンジ軸２４８ｂと整合する。ラッチドア２４１は、たとえばヒンジオリフィス２４８ａとして構成されたヒンジ軸インターフェースを含む。ヒンジオリフィス２４８ａは、その中にヒンジ軸２４８ｂを受けるように構成されている。ヒンジ軸４８ｂとヒンジオリフィス２４８ａとの間の相互作用が軸２４８ｂを中心にドア２４１を回転させることを可能にして開位置から閉位置まで動かす。さらに、ラッチドア２４１は、トップ部材２０２のラッチランプ受け部分２３９ａと整合してラッチカバー２７１ｂを閉位置に確保するラッチランプ２４９を含む。図示するように、ラッチランプ２４９はラッチランプ受け部２３９ａから係合解除され、ラッチドアは開放されている。
【０４２４】
また、トップ部材２０２が示されている。トップ部材２０２は近位端部分２２１を含む。近位端部分２２１は、半可撓性材料で構成されている外寄りの周囲部分２２０ａおよび硬質材料で構成されている中央周囲部分２２０ｂを含む。トップ部材２０２の近位端部分２２１はまた、ポート開口部２４６を含む。ポート開口部２４６はポート収容口境界部材２４７によって境界をつけられている。この場合、外寄りの周囲部分２２０ａは切欠き部分を含み、この切欠き部分は充電ポート収容口境界部材２４７および充電ポートドア２４１を収容する。したがって、充電ポート収容口境界部材２４７は、中央周囲部分２２０ｂを構成する硬質材料とつながっていることができ、たとえばそれによって形成され得るし、またはそれに追加されてもよい。
【０４２５】
ポート収容口境界部材２４７はまた、ガスケット、たとえばラッチドア２４１と結合したガスケット２４５、たとえば、ラッチドア２４１が閉位置にあるときポート開口部２４６の周囲および／または中に嵌り、それを密封する寸法のガスケットと整合するように構成されているガスケットインターフェースを含み得る。
【０４２６】
図１５Ｑは、この場合は充電器２９８が完全に設置されている図１５Ｐの斜視図を示す。
【０４２７】
図１６Ａは、ハウジング２０１の側方垂直斜視を分解図として示す。ハウジング２０１はトップ部材２０２、ボトム部材２０３およびロッキング要素２０４を含み、ロッキング要素は、一連のスナップ歯コーム要素である、２４０ａ左側の近位スナップ歯コーム、２４０ｂ右側の近位スナップ歯コーム、２４０ｃ遠位スナップ歯コーム、２４０ｄ左側のスナップ歯コーム、２４０ｅ右側のスナップ歯コームおよび２４０ｆ右側のスナップ歯として構成されている。トップ部材２０２は、対応するセットのスナップ歯部材２２７ａ、ｂ、ｃ、ｄ、ｅおよびｆを含む。そして、ボトム部材２０３は、その周囲部分、たとえば中央周囲部分２３０ｂを囲むように配置され、かつトップ部材２０２のスナップ歯部材２２７およびスナップ歯コーム２４０の両方を収容し、それらと係合するように構成されている対応するスナップ歯収容口２３７ａ、ｂ、ｃ、ｄ、ｅおよびｆを含む。
【０４２８】
したがって、トップ部材２０２のスナップ歯部材２２７の遠位の延びた部分およびスナップ歯コーム２４０の遠位の延びた部分は、ボトム部材２０３のスナップ歯収容口２３７に挿入され、それらと係合して、トップ２０２およびボトム２０３部材を連結するだけでなく、それらを定位置に防水的に固定するように構成されている。具体的には、ロッキングコーム２４０が収容口２３７に挿入され、それと係合することによってトップ部材２０２がボトム部材２０３と連結され、定位置に固定される。それにより、ガスケット２１０が、収容された装置および／またはボトム部材に対して圧縮され、それにより、液体および粒子状物質、たとえばほこり、汚れ、泥、雪などの浸入に対してハウジング２０１を密封する。また、充電ポートドア２４１、オン／オフスイッチ２７１、表示方向トグル２７２ａおよびｂ、音量制御スイッチ２７３、後面２３５に配置されたレンズ特徴２８０、イヤホンポート２８５ならびにイヤホンポート切欠き２９２が示されている。
【０４２９】
図１６Ｂは、この場合は水平遠位正面図からの図１６Ａのハウジング２０１の別の図を示す。
【０４３０】
図１６Ｃは、図１６Ｂに示す同じハウジングを示すが、この場合、収容される電子装置１００が提供されている。ハウジング１は、トップ部材２０２およびボトム部材２０３を含み、これらが、収容される装置１００の上に嵌り、それを包囲する。トップ部材２０２は複数のセットのスナップ歯部材２２７ａ、ｂ、ｃ、ｄ、ｅおよびｆを含む。そして、ボトム部材２０３は、その周囲部分、たとえば中央周囲部分２３０ｂを囲むように配置され、かつ、トップ部材２０２のスナップ歯部材２２７およびスナップ歯コーム２４０の両方を受け、それらと係合するように構成されている対応するスナップ歯収容口２３７ａ、ｂ、ｃ、ｄ、ｅおよびｆを含む。
【０４３１】
ひとたび装置１００の周りに配置されると、たとえば、スナップ歯部材２２７を、ボトム部材のスナップ歯収容口の内壁上に構成されたスナップ歯キャッチと嵌め合わせることにより、トップ２０２およびボトム部材２０３は連結される。ロッキング要素２０４は、収容口２３７ａ、ｂ、ｃ、ｄ、ｅおよびｆに挿入され、それにより、その中で対応する係合部分と係合し、それによって定位置に固定され、その結果、トップ部材２０２のスナップ歯部材２２７をも定位置に固定するように構成されている、対応するセットのスナップ歯コーム２４０ａ、ｂ、ｃ、ｄ、ｅおよびｆを含む。
【０４３２】
したがって、ひとたびトップ部材２０２およびボトム部材２０３を電子装置１００の周囲に配置し、周囲縁の周りで定位置に嵌め込むことによって連結させたならば、左側の近位スナップ歯コーム２４０ａを挿入し、定位置に嵌め、次いで、右側の近位スナップ歯コーム２４０ｂ、遠位スナップ歯コーム２４０ｃ、左側のスナップ歯コーム２４０ｄ、右側のスナップ歯コーム２４０ｅおよび最後に２４０ｆの右側のスナップ歯を挿入し、定位置に嵌め、それにより、ハウジングを一体に固定し得る。順序は所望により変更されてもよいため、本明細書において提供されるアセンブリの順序は例示のための順序であることが理解されよう。
【０４３３】
図１６Ｄは、図１６Ｃのハウジングの後面図を示すが、この場合、装置１００が収容され、トップ２０２およびボトム２０３部材が連結され、ロッキング要素２４０がその中に挿入され、ハウジング２０１は完全にアセンブルされ、定位置に固定されている。
【０４３４】
図１７Ａは、ボトム部材２０３への挿入の前に配置および位置合わせされた場合のトップ部材２０２およびロッキング要素２４０の遠位前方斜視図を示す。トップ部材２０２は、その上に配置された、たとえばその一体部材として製造され、かつ周囲部分から下向きに延びるスナップ歯部材のセット２２７を有する中央周囲部分２２０ｂを含む。
【０４３５】
この態様においては、ボトム部材の収容口２３７に挿入され、それらと係合し、ならびに六つの対応するロッキング要素と整合するように構成されている６セットのスナップ歯部材がある。左側の近位スナップ歯部材２２７ａは、左側の近位スナップ歯コーム２４０ａと整合するように構成され、右側の近位スナップ歯部材２２７ｂは、右側の近位スナップ歯コーム２４０ｂと整合するように構成され、遠位スナップ歯部材２２７ｃは、遠位スナップ歯コーム２４０ｃと整合するように構成され、左側のスナップ歯部材２２７ｄは、左側のスナップ歯コーム２４０ｄと整合するように構成され、右側のスナップ歯部材２２７ｅは、右側のスナップ歯コーム２４０ｅと整合するように構成され、そしてスナップ歯部材２２７ｆは、スナップ歯要素２４０ｆと整合するように構成されている。また、下面周囲部分２２０ｂおよびホームボタン特徴２１５を包囲するガスケット２１０ならびにラッチドア２４１が示されている。
【０４３６】
図１７Ｂは図１７Ａの逆向き図を示す。
【０４３７】
図１７Ｃは、トップ部材２０２の近位端２１の斜視図を示す。図１７Ｃに関して見とれるように、近位端２２１は、中央周囲部分２２０ｂを囲むようにバンパー部材を形成する外側周囲部分２２０ａおよび内側ワイパー部分として形成された内側周囲部分２２０ｃを含む。中央周囲部分は、ホームボタン特徴２１５ならびに充電ポート収容口２４６およびラッチ受け傾斜面２３９ａおよび切欠き２３９ｂを形成する。たとえば、中央周囲部分２２０ｂは、ラッチポート傾斜面受け部材２３９ａおよび切欠き２３９ｂを含む。また、左側および右側のスナップ歯部材２２０ｄおよびｅが示されている。
【０４３８】
図１７Ｄは、トップ部材２０２の左側の近位スナップ歯部材２２７の拡大図を示す。見てとれるように、各スナップ歯部材２２７は複数の部分、たとえばスナップ歯ベース部材２２８ａ、スナップ歯傾斜面２２８ｂおよびスナップ歯交差面２２８ｃを含む。これらの機能が、一緒になって、スナップ歯部材がボトム部材２０３および／またはロッキング要素２４０上のいずれかの対応する特徴と係合することを可能にする。
【０４３９】
図１７Ｅは、右側のスナップ歯部材の側方斜視図を示す。見てとれるように、スナップ歯部材２２８ｅと２２８ｆとの間には隙間があり、この隙間は、ボトム部材２０３の右側に配置された様々なボタン特徴を収容するように構成されている。このような隙間は、下にある装置の様々な特徴を収容するために必要などこにでも配置されることができる。したがって、一つまたは複数の隙間がたとえばハウジングの周囲部分に沿って存在し得る。
【０４４０】
図１７Ｆは、本明細書に記載されるハウジング２０１のトップ部材２０２のウェッジロッキング態様の詳細図を示す。具体的には、図１７Ｆはトップ部材ウェッジ受けダックフックを示す。各ダックフックは、ロッキングフックベース部材（２２８ａ）、ウェッジシート部材（２２８ｂ）およびダックヘッド部分（２２８ｃ）を含む。ロッキングフックベース部材はダックフックをトップ部材（２０２）に取り付ける。ウェッジシート部材は、ロッキング要素（２０４）、ここでは左側の近位ロッキングウェッジ（２４０ａ）を導入するための溝を形成する。ダックヘッド部分（２２８ｃ）は、トップ部材（２２）とボトム部材（２０３）とが接合されるときボトム部材（２０３）の溝の中に嵌ってハウジングの安定性を増す。トップ部材は、ボトム部材（２０３）からの対応するフックを受けるための類似した溝を各ダックフックの間に有する。いくつかの態様において、トップ部材および／またはボトム部材中のウェッジ受けフックはダックヘッド部分を有する。特定の態様において、トップ部材ウェッジ受けフックだけがダックヘッドを有する。他の態様においては、トップ部材ウェッジ受けフックだけがダックヘッドを有する。図示する態様において、ウェッジ受けダックフックはトップ部材（２０２）の縁全体にわたって同様に作用する。
【０４４１】
図１７Ｆはまた、ラッチランプ受け要素（２３９ａ）およびサムネイル切欠き部分（２３９ｂ）を示す。ラッチランプ受け要素は、充電ポートドア（２４１）を受け、そのドアを確実に留めるための要素である。特定の態様において、充電ポートドア（２４１）は、ハウジング内部への流体の漏れを防ぐシールを形成するために留められる。特定の態様において、流体は空気、水などである。サムネイル切欠き部分（２３９ｂ）は、ツールを使用することなく充電ポートドア（２４１）を開くための部分である。充電ポートドア（２４１）は、サムネイル切欠き部分（２３９ｂ）を使用して手で開けることができる。
【０４４２】
図１７Ｆはまた、トップ部材（２０２）中のコーナー部材（２２８ｅ）を示す。コーナー部材（２２８ｅ）は、トップ部材（２０２）とボトム部材（２０３）とが接合されるとき、ボトム部材（２０３）上の対応する溝の中に嵌る。特定の態様において、コーナー部材（２２８ａ）はハウジング内部への流体の漏れを防ぐ。特定の態様において、流体は空気、水などである。
【０４４３】
図１７Ｇは、本明細書に記載されるハウジングのトップ部材（２０２）の態様の詳細を示す。具体的には、図１７Ｇは、トップ部材（２０２）の右近位側と右側とが接合するコーナーを示す。図１７Ｇはまた、ボトム部材（２０３）上の各フックの間に見られるロッキングフックダックヘッド溝（２２８ｄ）を示す。この態様においては、トップ部材（２０２）およびボトム部材（２０３）の両方がダックヘッドフックを有する。ロッキングフックダックヘッド溝は、トップ部材（２０２）とボトム部材（２０３）とが接合されるとき、ボトム部材右側のウェッジ受けフック（２３７ｅ）およびボトム部材右側の近位ウェッジ受けフック（２３７ｂ）上に見られるロッキングフックダックヘッドが挿入されて増大した安定性を提供することを可能にする。これらのロッキングフックダックヘッド溝（２８ｄ）は、トップ部材（２０２）の下縁に沿って各ダックフックの間に見られる。
【０４４４】
図１７Ｈは、図１７Ｇに示す態様の異なる斜視図を示す。
【０４４５】
図１７Ｉは、本明細書に記載されるハウジングの態様を示す。これは、ハウジングの頂部から示すボトム部材（２０３）の右側の近位端の拡大図である。
【０４４６】
図１７Ｉはまた、トップ部材ロッキング要素受け空間（２４６ａ）を示す。この空間は、トップ部材右側の近位ウェッジ受けダックフック（２２７ｂ）がボトム部材右側の近位ボトム部材ウェッジ受けフック（２３７ｂ）と整合することを可能にする。各トップ部材ロッキング要素受け空間（２４６ａ）がトップ部材（２０２）からのダックフックを受ける。トップ部材（２０２）およびボトム部材（２０３）からのダックフックの境界面が、ロッキング要素（２０４）が挿入されるための溝を形成する。
【０４４７】
さらに、各トップ部材ロッキング要素受け空間（２４６ａ）は、トップ部材（２０２）上のダックフックからのダックヘッドを挿入するためのロッキングフックダックヘッド溝（２２８ｄ）を含む。これらは図１７Ｇおよび１７Ｈにさらに詳細に示されている。
【０４４８】
図１７Ｉは、左側の近位ロッキング要素（２４０ａ）のさらなる詳細を示す。左側の近位ロッキング要素は、フックインターフェース部材（２４１）、ウェッジ交差面（２４２）およびウェッジベース要素（２４３）を含む。フックインターフェース部材（２４１）は、フックによって形成される溝の中に最も深く挿入されるウェッジの部分である。ウェッジ交差面（２４２）はウェッジの側面を構成する。ウェッジ交差面（２４２）は、フックによって形成される溝の壁と相互作用する。ウェッジ交差面（２４２）は断面が楕円形である。すなわち、ウェッジ交差面（２４２）は、フックインターフェース部材（２４１）と突き合うところで狭く、フックインターフェース部材（２４１）とウェッジベース要素（２４３）とのほぼ中間でその最大幅点まで広がり、その後再び狭まる。フックで構成された溝の中にロッキング要素が挿入されたとき、これが左側の近位ロッキング要素（２４０ａ）および他方のロッキング部材をハウジング上の定位置に保持する。ウェッジベース要素（２４３）は、ロッキング要素が溝に挿入されたとき、フックによって作られる溝を覆う。
【０４４９】
図１８Ａは、連結され、一緒に固定される前のトップ２０２およびボトム２０３部材の切取図を示す。見てとれるように、トップ部材２０２は、ボトム部材２０３上の対応するスナップ歯受け収容口２３７の中に受けられるように構成されているスナップ歯部材２２７を含む。トップ部材２０２スナップ歯部材２２７は、ボトム部材２０３の収容口２３７と係合し、それに連結されるように構成されている。たとえば、ボトム部材２０３収容口２３７は、トップ部材２０２スナップ歯部材２２７の対応する係合要素と係合するように構成されている係合要素２３９を含む。具体的には、スナップ歯部材２２８は、対応するボトム部材スナップ歯インターフェース２３９ｂと係合するように構成されているスナップ歯交差面２２８ｃを含み、係合したとき、トップ部材２０２がボトム部材２０３から分離することができないようにしている。さらに、収容口２３７はまた、収容口２３７に挿入されるように構成されているスナップ歯コーム部分上の対応する係合要素と係合するように構成されているロッキング部材スナップ歯キャッチ２３９ａを含む。
【０４５０】
したがって、スナップ歯部材２２８およびスナップ歯コーム２４０は、それらがボトム部材２０３のスナップ歯収容口２３７に挿入され、互いに接触するとき、それぞれが、他方がその垂直軸から横方向に離れることを防ぐような方法で構成されている。たとえば図１８Ｃを参照すること。
【０４５１】
図１８Ｃに関して見てとれるように、スナップ歯部材２２８は、ボトム部材スナップ歯部材係合戻り止めまたはキャッチ２３９ｂ（図１８Ｂを参照）と係合するように構成されており、スナップ歯コーム２４０の挿入により、それとともに定位置に保持され得、それから垂直方向または水平方向に係合解除されることを阻止され得る。そして、ひとたびスナップ歯コーム２４０がボトム部材２０３のスナップ歯受け収容口２３７に挿入されたならば、スナップ歯コーム２４０は、トップ部材２０２スナップ歯部材２２７との相互作用により、スナップ歯コーム係合戻り止め２３９ａに対して定位置に保持され、それから垂直方向または水平方向に係合解除されることを阻止される。その結果、コーム２４０が定位置にあるとき、スナップ歯部材２２８およびスナップ歯コーム２４０は互いに対して固定され、トップ部材２０２はボトム部材２０３と連結され、それによって防止シールが提供される。このシールはさらに、トップ部材２０２をボトム部材２０３に対して固定するように機能して、コーム２４０が取り外されない限り二つの部材を分離することができないようにする。
【０４５２】
本明細書には特定の構成が提示されているが、相互作用の真意を逸脱することなく、スナップ歯部材２２８とコーム２４０との相互作用、およびボトム部材２０３、たとえば収容口２３７とのそれらの相互作用は異なるふうに構成されることもできることが理解されよう。たとえば、個々の係合要素、たとえば２２８、２３９、２４４などは、異なるふうに構成され得るし、異なる面に配置され得る。たとえば、スナップ歯部材２２８はスナップ歯コーム係合要素を含んでもよく、そのスナップ歯コーム２４０は対応するスナップ歯部材係合要素を含んでもよい。
【０４５３】
そのような場合、スナップ歯部材２２８は、対応する係合要素を介してスナップ歯コーム２４０と直接係合し、固定して、スナップ歯部材２２８をスナップ歯係合コーム２４０とともに固定し、それにより、トップ部材２０２とボトム部材２０３との連結を実現し得る。そのような場合、収容口戻り止め２３９は存在してもよいし存在しなくてもよい。または、もう一つの態様において、参照された戻り止め２３９は、図１８に関して示されたものとは異なる係合構成を有することもできる。
【０４５４】
図１８Ｂは、図１８Ａのトップ２０２およびボトム３部材の同じ図を示すが、この場合、トップ部材２０２のスナップ歯部材２２７がボトム部材２０３収容口２３７の中に完全に挿入され、ボトム部材スナップ歯インターフェース２３９ｂと完全に係合している。この係合が、スナップ歯部材がボトム部材２０３から垂直方向に離れることを防ぐ。しかし、スナップ歯コーム２４０が挿入されるまで、スナップ歯部材係合部分２２８は、横方向に動かされてボトム部材スナップ歯インターフェース２３９ｂから係合解除され、それにより、それから解放され、トップ部材２０２をボトム部材２３から分離することを可能にすることができる。
【０４５５】
たとえば、スナップ歯部材２２７をボトム部材のスナップ歯収容口２３７と固定するために使用されるスナップ歯コーム２４０は、一方向にたとえばスナップ歯収容口空間２３８ａに挿入されたとき、ボトム部材２０３のスナップ歯係合戻り止め２３９ａが、コーム２４０上に配置されたスナップ歯コーム戻り止めインターフェース２４４と係合することを可能にし、逆向きにたとえばスナップ歯収容口空間２３８ｂに挿入されたとき、スナップ歯コーム２４０の歯２４１はスナップ歯収容口空間２３８ｂ内に配置され得、コーム２４０の傾斜面２４１がスナップ歯部材２２７の傾斜面２８ｂと係合し得る。そのような位置においては、スナップ歯コーム２４０を用いて、たとえば、スナップ歯収容口に逆向きに挿入されているスナップ歯コーム２４０を持つ手の手首をすばやく動かすだけで、スナップ歯部材２２８をボトム部材２０３から係合解除し得る。
【０４５６】
図１８Ｃは図１８Ｂと同じ図を示すが、この場合、対応するスナップ歯コーム２４０がボトム部材収容口の中に挿入され、対応するスナップ歯コーム戻り止めインターフェース２４４を介して収容口係合戻り止め２３９ａと完全に係合している。図１８Ｃに関して見てとれるように、トップ部材２０２スナップ歯部材２２７およびスナップ歯コーム２４０はボトム部材２０３収容口２３７の中に受けられているが、いずれの要素も互いに固定されていない。しかし、望むならば、それらは、それぞれが他方と固定的に係合するように構成されることもできる。しかし、スナップ歯部材２２８およびスナップ歯コーム２４０を、互いと固定的に係合しないように構成して、コーム２４０が、より容易にボトム部材２０３から係合解除され、トップ部材２０２スナップ歯部材とのそのインターフェースから係合解除され、上記のようなボトム部材２０３からのトップ部材２０２の分離に用いられ、それにより、ハウジング２０１のその構成部品パーツへの分解を容易にすることが有用である。ロッキング部材２４０を実際にスナップ歯部材２２８と堅く係合させることは、このプロセスをより困難にするであろうが、場合によっては、たとえばハウジング２０１が装置の周囲に適用され、それから取り外されない場合には有用である場合がある。
【０４５７】
また、図１８Ｃに関して、ボトム部材２０３の内側周囲部分２３０ｃが、収容される装置に衝撃吸収性を提供する内部バンパー部分として、また装置シートとして形成されることに留意すべきである。したがって、内側周囲部分２３０ｃは、装置をハウジング内に特定の向きで配置するように構成されている装置シート部分２３０ｄを含む。たとえば、装置シート２３０ｄは装置と接触し、それをボトム部材２０３の前／後面２３５、２３６の上に持ち上げて、それらの間に内部空間２３９ｆを形成する。この空間２３９ｆはさらに、ハウジングに衝撃吸収性を提供するように機能し、装置からの熱伝達を促進し、後面カバーからの音声の増幅のための音声チャンネルを形成する。内側周囲部分２３０ｃは、収容された装置の縁と係合し、かつそれにより、もう一つの内部空間２３０ｅを形成するさらなるインターフェース２３０ｇを含み、それがさらに、収容された装置のためにある程度の衝撃吸収性を提供するように機能する。
【０４５８】
図１８Ｄは、図１８Ｃに示すスナップ歯部材２２８とスナップ歯コーム２４０との間の相互作用の拡大図を示す。トップ部材スナップ歯部材２２８とスナップ歯コーム２４０との間の係合の欠如が、コーム２４０がスナップ歯部材２８に対して容易に取り外されることを可能にし、ひいては、ケースの分解を容易にする。具体的には、上記のように、ひとたび取り外したならば、コームを反転させ、コームの歯（スナップ歯要素２４１）を収容口２３７、たとえばスナップ歯係合解除空間２３８ｂに挿入し、スナップ歯部材係合面２２８ｃを収容口スナップ歯係合戻り止め２３９ｂから係合解除するために使用してもよい。ひとたび係合解除したならば、トップ部材２０２を容易に分離し、ボトム部材２０３から取り外し、任意の収容された装置をそこから取り外し得る。
【０４５９】
図１８Ｅは、本明細書に記載されるハウジングの態様の断面図を示す。トップ部材（２０２）は、右側の近位コーナーでボトム部材（２０３）に近接する状態で示されている。ボトム部材右側のウェッジ受けフック（２３７ｅ）が、トップ部材右側のウェッジ受けダックフック（２２７ｄ）のそばの空間への挿入のすぐ下で示されている。また、右側のロッキングウェッジ（２４０ｅ）が、フックによって形成される溝の中への挿入の前の状態で示されている。フックインターフェース部材（２４１）は、フックによって形成される溝を指す状態で示されている。ウェッジ交差面（２４２）は、ボトム部材のウェッジに整合する戻り止め（２４２ａ）と対応する凹みを示す。特定の態様においては、ウェッジ交差面（２４２）と整合するためのインターフェース戻り止めがトップ部材（２０２）中に形成されることもできる。
【０４６０】
図１８Ｅはまた、ボトム部材（２０３）の内部における内側周囲部分装置空間（２０ｅ）中の内側周囲部分装置シート（２２０ｄ）および内側周囲部分装置インターフェース（２２０ｆ）を示す。特定の態様において、内側周囲部分装置シート（２２０ｄ）および内側周囲部分装置インターフェース（２２０ｆ）は、ボトム部材（２０３）と接触しているとき電子装置（３００）を保護する可撓性または半可撓性材料であることができる。可撓性または半可撓性材料は、ゴム、ネオプレン、ポリプロピレンなどであることができる。
【０４６１】
図１８Ｆは、電子装置（３００）を含むハウジングの右側の近位コーナーの別の断面図である。この断面図には、右側のトップ部材ウェッジ受けダックフック（２２７ｄ）がロッキングフックダックヘッド（２２８ｃ）とともに示されている。トップ部材（２０２）上のダックフックは、ロッキングフックダックヘッド溝（２２８ｄ）に挿入されると接合されているときの上部の部材（２０２）および下部の部材（２０３）の安定性を改善する、ダックヘッドを有する。
【０４６２】
図１８Ｆはまた、電子装置とボトム部材（２０３）との間の内部空間（２２０ｇ）を示す。
【０４６３】
図１８Ｇは、トップ部材（２０２）とボトム部材（２０３）とが接合されているハウジングの右側の近位コーナーの断面図である。ウェッジ受けフック縁（２３８ｂ）がボトム部材ロッキング要素受け空間（２４６ｂ）に挿入されている。
【０４６４】
電子装置（１００）は図１８Ｇには存在しない。しかし、存在するならば、ガスケット（１０）が電子装置（３００）に押し当てられるであろう。
【０４６５】
図１８Ｈは、トップ部材（２０２）とボトム部材（２０３）とが接合されているハウジングの右側の近位コーナーの断面図である。図１８Ｈは、ロッキングフックダックヘッド溝（２２８ｄ）に挿入されたロッキングフックダック（２２８ｃ）を示す。さらに、図１８Ｈはまた、トップ部材ロッキング要素受け空間（２４６ａ）に挿入されたロッキングフックウェッジシート部材を示す。
【０４６６】
図１８Ｉは、電子装置（３００）を含むハウジングの右側の近位コーナーの断面図である。右ロッキングウェッジ（２４０ｅ）が、トップ部材（２０２）およびボトム部材（２０３）からのフックによって作られた溝に挿入されている。図１８Ｉはまた、トップ部材（２０２）とボトム部材（２０３）とが接合されているときガスケット（２１０）およびトップ外側周囲部分がどのように電子装置（３００）に隣接しているかを示す。トップ部材右側のウェッジ受けドックフック（２２７ｄ）の位置が示されている。
【０４６７】
図１８Ｊは、図１８Ｉに示すものに類似した断面図である。図１８Ｊはボトム部材右側のウェッジ受けフック（２３７ｅ）の位置を示す。図１８Ｊはまた、トップ部材のウェッジに整合する空間（２４２ｂ）を示す。いくつかの態様において、この空間は、ボトム部材のウェッジに整合する戻り止め（２４２ａ）に類似した戻り止めによって占められている。
【０４６８】
図１８Ｋは、トップ部材（２０２）およびボトム部材（２０３）からのフックによって作られた溝の中に嵌る右側のロッキングウェッジ（２４０ｅ）の側面図を示す。右側のロッキングウェッジが溝に挿入されると、フィンガネイルスロット（２４４）が残り、ツールなしでウェッジを取り外すことが可能になる。
【０４６９】
図１９は、本明細書に記載されるような音声伝達部分２６０のクローズアップ図を示す。音声伝達部分は、ハウジングに沿う、たとえば周囲部分２２０に沿う、または前／後面部分２３５／２３６に沿う適当な場所に配置され得る。さらに、音声伝達部分は、ハウジングの境界を通りぬけて音声を伝達する一方で水のような液体がそこを通って浸入することを防ぐことができる限り、適当な構成を有してもよい。
【０４７０】
たとえば、特定の態様において、ハウジングの周囲または前後面部分が、音声ポートとして構成されている音声伝達部分を含んでもよく、このポートは、ハウジングを通過する音声の伝達を高めるように構成されている。一例において、そのような音声ポートは音響ベント部分として構成され得る。適当な音響ベントは、ハウジングの境界を通りぬけて、たとえばハウジング内に収容された下にある電子装置のマイクロホン部分に向けて、またはそのスピーカー部分から、音声を伝達および／または指向するように適合される。
【０４７１】
たとえば、周囲または前／後面部分は、たとえば遠位端または近位端部分において、音声を伝達するための音響ベント特徴として構成されている音声伝達部分を含み得る。音響ベント特徴は、その中に配置された音響ベント材料を有する一つまたは複数の音声チャンネルを含み得る。音響ベント材料は、音声チャンネルを０〜１８０°の角度で順方向または逆方向にまたがってもよい。音声チャンネルは周囲または後面の外側部分から周囲または前面の内側部分まで延びてもよく、そして音響ベント材料が音声チャンネルをたとえばそこを通過する中心線に対して斜めに横断してもよい。
【０４７２】
ハウジング２０１の近位端部分は、音響ベントとして構成された一つまたは複数の、たとえば複数の音声伝達部分２６０を含み得る。たとえば、特定の態様において、マイクロホン音響ベントおよび／またはスピーカー音響ベント部分が提供されてもよい。一つの態様においては、近位端部分が複数の音響ベントを含んでもよく、それらの音響ベントは、音声をマイクロホン音響ベントに向けるための第一の音声チャンネルおよび音声をスピーカー音響ベントから離れる方向に向けるための第二の音声チャンネルを含む。音響ベントは、トップ２０２またはボトム２０３部材内に配置され、ハウジングの外側から、外側、中央および内側の周囲部分を通って、ハウジングの内部まで通りぬけてもよい。ベントは音響チャンネルを含んでもよく、この音響チャンネルは、音響チャンネルを横断するそれぞれの音響膜を含む。音響膜を包囲するハウジングは、それとともにオーバーモールド成形されるように構成され得る。したがって、音声チャンネルはさらに、膜の周囲部分と整合してそれとともにオーバーモールド成形され、それにより、ハウジングと音響膜との間に液密シールを確保するように構成されているオーバーモールド部分を含み得る。音響膜は、音声にとっては透過性であるが、液体にとっては非透過性である。したがって、音声は、ハウジング中の音声チャンネルを通過して移動することができるが、水のような液体は、音響膜を通過することができないため、移動することはできない。
【０４７３】
特定の態様において、近位端部分は、複数の音声伝達部分、たとえば音響ベント２６０を含む。特定の場合において、複数の音声伝達部分は、マイクロホン音響ベントに通じる音声チャンネルおよびスピーカー音響ベントに通じる音声チャンネルを含む。音響ベントは、トップ部材２０２またはボトム部材２０３内に配置され、ハウジング２０１の外側からハウジングの内部へと通りぬけてもよい。
【０４７４】
そのような音響チャンネルが提供される場合、音響チャンネルは、それぞれの音響膜およびグリル部分を含んでもよく、そのグリル部分は、音響膜のためのさらなる支持を提供するように構成されている。具体的には、音声チャンネルは、音響ベント材料、たとえば膜に向かってテーパ状になるように構成されてもよく、その音声チャンネルは、音声を、ハウジング２０１内に収容された下にある電子装置のマイクロホン音響ベントに向けて、またはそのスピーカー部分から離れる方向に指向するように構成されている。また、音響ベント境界部材、たとえばオーバーモールド成形されたスカートシールが含まれてもよく、音響ベント部材を包囲する。たとえば、音響ベント材料の一部分が硬質材料とともにオーバーモールド成形されて、たとえばスピーカーベント部分からの音声の伝達の分離および低減を促進し、それとの干渉を防止してもよく、さらに、ハウジングと音響膜との間のシールを強化し、それにより、音響ベントの耐液性を保証してもよい。音響ベント材料２６７ａは膜であってもよく、その膜は、０〜１８０°、たとえば９０〜１８０°の角度で傾けられてもよい。音声伝達部分６０は、ハウジング２０１の近位端に配置されている状態で説明されているが、本開示の本質を逸脱することなく、それらは、ハウジングの周囲またはトップもしくはボトム前後面に沿う任意の場所に配置されることもできることに留意すべきである。音響ベント材料は、改善された音声伝達のためにベント材料の断面積を増すために、アセンブリ２６０内で斜めに配置されてもよい。
【０４７５】
図２０は、表示方向スイッチインターフェースおよび音声スイッチインターフェースが細部にわたって引き伸ばされた、内側周囲部分２２０ｂのクローズアップ図を示す。したがって、特定の態様において、本開示のハウジングの周囲部分は、一つまたは複数の製造されたスイッチまたはボタン特徴を含み得る。たとえば、収容された装置のスイッチまたはボタン機構と係合するためのスイッチまたはボタン特徴（たとえばオン／オフスイッチ、表示方向スイッチまたはサイレンススイッチもしくは音量ボタン）が提供されてもよい。図２０に関して見てとれるように、表示方向トグル２７２ａ、２７２ｂのようなスイッチ特徴がハウジング２０１の一部分、たとえば対向する側部部分のうちの一つに含まれ得る。ハウジング２０１の周囲はさらに、他の特徴、たとえばオン／オフスイッチ２７１、音量制御ボタン２７３、コインスロット特徴、一つまたは複数の音響ベント、ラッチ特徴などの一つまたは複数を含んでもよい。スイッチ、トグルおよびボタン特徴は、ハウジング２０１中に製造されてもよく、収容された装置のそれぞれのスイッチ、トグルおよびボタンと係合するように具体的に構成されている。したがって、スイッチ、トグルおよびボタンは、下にある装置の下にあるスイッチおよびボタンの機能性および美観を模し、保証するように設計されている。
図示するように、ハウジング２０１の周囲部分はトグル特徴２７２および音量ボタン２７３を含み得る。ハウジング２０１は、周囲部分２２０を有するトップハウジング部材２０２および周囲部分２３０を有するボトムハウジング部材２０３を含む。図示するように、トグル特徴２７２および音量ボタン２７３はボトム部材２０３の周囲部分２３０に沿って配置されている。この態様において、トグル２７２およびボタン２７３特徴のスタイルは、下にある装置のスイッチおよびボタンの様式上の特徴および機能性を保持するように設計されている。表示方向トグル２７２ａ、２７２ｂは、収容された装置の表示方向決定特徴を操作するために、収容された装置のそれぞれの表示方向スイッチと係合するように構成されている。音量制御トグルまたはボタン７３は、下にある装置の音量の増減のために、収容された装置上の対応するボタンと係合するように構成されている。
表示方向スイッチ特徴２７２はアクチュエータベースを含み、アクチュエータベースは、硬質材料から製造され得、収容された装置のサイレンススイッチの一部またはいくつかの部分と効果的に係合するためにベースを中心に枢動する一つまたは複数の軸またはロッカーを含み得る。音量制御トグル２７３は、ユーザーが関与し得るフラットなユーザー関与面部分および収容された装置のボタンと係合するように構成されている延びたボタン係合部分を含む。
【０４７６】
たとえば、表示方向トグル特徴は、複数のスライダートグル２７２ａ、２７２ｂとして構成されてもよく、これらのトグル２７２は、ハウジング、アクチュエータトップ部材、硬質アクチュエータベースおよびスイッチインターフェース２７４ａ、２７４ｂを含み、これらのスイッチインターフェースが、下にある装置の表示方向スイッチと結合して、表示方向スイッチをたとえばある向きから別の向きに操作する。表示方向トグル特徴はさらに、アクチュエータトップ部材が回転する中心となる軸またはロッカーを含み得る。
【０４７７】
具体的には、トグルは、下にある装置のスイッチ、たとえば表示方向スイッチを包囲するために互いに離間して配置される細長いフック部材として形成され得る。一方または他方のトグルが押下されると、トグルは軸を介してベースを中心に回転し、それにより、スイッチと係合し、向きを変化させる。反対の向きが望まれるならば、反対のトグルが押下される。このようにして、収容された装置の表示方向スイッチを操作して第一の位置から第二の位置にスライドさせ、再び元に戻し、それにより、下にある装置の表示方向決定ビューを操作し得る。
【０４７８】
トグル特徴２７２は、様々なスイッチ構成部品を有するものとして説明されたが、下にある装置のスイッチとスイッチ特徴が係合し、それを操作することができる限り、スイッチ特徴２９０の本質を逸脱することなく、様々なスイッチ構成部品が包含または除外または変更されてもよいことに留意すべきである。たとえば、特定の場合、スイッチ特徴は可撓性の半硬質スイッチハウジングを含んでもよく、そのハウジングは、ハウジングの内面と係合している一つまたは複数の硬質または半硬質スイッチインターフェース部分を含み、それらのスイッチインターフェース部分は、下にある装置のスイッチと係合するように構成されている。そのような場合、スイッチハウジングは、上または下方向に押される、または横方向に切り替えられるように構成されている隆起した部材であってもよく、その押下または切り替えが、スイッチインターフェース部分の一つが、収容された装置の下にあるスイッチと係合し、それを上もしくは下または横方向に操作することを可能にする。
【０４７９】
図２０に示すように、表示方向トグル特徴は、細長いトグルトップ部材、各トグル軸ならびにスイッチインターフェース部分２７４ａおよび２７４ｂにかぶさるアクチュエータスイッチハウジングを含む。ハウジングが押下されると、トップ部材が操作され、たとえば上もしくは下または横に直線方向に動かされ、ベース部材が軸を中心に回転し、それにより、スイッチインターフェースの一方または他方が、下にある装置のスイッチを反対の直線方向に平行移動させて、たとえば、それにより、下にある装置の表示方向決定ビューを変化させる。
【０４８０】
また、複数のボタンスイッチ、たとえば音量制御ボタンが示され、スイッチハウジングは、ハウジングがたとえば上または下方向に押されたとき、収容された装置のスイッチと係合し、それを操作し、それにより、その音量を増大または減少させるように構成されている対応するスイッチインターフェース部分を含む。オン／オフスイッチ２７１が同様に作動するように構成されてもよいことに留意すべきである。
【０４８１】
図２１Ａ〜Ｃは、本明細書に記載されるようにボトム部材２０３の遠位端２３２上に配置されたノイズキャンセリング特徴２９１の詳細図を示す。ノイズキャンセリング特徴２９１は、ハウジング２０１の外側２２０ａから周囲部分２２０ｂ、２２０ｃを通過してハウジング２０１の内部に入る音声チャンネル２９２を含む。音声チャンネルは膜２９３によって横切られ、この膜は、音声をそれに通過させるが、水のような液体を通過させないように構成されている。
【０４８２】
したがって、様々な場合、ハウジング２０１の周囲部分またはトップおよびボトム面が、ノイズキャンセリング特徴２９１として構成されている音声伝達部分２６０を含み得る。この構成において、ノイズキャンセリング特徴２９１は、周辺ノイズを、収容された装置上に存在するノイズキャンセリングマイクロホンに向けて送り、それにより、周辺ノイズのキャンセリングを容易にすることを支援するように機能する。ノイズキャンセリング特徴２９１は、ハウジング２０１上、トップ部材２０２またはボトム部材２０３上のどこにでも、たとえば周囲２２０または２３０に沿って配置され得る。図２１に示すように、ノイズキャンセリング特徴２９１はボトム部材２０３上に配置されている。
【０４８３】
図２１Ａに関して見てとれるように、ノイズキャンセリング特徴２９１は、ハウジングの内部と連通する音響入口アパーチャを含む。図２１Ｂに関して見てとれるように、入口アパーチャは音声ガイドチャンネル２９２を通して連絡し、このチャンネル２９２が、音声ガイドチャンネル２９２内に横断する様式で配置された音響膜２９３に向けて音声を送る。音響入口アパーチャは、収容された装置のノイズキャンセリングマイクロホンから中心がずれている場合があるが、周辺ノイズをそれに向けて送るように構成されている。したがって、図示するように、ノイズキャンセリング特徴２９１は、一つまたは複数の音入口アパーチャ、音声ガイドチャンネル２９２および音響ベント膜２９３を含む。音声ガイドチャンネル２９２は、収容された電子装置上に存在するノイズキャンセリングマイクロホンに向けて音声を送るように構成されている。音響ベント膜２９３は、音声ガイドチャンネル２９２を分けるように配置されてもよい。上記と同じ様式で、音響膜２６３は、オーバーモールド成形された構成でハウジングと係合させてもよいし、膜をハウジングに確保するために接着剤が含まれてもよい。
【０４８４】
図２１Ａ〜２１Ｆは、本明細書に記載されるようにボトム部材２０３の遠位端２３２に配置されたイヤホンポート２８５の様々な詳細図を示す。この場合、ハウジング２０１の外側および中央の周囲部分２２０ａ、２２０ｂは、たとえば、ジャック、たとえばヘッドホンもしくはスピーカーアセンブリのヘッドホンジャックまたは閉止装置、たとえば栓２８６などを受けるためのヘッドホンポート特徴２８５を含む。ヘッドホンポート特徴はトップおよび／またはボトム部材２０２、２０３に含まれてもよいことに留意すべきである。
【０４８５】
図２１Ｃに関して見てとれるように、ヘッドホンポート特徴２８５は、ボトム部材２０３中に配置されたアパーチャ２９４を含む。アパーチャ２９４はねじ領域２９５によって境界をつけられ、このねじ領域２９５は、ヘッドホンジャックまたは栓装置、たとえばイヤホンジャックポート栓２８６上に存在する対応するねじ領域２８８を受けるように構成され得る。様々な場合において、ねじに加えて、Ｏリングのようなガスケットが含まれてもよい。
【０４８６】
したがって、適当なヘッドホンジャックまたは閉止装置２８６は、対応するねじ機能２８８を含み、さらにガスケット２８９を含み得る。ヘッドホンジャックおよび／または栓装置２８６がガスケット２８９を含むならば、アパーチャ２９４はガスケットを含まなくてもよく、むしろ、単にねじ機能２８８を含むであろう。ねじ領域２８８は、一般的なねじ機能として構成されてもよいし、カム特徴として構成されてもよい。したがって、ガスケット２８９は、アパーチャ２９４のハウジング内に存在してもよいし、あるいはポート栓２８６またはヘッドホンジャック上に存在してもよいことに留意すべきである。
【０４８７】
したがって、アパーチャ２９４は、ガスケット２８９（たとえば、対応するポート栓２８６および／またはジャック２５７に含まれない場合）およびねじ領域２９５の両方によって境界をつけられ得、このねじ領域２９５は、イヤホンジャックボート栓２８６上の対応するねじ領域２８８および／またはイヤホンもしくはスピーカージャック上の対応する領域を受けるように構成されている（図２１Ｄ〜２１Ｆを参照）。この構成において、イヤホンジャックポート栓８６またはジャックとヘッドホンポート特徴２８５との連結が液密かつ汚れを通さないシールを生じさせ、そのシールが、水のような液体および／または汚れがヘッドホンポート２８５を通ってハウジング２０１に入ることを防ぐ（たとえば図２１Ｂおよび２１Ｅを参照）。
【０４８８】
図２１Ｅを参照して見てとれるように、ハウジングの要素は、ヘッドホン、スピーカーまたは他のジャック含有装置と下にある装置のジャックポートとの間のインターフェースとして作用して、ヘッドホン、スピーカージャック等と下にある装置との間の防液体性インターフェースを提供するように構成されているポート２８５、たとえばヘッドホンポートであってもよい。そのような場合において、インターフェースは防液体性および防汚れ性シールである。しかし、特定の場合において、ヘッドホン、スピーカーまたは他のジャックインターフェース含有装置は、含まれなくてもよいし、そうでなければ、ハウジングまたはそれと係合した下にある装置と係合しなくてもよい。そのような場合、防液体性ジャック、たとえば本明細書中、以下に記載される防液体性ジャックがハウジングのポートと係合していないとき防液体性および防汚れ性シールを維持するために、ポートシーリング装置２８５がハウジングのポートと係合し得る。
【０４８９】
特定の場合において、ハウジング２０１の対応するポート２８５を密封するためにポートシーリング栓２８６が提供される。ポートシーリング栓２８６は上端部材２８９ａを含んでもよく、この上端部材はさらに、グリップ特徴領域２８９ｂを含み得る。ポートシーリング栓２８６はまた、ガスケット２８８を含むガスケット領域およびねじ２８７を含むねじ領域を含んでもよく、このねじは、ジャックポート２８５の対応するねじ２９５と連結してそれらの間に液密および汚れを通さないシールを確立するように構成されている。
【０４９０】
ねじ領域は、ねじ機能またはカム特徴として構成されてもよいことに留意すべきである。たとえば、図示されているねじ領域の代わりに、カム特徴、たとえばバヨネットカム特徴を設けることができる。カム特徴は、ポートが対応する防液体性ジャックインターフェースと係合していないとき、ジャックポートシーリング栓２８６をジャックポート２８５と液密シール状態に連結するように構成され得る。カム特徴がジャックポート栓２８６に含まれるとき、対応するカム受け特徴がポートジャック２８５のねじ領域２９５の代わりに使用されるということに留意すべきである。たとえば、カム特徴が、ジャックポート栓２８６に含まれる延びたカム特徴である場合、対応する凹んだカム受け特徴がポートジャック２８５のねじ領域２９５の代わりに使用される。カム式ジャックポート栓８６はまた、グリップ特徴２８９ｂおよびガスケット２８８を有する上端部材２８９ａを含む。
【０４９１】
図２３Ａおよび２３Ｂは、本明細書に記載されるようなカメラまたはレンズ特徴２８０の拡大図を提供する。この場合、ボトム部材２０３がレンズ特徴２８０を含むが、他の態様においては、レンズ特徴２８０はトップ部材２０２または両方に含まれてもよい。カメラ部分２８０は、光学スカート２８２を包囲する一つまたは複数の隆起したリップ部分２８１を含み得る。光学スカート２８２は、少なくともカメラレンズ領域２８３ａを収容するように構成されており、さらにフラッシュレンズ領域２８３ｂを含み得る。いずれのレンズも光学的に透過性の領域によって置き換えられることができる。
【０４９２】
したがって、特定の態様において、トップおよび／またはボトム部材２０２、２０３は、レンズ特徴、たとえばカメラおよび／またはフラッシュ特徴を有するカメラ部分２８０を含み得る。一般的な場合、レンズおよび／またはフラッシュ特徴は提供されない。むしろ、単に光学的に透過性の領域が提供される。そのような領域は、カメラによって撮られた写真の鮮明度に干渉し、さらに、フラッシュが提供される場合、下にある装置のカメラレンズへの入射光の透過を許し、それにより、それによって撮られた写真を台無しにする場合があるため、問題になる場合がある。他の場合においては、ケーシングの切欠き部分が提供され、それを通して写真が撮られてもよい。しかし、これは、ケースが耐水性であることを妨げるため、理想的ではない。本開示のハウジングの中にカメラおよび／またはレンズが提供されるならば、それは、ハウジングからステップアップされるような様式で提供され得る。これは、クリーニングしにくく、傷がつきやすく、保護しにくいため、理想的ではない。
【０４９３】
したがって、特定の態様において、一つまたは複数のレンズ、たとえばカメラ２８３ａおよび／またはフラッシュ２８３ｂレンズが、ハウジング２０１のトップ２０２またはボトム２０３部材内に、それらと一体になり、それらから実質的にステップアップしないように配置されているレンズ特徴２８０が提供される。レンズ特徴は、カメラのためのレンズ２８３ａおよび／またはフラッシュのための別のレンズ２８３ｂを含んでもよく、さらに、誤りのない光透過を防ぎ、たとえば内面反射を減らし、それにより、フレアを減らすために、一つまたは複数のレンズを包囲する光学スカート２８２を含んでもよい。
【０４９４】
レンズ特徴２８０を組み立てる際、一つまたは複数のレンズを、ハウジング材料に対して面一になるようにトップ２０２またはボトム部材２０３に押し込んでもよい。ゴムおよび他のそのような材料を使用する一般的な成形法は熱膨張および収縮の差のせいでガラスに関しては困難であるため、そのような製造法は成形よりも好ましい場合がある。さらには、そのようなシールを水密性にすることは困難である。
【０４９５】
したがって、一つの態様において、一つまたは複数のレンズ２８３が具備されているレンズ要素２８０を含むハウジングが提供され、それらのレンズは、下にある装置中に提供されたレンズの直径よりも大きい直径を有し得る。そして、ハウジング部材２０２または２０３を製造、たとえば成形し、別々に提供してもよく、そして、マンドレルまたは他のそのようなツールを用いてレンズ特徴をハウジング部材に押し込んでもよい。これが、ハウジング部材の周囲材料との、きれいな良好に適合したインターフェースをレンズ特徴に与える。レンズ特徴は、レンズ特徴とハウジング材料との間の移行が面一であり、キャビティができないように構成されるべきである。図２３Ａに関して見てとれるように、カメラ特徴２８０は、光学スカート２８２を包囲する隆起したリップ部分２８１を含む。光学スカート２８２は、カメラレンズ２８３ａを含むカメラレンズオリフィスおよびフラッシュレンズ２８３ｂを含むフラッシュレンズオリフィスを含む。
【０４９６】
図２３Ｂに関して見てとれるように、レンズ特徴２８０は光学スカート２８２を含む。光学スカート２８２は、カメラレンズ２８３ａを含むカメラレンズオリフィスを含む。この態様において、フラッシュレンズ２８３ｂを含むフラッシュレンズオリフィスは提供されていないが、他の態様においては、フラッシュレンズ２８３ｂが存在してもよいことに留意すべきである。他の場合には、レンズは提供されない。むしろ、簡単な光学的に明澄な透過性領域が代わりに提供され得る。
【０４９７】
光学スカート２８２は、フラッシュからカメラレンズへの光の透過を防ぐように構成され得る。光学スカート２８２は、カメラレンズ８３ａを含むカメラレンズオリフィスを含み、フラッシュレンズを含む類似したフラッシュレンズオリフィスを含み得る。レンズスカート２８２は、レンズ２８３ａのための改善された視野を提供する同心バッフルディテールを含む。
【０４９８】
図２４Ａおよび２４Ｂは、ハウジングがさらにカバー２０６を含む、ハウジング２０１の態様を示す。カバーは、たとえば成形によって、および／または接着剤もしくは磁石によってトップ部材２０２の周囲部分２２０ａの前面に取り外し可能に取り付けられ得る。または、カバーは、ウェッジロッキング要素と係合させ、そのウェッジ要素を、トップ部材とボトム部材との連結によって形成される対応するウェッジ溝に挿入することにより、ハウジングに取り付けることもできる。カバーは、収容された装置を覆うためにカバーが係合されると装置がオフになり、カバーを開けると装置がオンになるようにハウジングと相互作用するように構成されることができる。したがって、周囲部分は、カバーの相対的配置に基づいてオン／オフ信号を送信するように構成されてもよい。
【０４９９】
上記特徴の一つまたは複数がトップ２０２またはボトム部材２０３の周囲部分２２０、２３０に沿って配置されることもできることに留意すべきである。さらには、トップ部材２０２の前／後面２２５／２２６には、たとえば膜が提供され得る。提供される場合、トップ部材２０２の前／後面２２５、２２６は、ビデオカメラ光学的明澄領域、近接センサ、および／または音声をトップ部材膜２２５、２２６を通りぬけて伝達するための音響ベントイヤピースアパーチャを含み得る。トップ部材２０２、ボトム部材２０３および／またはロッキング部材の一つまたは複数が一つまたは複数のスタンドオフをその前／後面などに含み得る。
【０５００】
さらに、トップおよび／またはボトム部材は、ハウジングのボトム部材からトップ部材を分離することを容易にするためのスロット領域を含むように構成され得る。たとえば、ツールをスロット内に配置し、それをねじって、それにより、ハウジングの二つの部材を分離、たとえば開けてもよい。これに関して、ハウジングの材料がもっぱら硬質である場合、一貫したシールに加えてそのような相互作用を達成することは困難であろうため、ハウジングの可撓性材料、たとえばトップまたはボトム部材２０２、２０３のオーバーモールド成形された外側周囲部分２２０ａが、そのような相互作用を容易にし得る。
【０５０１】
したがって、特定の態様において、外側周囲部分は、ハウジングのボトム部材２０３からハウジングのトップ部材２０２を分離することを支援するためのスロット特徴、たとえばコインスロット特徴を含み得る。スロット特徴は、二つの部材が突き合うところに配置された、周囲に沿って凹んだ、たとえば切欠きされた部分を含み得る。切欠き部分は、トップ部材２０２中に配置されてもよく、さらに、トップハウジング２０２およびボトムハウジング２０３中の複数の境界部材、たとえばオーバーハング部分によって境界をつけられてもよい。
【０５０２】
トップ部材２０２はさらに凹形状を含んでもよく、その一方でボトム部材２０３は凸形状を含み、トップ２０２およびボトム２０３部材が接合されるとコインスロット特徴が形成されて、たとえばツール、たとえばコインを凹領域に挿入し、ねじり、それにより、トップ部材２０２をボトム部材２０３から押し離すことによって、ハウジング２０１の対向した部材を開くときにユーザーを支援するようになっている。
【０５０３】
さらに、本開示のハウジングは、収容され、運ばれることができる実質的にあらゆるものを収容するように構成され得る。たとえば、ケース、たとえばブリーフケース、スーツケース、メッセンジャーケースなどの形態にあるハウジングが提供され得る。たとえば、ハウジング１は、貯蔵容器、クーラー、ウォーマーなどの形態にあってもよい。貯蔵容器は、環境から保護される必要があるあらゆるもの、たとえば食品、液体、氷、紙、ノートブック、本、日用品、作業用品、事務用品、医療品、スポーツ用品、衣類、割れもの、貴重品などを貯蔵するように構成されることができる。
【０５０４】
このようなハウジングはトップ部材２０２およびボトム部材２０３を含み、このトップおよびボトム部材は、上記のように、それぞれの留め付け機構２２７および２３７を含む。また、ガスケット２１５が提供され、トップまたはボトム部材の周囲部分に沿って配置されよう。ヒンジ要素が、上記ウェッジ構成中に提供または包含され、トップまたはボトム部材中に配置されることもできる。したがって、トップ部材は、ヒンジ要素を介してボトム部材２０３に接続されることもできる。そのような態様において、留め付け機構および／またはガスケットは、トップおよびボトム部材の周囲にわたって全面的に存在しなくてもよいが、様々な態様においては、留め付け機構およびガスケットの一つまたは複数が、たとえばそれぞれのトップおよび／またはボトム部材２０２、２０３の周囲部分全体にわたって存在する。この場合、トップ２０２およびボトム２０３部材は、互いから取り外されるようには構成されないであろう。他の場合において、トップ部材２０２は、ボトム部材２０３から完全に取り外されるように構成されるであろう。この場合、留め付け機構２２７および２３７はトップおよびボトム部材２０２、２０３の周囲部分全体にわたって存在してもよく、ガスケット２１０はボトム部材２０３の周囲部分を完全に囲んでもよい。
【０５０５】
トップ部材およびボトム部材をともに密封することをさらに確実にするために、さらなるラッチ機構が、トップおよびボトム部材２０２、２０３のいずれにも含まれ得る。このさらなるラッチ機構は、トップ部材２０２とボトム部材２０３との連結および／または固定を容易にすることができる限り、任意の構成であり得る。たとえば、ラッチ機構は、当業者に一般に公知のラッチ機構であり得る。特定の態様において、当技術分野において公知のロッキング機構、たとえばロックアンドキー機構、組み合わせ機構、外部ロックが加えられるたが機構などを含み得る。
【実施例】
【０５０６】
上記のようなケースを二つ製造した。一方のケースは、図１Ａを参照して示し、説明したようなスナップ歯構成を有するものであり、他方のケースは、図１Ｅを参照して示し、説明したようなロッキングウェッジ構成を有するものであった。これらのケースおよびそれらの構成部品の寸法は以下のとおりであった。
ウェッジ態様
＞  ハウジング全体
−  幅２０４ｍｍ（８インチ）
−  長さ２６０ｍｍ（１０  １／４インチ）
−  厚さ１７ｍｍ（１１／１６インチ）
−  質量２２０ｇ（８オンス）
装置寸法プラス分
−  幅：各側に９ｍｍ（１１／３２インチ）
−  長さ：各端に９ｍｍ（１１／３２インチ）
−  厚さ：トップ周囲に４ｍｍ（５／３２インチ）
−  厚さ：上面に０〜０．５ｍｍ（０〜１／６４インチ）
−  厚さ：ボトム周囲に４ｍｍ（５／３２インチ）
−  厚さ：下面に２ｍｍ（３／３２インチ）
トップ部材
−  幅２０４ｍｍ（８インチ）
−  長さ２６０ｍｍ（１０  １／４インチ）
−  シール部の厚さ３．５ｍｍ（１／８インチ）
−  交互嵌合部の厚さ９ｍｍ（３／８インチ）
−  重量６０ｇ（２オンス）
ボトム部材
−  幅２０４ｍｍ（８インチ）
−  長さ２６０ｍｍ（１０  １／４インチ）
−  シール部の厚さ１２ｍｍ（１／２インチ）
−  交互嵌合部の厚さ１５ｍｍ（５／８インチ）
−  重量１６０ｇ（５  ３／４オンス）
ウェッジ
−  係合部の厚さ２．５ｍｍ（１／１０インチ）
−  全厚さ３．２ｍｍ（１／８インチ）
−  幅４．５ｍｍ（３／１６インチ）
−  長さ：様々
側部：２３０ｍｍ（９インチ）
ヘッドホン端：１５０ｍｍ（６インチ）
ラッチ端：ラッチの二つの短いほうの各側：６８ｍｍ（２  ５／８インチ）
スナップ態様
＞  ハウジング全体
−  幅２０４ｍｍ（８インチ）
−  長さ２６０ｍｍ（１０  １／４インチ）
−  厚さ１７ｍｍ（１１／１６インチ）
−  質量２２０ｇ（８オンス）
装置寸法プラス分
−  幅：各側に９ｍｍ（１１／３２インチ）
−  長さ：各端に９ｍｍ（１１／３２インチ）
−  厚さ：トップ周囲に４ｍｍ（５／３２インチ）
−  厚さ：上面に０〜０．５ｍｍ（０〜１／６４インチ）
−  厚さ：ボトム周囲に４ｍｍ（５／３２インチ）
−  厚さ：下面に２ｍｍ（３／３２インチ）
トップ部材
−  幅２０４ｍｍ（８インチ）
−  長さ２６０ｍｍ（１０  １／４インチ）
−  シール部の厚さ３．５ｍｍ（１／８インチ）
−  スナップ嵌め部の厚さ１２ｍｍ（１／２インチ）
−  前面の厚さ０ｍｍ（０インチ）
−  重量６０ｇ（２オンス）
ボトム部材
−  幅２０４ｍｍ（８インチ）
−  長さ２６０ｍｍ（１０  １／４インチ）
−  シール部の厚さ１２ｍｍ（１／２インチ）
−  スナップ受けポケットの厚さ１２ｍｍ（５／８インチ）
−  下面の厚さ２ｍｍ（３／３２インチ）
−  重量１６０ｇ（５  ３／４オンス）
ロッキングコーム
−  係合部の厚さ２ｍｍ（３／３２インチ）
−  全厚さ３．５ｍｍ（１／８インチ）
−  高さ８ｍｍ（５／１６インチ）
−  長さ：様々
音量制御側：１７５ｍｍ（７インチ）
一つのコーナー：１５ｍｍ（１９／３２インチ）
両側：２２５ｍｍ（９インチ）
ヘッドホン端：１２５ｍｍ（５インチ）
ラッチ端：ラッチの二つの短いほうの各側：６８ｍｍ（２  ５／８インチ）
【０５０７】
タブレットコンピュータを各ケースに入れ、ケースを上記のようにアセンブルした。具体的には、装置をボトム部材３に挿入した。そして、トップ部材２を装置の上に配置し、スナップ歯収容口またはウェッジ受けフックのいずれかを有するボトム部材とスナップ歯部材または交互嵌合フックとを互いに位置合わせした。そして、トップおよびボトム部材の周囲部分を押下してそれらを定位置に嵌め込む、または別の方法でそれらを連結させることにより、トップ２およびボトム３部材を連結させた。そして、スナップ歯コームまたはウェッジを順次に挿入し、定位置に嵌め込む、または別の方法でそれらと連結させた。充電ポートドアを閉じた。栓を栓収容口に挿入し、堅く締めた。装置を含む各ハウジングを各面から６回落下させたが、下にある装置に対する観察可能な物理的損傷または観察可能な動作的損傷は見られなかった。さらには、装置を含む各ケースを水中６フィートの深さまで６回浸漬し、そこで３０分間放置したが、下にある収容された装置に対する漏れによる水損傷はなかった。したがって、本明細書に記載され、添付図面に関して提示されたハウジングは防水性かつ防衝撃性であった。
【０５０８】
上記図は本開示の装置の例示的構成を示す場合があるが、それは、本明細書に記載されるハウジングに含めることができる機能および機能性の理解を支援するために実施される。装置は、例示されたアーキテクチャまたは構成に限定されず、多様な代替アーキテクチャおよび構成を使用して実現することができる。さらに、装置は様々な例示的態様および実施に関して説明されているが、それらが記載されている個々の態様の一つまたは複数に記載されている様々な特徴および機能性は、本開示の他の態様の一つまたは複数に対し、そのような態様が記載されているかどうか、またはそのような機能が記載された態様の一部として提示されているかどうかにかかわらず、単独で、または何らかの組み合わせで適用することもできることが理解されよう。したがって、特に以下の請求項のいずれかにおける本開示の範囲は、上記例示的態様のいずれにも限定されるべきではない。
【０５０９】
本文献に使用される語句およびそれらの変化形は、別段明示的に述べられない限り、限定的ではなく、非限定的であると解釈されるべきである。前記の例として、語「含む」は、「非限定的に含む」などを意味するものと読まれるべきであり、語「例」は、対象項目の具体例を提供するために使用され、その網羅的または限定的なリストを提供するために使用されるのではなく、「従来の」、「旧来の」、「標準的な」、「公知の」および類似した意味の語のような形容詞は、記載された項目を所与の期間または所与の期間に利用可能であったような項目に限定するものと解釈されるべきではなく、現在または未来の任意の時点で利用可能または公知であってもよい従来の、旧来の、通常の、または標準的な技術を包含するものと読まれるべきである。同様に、接続詞「および」によって連結された項目の群は、それらの項目のそれぞれ一つがそのグループ中に存在することを要求するものと読まれるべきではなく、別段明示的に述べられない限り、「および／または」と読まれるべきである。同様に、接続詞「または」によって連結された項目の群は、その群の中での相互排他性を要求するものと読まれるべきではなく、別段明示的に述べられない限り、「および／または」と読まれるべきである。さらに、本開示の項目、要素または構成部品は、単数で記載され、特許請求される場合があるが、単数への限定が明示的に述べられない限り、複数がその範囲内であると考えられる。いくつかの場合における範囲を拡げる語句、たとえば「一つまたは複数」、「少なくとも」、「限定されない」または同様な語句の存在は、そのような語句が存在しない場合には、より狭い場合が意図され、求められることを意味するものと読まれるべきではない。さらに、範囲が記載される場合、その範囲の上限および下限はそれらの中間単位のすべてを含む。
【０５１０】
前記説明は、本開示を説明することを意図したものであり、添付の特許請求項の範囲によって規定されるその範囲を限定することを意図したものではない。他の態様が以下の特許請求の範囲内である。
【図１Ａ】
0005969602.tif 000002
【図１Ｂ】
0005969602.tif 000003
【図１Ｃ】
0005969602.tif 000004
【図１Ｄ】
0005969602.tif 000005
【図２Ａ】
0005969602.tif 000006
【図２Ｂ】
0005969602.tif 000007
【図２Ｃ】
0005969602.tif 000008
【図３Ａ】
0005969602.tif 000009
【図３Ｂ】
0005969602.tif 000010
【図３Ｃ】
0005969602.tif 000011
【図４Ａ】
0005969602.tif 000012
【図４Ｂ】
0005969602.tif 000013
【図４Ｃ】
0005969602.tif 000014
【図４Ｄ】
0005969602.tif 000015
【図４Ｅ】
0005969602.tif 000016
【図４Ｆ】
0005969602.tif 000017
【図４Ｇ】
0005969602.tif 000018
【図４Ｈ】
0005969602.tif 000019
【図４Ｉ】
0005969602.tif 000020
【図４Ｊ】
0005969602.tif 000021
【図４Ｋ】
0005969602.tif 000022
【図４Ｌ】
0005969602.tif 000023
【図４Ｍ】
0005969602.tif 000024
【図４Ｎ】
0005969602.tif 000025
【図５Ａ】
0005969602.tif 000026
【図５Ｂ】
0005969602.tif 000027
【図５Ｃ】
0005969602.tif 000028
【図５Ｄ】
0005969602.tif 000029
【図６Ａ】
0005969602.tif 000030
【図６Ｂ】
0005969602.tif 000031
【図６Ｃ】
0005969602.tif 000032
【図６Ｄ】
0005969602.tif 000033
【図６Ｅ】
0005969602.tif 000034
【図６Ｆ】
0005969602.tif 000035
【図７Ａ】
0005969602.tif 000036
【図７Ｂ】
0005969602.tif 000037
【図７Ｃ】
0005969602.tif 000038
【図７Ｄ】
0005969602.tif 000039
【図７Ｅ】
0005969602.tif 000040
【図８Ａ】
0005969602.tif 000041
【図８Ｂ】
0005969602.tif 000042
【図９Ａ】
0005969602.tif 000043
【図９Ｂ】
0005969602.tif 000044
【図９Ｃ】
0005969602.tif 000045
【図１０Ａ】
0005969602.tif 000046
【図１０Ｂ】
0005969602.tif 000047
【図１０Ｃ】
0005969602.tif 000048
【図１０Ｄ】
0005969602.tif 000049
【図１０Ｅ】
0005969602.tif 000050
【図１０Ｆ】
0005969602.tif 000051
【図１１Ａ】
0005969602.tif 000052
【図１１Ｂ】
0005969602.tif 000053
【図１１Ｃ】
0005969602.tif 000054
【図１２Ａ】
0005969602.tif 000055
【図１２Ｂ】
0005969602.tif 000056
【図１２Ｃ】
0005969602.tif 000057
【図１３Ａ】
0005969602.tif 000058
【図１３Ｂ】
0005969602.tif 000059
【図１３Ｃ】
0005969602.tif 000060
【図１３Ｄ】
0005969602.tif 000061
【図１３Ｅ】
0005969602.tif 000062
【図１４Ａ】
0005969602.tif 000063
【図１４Ｂ】
0005969602.tif 000064
【図１４Ｃ】
0005969602.tif 000065
【図１４Ｄ】
0005969602.tif 000066
【図１４Ｅ】
0005969602.tif 000067
【図１４Ｆ】
0005969602.tif 000068
【図１４Ｇ】
0005969602.tif 000069
【図１４Ｈ】
0005969602.tif 000070
【図１４Ｉ】
0005969602.tif 000071
【図１５Ａ】
0005969602.tif 000072
【図１５Ｂ】
0005969602.tif 000073
【図１５Ｃ】
0005969602.tif 000074
【図１５Ｄ】
0005969602.tif 000075
【図１５Ｅ】
0005969602.tif 000076
【図１５Ｆ】
0005969602.tif 000077
【図１５Ｇ】
0005969602.tif 000078
【図１５Ｈ】
0005969602.tif 000079
【図１５Ｉ】
0005969602.tif 000080
【図１５Ｊ】
0005969602.tif 000081
【図１５Ｋ】
0005969602.tif 000082
【図１５Ｌ】
0005969602.tif 000083
【図１５Ｍ】
0005969602.tif 000084
【図１５Ｎ】
0005969602.tif 000085
【図１５Ｏ】
0005969602.tif 000086
【図１５Ｐ】
0005969602.tif 000087
【図１５Ｑ】
0005969602.tif 000088
【図１６Ａ】
0005969602.tif 000089
【図１６Ｂ】
0005969602.tif 000090
【図１６Ｃ】
0005969602.tif 000091
【図１６Ｄ】
0005969602.tif 000092
【図１７Ａ】
0005969602.tif 000093
【図１７Ｂ】
0005969602.tif 000094
【図１７Ｃ】
0005969602.tif 000095
【図１７Ｄ】
0005969602.tif 000096
【図１７Ｅ】
0005969602.tif 000097
【図１７Ｆ】
0005969602.tif 000098
【図１７Ｇ】
0005969602.tif 000099
【図１７Ｈ】
0005969602.tif 000100
【図１７Ｉ】
0005969602.tif 000101
【図１８Ａ】
0005969602.tif 000102
【図１８Ｂ】
0005969602.tif 000103
【図１８Ｃ】
0005969602.tif 000104
【図１８Ｄ】
0005969602.tif 000105
【図１８Ｅ】
0005969602.tif 000106
【図１８Ｆ】
0005969602.tif 000107
【図１８Ｇ】
0005969602.tif 000108
【図１８Ｈ】
0005969602.tif 000109
【図１８Ｉ】
0005969602.tif 000110
【図１８Ｊ】
0005969602.tif 000111
【図１８Ｋ】
0005969602.tif 000112
【図１９】
0005969602.tif 000113
【図２０】
0005969602.tif 000114
【図２１Ａ】
0005969602.tif 000115
【図２１Ｂ】
0005969602.tif 000116
【図２１Ｃ】
0005969602.tif 000117
【図２１Ｄ】
0005969602.tif 000118
【図２１Ｅ】
0005969602.tif 000119
【図２１Ｆ】
0005969602.tif 000120
【図２２Ａ】
0005969602.tif 000121
【図２２Ｂ】
0005969602.tif 000122
【図２２Ｃ】
0005969602.tif 000123
【図２３Ａ】
0005969602.tif 000124
【図２３Ｂ】
0005969602.tif 000125
【図２４Ａ】
0005969602.tif 000126
【図２４Ｂ】
0005969602.tif 000127